(57)【特許請求の範囲】
【請求項１】
ポリオレフィン（Ａ）を主鎖とし、ラジカル反応性の官能基を有する染料（ｂ）を重合したポリマー（Ｂ）を側鎖に有するグラフトポリマー｛但し、−Ｎ＝Ｎ−Ｐｈ−基（式中、Ｐｈはアルキル基を置換基として有していてもよいフェニレン基を表す。）を有する染料を重合したポリマーを側鎖に有するものを除く｝であって、染料（ｂ）が、下記の一般式（Ｉ）、一般式（ＩＩ）、一般式（ＩＩＩ）、一般式（ＩＶ）、一般式（Ｖ）及び一般式（ＶＩ）で示される化合物からなる群から選ばれる化合物である、ポリマー。
0006662772.tif 000193
［一般式（Ｉ）中、Ｒ１〜Ｒ４は、それぞれ独立して、水素原子、炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有する若しくは無置換のフェニル基、又は置換基を有する若しくは無置換のベンジル基を表し、Ｒ５〜Ｒ７は、それぞれ独立して、水素原子またはメチル基を表し、Ａ１は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ２は、−ＮＨ−又は−Ｏ−を表す。また、Ａｎ−は、アニオンを表す。］
0006662772.tif 000194
［一般式（ＩＩ）中、Ｒ１〜Ｒ４、Ｒ７、Ａ１、Ａ２及びＡｎ−は、上記一般式（Ｉ）と同じであり、Ｒ８は、水素原子または炭素数１〜３０のアルキル基を表し、Ｒ９は、水素原子または炭素数１〜６のアルキル基を表し、ｎは０〜３を表し、Ｙは、窒素原子または下記式（ＩＩ−１）で示される基を表し、
0006662772.tif 000195
Ｒ８とＲ９は、これらと結合している−Ｎ−（ＣＨ２）ｎ−Ｙ−とで、５〜６員環の環状構造を形成してもよい。］
0006662772.tif 000196
［一般式（ＩＩＩ）中、Ｒ１〜Ｒ７、Ａ２及びＡｎ−は、上記一般式（Ｉ）と同じであり、Ｒ３１４は、水素原子、炭素数１〜３０のアルキル基、置換基を有する若しくは無置換のフェニル基、置換基を有する若しくは無置換のナフチル基、又は置換基を有する若しくは無置換のベンジル基を表し、Ｒ３０８〜Ｒ３１３は、それぞれ独立して、炭素数１〜２１のアルキル基、アリール基、水酸基、ニトロ基、スルホ基、又は炭素数１〜３のアルコキシ基を表す。Ａ３０１は、−Ｎ（Ｒ３１５）−、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基；−Ｎ（Ｒ３１５）−、−Ｏ−、−ＯＣＯ−、−ＣＯＯ−若しくはアリーレン基の少なくとも１つの基を鎖中に有する炭素数１〜２１のアルキレン基；ヒドロキシル基を置換基として有する炭素数１〜２１のアルキレン基；又は炭素数１〜２１のアルキレン基を表し、Ｒ３１５は、水素原子、炭素数１〜３０のアルキル基、置換基を有する若しくは無置換のフェニル基、置換基を有する若しくは無置換のナフチル基、又は置換基を有する若しくは無置換のベンジル基を表す。］
0006662772.tif 000197
［一般式（ＩＶ）中、Ｒ１〜Ｒ７、Ａ１、Ａ２及びＡｎ−は、上記一般式（Ｉ）と同じであり、ｎ４個のＲ４０８は、それぞれ独立して、ハロゲン原子、炭素数１〜２１のアルキル基、炭素数６〜１０のアリール基、ヒドロキシル基、ニトロ基、スルホ基、又は炭素数１〜３のアルコキシ基を表し、ｎ４は、０〜４の整数を表す。］
0006662772.tif 000198
［一般式（Ｖ）中、Ａ１、Ａ２及びＡｎ−は、上記一般式（Ｉ）と同じであり、Ｒ５０１〜Ｒ５０４及びＲ５０８〜Ｒ５１１は、それぞれ独立して、水素原子、ニトロ基、ハロゲノ基、シアノ基、アミド基、カルボキシル基、炭素数１〜６のアルキル基、炭素数１〜６のアルコキシ基、炭素数２〜４のアルキルオキシカルボニル基、炭素数２〜４のアルキルカルボニルオキシ基、又は炭素数７〜１０のアリールカルボニル基を表す。Ｒ５０５及びＲ５０６は、それぞれ独立して、水素原子、炭素数１〜６のアルキル基、炭素数７〜１３のアリールアルキル基、又は、フェニル基の置換基として、炭素数１〜６のアルキル基、ニトロ基、ハロゲノ基若しくはシアノ基を有する、炭素数７〜９のフェニルアルキル基を表す。Ｒ５０７は、水素原子、炭素数１〜６のアルキル基、炭素数７〜１３のアリールアルキル基、置換基として、炭素数１〜６のアルコキシ基、ヒドロキシル基、カルボキシル基、ハロゲノ基、シアノ基、アミド基若しくは炭素数２〜４のアルキルオキシカルボニル基を有する、炭素数１〜６のアルキル基、又は、フェニル基の置換基として、炭素数１〜６のアルコキシ基、ハロゲノ基若しくはアミド基を有する、炭素数７〜９のフェニルアルキル基を表す。Ｒ５１２は、水素原子又はメチル基を表す。］
0006662772.tif 000199
［一般式（ＶＩ）中、Ｒ７及びＡｎ−は、上記一般式（Ｉ）と同じであり、Ａ６０１は、−Ｏ−又は下記一般式（ＶＩ−２−１）で示される基を表し、
0006662772.tif 000200
（式中、Ｒ６０８及びＲ６０９は、それぞれ独立して、水素原子または炭素数１〜１２のアルキル基を表し、Ａ６０４は、窒素原子または下記式（ＶＩ−２−２）で示される基を表し、
0006662772.tif 000201
ｎ６０２は、０〜３の整数を表し、Ｒ６０８とＲ６０９は、これらと結合している−Ｎ−（ＣＨ２）ｎ６０２−（Ａ６０４）ｎ６０３−とで、５〜６員環の環状構造を形成してもよく、Ｒ６０８、Ｒ６０９及び−Ｎ−（ＣＨ２）ｎ６０２−（Ａ６０４）ｎ６０３−で５〜６員環の環状構造を形成している場合、ｎ６０３は１を表し、５〜６員環の環状構造を形成していない場合、ｎ６０３は０又は１を表す。）
Ａ６０２は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ６０３は、−ＮＲ６１０−又は−Ｏ−を表し、Ｒ６１０は、水素原子または炭素数１〜１２のアルキル基を表す。ｎ６０１個のＲ６０５は、それぞれ独立して、ハロゲン原子、炭素数１〜２０のアルキル基、炭素数１〜２０のアルコキシ基、炭素数１〜２０のアルキルチオ基、又は置換基を有する若しくは無置換のアミノ基を表し、Ｙ６０１は、酸素原子、硫黄原子、−ＮＲ６３２−、−ＢＲ６３３−又は−Ｓｉ（Ｒ６３４）２−を表し、Ｒ６３２、Ｒ６３３及び２個のＲ６３４は、炭素数１〜６のアルキル基を表し、Ａｒ１は、下記一般式（ＶＩ−１−１）〜（ＶＩ−１−７）で示される環構造を表し；
0006662772.tif 000202
（式中、Ｒ６０１及びＲ６０４は、それぞれ独立して、水素原子又はメチル基を表し、Ｒ６０２及びＲ６０３は、それぞれ独立して、炭素数１〜２０のアルキル基を表し、Ｒ６０１とＲ６０２とで炭素数２〜４のアルキレン基を形成していてもよく、Ｒ６０３とＲ６０４とで炭素数２〜４のアルキレン基を形成していてもよい。）
0006662772.tif 000203
（式中、Ｒ６３１は、炭素数１〜２０のアルキル基を表す。）
0006662772.tif 000204
（式中、Ｒ６３１は、上記と同じ。）
0006662772.tif 000205
（式中、Ｒ６３１は、上記と同じ。）
0006662772.tif 000206
（式中、Ｒ６３１は、上記と同じ。）
0006662772.tif 000207
（式中、Ｒ６３１は、上記と同じ。）
0006662772.tif 000208
（式中、Ｒ６３１は、上記と同じ。）
＊及び＊＊は、それぞれの結合位置を表し、Ａｒ２は、ベンゼン環、ナフタレン環又はアントラセン環を表す。Ａｒ２がベンゼン環の場合、ｎ６０１は０〜４の整数を表し、Ａｒ２がナフタレン環の場合、ｎ６０１は０〜６の整数を表し、Ａｒ２がアントラセン環の場合、ｎ６０１は０〜８の整数を表す。］
【請求項２】
ポリオレフィン（Ａ）、ラジカル反応性の官能基を有する染料（ｂ）およびラジカル反応開始剤（Ｃ）を含む反応性混合物を反応させてなるグラフトポリマーであって、染料（ｂ）が、下記の一般式（Ｉ）、一般式（ＩＩ）、一般式（ＩＩＩ）、一般式（ＩＶ）、一般式（Ｖ）及び一般式（ＶＩ）で示される化合物からなる群から選ばれる化合物であり、ラジカル反応開始剤（Ｃ）が、ジクミルパーオキサイド、２，５−ジメチル−２，５−ジ（ｔｅｒｔ−ブチルパーオキシ）ヘキサン及びｔｅｒｔ−ブチルパーオキシベンゾエートから選ばれるものであるである、ポリマー。
0006662772.tif 000209
［一般式（Ｉ）中、Ｒ１〜Ｒ４は、それぞれ独立して、水素原子、炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有する若しくは無置換のフェニル基、又は置換基を有する若しくは無置換のベンジル基を表し、Ｒ５〜Ｒ７は、それぞれ独立して、水素原子またはメチル基を表し、Ａ１は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ２は、−ＮＨ−又は−Ｏ−を表す。また、Ａｎ−は、アニオンを表す。］
0006662772.tif 000210
［一般式（ＩＩ）中、Ｒ１〜Ｒ４、Ｒ７、Ａ１、Ａ２及びＡｎ−は、上記一般式（Ｉ）と同じであり、Ｒ８は、水素原子または炭素数１〜３０のアルキル基を表し、Ｒ９は、水素原子または炭素数１〜６のアルキル基を表し、ｎは０〜３を表し、Ｙは、窒素原子または下記式（ＩＩ−１）で示される基を表し、
0006662772.tif 000211
Ｒ８とＲ９は、これらと結合している−Ｎ−（ＣＨ２）ｎ−Ｙ−とで、５〜６員環の環状構造を形成してもよい。］
0006662772.tif 000212
［一般式（ＩＩＩ）中、Ｒ１〜Ｒ７、Ａ２及びＡｎ−は、上記一般式（Ｉ）と同じであり、Ｒ３１４は、水素原子、炭素数１〜３０のアルキル基、置換基を有する若しくは無置換のフェニル基、置換基を有する若しくは無置換のナフチル基、又は置換基を有する若しくは無置換のベンジル基を表し、Ｒ３０８〜Ｒ３１３は、それぞれ独立して、炭素数１〜２１のアルキル基、アリール基、水酸基、ニトロ基、スルホ基、又は炭素数１〜３のアルコキシ基を表す。Ａ３０１は、−Ｎ（Ｒ３１５）−、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基；−Ｎ（Ｒ３１５）−、−Ｏ−、−ＯＣＯ−、−ＣＯＯ−若しくはアリーレン基の少なくとも１つの基を鎖中に有する炭素数１〜２１のアルキレン基；ヒドロキシル基を置換基として有する炭素数１〜２１のアルキレン基；又は炭素数１〜２１のアルキレン基を表し、Ｒ３１５は、水素原子、炭素数１〜３０のアルキル基、置換基を有する若しくは無置換のフェニル基、置換基を有する若しくは無置換のナフチル基、又は置換基を有する若しくは無置換のベンジル基を表す。］
0006662772.tif 000213
［一般式（ＩＶ）中、Ｒ１〜Ｒ７、Ａ１、Ａ２及びＡｎ−は、上記一般式（Ｉ）と同じであり、ｎ４個のＲ４０８は、それぞれ独立して、ハロゲン原子、炭素数１〜２１のアルキル基、炭素数６〜１０のアリール基、ヒドロキシル基、ニトロ基、スルホ基、又は炭素数１〜３のアルコキシ基を表し、ｎ４は、０〜４の整数を表す。］
0006662772.tif 000214
［一般式（Ｖ）中、Ａ１、Ａ２及びＡｎ−は、上記一般式（Ｉ）と同じであり、Ｒ５０１〜Ｒ５０４及びＲ５０８〜Ｒ５１１は、それぞれ独立して、水素原子、ニトロ基、ハロゲノ基、シアノ基、アミド基、カルボキシル基、炭素数１〜６のアルキル基、炭素数１〜６のアルコキシ基、炭素数２〜４のアルキルオキシカルボニル基、炭素数２〜４のアルキルカルボニルオキシ基、又は炭素数７〜１０のアリールカルボニル基を表す。Ｒ５０５及びＲ５０６は、それぞれ独立して、水素原子、炭素数１〜６のアルキル基、炭素数７〜１３のアリールアルキル基、又は、フェニル基の置換基として、炭素数１〜６のアルキル基、ニトロ基、ハロゲノ基若しくはシアノ基を有する、炭素数７〜９のフェニルアルキル基を表す。Ｒ５０７は、水素原子、炭素数１〜６のアルキル基、炭素数７〜１３のアリールアルキル基、置換基として、炭素数１〜６のアルコキシ基、ヒドロキシル基、カルボキシル基、ハロゲノ基、シアノ基、アミド基若しくは炭素数２〜４のアルキルオキシカルボニル基を有する、炭素数１〜６のアルキル基、又は、フェニル基の置換基として、炭素数１〜６のアルコキシ基、ハロゲノ基若しくはアミド基を有する、炭素数７〜９のフェニルアルキル基を表す。Ｒ５１２は、水素原子又はメチル基を表す。］
0006662772.tif 000215
［一般式（ＶＩ）中、Ｒ７及びＡｎ−は、上記一般式（Ｉ）と同じであり、Ａ６０１は、−Ｏ−又は下記一般式（ＶＩ−２−１）で示される基を表し、
0006662772.tif 000216
（式中、Ｒ６０８及びＲ６０９は、それぞれ独立して、水素原子または炭素数１〜１２のアルキル基を表し、Ａ６０４は、窒素原子または下記式（ＶＩ−２−２）で示される基を表し、
0006662772.tif 000217
ｎ６０２は、０〜３の整数を表し、Ｒ６０８とＲ６０９は、これらと結合している−Ｎ−（ＣＨ２）ｎ６０２−（Ａ６０４）ｎ６０３−とで、５〜６員環の環状構造を形成してもよく、Ｒ６０８、Ｒ６０９及び−Ｎ−（ＣＨ２）ｎ６０２−（Ａ６０４）ｎ６０３−で５〜６員環の環状構造を形成している場合、ｎ６０３は１を表し、５〜６員環の環状構造を形成していない場合、ｎ６０３は０又は１を表す。）
Ａ６０２は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ６０３は、−ＮＲ６１０−又は−Ｏ−を表し、Ｒ６１０は、水素原子または炭素数１〜１２のアルキル基を表す。ｎ６０１個のＲ６０５は、それぞれ独立して、ハロゲン原子、炭素数１〜２０のアルキル基、炭素数１〜２０のアルコキシ基、炭素数１〜２０のアルキルチオ基、又は置換基を有する若しくは無置換のアミノ基を表し、Ｙ６０１は、酸素原子、硫黄原子、−ＮＲ６３２−、−ＢＲ６３３−又は−Ｓｉ（Ｒ６３４）２−を表し、Ｒ６３２、Ｒ６３３及び２個のＲ６３４は、炭素数１〜６のアルキル基を表し、Ａｒ１は、下記一般式（ＶＩ−１−１）〜（ＶＩ−１−７）で示される環構造を表し；
0006662772.tif 000218
（式中、Ｒ６０１及びＲ６０４は、それぞれ独立して、水素原子又はメチル基を表し、Ｒ６０２及びＲ６０３は、それぞれ独立して、炭素数１〜２０のアルキル基を表し、Ｒ６０１とＲ６０２とで炭素数２〜４のアルキレン基を形成していてもよく、Ｒ６０３とＲ６０４とで炭素数２〜４のアルキレン基を形成していてもよい。）
0006662772.tif 000219
（式中、Ｒ６３１は、炭素数１〜２０のアルキル基を表す。）
0006662772.tif 000220
（式中、Ｒ６３１は、上記と同じ。）
0006662772.tif 000221
（式中、Ｒ６３１は、上記と同じ。）
0006662772.tif 000222
（式中、Ｒ６３１は、上記と同じ。）
0006662772.tif 000223
（式中、Ｒ６３１は、上記と同じ。）
0006662772.tif 000224
（式中、Ｒ６３１は、上記と同じ。）
＊及び＊＊は、それぞれの結合位置を表し、Ａｒ２は、ベンゼン環、ナフタレン環又はアントラセン環を表す。Ａｒ２がベンゼン環の場合、ｎ６０１は０〜４の整数を表し、Ａｒ２がナフタレン環の場合、ｎ６０１は０〜６の整数を表し、Ａｒ２がアントラセン環の場合、ｎ６０１は０〜８の整数を表す。］
【請求項３】
ポリオレフィン（Ａ）は、炭素数が２〜１５のα−オレフィンのポリマーであることを特徴とする請求項１又は２に記載のグラフトポリマー。
【請求項４】
ポリオレフィン（Ａ）は、ポリエチレン、ポリプロピレン又はエチレンとプロピレンとの共重合体であることを特徴とする請求項３に記載のグラフトポリマー。
【請求項５】
ラジカル反応性の官能基を有する染料（ｂ）を重合したポリマー（Ｂ）は、下記一般式（ＶＩＩ）、一般式（ＶＩＩＩ）、一般式（ＩＸ）及び一般式（Ｘ）で示される化合物からなる群から選ばれる１〜３種の化合物（Ｄ）とラジカル反応性の官能基を有する染料（ｂ）とを重合したものであることを特徴とする請求項１に記載のグラフトポリマー。
0006662772.tif 000225
［一般式（ＶＩＩ）中、Ｒ１１は、水素原子又はメチル基を表し、Ｒ１２は、水素原子、炭素数１〜１８のアルキル基、炭素数１〜１０のヒドロキシルアルキル基、炭素数６〜１０のアリール基、炭素数７〜１３のアリールアルキル基、炭素数２〜９のアルコキシアルキル基、炭素数３〜９のアルコキシアルコキシアルキル基、炭素数７〜１３のアリールオキシアルキル基、炭素数５〜７のモルホリノアルキル基、炭素数３〜９のトリアルキルシリル基、酸素を有する若しくは酸素を有さない炭素数６〜１２の脂環式炭化水素基、炭素数３〜９のジアルキルアミノアルキル基、炭素数１〜１８のフッ化アルキル基、炭素数９〜１４のＮ−アルキレンフタルイミド基、下記一般式（ＶＩＩ−Ｉ）で示される基
0006662772.tif 000226
（式中、Ｒ１５は、ヒドロキシル基を置換基として有する若しくは無置換の炭素数１〜３のアルキレン基を表し、Ｒ１６は、ヒドロキシル基を置換基として有する若しくは無置換のフェニル基、又は炭素数１〜３のアルキル基を表し、ｑは、１〜３の整数を表す。）、下記一般式（ＶＩＩ−ＩＩ）で示される基
0006662772.tif 000227
（式中、Ｒ１７〜Ｒ１９は、炭素数１〜３のアルキル基を表し、Ｒ２０は、炭素数１〜３のアルキレン基を表す。）、又は下記一般式（ＶＩＩ−ＩＩＩ）で示される基
0006662772.tif 000228
（式中、ｌは、１〜６の整数を表し、Ｒ２１は、フェニレン基又はシクロへキシレン基を表す。）
を表す。］
0006662772.tif 000229
［一般式（ＶＩＩＩ）中、Ｒ１１は、水素原子又はメチル基を表し、Ｒ１３は、水素原子又は炭素数１〜３のアルキル基を表し、Ｒ１４は、水素原子、炭素数１〜３のアルキル基、炭素数３〜９のジアルキルアミノアルキル基、又は炭素数１〜６のヒドロキシアルキル基を表す。Ｒ１３とＲ１４は、これらと隣接する窒素原子とでモルホリノ基を形成してもよい。］
0006662772.tif 000230
［一般式（ＩＸ）中、Ｒ１１は、水素原子又はメチル基を表し、Ｒ３１は、フェニル基又はピロリジノ基を表す。］
0006662772.tif 000231
［一般式（Ｘ）中、Ｒ３３は、窒素原子又は酸素原子を表し、ｊは、Ｒ３３が酸素原子の場合に０を表し、Ｒ３３が窒素原子の場合には１を表す。Ｒ３２は、水素原子、炭素数１〜２０のアルキル基、炭素数１〜１０のヒドロキシルアルキル基、炭素数１〜１０のハロゲン化アルキル基、炭素数１〜１０のアルキルシクロアルキル基、炭素数６〜７のハロゲン化シクロアルキル基、炭素数６〜１０のアリール基、炭素数１〜６のアルキル基を置換基として有する炭素数６〜１０のアリール基、又は炭素数６〜１０のハロゲン化アリール基を表す。］
【請求項６】
前記反応性混合物は、下記一般式（ＶＩＩ）、一般式（ＶＩＩＩ）、一般式（ＩＸ）及び一般式（Ｘ）で示される化合物からなる群から選ばれる１〜３種の化合物（Ｄ）を、更に含むことを特徴とする請求項２に記載のグラフトポリマー。
0006662772.tif 000232
［一般式（ＶＩＩ）中、Ｒ１１は、水素原子又はメチル基を表し、Ｒ１２は、水素原子、炭素数１〜１８のアルキル基、炭素数１〜１０のヒドロキシルアルキル基、炭素数６〜１０のアリール基、炭素数７〜１３のアリールアルキル基、炭素数２〜９のアルコキシアルキル基、炭素数３〜９のアルコキシアルコキシアルキル基、炭素数７〜１３のアリールオキシアルキル基、炭素数５〜７のモルホリノアルキル基、炭素数３〜９のトリアルキルシリル基、酸素を有する若しくは酸素を有さない炭素数６〜１２の脂環式炭化水素基、炭素数３〜９のジアルキルアミノアルキル基、炭素数１〜１８のフッ化アルキル基、炭素数９〜１４のＮ−アルキレンフタルイミド基、下記一般式（ＶＩＩ−Ｉ）で示される基
0006662772.tif 000233
（式中、Ｒ１５は、ヒドロキシル基を置換基として有する若しくは無置換の炭素数１〜３のアルキレン基を表し、Ｒ１６は、ヒドロキシル基を置換基として有する若しくは無置換のフェニル基、又は炭素数１〜３のアルキル基を表し、ｑは、１〜３の整数を表す。）、下記一般式（ＶＩＩ−ＩＩ）で示される基
0006662772.tif 000234
（式中、Ｒ１７〜Ｒ１９は、炭素数１〜３のアルキル基を表し、Ｒ２０は、炭素数１〜３のアルキレン基を表す。）、又は下記一般式（ＶＩＩ−ＩＩＩ）で示される基
0006662772.tif 000235
（式中、ｌは、１〜６の整数を表し、Ｒ２１は、フェニレン基又はシクロへキシレン基を表す。）
を表す。］
0006662772.tif 000236
［一般式（ＶＩＩＩ）中、Ｒ１１は、水素原子又はメチル基を表し、Ｒ１３は、水素原子又は炭素数１〜３のアルキル基を表し、Ｒ１４は、水素原子、炭素数１〜３のアルキル基、炭素数３〜９のジアルキルアミノアルキル基、又は炭素数１〜６のヒドロキシアルキル基を表す。Ｒ１３とＲ１４は、これらと隣接する窒素原子とでモルホリノ基を形成してもよい。］
0006662772.tif 000237
［一般式（ＩＸ）中、Ｒ１１は、水素原子又はメチル基を表し、Ｒ３１は、フェニル基又はピロリジノ基を表す。］
0006662772.tif 000238
［一般式（Ｘ）中、Ｒ３３は、窒素原子又は酸素原子を表し、ｊは、Ｒ３３が酸素原子の場合に０を表し、Ｒ３３が窒素原子の場合には１を表す。Ｒ３２は、水素原子、炭素数１〜２０のアルキル基、炭素数１〜１０のヒドロキシルアルキル基、炭素数１〜１０のハロゲン化アルキル基、炭素数１〜１０のアルキルシクロアルキル基、炭素数６〜７のハロゲン化シクロアルキル基、炭素数６〜１０のアリール基、炭素数１〜６のアルキル基を置換基として有する炭素数６〜１０のアリール基、又は炭素数６〜１０のハロゲン化アリール基を表す。］
【請求項７】
ポリオレフィン（Ａ）とラジカル反応性の官能基を有する染料（ｂ）との混合割合（重量比）は、Ａ：ｂ＝１００：０．０１〜１００：１０であることを特徴とする請求項２に記載のグラフトポリマー。
【請求項８】
ポリオレフィン（Ａ）とラジカル反応開始剤（Ｃ）との混合割合（重量比）は、Ａ：Ｃ＝１００：０．０１〜１００：１０であることを特徴とする請求項２に記載のグラフトポリマー。
【請求項９】
請求項１〜８のいずれか１項に記載のグラフトポリマーからなる樹脂着色物。
【請求項１０】
請求項９に記載のグラフトポリマーからなる樹脂着色物の製造方法であって、
ポリオレフィン（Ａ）、ラジカル反応性の官能基を有する染料（ｂ）およびラジカル反応開始剤（Ｃ）を混合し、該混合物をラジカル反応させることを特徴とする樹脂着色物の製造方法であって、染料（ｂ）が、下記の一般式（Ｉ）、一般式（ＩＩ）、一般式（ＩＩＩ）、一般式（ＩＶ）、一般式（Ｖ）及び一般式（ＶＩ）で示される化合物からなる群から選ばれる化合物であり、ラジカル反応開始剤（Ｃ）が、ジクミルパーオキサイド、２，５−ジメチル−２，５−ジ（ｔｅｒｔ−ブチルパーオキシ）ヘキサン及びｔｅｒｔ−ブチルパーオキシベンゾエートから選ばれるものであり、ラジカル反応の反応温度が、８０℃〜２５０℃である、製造方法。
0006662772.tif 000239
［一般式（Ｉ）中、Ｒ１〜Ｒ４は、それぞれ独立して、水素原子、炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有する若しくは無置換のフェニル基、又は置換基を有する若しくは無置換のベンジル基を表し、Ｒ５〜Ｒ７は、それぞれ独立して、水素原子またはメチル基を表し、Ａ１は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ２は、−ＮＨ−又は−Ｏ−を表す。また、Ａｎ−は、アニオンを表す。］
0006662772.tif 000240
［一般式（ＩＩ）中、Ｒ１〜Ｒ４、Ｒ７、Ａ１、Ａ２及びＡｎ−は、上記一般式（Ｉ）と同じであり、Ｒ８は、水素原子または炭素数１〜３０のアルキル基を表し、Ｒ９は、水素原子または炭素数１〜６のアルキル基を表し、ｎは０〜３を表し、Ｙは、窒素原子または下記式（ＩＩ−１）で示される基を表し、
0006662772.tif 000241
Ｒ８とＲ９は、これらと結合している−Ｎ−（ＣＨ２）ｎ−Ｙ−とで、５〜６員環の環状構造を形成してもよい。］
0006662772.tif 000242
［一般式（ＩＩＩ）中、Ｒ１〜Ｒ７、Ａ２及びＡｎ−は、上記一般式（Ｉ）と同じであり、Ｒ３１４は、水素原子、炭素数１〜３０のアルキル基、置換基を有する若しくは無置換のフェニル基、置換基を有する若しくは無置換のナフチル基、又は置換基を有する若しくは無置換のベンジル基を表し、Ｒ３０８〜Ｒ３１３は、それぞれ独立して、炭素数１〜２１のアルキル基、アリール基、水酸基、ニトロ基、スルホ基、又は炭素数１〜３のアルコキシ基を表す。Ａ３０１は、−Ｎ（Ｒ３１５）−、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基；−Ｎ（Ｒ３１５）−、−Ｏ−、−ＯＣＯ−、−ＣＯＯ−若しくはアリーレン基の少なくとも１つの基を鎖中に有する炭素数１〜２１のアルキレン基；ヒドロキシル基を置換基として有する炭素数１〜２１のアルキレン基；又は炭素数１〜２１のアルキレン基を表し、Ｒ３１５は、水素原子、炭素数１〜３０のアルキル基、置換基を有する若しくは無置換のフェニル基、置換基を有する若しくは無置換のナフチル基、又は置換基を有する若しくは無置換のベンジル基を表す。］
0006662772.tif 000243
［一般式（ＩＶ）中、Ｒ１〜Ｒ７、Ａ１、Ａ２及びＡｎ−は、上記一般式（Ｉ）と同じであり、ｎ４個のＲ４０８は、それぞれ独立して、ハロゲン原子、炭素数１〜２１のアルキル基、炭素数６〜１０のアリール基、ヒドロキシル基、ニトロ基、スルホ基、又は炭素数１〜３のアルコキシ基を表し、ｎ４は、０〜４の整数を表す。］
0006662772.tif 000244
［一般式（Ｖ）中、Ａ１、Ａ２及びＡｎ−は、上記一般式（Ｉ）と同じであり、Ｒ５０１〜Ｒ５０４及びＲ５０８〜Ｒ５１１は、それぞれ独立して、水素原子、ニトロ基、ハロゲノ基、シアノ基、アミド基、カルボキシル基、炭素数１〜６のアルキル基、炭素数１〜６のアルコキシ基、炭素数２〜４のアルキルオキシカルボニル基、炭素数２〜４のアルキルカルボニルオキシ基、又は炭素数７〜１０のアリールカルボニル基を表す。Ｒ５０５及びＲ５０６は、それぞれ独立して、水素原子、炭素数１〜６のアルキル基、炭素数７〜１３のアリールアルキル基、又は、フェニル基の置換基として、炭素数１〜６のアルキル基、ニトロ基、ハロゲノ基若しくはシアノ基を有する、炭素数７〜９のフェニルアルキル基を表す。Ｒ５０７は、水素原子、炭素数１〜６のアルキル基、炭素数７〜１３のアリールアルキル基、置換基として、炭素数１〜６のアルコキシ基、ヒドロキシル基、カルボキシル基、ハロゲノ基、シアノ基、アミド基若しくは炭素数２〜４のアルキルオキシカルボニル基を有する、炭素数１〜６のアルキル基、又は、フェニル基の置換基として、炭素数１〜６のアルコキシ基、ハロゲノ基若しくはアミド基を有する、炭素数７〜９のフェニルアルキル基を表す。Ｒ５１２は、水素原子又はメチル基を表す。］
0006662772.tif 000245
［一般式（ＶＩ）中、Ｒ７及びＡｎ−は、上記一般式（Ｉ）と同じであり、Ａ６０１は、−Ｏ−又は下記一般式（ＶＩ−２−１）で示される基を表し、
0006662772.tif 000246
（式中、Ｒ６０８及びＲ６０９は、それぞれ独立して、水素原子または炭素数１〜１２のアルキル基を表し、Ａ６０４は、窒素原子または下記式（ＶＩ−２−２）で示される基を表し、
0006662772.tif 000247
ｎ６０２は、０〜３の整数を表し、Ｒ６０８とＲ６０９は、これらと結合している−Ｎ−（ＣＨ２）ｎ６０２−（Ａ６０４）ｎ６０３−とで、５〜６員環の環状構造を形成してもよく、Ｒ６０８、Ｒ６０９及び−Ｎ−（ＣＨ２）ｎ６０２−（Ａ６０４）ｎ６０３−で５〜６員環の環状構造を形成している場合、ｎ６０３は１を表し、５〜６員環の環状構造を形成していない場合、ｎ６０３は０又は１を表す。）
Ａ６０２は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ６０３は、−ＮＲ６１０−又は−Ｏ−を表し、Ｒ６１０は、水素原子または炭素数１〜１２のアルキル基を表す。ｎ６０１個のＲ６０５は、それぞれ独立して、ハロゲン原子、炭素数１〜２０のアルキル基、炭素数１〜２０のアルコキシ基、炭素数１〜２０のアルキルチオ基、又は置換基を有する若しくは無置換のアミノ基を表し、Ｙ６０１は、酸素原子、硫黄原子、−ＮＲ６３２−、−ＢＲ６３３−又は−Ｓｉ（Ｒ６３４）２−を表し、Ｒ６３２、Ｒ６３３及び２個のＲ６３４は、炭素数１〜６のアルキル基を表し、Ａｒ１は、下記一般式（ＶＩ−１−１）〜（ＶＩ−１−７）で示される環構造を表し；
0006662772.tif 000248
（式中、Ｒ６０１及びＲ６０４は、それぞれ独立して、水素原子又はメチル基を表し、Ｒ６０２及びＲ６０３は、それぞれ独立して、炭素数１〜２０のアルキル基を表し、Ｒ６０１とＲ６０２とで炭素数２〜４のアルキレン基を形成していてもよく、Ｒ６０３とＲ６０４とで炭素数２〜４のアルキレン基を形成していてもよい。）
0006662772.tif 000249
（式中、Ｒ６３１は、炭素数１〜２０のアルキル基を表す。）
0006662772.tif 000250
（式中、Ｒ６３１は、上記と同じ。）
0006662772.tif 000251
（式中、Ｒ６３１は、上記と同じ。）
0006662772.tif 000252
（式中、Ｒ６３１は、上記と同じ。）
0006662772.tif 000253
（式中、Ｒ６３１は、上記と同じ。）
0006662772.tif 000254
（式中、Ｒ６３１は、上記と同じ。）
＊及び＊＊は、それぞれの結合位置を表し、Ａｒ２は、ベンゼン環、ナフタレン環又はアントラセン環を表す。Ａｒ２がベンゼン環の場合、ｎ６０１は０〜４の整数を表し、Ａｒ２がナフタレン環の場合、ｎ６０１は０〜６の整数を表し、Ａｒ２がアントラセン環の場合、ｎ６０１は０〜８の整数を表す。］
【請求項１１】
ポリオレフィン（Ａ）、前記ラジカル反応性の官能基を有する染料（ｂ）およびラジカル反応開始剤（Ｃ）と、更に、下記一般式（ＶＩＩ）、一般式（ＶＩＩＩ）、一般式（ＩＸ）及び一般式（Ｘ）で示される化合物からなる群から選ばれる１〜３種の化合物（Ｄ）とを混合し、該混合物をラジカル反応させることを特徴とする請求項１０記載の樹脂着色物の製造方法。
0006662772.tif 000255
［一般式（ＶＩＩ）中、Ｒ１１は、水素原子又はメチル基を表し、Ｒ１２は、水素原子、炭素数１〜１８のアルキル基、炭素数１〜１０のヒドロキシルアルキル基、炭素数６〜１０のアリール基、炭素数７〜１３のアリールアルキル基、炭素数２〜９のアルコキシアルキル基、炭素数３〜９のアルコキシアルコキシアルキル基、炭素数７〜１３のアリールオキシアルキル基、炭素数５〜７のモルホリノアルキル基、炭素数３〜９のトリアルキルシリル基、酸素を有する若しくは酸素を有さない炭素数６〜１２の脂環式炭化水素基、炭素数３〜９のジアルキルアミノアルキル基、炭素数１〜１８のフッ化アルキル基、炭素数９〜１４のＮ−アルキレンフタルイミド基、下記一般式（ＶＩＩ−Ｉ）で示される基
0006662772.tif 000256
（式中、Ｒ１５は、ヒドロキシル基を置換基として有する若しくは無置換の炭素数１〜３のアルキレン基を表し、Ｒ１６は、ヒドロキシル基を置換基として有する若しくは無置換のフェニル基、又は炭素数１〜３のアルキル基を表し、ｑは、１〜３の整数を表す。）、下記一般式（ＶＩＩ−ＩＩ）で示される基
0006662772.tif 000257
（式中、Ｒ１７〜Ｒ１９は、炭素数１〜３のアルキル基を表し、Ｒ２０は、炭素数１〜３のアルキレン基を表す。）、又は下記一般式（ＶＩＩ−ＩＩＩ）で示される基
0006662772.tif 000258
（式中、ｌは、１〜６の整数を表し、Ｒ２１は、フェニレン基又はシクロへキシレン基を表す。）
を表す。］
0006662772.tif 000259
［一般式（ＶＩＩＩ）中、Ｒ１１は、水素原子又はメチル基を表し、Ｒ１３は、水素原子又は炭素数１〜３のアルキル基を表し、Ｒ１４は、水素原子、炭素数１〜３のアルキル基、炭素数３〜９のジアルキルアミノアルキル基、又は炭素数１〜６のヒドロキシアルキル基を表す。Ｒ１３とＲ１４は、これらと隣接する窒素原子とでモルホリノ基を形成してもよい。］
0006662772.tif 000260
［一般式（ＩＸ）中、Ｒ１１は、水素原子又はメチル基を表し、Ｒ３１は、フェニル基又はピロリジノ基を表す。］
0006662772.tif 000261
［一般式（Ｘ）中、Ｒ３３は、窒素原子又は酸素原子を表し、ｊは、Ｒ３３が酸素原子の場合に０を表し、Ｒ３３が窒素原子の場合には１を表す。Ｒ３２は、水素原子、炭素数１〜２０のアルキル基、炭素数１〜１０のヒドロキシルアルキル基、炭素数１〜１０のハロゲン化アルキル基、炭素数１〜１０のアルキルシクロアルキル基、炭素数６〜７のハロゲン化シクロアルキル基、炭素数６〜１０のアリール基、炭素数１〜６のアルキル基を置換基として有する炭素数６〜１０のアリール基、又は炭素数６〜１０のハロゲン化アリール基を表す。］
【請求項１２】
前記ラジカル反応の反応温度は、８０℃〜２２０℃であることを特徴とする請求項１０又は１１に記載の樹脂着色物の製造方法。
【請求項１３】
ポリオレフィン（Ａ）とラジカル反応性の官能基を有する染料（ｂ）との混合割合（重量比）は、Ａ：ｂ＝１００：０．０１〜１００：１０であることを特徴とする請求項１０〜１２のいずれか１項に記載の樹脂着色物の製造方法。
【請求項１４】
ポリオレフィン（Ａ）とラジカル反応開始剤（Ｃ）との混合割合（重量比）は、Ａ：Ｃ＝１００：０．０１〜１００：１０であることを特徴とする請求項１０〜１３のいずれか１項に記載の樹脂着色物の製造方法。
【請求項１５】
請求項９に記載の樹脂着色物を含むことを特徴とする樹脂組成物。
【請求項１６】
マスターバッチとして使用することを特徴とする請求項１５に記載の樹脂組成物。
【発明の詳細な説明】
【技術分野】
【０００１】
本発明は、新規なグラフトポリマー、樹脂着色物、その製造方法およびその樹脂着色物を含む樹脂組成物に関し、さらに詳しくは、染料の鮮やかな発色、透明性を損なうことなく、染料の欠点である着色後のブリードアウトによる色移りや退色のないグラフトポリマー、その用途である樹脂着色物、その樹脂着色物の製造方法およびその樹脂着色物を含む樹脂組成物に関する。
【背景技術】
【０００２】
従来、ポリエチレンやポリプロピレン等のポリオレフィンの着色には、通常、各種金属の酸化物、硫化物、硫酸塩等の無機質や、フタロシアニン系、キナクリドン系、ベンジジン系等の有機質の顔料が用いられている。
しかしながら、無機質の顔料は、耐熱性、耐候性、耐溶剤性、耐薬品性に優れているものの、着色性、分散性、鮮明性に欠けるという問題点があり、また、有機質の顔料は、成形温度が高いポリオレフィンを着色するときには、熱によって分解したり、結晶構造の変化を受けたりして、変色が起こるという問題点がある。これらの問題点のため、樹脂加工メーカーの間では、ポリオレフィンの着色に用いる顔料の選択に並々ならない苦労があった。【０００３】
一方、有機質の染料は、顔料に比べて鮮やかな発色、透明性を示すものの、着色後のブリードアウトによる色移りや退色のため、ほとんど使用されることはなかった。
その大きな理由は、染料の場合、ポリオレフィン自体の構造が炭素と水素からなる鎖状構造であり、しかも、ポリオレフィンが比較的疎水性の表面層をもつため、染料とポリオレフィンとの混練が不十分となり、それに伴い、染料がポリオレフィン中に十分に分散し、固定化しないという問題点があるためである。【０００４】
ポリオレフィンに他の有機物質を一体化するための手法としては、例えば、以下の（１）〜（３）に示すように、他の反応性有機物質をグラフト反応させる技術が知られている。
（１）ポリオレフィンに、アクリル酸、メタクリル酸、無水マレイン酸等のラジカル重合性モノマーおよびラジカル重合開始剤を配合し、溶融させながらグラフト反応を行うことによって変性ポリオレフィンを製造する方法（特許文献１参照。）
（２）ポリオレフィンに、スチレン、アクリロニトリル、（メタ）アクリル酸等のビニルモノマーを添加し、ラジカル重合開始剤の存在下に、塊状重合法、塊状懸濁重合法または溶液重合法を用いてグラフト重合を行うことによって変性ポリオレフィンを連続的に製造する方法（特許文献２参照。）
（３）ポリエチレンに、ポリエチレンの溶融状態でラジカル発生剤の存在下、Ｎ，Ｎ−ジエチルアクリルアミドをグラフト重合させて、変性ポリポリエチレンを製造する方法（特許文献３参照。）
しかしながら、これらの技術は、いずれも反応性有機物質が他のモノマーであって、染料のような着色性物質ではないため、ポリオレフィンと染料とが一体化した着色性物質を製造する方法ではなかった。【０００５】
また、アルキル（メタ）アクリルレート類、親水性モノマー等に、次の式（１）で表される特定の反応性染料とを混合してなるモノマー混合物を、架橋剤の存在下、共重合させて、着色性のポリマーを製造する技術も知られている（特許文献４参照。）。【０００６】
0006662772.tif 000002
【０００７】
しかしながら、この技術は、モノマーの段階に適用するものであり、しかも、対象とする樹脂がポリオレフィン以外のものである上に、その用途も限定されており、到底、他の樹脂を着色するためのマスターバッチとして利用できるものではなかった。【０００８】
一方、ポリオレフィンに染料を一体化するための手法としては、例えば、ポリプロピレンに、ナイロン、相溶化剤および染料を含有してなる鮮明色物品製造用ポリプロピレン着色組成物（特許文献５参照）や、ポリオレフィン系樹脂に、ソルビトール系化合物および含金属染料を含有してなる着色ポリオレフィン系樹脂組成物（特許文献６参照。）が知られている。
しかしながら、これらの技術は、ポリオレフィンと染料とが有機的に結合したものではないため、染料がポリオレフィンに十分に密着しているとはいえず、堅牢度の面やブリードアウトの可能性等の問題があった。【０００９】
こうした状況下、ポリオレフィンの着色の際に、染料の鮮やかな発色、透明性を損なうことなく、染料の欠点である着色後のブリードアウトによる色移りや退色のない樹脂着色物に対する研究、開発が望まれている。
【先行技術文献】
【特許文献】
【００１０】
【特許文献１】特開平７−３１６２３９号公報
【特許文献２】特開２０００−１６９５２９号公報
【特許文献３】特開平７−６２０４０号公報
【特許文献４】特開平９−２７２８１４号公報
【特許文献５】特開２００２−３４８４−号公報
【特許文献６】特開平８−７３６６６号公報
【発明の概要】
【発明が解決しようとする課題】
【００１１】
本発明の目的は、上記した従来技術の問題点に鑑み、染料の鮮やかな発色、透明性を損なうことなく、染料の欠点である着色後のブリードアウトによる色移りや退色のないグラフトポリマー、その用途である樹脂着色物、その樹脂着色物の製造方法およびその樹脂着色物を含む樹脂組成物を提供することにある。
【課題を解決するための手段】
【００１２】
本発明者らは、上記課題を解決するために鋭意研究を重ねた結果、ポリオレフィンに、ラジカル反応性の官能基を有する染料およびラジカル反応開始剤を混合し、得られた反応性混合物を加熱してラジカル反応を起こし、グラフトポリマーからなる樹脂着色物を形成させたところ、染料の鮮やかな発色、透明性を損なうことなく、染料の欠点である着色後のブリードアウトによる色移りや退色のないグラフトポリマーや樹脂着色物が得られることを見出し、これらの知見に基づき、本発明を完成するに至った。
また、本発明者らは、上記樹脂着色物をマスターバッチとして用いると、自動車、家電、日用雑貨等広範な用途で、従来の顔料に比べて、染料独特の鮮やかな発色を示す各種着色成形物に使用できることを見出し、本発明を完成するに至った。【００１３】
すなわち、本発明の第１の発明によれば、ポリオレフィン（Ａ）を主鎖とし、ラジカル反応性の官能基を有する染料（ｂ）を重合したポリマー（Ｂ）を側鎖に有するグラフトポリマーが提供される。
また、本発明の第２の発明によれば、ポリオレフィン（Ａ）、ラジカル反応性の官能基を有する染料（ｂ）およびラジカル反応開始剤（Ｃ）を含む反応性混合物を反応させてなるグラフトポリマーが提供される。【００１４】
また、本発明の第３の発明によれば、第１又は２の発明において、ポリオレフィン（Ａ）は、炭素数が２〜１５のα−オレフィンのポリマーであることを特徴とするグラフトポリマーが提供される。
さらに、本発明の第４の発明によれば、第３の発明において、ポリオレフィン（Ａ）は、ポリエチレン、ポリプロピレン又はエチレンとプロピレンとの共重合体であることを特徴とするグラフトポリマーが提供される。【００１５】
また、本発明の第５の発明によれば、第１〜４のいずれかの発明において、ラジカル反応性の官能基を有する染料（ｂ）は、エチレン性不飽和基を有するカチオン性ローダミン誘導体、エチレン性不飽和基を有するカチオン性トリアリールメタン系色素誘導体又はエチレン性不飽和基を有するカチオン性シアニン系色素誘導体であることを特徴とするグラフトポリマーが提供される。
さらに、本発明の第６の発明によれば、第５の発明において、ラジカル反応性の官能基を有する染料（ｂ）は、下記の一般式（I）、一般式（II）、一般式（III）、一般式（IV）、一般式（V）及び一般式（VI）で示される化合物からなる群から選ばれる化合物であることを特徴とするグラフトポリマーが提供される。【００１６】
0006662772.tif 000003
［一般式（I）中、Ｒ１〜Ｒ４は、それぞれ独立して、水素原子、炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有する若しくは無置換のフェニル基、又は置換基を有する若しくは無置換のベンジル基を表し、Ｒ５〜Ｒ７は、それぞれ独立して、水素原子またはメチル基を表し、Ａ１は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ２は、−ＮＨ−又は−Ｏ−を表す。また、Ａｎ−は、アニオンを表す。］【００１７】
0006662772.tif 000004
［一般式（II）中、Ｒ１〜Ｒ４、Ｒ７、Ａ１、Ａ２及びＡｎ−は、上記一般式（I）と同じであり、Ｒ８は、水素原子または炭素数１〜３０のアルキル基を表し、Ｒ９は、水素原子または炭素数１〜６のアルキル基を表し、ｎは０〜３を表し、Ｙは、窒素原子または下記式（II−１）で示される基を表し、【００１８】
0006662772.tif 000005
Ｒ８とＲ９は、これらと結合している−Ｎ−（ＣＨ２）ｎ−Ｙ−とで、５〜６員環の環状構造を形成してもよい。］【００１９】
0006662772.tif 000006
［一般式（III）中、Ｒ１〜Ｒ７、Ａ２及びＡｎ−は、上記一般式（I）と同じであり、Ｒ３１４は、水素原子、炭素数１〜３０のアルキル基、置換基を有する若しくは無置換のフェニル基、置換基を有する若しくは無置換のナフチル基、又は置換基を有する若しくは無置換のベンジル基を表し、Ｒ３０８〜Ｒ３１３は、それぞれ独立して、炭素数１〜２１のアルキル基、アリール基、水酸基、ニトロ基、スルホ基、又は炭素数１〜３のアルコキシ基を表す。Ａ３０１は、−Ｎ（Ｒ３１５）−、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基；−Ｎ（Ｒ３１５）−、−Ｏ−、−ＯＣＯ−、−ＣＯＯ−若しくはアリーレン基の少なくとも１つの基を鎖中に有する炭素数１〜２１のアルキレン基；ヒドロキシル基を置換基として有する炭素数１〜２１のアルキレン基；又は炭素数１〜２１のアルキレン基を表し、Ｒ３１５は、水素原子、炭素数１〜３０のアルキル基、置換基を有する若しくは無置換のフェニル基、置換基を有する若しくは無置換のナフチル基、又は置換基を有する若しくは無置換のベンジル基を表す。］【００２０】
0006662772.tif 000007
［一般式（IV）中、Ｒ１〜Ｒ７、Ａ１、Ａ２及びＡｎ−は、上記一般式（I）と同じであり、ｎ４個のＲ４０８は、それぞれ独立して、ハロゲン原子、炭素数１〜２１のアルキル基、炭素数６〜１０のアリール基、ヒドロキシル基、ニトロ基、スルホ基、又は炭素数１〜３のアルコキシ基を表し、ｎ４は、０〜４の整数を表す。］【００２１】
0006662772.tif 000008
［一般式（V）中、Ａ１、Ａ２及びＡｎ−は、上記一般式（I）と同じであり、Ｒ５０１〜Ｒ５０４及びＲ５０８〜Ｒ５１１は、それぞれ独立して、水素原子、ニトロ基、ハロゲノ基、シアノ基、アミド基、カルボキシル基、炭素数１〜６のアルキル基、炭素数１〜６のアルコキシ基、炭素数２〜４のアルキルオキシカルボニル基、炭素数２〜４のアルキルカルボニルオキシ基、又は炭素数７〜１０のアリールカルボニル基を表す。Ｒ５０５及びＲ５０６は、それぞれ独立して、水素原子、炭素数１〜６のアルキル基、炭素数７〜１３のアリールアルキル基、又は、フェニル基の置換基として、炭素数１〜６のアルキル基、ニトロ基、ハロゲノ基若しくはシアノ基を有する、炭素数７〜９のフェニルアルキル基を表す。Ｒ５０７は、水素原子、炭素数１〜６のアルキル基、炭素数７〜１３のアリールアルキル基、置換基として、炭素数１〜６のアルコキシ基、ヒドロキシル基、カルボキシル基、ハロゲノ基、シアノ基、アミド基若しくは炭素数２〜４のアルキルオキシカルボニル基を有する、炭素数１〜６のアルキル基、又は、フェニル基の置換基として、炭素数１〜６のアルコキシ基、ハロゲノ基若しくはアミド基を有する、炭素数７〜９のフェニルアルキル基を表す。Ｒ５１２は、水素原子又はメチル基を表す。］【００２２】
0006662772.tif 000009
［一般式（VI）中、Ｒ７及びＡｎ−は、上記一般式（I）と同じであり、Ａ６０１は、−Ｏ−又は下記一般式（VI−２−１）で示される基を表し、【００２３】
0006662772.tif 000010
（式中、Ｒ６０８及びＲ６０９は、それぞれ独立して、水素原子または炭素数１〜１２のアルキル基を表し、Ａ６０４は、窒素原子または下記式（VI−２−２）で示される基を表し、【００２４】
0006662772.tif 000011
ｎ６０２は、０〜３の整数を表し、Ｒ６０８とＲ６０９は、これらと結合している−Ｎ−（ＣＨ２）ｎ６０２−（Ａ６０４）ｎ６０３−とで、５〜６員環の環状構造を形成してもよく、Ｒ６０８、Ｒ６０９及び−Ｎ−（ＣＨ２）ｎ６０２−（Ａ６０４）ｎ６０３−で５〜６員環の環状構造を形成している場合、ｎ６０３は１を表し、５〜６員環の環状構造を形成していない場合、ｎ６０３は０又は１を表す。）
Ａ６０２は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ６０３は、−ＮＲ６１０−又は−Ｏ−を表し、Ｒ６１０は、水素原子または炭素数１〜１２のアルキル基を表す。ｎ６０１個のＲ６０５は、それぞれ独立して、ハロゲン原子、炭素数１〜２０のアルキル基、炭素数１〜２０のアルコキシ基、炭素数１〜２０のアルキルチオ基、又は置換基を有する若しくは無置換のアミノ基を表し、Ｙ６０１は、酸素原子、硫黄原子、−ＮＲ６３２−、−ＢＲ６３３−又は−Ｓｉ（Ｒ６３４）２−を表し、Ｒ６３２、Ｒ６３３及び２個のＲ６３４は、炭素数１〜６のアルキル基を表し、Ａｒ１は、下記一般式（VI−１−１）〜（VI−１−７）で示される環構造を表し；【００２５】
0006662772.tif 000012
（式中、Ｒ６０１及びＲ６０４は、それぞれ独立して、水素原子又はメチル基を表し、Ｒ６０２及びＲ６０３は、それぞれ独立して、炭素数１〜２０のアルキル基を表し、Ｒ６０１とＲ６０２とで炭素数２〜４のアルキレン基を形成していてもよく、Ｒ６０３とＲ６０４とで炭素数２〜４のアルキレン基を形成していてもよい。）【００２６】
0006662772.tif 000013
（式中、Ｒ６３１は、炭素数１〜２０のアルキル基を表す。）【００２７】
0006662772.tif 000014
（式中、Ｒ６３１は、上記と同じ。）【００２８】
0006662772.tif 000015
（式中、Ｒ６３１は、上記と同じ。）【００２９】
0006662772.tif 000016
（式中、Ｒ６３１は、上記と同じ。）【００３０】
0006662772.tif 000017
（式中、Ｒ６３１は、上記と同じ。）【００３１】
0006662772.tif 000018
（式中、Ｒ６３１は、上記と同じ。）
＊及び＊＊は、それぞれの結合位置を表し、Ａｒ２は、ベンゼン環、ナフタレン環又はアントラセン環を表す。Ａｒ２がベンゼン環の場合、ｎ６０１は０〜４の整数を表し、Ａｒ２がナフタレン環の場合、ｎ６０１は０〜６の整数を表し、Ａｒ２がアントラセン環の場合、ｎ６０１は０〜８の整数を表す。］【００３２】
また、本発明の第７の発明によれば、第１の発明において、ラジカル反応性の官能基を有する染料（ｂ）を重合したポリマー（Ｂ）は、下記一般式（VII）、一般式（VIII）、一般式（IX）及び一般式（X）で示される化合物からなる群から選ばれる１〜３種の化合物（Ｄ）とラジカル反応性の官能基を有する染料（ｂ）とを重合したものであることを特徴とするグラフトポリマーが提供される。【００３３】
0006662772.tif 000019
［一般式（VII）中、Ｒ１１は、水素原子又はメチル基を表し、Ｒ１２は、水素原子、炭素数１〜１８のアルキル基、炭素数１〜１０のヒドロキシルアルキル基、炭素数６〜１０のアリール基、炭素数７〜１３のアリールアルキル基、炭素数２〜９のアルコキシアルキル基、炭素数３〜９のアルコキシアルコキシアルキル基、炭素数７〜１３のアリールオキシアルキル基、炭素数５〜７のモルホリノアルキル基、炭素数３〜９のトリアルキルシリル基、酸素を有する若しくは酸素を有さない炭素数６〜１２の脂環式炭化水素基、炭素数３〜９のジアルキルアミノアルキル基、炭素数１〜１８のフッ化アルキル基、炭素数９〜１４のＮ−アルキレンフタルイミド基、下記一般式（VII−I）で示される基【００３４】
0006662772.tif 000020
（式中、Ｒ１５は、ヒドロキシル基を置換基として有する若しくは無置換の炭素数１〜３のアルキレン基を表し、Ｒ１６は、ヒドロキシル基を置換基として有する若しくは無置換のフェニル基、又は炭素数１〜３のアルキル基を表し、ｑは、１〜３の整数を表す。）、下記一般式（VII−II）で示される基【００３５】
0006662772.tif 000021
（式中、Ｒ１７〜Ｒ１９は、炭素数１〜３のアルキル基を表し、Ｒ２０は、炭素数１〜３のアルキレン基を表す。）、又は下記一般式（VII−III）で示される基【００３６】
0006662772.tif 000022
（式中、ｌは、１〜６の整数を表し、Ｒ２１は、フェニレン基又はシクロへキシレン基を表す。）
を表す。］【００３７】
0006662772.tif 000023
［一般式（VIII）中、Ｒ１１は、水素原子又はメチル基を表し、Ｒ１３は、水素原子又は炭素数１〜３のアルキル基を表し、Ｒ１４は、水素原子、炭素数１〜３のアルキル基、炭素数３〜９のジアルキルアミノアルキル基、又は炭素数１〜６のヒドロキシアルキル基を表す。Ｒ１３とＲ１４は、これらと隣接する窒素原子とでモルホリノ基を形成してもよい。］【００３８】
0006662772.tif 000024
［一般式（IX）中、Ｒ１１は、水素原子又はメチル基を表し、Ｒ３１は、フェニル基又はピロリジノ基を表す。］【００３９】
0006662772.tif 000025
［一般式（X）中、Ｒ３３は、窒素原子又は酸素原子を表し、ｊは、Ｒ３３が酸素原子の場合に０を表し、Ｒ３３が窒素原子の場合には１を表す。Ｒ３２は、水素原子、炭素数１〜２０のアルキル基、炭素数１〜１０のヒドロキシルアルキル基、炭素数１〜１０のハロゲン化アルキル基、炭素数１〜１０のアルキルシクロアルキル基、炭素数６〜７のハロゲン化シクロアルキル基、炭素数６〜１０のアリール基、炭素数１〜６のアルキル基を置換基として有する炭素数６〜１０のアリール基、又は炭素数６〜１０のハロゲン化アリール基を表す。］【００４０】
また、本発明の第８の発明によれば、第２の発明において、前記反応性混合物は、上記一般式（VII）、一般式（VIII）、一般式（IX）及び一般式（X）で示される化合物からなる群から選ばれる１〜３種の化合物（Ｄ）を、更に含むことを特徴とするグラフトポリマーが提供される。
さらに、本発明の第９の発明によれば、第２の発明において、ポリオレフィン（Ａ）とラジカル反応性の官能基を有する染料（ｂ）との混合割合（重量比）は、Ａ：ｂ＝１００：０．０１〜１００：１０であることを特徴とするグラフトポリマーが提供される。【００４１】
本発明の第１０の発明によれば、第２の発明において、ラジカル反応開始剤（Ｃ）は、有機過酸化物またはアゾ化合物であることを特徴とするグラフトポリマーが提供される。
また、本発明の第１１の発明によれば、第１０の発明において、ラジカル反応開始剤（Ｃ）は、有機過酸化物であることを特徴とするグラフトポリマーが提供される。
さらに、本発明の第１２の発明によれば、第２の発明において、ポリオレフィン（Ａ）とラジカル反応開始剤（Ｃ）との混合割合（重量比）は、Ａ：Ｃ＝１００：０．０１〜１００：１０であることを特徴とするグラフトポリマーが提供される。【００４２】
また、本発明の第１３の発明によれば、第１〜１２のいずれかの発明に係るグラフトポリマーからなる樹脂着色物が提供される。【００４３】
本発明の第１４の発明によれば、第１３の発明に係るグラフトポリマーからなる樹脂着色物の製造方法であって、ポリオレフィン（Ａ）、ラジカル反応性の官能基を有する染料（ｂ）およびラジカル反応開始剤（Ｃ）を混合し、該混合物をラジカル反応させることを特徴とする樹脂着色物の製造方法が提供される。
また、本発明の第１５の発明によれば、第１４の発明において、ポリオレフィン（Ａ）、前記ラジカル反応性の官能基を有する染料（ｂ）およびラジカル反応開始剤（Ｃ）と、更に、前記一般式（VII）、一般式（VIII）、一般式（IX）及び一般式（X）で示される化合物からなる群から選ばれる１〜３種の化合物（Ｄ）とを混合し、該混合物をラジカル反応させることを特徴とする樹脂着色物の製造方法が提供される。
さらに、本発明の第１６の発明によれば、第１４又は１５の発明において、前記ラジカル反応の反応温度は、８０〜３００℃であることを特徴とする樹脂着色物の製造方法が提供される。【００４４】
また、本発明の第１７の発明によれば、第１４〜１６のいずれかの発明において、ポリオレフィン（Ａ）とラジカル反応性の官能基を有する染料（ｂ）との混合割合（重量比）は、Ａ：ｂ＝１００：０．０１〜１００：１０であることを特徴とする樹脂着色物の製造方法が提供される。
さらに、本発明の第１８の発明によれば、第１４〜１７のいずれかの発明において、ポリオレフィン（Ａ）とラジカル反応開始剤（Ｃ）との混合割合（重量比）は、Ａ：Ｃ＝１００：０．０１〜１００：１０であることを特徴とする樹脂着色物の製造方法が提供される。【００４５】
また、本発明の第１９の発明によれば、第１３の発明に係る樹脂着色物を含むことを特徴とする樹脂組成物が提供される。
さらに、本発明の第２０の発明によれば、第１９の発明において、マスターバッチとして使用することを特徴とする樹脂組成物が提供される。
【発明の効果】
【００４６】
本発明のグラフトポリマー及び該グラフトポリマーからなる樹脂着色物は、染料の鮮やかな発色、透明性を損なうことなく、染料の欠点である着色後のブリードアウト（溶媒への染料の溶出や経時変化による染料の溶出等）による色移りや退色のないという特徴を有する。この特徴を活かして、本発明の樹脂着色物を熱可塑性樹脂、特にポリオレフィン系樹脂のマスターバッチとして、好適に使用可能であり、自動車、家電、日用雑貨等広範な用途で、従来の顔料に比べて、染料独特の鮮やかな発色を示す各種着色成形物に使用できる。さらに、一定品質の着色製品を工業レベルで安定供給することが期待できる。
また、本発明の製造方法によれば、反応性基を有さないポリオレフィンを出発物質として、上記本発明の樹脂着色物の製造を可能とする。
【発明を実施するための形態】
【００４７】
本発明は、ポリオレフィン（Ａ）を主鎖とし、ラジカル反応性の官能基を有する染料（ｂ）を重合したポリマー（Ｂ）を側鎖に有するグラフトポリマー、具体的には、ポリオレフィン（Ａ）、ラジカル反応性の官能基を有する染料（ｂ）およびラジカル反応開始剤（Ｃ）を含む反応性混合物を、好ましくは加熱して、ラジカル反応させてなるグラフトポリマー、並びに上記グラフトポリマーからなる樹脂着色物に、係るものである。
以下、本発明のグラフトポリマー及び該グラフトポリマーからなる樹脂着色物に用いられるポリオレフィン（Ａ）、ラジカル反応性の官能基を有する染料（ｂ）およびラジカル反応開始剤（Ｃ）、本発明の樹脂着色物の製造方法、該製造方法から得られたグラフトポリマー及び該グラフトポリマーからなる樹脂着色物、さらには、本発明の樹脂着色物を含む樹脂組成物について、項目毎に、詳細に説明する。
【００４８】
１．ポリオレフィン（Ａ）
本発明で使用されるポリオレフィン（Ａ）としては、α−オレフィン、特にエチレン、プロピレン、１−ブテン、１−ペンテン、４−メチル−１−ペンテン、イソブチレン等の炭素数が２〜１５のα−オレフィンの単独重合体または共重合体が代表例で挙げられるが、中でも、ポリプロピレン、ポリエチレン、エチレン−プロピレン共重合体などのエチレン−α−オレフィン共重合体、又はプロピレン−エチレン共重合体などのプロピレン−α−オレフィン共重合体が好ましく、ポリプロピレン、ポリエチレンがより好ましく、ポリプロピレンが更に好ましい。
また、本発明で使用されるポリオレフィンは、単独で用いるか、又は２種以上併用して用いることができるが、ポリマー中に、α−オレフィン成分を含むものであれば、特に限定されない。
本発明で使用されるポリオレフィン（Ａ）は、ラジカル反応性を向上させる目的で、ラジカル反応性を有する官能基を有する化合物を、上記単独重合体または共重合体に更にモノマー成分として含ませてもよい。該ラジカル反応性を有する官能基としては、例えばビニル基、アクリロイル基、メタクリロイル基等が挙げられる。該ラジカル反応性を有する官能基を有する化合物の具体例としては、例えば、スチレン、塩化ビニル、ブタジエン、アクリル酸エステル、メタクリル酸エステル、アクリロニトリル、酢酸ビニル等が挙げられ、これらは、置換基としてエポキシ基、ヒドロキシ基、カルボニル基、カルボキシル基等を有していてもよい。
【００４９】
また、本発明で使用されるポリオレフィン（Ａ）には、その他の成分として、樹脂物性（加工性、柔軟性、取扱い性等）、樹脂性能（安定性、耐久性、難燃性等）等を改質させる目的で用いることができ、それらの成分は、染料や樹脂に悪影響を及ぼさないものであれば、特に限定されない。
具体的には、スチレン系エラストマーやオレフィン系エラストマーなどのエラストマー、石油樹脂等の脂環式炭化水素樹脂などの改質剤、分散剤、フィラー、可塑剤、酸化防止剤、紫外線吸収剤、光安定化剤、難燃化剤、抗菌剤、帯電防止剤、銅害防止剤、金属不活性剤、粘着付与剤、滑剤、防曇剤、防腐剤、安定剤などを挙げることができるが、これらのみに限るものではない。
【００５０】
２．ラジカル反応性の官能基を有する染料（ｂ）
本発明で使用されるラジカル反応性の官能基を有する染料（ｂ）（以下、染料（ｂ）と略称することもある。）としては、ラジカル反応性の官能基を有するものであれば、特に限定されない。該ラジカル反応性の官能基の具体例としては、例えば、エチレン性不飽和基が挙げられる。
本発明に係るラジカル反応性の官能基を有する染料（ｂ）の具体例としては、例えば、エチレン性不飽和基を有する色素等が挙げられ、該色素としては、例えば、シアニン系色素、ナフタロシアニン金属錯体系色素、ジチオール金属錯体系色素、ナフトキノン系色素、アントラキノン系色素、インドフェノール系色素、インドアニリン系色素、ピリリウム系色素、チオピリリウム系色素、スクワリリウム系色素、クロコニウム系色素、ジフェニルメタン系色素、トリアリールメタン系色素、トリフェニルメタンフタリド系色素、トリアリールメタン系色素、フェノチアジン系色素、フェノキサジン系色素、フルオラン系色素、チオフルオレン系色素、キサンテン系色素、インドリルフタリド系色素、スピロピラン系色素、アザフタリド系色素、クロメノピラゾール系色素、ロイコオーラミン系色素、ローダミンラクタム系色素、キナゾリン系色素、ジアザキサンテン系色素、ビスラクトン系色素、フルオレノン系色素、モノアゾ系色素、ケトンイミン系色素、ジズアゾ系色素、メチン系色素、ポリメチン系色素、ビスアゾ系色素、ビスアゾスチルベン系色素、ビスアゾオキサジアゾール系色素、ビスアゾフルオレノン系色素、ビスアゾヒドロキシペリノン系色素、アゾクロム錯塩系色素、トリスアゾトリフェニルアミン系色素、チオインジゴ系色素、ペリレン系色素、ニトロソ系色素、ローダミン系色素等が挙げられ、中でも、シアニン系色素、トリアリールメタン系色素、ローダミン系色素が好ましい。
尚、上記色素の具体例としては、例えば、特開平０５−２７１５６７号、特開平０９−２７２８１４号、特開２００１−０１１３３６号、特開２０１３−０４５０８８号公報等に記載のものであっても、市販のものであってもよい。
【００５１】
本発明に係るラジカル反応性の官能基を有する染料（ｂ）の好ましい具体例としては、（ｉ）カチオン性ローダミン誘導体とエチレン性不飽和基とを有する化合物、
（ｉｉ）カチオン性トリアリールメタン系色素誘導体とエチレン性不飽和基とを有する化合物、
（ｉｉｉ）カチオン性シアニン系色素誘導体とエチレン性不飽和基とを有する化合物
などが挙げられる。
【００５２】
（ｉ）カチオン性ローダミン誘導体とエチレン性不飽和基とを有する化合物としては、上記一般式（I）で示される化合物、一般式（II）で示される化合物、及び一般式（VI）で示される化合物（以下、本発明に係る「エチレン性不飽和基を有するカチオン性ローダミン誘導体」または単に「カチオン性ローダミン誘導体」ともいう。）が好ましい。
（ｉｉ）カチオン性トリアリールメタン系色素誘導体とエチレン性不飽和基とを有する化合物としては、上記一般式（III）で示される化合物及び一般式（IV）で示される化合物が好ましい。
また、（ｉｉｉ）カチオン性シアニン系色素誘導体とエチレン性不飽和基とを有する化合物としては、上記一般式（V）で示される化合物が好ましい。
尚、本発明では、エチレン性不飽和基と結合する前の原料のカチオン性ローダミン誘導体、カチオン性トリアリールメタン系色素誘導体及びカチオン性シアニン系色素誘導体を、それぞれ「カチオン性ローダミン誘導体」、「カチオン性トリアリールメタン系色素誘導体」及び「カチオン性シアニン系色素誘導体」と、表す。
一方、エチレン性不飽和基と結合したものを、それぞれ「エチレン性不飽和基を有するカチオン性ローダミン誘導体」または単に「カチオン性ローダミン誘導体」、「エチレン性不飽和基を有するカチオン性トリアリールメタン系色素誘導体」または単に「カチオン性トリアリールメタン系色素誘導体」及び「エチレン性不飽和基を有するカチオン性シアニン系色素誘導体」または単に「カチオン性シアニン系色素誘導体」と表すものとする。
【００５３】
２−１．一般式（I）で示される化合物について
次に、上記のカチオン性ローダミン誘導体の製造方法、具体的な化合物などについて、詳述する。
【００５４】
（１）一般式（I）で示される化合物の製造方法
0006662772.tif 000026
［一般式（Ｉ）中、Ｒ１〜Ｒ４は、それぞれ独立して、水素原子、炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有する若しくは無置換のフェニル基、又は置換基を有する若しくは無置換のベンジル基を表し、Ｒ５〜Ｒ７は、それぞれ独立して、水素原子またはメチル基を表し、Ａ１は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ２は、−ＮＨ−又は−Ｏ−を表す。また、Ａｎ−は、アニオンを表す。］
本発明に係るカチオン性ローダミン誘導体における上記一般式（I）で示される化合物は、例えば、次の（ｉ）または（ｉｉ）に述べる方法により、下記の一般式（I−I）で示されるローダミン化合物を出発物質として、下記の一般式（I−III）の化合物を合成した後、最後に、一般式（I−III）で示される化合物のアニオン基をイオン交換することによって、製造される。
【００５５】
（ｉ）下記の一般式（I−I）で示されるローダミン化合物と、下記の一般式（I−II）で示される化合物とを、脱水縮合剤の存在下で反応させて、下記一般式（I−III）で示される化合物を得る。
【００５６】
0006662772.tif 000027
［一般式（I−I）中、Ｒ１〜Ｒ６は、上記一般式（I）と同じ。Ｚ−は、アニオンを表す。］
【００５７】
0006662772.tif 000028
［一般式（I−II）中、Ｒ７、Ａ１およびＡ２は、上記一般式（I）と同じ。］
【００５８】
0006662772.tif 000029
［一般式（I−III）中、Ｒ１〜Ｒ７、Ａ１およびＡ２は、上記一般式（I）と同じ。］
【００５９】
（ｉｉ）上記一般式（I−I）で示されるローダミン誘導体と、下記一般式（I−IV）で示される化合物とを、触媒の存在下で反応させて、前記一般式（I−III）で示される化合物を得る。
【００６０】
0006662772.tif 000030
［一般式（I−IV）中、Ｒ７及びＡ２は、上記一般式（I）と同じ。Ａ’１は、−Ｏ−及びアリーレン基の少なくとも１つの基を鎖中に有する炭素数１〜２１のアルキレン基または炭素数１〜２１のアルキレン基を表し、Ｅｐｏは、３，４−エポキシシクロヘキシル又はエポキシ基を表す。］
【００６１】
本発明に係るカチオン性ローダミン誘導体を得るための最終段階のイオン交換の方法は、通常、次のようにして行われる。
一般式（I−III）で示される化合物を得た後、一般式（I−III）で示される化合物に、本発明に係る電子吸引性の置換基を有するアリール基を含むアニオンの塩（例えば、該アニオンのナトリウム塩、カリウム塩、リチウム塩等）を、ジクロロメタン等の適当な溶媒中で、例えば、１０〜５０℃で１０〜１２０分間、接触させて、アニオンのイオン交換反応を行う。
そして、上記イオン交換の結果、本発明に係るエチレン性不飽和基を有するカチオン性ローダミン誘導体の一般式（I）で示される化合物を得ることができる。
【００６２】
なお、一般式（I−I）及び一般式（I−III）におけるＺ−で示されるアニオンとしては、Ｃｌ−、ＮＯ３−、ＳＯ４−、ＰＯ４−等が挙げられるが、これらを含む化合物であってもよく、Ａｎ−で示されるアニオンであってもよい。
【００６３】
上記一般式（I−I）におけるＲ１〜Ｒ６の好ましい組合せは、後述の一般式（I）の項で記載する組合せと同じものが挙げられる。
また、上記一般式（I−II）におけるＲ７、Ａ１及びＡ２の好ましい組合せは、後述の一般式（I）の項で記載する組合せと同じものが挙げられる。
また、上記一般式（I−III）で示される化合物を得る反応において、一般式（I−II）で示される化合物の使用量は、一般式（I−I）で示されるローダミン誘導体の１〜５モル倍、好ましくは１〜２モル倍である。
【００６４】
上記（ｉ）の一般式（I−I）で示されるローダミン化合物と一般式（I−II）で示される化合物とを反応させる方法における脱水縮合剤としては、例えば、一般に脱水縮合剤として使用されるものであればよく、例えば、五酸化二リン、無水塩化亜鉛等の無機脱水剤類；例えばジシクロヘキシルカルボジイミド、ジイソプロピルカルボジイミド、１−エチル−３−（３−ジメチルアミノプロピルカルボジイミド）塩酸塩等のカルボジイミド類；例えばポリリン酸、無水酢酸、硫酸、カルボニルジイミダゾ−ル、ｐ−トルエンスルホン酸等が挙げられ、カルボジイミド類が好ましい。
上記脱水縮合剤の使用量は、一般式（I−II）で示される化合物に対して、１〜１０モル倍、好ましくは１〜５モル倍である。
上記一般式（I−I）で示されるローダミン化合物と一般式（I−II）で示される化合物とを反応させる方法においては、脱水縮合剤の効率を向上させるために、ジメチルアミノピリジン等の触媒を用いてもよい。該触媒の使用量は、一般式（I−II）で示される化合物に対して、０．１〜１０モル倍である。
【００６５】
上記一般式（I−I）で示されるローダミン化合物と、一般式（I−II）で示される化合物とを反応させる方法は、通常、１０〜５０℃で５〜２４時間、反応溶媒中で反応させることにより、行われる。
上記反応溶媒としては、例えば、ジエチルエーテル、ジイソプロピルエーテル、エチルメチルエーテル、テトラヒドロフラン、１，４−ジオキサン、ジメトキシエタン等のエーテル類；例えばアセトン、ジメチルケトン、メチルエチルケトン、ジエチルケトン、２−ヘキサノン、ｔｅｒｔ−ブチルメチルケトン、シクロペンタノン、シクロヘキサノン等のケトン類；例えばクロロメタン、クロロホルム、ジクロロメタン、ジクロロエタン、トリクロロエタン、四塩化炭素、クロロベンゼン等のハロゲン化炭化水素類；例えばｎ−ヘキサン、ベンゼン、トルエン、キシレン等の炭化水素類；例えば酢酸エチル、酢酸ブチル、プロピオン酸メチル等のエステル類；例えばアセトニトリル等のニトリル類；例えばＮ，Ｎ−ジメチルホルムアミド等のアミド類等が挙げられ、中でも、エーテル類、ハロゲン化炭化水素、炭化水素類が好ましく、テトラヒドロフラン、トルエン、塩化メチレンがより好ましい。これらは、それぞれ単独でも、或いは二種以上を適宜組み合わせて用いてもよい。
反応溶媒の使用量は、一般式（I−I）で示されるローダミン誘導体及び一般式（I−II）で示される化合物の総容量に対して、通常１〜５０倍量、好ましくは１〜２０倍量である。
【００６６】
上記一般式（I−IV）で示される化合物におけるＡ’１の、−Ｏ−及びアリーレン基の少なくとも１つの基を鎖中に有する炭素数１〜２１のアルキレン基としては、上記Ａ１における−Ｏ−又はアリーレン基の少なくとも１つの基を鎖中に有する炭素数１〜２１のアルキレン基と同じものが挙げられる。
また、上記一般式（I−IV）で示される化合物におけるＡ’１の炭素数１〜２１のアルキレン基としては、後述のＡ１における炭素数１〜２１のアルキレン基と同じものが挙げられる。
上記一般式（I−IV）における、Ｒ７、Ａ’１及びＡ２の好ましい組合せは、後述の一般式（I）の項で記載するＲ７、Ａ１及びＡ２の好ましいものに準じた組合せが挙げられる。
また、一般式（I−IV）で示される化合物の使用量は、一般式（I−I）で示されるローダミン誘導体の１〜５モル倍、好ましくは１〜２モル倍である。
【００６７】
前記（ｉｉ）の方法、すなわち一般式（I−IV）で示される化合物を用いて、一般式（I−III）を得る方法で用いられる触媒としては、例えば、テトラエチルアンモニウムブロミド、テトラブチルアンモニウムブロミド、テトラエチルアンモニウムクロライド、テトラブチルホスホニウムブロミド、トリフェニルベンジルホスホニウムクロリド等の４級塩触媒；トリエチルアミン、トリブチルアミン等のアミン類等が挙げられる。
該触媒の使用量は、一般式（I−I）で示される化合物に対して、１〜１０モル倍、好ましくは１〜５モル倍である。
【００６８】
前記（ｉｉ）の方法は、通常、１０〜５０℃で５〜２４時間、反応溶媒中で反応させることにより、行われる。
該反応溶媒は、上記の一般式（I−I）で示されるローダミン化合物と一般式（I−II）で示される化合物とを反応させる方法で記載したものと、同じものが挙げられる。これらは、それぞれ単独でも、或いは二種以上を適宜組み合わせて用いてもよい。
反応溶媒の使用量は、一般式（I−I）で示されるローダミン誘導体及び一般式（I−III）で示される化合物の総容量に対して、通常１〜５０倍量、好ましくは１〜２０倍量である。
【００６９】
次に、本発明に係るカチオン性ローダミン誘導体の出発原料となる前述の一般式（I−I）のローダミン化合物について、説明する。
本発明に係るローダミン化合物としては、例えば、下記一般式（XI）で示される化合物が挙げられる。
【００７０】
0006662772.tif 000031
［一般式（XI）中、Ｒ１〜Ｒ４は、それぞれ独立して、水素原子、炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有する若しくは無置換のフェニル基、又は置換基を有する若しくは無置換のベンジル基を表し、Ｒ５〜Ｒ６は、それぞれ独立して、水素原子またはメチル基を表す。Ａｎ−は、アニオンを表す。］
【００７１】
上記Ｒ１〜Ｒ４における炭素数１〜３０のアルキル基としては、直鎖状でも分枝状でも環状でもよく、炭素数１〜６のものが好ましく、炭素数１〜３のものがより好ましい。
具体的には、例えば、メチル基、エチル基、プロピル基、イソプロピル基、ブチル基、１−メチルプロピル基、イソブチル基、ｔｅｒｔ−ブチル基、ペンチル基、１−エチルプロピル基、１−メチルブチル基、シクロペンチル基、ヘキシル基、１−メチルペンチル基、１−エチルブチル基、シクロへキシル基、２−ヘプチル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基、ヘンイコシル基、ドコシル基、トリコシル基、テトラコシル基、ペンタコシル基、ヘキサコシル基、ヘプタコシル基、オクタコシル基、ノナコシル基、トリアコンチル基、イソヘプチル基、イソオクチル基、イソノニル基、イソデシル基、イソウンデシル基、イソドデシル基、イソトリデシル基、イソテトラデシル基、イソペンタデシル基、イソヘキサデシル基、イソヘプタデシル基、イソオクタデシル基、イソノナデシル基、イソアラキル基、イソエイコシル基、イソヘンイコシル基、イソドコシル基、イソトリコシル基、イソテトラコシル基、イソペンタコシル基、イソヘキサコシル基、イソヘプタコシル基、イソオクタコシル基、イソノナコシル基、イソトリアコンチル基、１−メチルヘキシル基、１−エチルヘプチル基、１−メチルヘプチル基、１−シクロヘキシルエチル基、１−ヘプチルオクチル基、２−メチルシクロへキシル基、３−メチルシクロへキシル基、４−メチルシクロへキシル基、２，６−ジメチルシクロへキシル基、２，４−ジメチルシクロへキシル基、３，５−ジメチルシクロへキシル基、２，５−ジメチルシクロへキシル基、２，３−ジメチルシクロへキシル基、３，３，５−トリメチルシクロへキシル基、４−ｔｅｒｔ−ブチルシクロへキシル基、２−エチルヘキシル基、１−アダマンチル基、２−アダマンチル基等が挙げられ、メチル基、エチル基、プロピル基、イソプロピル基、ブチル基、ペンチル基、ヘキシル基等が好ましく、メチル基、エチル基、プロピル基等がより好ましい。
【００７２】
上記Ｒ１〜Ｒ４における炭素数１〜６のヒドロキシアルキル基としては、炭素数１〜３が好ましく、具体的には、例えば、ヒドロキシメチル基、ヒドロキシエチル基、ヒドロキシプロピル基、ヒドロキシブチル基、ヒドロキシペンチル基、ヒドロキシヘキシル基等が挙げられる。
また、上記Ｒ１〜Ｒ４における炭素数１〜６のスルホアルキル基としては、炭素数１〜３が好ましく、具体的には、例えば、スルホメチル基、スルホエチル基、スルホプロピル基、スルホブチル基、スルホペンチル基、スルホヘキシル基等が挙げられる。
【００７３】
上記Ｒ１〜Ｒ４における炭素数２〜７のカルボキシアルキル基としては、炭素数３〜６が好ましく、具体的には、例えば、カルボキシメチル基、カルボキシエチル基、カルボキシプロピル基、カルボキシブチル基、カルボキシペンチル基、カルボキシヘキシル基等が挙げられ、カルボキシエチル基が好ましい。
また、上記Ｒ１〜Ｒ４における炭素数２〜７のシアノアルキル基としては、炭素数２〜４が好ましく、具体的には、例えば、シアノメチル基、シアノエチル基、シアノプロピル基、シアノブチル基、シアノペンチル基、シアノヘキシル基等が挙げられ、シアノエチル基が好ましい。
【００７４】
上記Ｒ１〜Ｒ４における炭素数２〜６のアルコキシアルキル基としては、炭素数３〜５が好ましく、具体的には、例えば、メトキシメチル基、メトキシエチル基、エトキシメチル基、エトキシエチル基、プロポキシメチル基、プロポキシエチル基、ブトキシメチル基、ブトキシエチル基等が挙げられる。
また、上記Ｒ１〜Ｒ４における炭素数１〜６のハロゲノアルキル基としては、炭素数１〜３が好ましく、具体的には、例えばトリフルオロメチル基、ペンタフルオロエチル基、ヘプタフルオロプロピル、トリクロロメチル基、トリブロモメチル基、トリヨードメチル基等が挙げられる。
【００７５】
上記Ｒ１〜Ｒ４における置換基を有するフェニル基またはベンジル基は、ベンゼン環内に１〜５個、好ましくは１〜３個の置換基を有する。その置換基としては、例えば、メチル基、エチル基、プロピル基、イソプロピル基、ブチル基、イソブチル基、ｔｅｒｔ−ブチル基、ペンチル基、ヘキシル基等の炭素数１〜６のアルキル基；フッ素原子、塩素原子、臭素原子、ヨウ素原子等のハロゲン原子；スルホ基；メトキシ基、エトキシ基、プロポキシ基、ブトキシ基、ｔｅｒｔ−ブトキシ基、プロポキシ基、ヘキシルオキシ基等の炭素数１〜６のアルコキシ基；ヒドロキシエチル基、ヒドロキシプロピル基等の炭素数１〜６のヒドロキシアルキル基；メトキシエチル基、エトキシエチル基、エトキシプロピル基、ブトキシエチル基等の炭素数２〜１０のアルコキシアルキル基；２−ヒドロキシエトキシ基等の炭素数１〜６のヒドロキシアルコキシ基；２−メトキシエトキシ基、２−エトキシエトキシ基等の炭素数２〜１０のアルコキシアルコキシ基；２−スルホエチル基等の炭素数１〜６のスルホアルキル基；カルボキシメチル基、カルボキシエチル基、カルボキシプロピル基、カルボキシブチル基、カルボキシペンチル基、カルボキシヘキシル基等の炭素数２〜７のカルボキシアルキル基；シアノメチル基、シアノエチル基、シアノプロピル基、シアノブチル基、シアノペンチル基、シアノヘキシル基等の炭素数２〜７のシアノアルキル基等が挙げられる。
【００７６】
上記Ｒ１〜Ｒ４の具体例の中でも、水素原子、メチル基、エチル基、プロピル基、イソプロピル基、ブチル基、ペンチル基、ヘキシル基等が好ましく、水素原子、メチル基、エチル基、プロピル基等がより好ましく、水素原子、エチル基が特に好ましい。
また、上記Ｒ５およびＲ６は、水素原子又はメチル基が好ましい。
【００７７】
上記Ｒ１〜Ｒ６の好ましい組合せとしては、例えば、下記表１記載のものが挙げられ、中でもNo.１の組合せが好ましい。
【００７８】
【表１】
0006662772.tif 000032
【００７９】
また、Ａｎ−で示されるアニオンとしては、アニオンであれば特に限定されないが、具体的には例えば、ハロゲンイオン、ホウ素アニオン、リン酸アニオン、カルボン酸アニオン、硫酸アニオン、有機スルホン酸アニオン、窒素アニオン、メチドアニオン、金属酸化物アニオン、フルオロアンチモンアニオン、硝酸アニオン、過塩素酸アニオン、シアンアニオン、シアン酸アニオン、チオシアン酸アニオン等を挙げることができる。
【００８０】
上記ハロゲンイオンとしては、フッ化物イオン、塩化物イオン、臭化物イオン、ヨウ化物イオン等を挙げることができる。
また、上記ホウ素アニオンとしては、例えば、ＢＦ４−、（ＣＦ３）４Ｂ−、（ＣＦ３）３ＢＦ−、（ＣＦ３）２ＢＦ２−、（ＣＦ３）ＢＦ３−、（Ｃ２Ｆ５）４Ｂ−、（Ｃ２Ｆ５）３ＢＦ−、（Ｃ２Ｆ５）ＢＦ３−、（Ｃ２Ｆ５）２ＢＦ２−、（ＣＦ３）（Ｃ２Ｆ５）２ＢＦ−、（Ｃ６Ｆ５）４Ｂ−、［（ＣＦ３）２Ｃ６Ｈ３］４Ｂ−、（ＣＦ３Ｃ６Ｈ４）４Ｂ−、（Ｃ６Ｆ５）２ＢＦ２−、（Ｃ６Ｆ５）ＢＦ３−、（Ｃ６Ｈ３Ｆ２）４Ｂ−、Ｂ（ＣＮ）４−、Ｂ（ＣＮ）Ｆ３−、Ｂ（ＣＮ）２Ｆ２−、Ｂ（ＣＮ）３Ｆ−、（ＣＦ３）３Ｂ（ＣＮ）−、（ＣＦ３）２Ｂ（ＣＮ）２−、（Ｃ２Ｆ５）３Ｂ（ＣＮ）−、（Ｃ２Ｆ５）２Ｂ（ＣＮ）２−、（ｎ−Ｃ３Ｆ７）３Ｂ（ＣＮ）−、（ｎ−Ｃ４Ｆ９）３Ｂ（ＣＮ）−、（ｎ−Ｃ４Ｆ９）２Ｂ（ＣＮ）２−、（ｎ−Ｃ６Ｆ１３）３Ｂ（ＣＮ）−、（ＣＨＦ２）３Ｂ（ＣＮ）−、（ＣＨＦ２）２Ｂ（ＣＮ）２−、（ＣＨ２ＣＦ３）３Ｂ（ＣＮ）−、（ＣＨ２ＣＦ３）２Ｂ（ＣＮ）２−、（ＣＨ２Ｃ２Ｆ５）３Ｂ（ＣＮ）−、（ＣＨ２Ｃ２Ｆ５）２Ｂ（ＣＮ）２−、（ＣＨ２ＣＨ２Ｃ３Ｆ７）２Ｂ（ＣＮ）２−、（ｎ−Ｃ３Ｆ７ＣＨ２）２Ｂ（ＣＮ）２−、（Ｃ６Ｈ５）３Ｂ（ＣＮ）−、テトラフェニルボレート、テトラキス（モノフルオロフェニル）ボレート、テトラキス（ジフルオロフェニル）ボレート、テトラキス（トリフルオロフェニル）ボレート、テトラキス（テトラフルオロフェニル）ボレート、テトラキス（ペンタフルオロフェニル）ボレート、テトラキス（テトラフルオロメチルフェニル）ボレート、テトラ（トリル）ボレート、テトラ（キシリル）ボレート、（トリフェニル，ペンタフルオロフェニル）ボレート、［トリス（ペンタフルオロフェニル），フェニル］ボレート、トリデカハイドライド−７，８−ジカルバウンデカボレート等が挙げられる。
【００８１】
また、前記リン酸アニオンとして、例えば、ＨＰＯ４２−、ＰＯ４３−、ＰＦ６−、（Ｃ２Ｆ５）２ＰＦ４−、（Ｃ２Ｆ５）３ＰＦ３−、［（ＣＦ３）２ＣＦ］２ＰＦ４−、［（ＣＦ３）２ＣＦ］３ＰＦ３、（ｎ−Ｃ３Ｆ７）２ＰＦ４−、（ｎ−Ｃ３Ｆ７）３ＰＦ３−、（ｎ−Ｃ４Ｆ９）３ＰＦ３−、（Ｃ２Ｆ５）（ＣＦ３）２ＰＦ３−、［（ＣＦ３）２ＣＦＣＦ２］２ＰＦ４−、［（ＣＦ３）２ＣＦＣＦ２］３ＰＦ３−、（ｎ−Ｃ４Ｆ９）２ＰＦ４−、（ｎ−Ｃ４Ｆ９）３ＰＦ３−、（Ｃ２Ｆ４Ｈ）（ＣＦ３）２ＰＦ３−、（Ｃ２Ｆ３Ｈ２）３ＰＦ３−、（Ｃ２Ｆ５）（ＣＦ３）２ＰＦ３−等が挙げられる。
また、前記カルボン酸アニオンとしては、例えば、メチルカルボン酸イオン、エチルカルボン酸イオン、プロピルカルボン酸イオン等のアルキルカルボン酸イオン、ベンゼンカルボン酸イオン等が挙げられる。
また、前記硫酸アニオンとしては、例えば、硫酸アニオン、亜硫酸アニオンを挙げることができる。
また、前記有機スルホン酸アニオンとしては、例えば、メタンスルホン酸、エタンスルホン酸、プロパンスルホン酸、ブタンスルホン酸、ペンタンスルホン酸、ヘキサンスルホン酸、ヘプタンスルホン酸、オクタンスルホン酸、ノナンスルホン酸、デカンスルホン酸、ウンデカンスルホン酸、ドデカンスルホン酸、トリフルオロメタンスルホン酸、ノナフルオロブタンスルホン酸、ベンゼンスルホン酸、ドデシルベンゼンスルホン酸、ベンゼンジスルホン酸イオン、ｐ−トルエンスルホン酸、ｐ−トリフルオロメチルスルホン酸、ペンタフルオロベンゼンスルホン酸、ナフタレンスルホン酸、ナフタレンジスルホン酸イオン等が挙げられる。
【００８２】
また、前記窒素アニオンとしては、例えば、［（ＣＮ）２Ｎ］−、［（ＦＳＯ２）２Ｎ］−、［（ＦＳＯ２）Ｎ（ＣＦ３ＳＯ２）］−、［（ＣＦ３ＳＯ２）２Ｎ］−、［（ＦＳＯ２）Ｎ（ＣＦ３ＣＦ２ＳＯ２）］−、［（ＦＳＯ２）Ｎ｛（ＣＦ３）２ＣＦＳＯ２｝］−、［（ＦＳＯ２）Ｎ（ＣＦ３ＣＦ２ＣＦ２ＳＯ２）］−、［（ＦＳＯ２）Ｎ（ＣＦ３ＣＦ２ＣＦ２ＣＦ２ＳＯ２）］−、［（ＦＳＯ２）Ｎ｛（ＣＦ３）２ＣＦＣＦ２ＳＯ２｝］−、［（ＦＳＯ２）Ｎ｛ＣＦ３ＣＦ２（ＣＦ３）ＣＦＳＯ２｝］−、［（ＦＳＯ２）Ｎ｛（ＣＦ３）３ＣＳＯ２｝］−等が挙げられる。
さらに、前記メチドアニオンとしては、例えば、（ＣＦ３ＳＯ２）３Ｃ−、（ＣＦ３ＣＦ２ＳＯ２）３Ｃ−、［（ＣＦ３）２ＣＦＳＯ２］３Ｃ−、（ＣＦ３ＣＦ２ＣＦ２ＳＯ２）３Ｃ−、（ＣＦ３ＣＦ２ＣＦ２ＣＦ２ＳＯ２）３Ｃ−、［（ＣＦ３）２ＣＦＣＦ２ＳＯ２］３Ｃ−、［ＣＦ３ＣＦ２（ＣＦ３）ＣＦＳＯ２］３Ｃ−、［（ＣＦ３）３ＣＳＯ２］３Ｃ−、（ＦＳＯ２）３Ｃ−等が挙げられる。
前記金属酸化物アニオンとしては、例えば、ＡｌＯ２−、ＧａＯ２−、ＧｅＯ２−、ＩｎＯ２−、ＳｎＯ２−、ＡｓＯ３−、ＳｂＯ３−およびＶＯ３−等が挙げられる。
前記フルオロアンチモンアニオンとしては、例えば、六フッ化アンチモンアニオン、五フッ化アンチモンアニオン等が挙げられる。
【００８３】
上記Ａｎ−で示されるアニオンは、電子吸引性の置換基を有するアリール基、電子吸引性の置換基を有するスルホニル基、ハロゲン化アルキル基又はスルホ基を含むアニオンが好ましい。
上記電子吸引性の置換基を有するアリール基、電子吸引性の置換基を有するスルホニル基又はハロゲン化アルキル基を含むアニオンにおけるアニオン部分としては、例えばスルホン酸アニオン、窒素アニオン（Ｎ−）、４級ホウ素アニオン、硝酸イオン、燐酸イオン等が挙げられ、スルホン酸アニオン、窒素アニオン、４級ホウ素アニオンが好ましく、４級ホウ素アニオンがより好ましい。
上記電子吸引性の置換基を有するアリール基又は電子吸引性の置換基を有するスルホニル基における電子吸引性の置換基としては、例えば、炭素数１〜３のハロゲン化アルキル基、ハロゲノ基、ニトロ基等が挙げられ、中でも炭素数１〜３のハロゲン化アルキル基、ハロゲノ基が好ましく、ハロゲノ基が特に好ましい。
上記電子吸引性の置換基としての炭素数１〜３のハロゲン化アルキル基としては、例えば、クロロメチル基、トリクロロメチル基、２−クロロエチル基、２，２，２−トリクロロエチル基、ペンタクロロエチル基、２−クロロプロピル基、３−クロロプロピル基、２−クロロ−２−プロピル基、ヘプタクロロプロピル基等のクロロアルキル基；ブロモメチル基、トリブロモメチル基、２−ブロモエチル基、２，２，２−トリブロモエチル基、ペンタブロモエチル基、２−ブロモプロピル基、３−ブロモプロピル基、２−ブロモ−２−プロピル基、ヘプタブロモプロピル基等のブロモアルキル基；ヨードメチル基、トリヨードメチル基、２−ヨードエチル基、２，２，２−トリヨードエチル基、ペンタヨードエチル基、２−ヨードプロピル基、３−ヨードプロピル基、２−ヨード−２−プロピル基、ヘプタヨードプロピル基等のヨードアルキル基；フルオロメチル基、トリフルオロメチル基、２−フルオロエチル基、２，２，２−トリフルオロエチル基、１，１，２，２−テトラフルオロエチル基、ペンタフルオロエチル基、３−フルオロプロピル基、３，３，３−トリフルオロプロピル基、２，２，３，３−テトラフルオロプロピル基、ヘプタフルオロプロピル基等のフルオロアルキル基が挙げられる。この中でもトリクロロメチル基、ペンタクロロエチル基、ヘプタクロロプロピル基、トリブロモメチル基、ペンタブロモエチル基、ヘプタブロモプロピル基、トリヨードメチル基、ペンタヨードエチル基、ヘプタヨードプロピル基、トリフルオロメチル基、ペンタフルオロエチル基、ヘプタフルオロプロピル基等のパーハロゲノアルキル基が好ましく、トリフルオロメチル基、ペンタフルオロエチル基、ヘプタフルオロプロピル基等のパーフルオロアルキル基がより好ましく、トリフルオロメチル基が特に好ましい。
【００８４】
上記電子吸引性の置換基としてのハロゲノ基としては、フルオロ基、クロロ基、ブロモ基、ヨード基が挙げられ、フルオロ基が好ましい。
上記電子吸引性の置換基を有するアリール基中の電子吸引性の置換基は、上記具体例の中でも、電子吸引力が強いものが好ましく、トリフルオロメチル基、フルオロ基、ニトロ基が好ましく、フルオロ基がより好ましい。
上記電子吸引性の置換基を有するスルホニル基中の電子吸引性の置換基は、上記具体例の中でも、トリフルオロメチル基、ペンタフルオロエチル基、ヘプタフルオロプロピル基、フルオロ基が好ましい。
上記電子吸引性の置換基を有するアリール基中のアリール基としては、例えば、フェニル基、ナフチル基等が挙げられ、フェニル基が好ましい。
上記電子吸引性の置換基を有するアリール基の具体例としては、例えば、下記一般式（１１）及び（１２）で表されるものが挙げられる。
【００８５】
0006662772.tif 000033
（式中、ｍは、１〜５の整数を表し、ｍ個のＲ４１は、それぞれ独立して、炭素数１〜３のハロゲン化アルキル基、ハロゲン原子又はニトロ基を表す。）
【００８６】
0006662772.tif 000034
（式中、ｋは、１〜７の整数を表し、Ｒ４１は上記と同じ。ｋ個のＲ４１は同一でも異なっていてもよい。）
【００８７】
一般式（１１）におけるｍは、通常１〜５の整数であるが、Ｒ４１がハロゲン原子の場合は２〜５が好ましく、３〜５がより好ましく、５が更に好ましい。Ｒ４１がニトロ基の場合は１〜３が好ましく、１がより好ましい。Ｒ４１がハロゲン化アルキル基の場合は、１〜５が好ましく、１〜３がより好ましい。
一般式（１２）におけるｋは、通常１〜７の整数であるが、Ｒ４１がハロゲン原子の場合は２〜７が好ましい。Ｒ４１がニトロ基の場合は１〜３が好ましく、１がより好ましい。Ｒ４１がハロゲン化アルキル基の場合は、１〜７が好ましく、１〜３がより好ましい。
一般式（１１）及び一般式（１２）におけるＲ４１の炭素数１〜３のハロゲン化アルキル基は、上記本発明に係るアニオンにおける電子吸引性の置換基としての炭素数１〜３のハロゲン化アルキル基と同じものが挙げられ、好ましいものも同じである。
一般式（１１）及び一般式（１２）におけるＲ４１のハロゲン原子は、フッ素原子、塩素原子、臭素原子、ヨウ素原子等が挙げられ、中でもフッ素原子が好ましい。
一般式（１１）及び一般式（１２）におけるＲ４１の好ましい具体例は、上記の電子吸引性の置換基を有するアリール基中の電子吸引性の置換基の好ましいものと同じである。
【００８８】
一般式（１１）で示される基は、具体的には、例えば、トリフルオロメチルフェニル基、ジ（トリフルオロメチル）フェニル基、トリ（トリフルオロメチル）フェニル基、モノフルオロフェニル基、ジフルオロフェニル基、トリフルオロフェニル基、パーフルオロフェニル基、モノクロロフェニル基、ジクロロフェニル基、トリクロロフェニル基、パークロロフェニル基、モノブロモフェニル基、ジブロモフェニル基、トリブロモフェニル基、パーブロモフェニル基、モノヨードフェニル基、ジヨードフェニル基、トリヨードフェニル基、パーヨードフェニル基、ニトロフェニル基、ジニトロフェニル基、トリニトロフェニル基等が挙げられ、ジフルオロフェニル基、トリフルオロフェニル基、パーフルオロフェニル基等が好ましく、パーフルオロフェニル基がより好ましい。
また、一般式（１２）で示される基は、具体的には、例えば、トリフルオロメチルナフチル基、ジ（トリフルオロメチル）ナフチル基、トリ（トリフルオロメチル）ナフチル基、モノフルオロナフチル基、ジフルオロナフチル基、トリフルオロナフチル基、パーフルオロナフチル基、モノクロロナフチル基、ジクロロナフチル基、トリクロロナフチル基、パークロロナフチル基、モノブロモナフチル基、ジブロモナフチル基、トリブロモナフチル基、パーブロモナフチル基、モノヨードナフチル基、ジヨードナフチル基、トリヨードナフチル基、パーヨードナフチル基、ニトロナフチル基、ジニトロナフチル基、トリニトロナフチル基等が挙げられる。
【００８９】
上記電子吸引性の置換基を有するアリール基は、上記具体例の中でも、一般式（１１）で示される基が好ましく、具体的には、トリフルオロメチルフェニル基、ニトロフェニル基、ジニトロフェニル基、トリニトロフェニル基、モノフルオロフェニル基、ジフルオロフェニル基、トリフルオロフェニル基、パーフルオロフェニル基が好ましく、ジフルオロフェニル基、トリフルオロフェニル基、ニトロフェニル基、パーフルオロフェニル基がより好ましく、パーフルオロフェニル基が更に特に好ましい。
上記電子吸引性の置換基を有するスルホニル基としては、例えば-ＳＯ２ＣＦ３、-ＳＯ２Ｃ２Ｆ５、-ＳＯ２Ｃ３Ｆ７、-ＳＯ２Ｆ、-ＳＯ２Ｃｌ、-ＳＯ２Ｂｒ、-ＳＯ２Ｉ等が挙げられる。
本発明に係るアニオンにおけるハロゲン化アルキル基としては、炭素数１〜３のハロゲン化アルキル基が挙げられ、中でもパーハロゲン化アルキル基が好ましく、具体的には例えば、トリフルオロメチル基、ペンタフルオロエチル基、ヘプタフルオロプロピル基、トリクロロメチル基、ペンタクロロエチル基、ヘプタクロロプロピル基、トリブロモメチル基、ペンタブロモエチル基、ヘプタブロモプロピル基、トリヨードメチル基、ペンタヨードエチル基、ヘプタヨードプロピル基等が挙げられ、トリフルオロメチル基、ペンタフルオロエチル基、ヘプタフルオロプロピル基が好ましい。
【００９０】
上記スルホ基を含むアニオンとしては、該スルホ基がスルホン酸アニオンとして働くものが挙げられる。
上記スルホ基を含むアニオンの具体例としては、例えば、メタンスルホン酸等の炭素数１〜２０のアルキルスルホン酸；トリフルオロメタンスルホン酸等の炭素数１〜２０のハロゲン化アルキルスルホン酸；ベンゼンスルホン酸、トルエンスルホン酸等の置換基を有している又は無置換のベンゼンスルホン酸等が挙げられる。
Ａｎ−で示されるアニオンにおける、電子吸引性の置換基を有するアリール基、電子吸引性の置換基を有するスルホニル基、ハロゲン化アルキル基又はスルホ基を含むアニオンの好ましい具体例としては、例えば、下記の一般式（XI−I）〜（XI−VI）で示されるものが挙げられる。
【００９１】
0006662772.tif 000035
［一般式（XI−I）中、Ｒ４１及びｍは、上記一般式（１１）と同じであり、ｍ個のＲ４１は、同一でも異なっていてもよい。］
【００９２】
0006662772.tif 000036
［一般式（XI−II）中、Ｒ４１及びｋは、上記一般式（１２）と同じであり、ｋ個のＲ４１は、同一でも異なっていてもよい。］
【００９３】
0006662772.tif 000037
［一般式（XI−III）中、Ｒ４１及びｋは、上記一般式（１２）と同じであり、ｋ個のＲ４１は、同一でも異なっていてもよい。］
【００９４】
0006662772.tif 000038
［一般式（XI−IV）中、Ｒ４２〜Ｒ４５は、それぞれ独立して、炭素数１〜３のハロゲン化アルキル基、ハロゲン又はニトロ基を表し、ｍ１〜ｍ４は、それぞれ独立して、１〜５の整数を表す。ｍ１個のＲ４２は、同一でも異なっていてもよく、ｍ２個のＲ４３、ｍ３個のＲ４４及びｍ４個のＲ４５も、それぞれ同一でも異なっていてもよい。］
【００９５】
0006662772.tif 000039
［一般式（XI−V）中、Ｒ４６はそれぞれ独立して、炭素数１〜３のハロゲン化アルキル基又はハロゲン原子を表すが、４つのＲ４６のうち少なくとも１つは、炭素数１〜３のハロゲン化アルキル基を表す。］
【００９６】
0006662772.tif 000040
［一般式（XI−VI）中、Ｒ４７及びＲ４８はそれぞれ独立して、炭素数１〜３のハロゲン化アルキル基又はハロゲン原子を表す。Ｒ４７とＲ４８とで、炭素数２〜３のハロゲン化アルキレン基を形成してもよい。］
【００９７】
一般式（XI−I）において、Ｒ４１及びｍの組合せとしては、例えば、下記の表２記載のものが挙げられる。
【００９８】
【表２】
0006662772.tif 000041
【００９９】
一般式（XI−I）で示されるアニオンの好ましい具体例としては、例えば、下記のもの等が挙げられる。
【０１００】
0006662772.tif 000042
【０１０１】
また、一般式（XI−II）及び（XI−III）において、Ｒ４１及びｍの組合せとしては、例えば、下記の表３記載のものが挙げられる。
【０１０２】
【表３】
0006662772.tif 000043
【０１０３】
一般式（XI−II）及び（XI−III）で示されるアニオンの好ましい具体例としては、例えば、下記のもの等が挙げられる。
【０１０４】
0006662772.tif 000044
【０１０５】
また、一般式（XI−IV）において、Ｒ４２〜Ｒ４５及びｍ１〜ｍ４の組合せとしては、例えば、下記の表４記載のものが挙げられる。
【０１０６】
【表４】
0006662772.tif 000045
【０１０７】
一般式（XI−IV）で示されるアニオンの好ましい具体例としては、例えば、下記の一般式（XI−IX）又は一般式（XI−Ｘ）で示されるものなどが挙げられ、一般式（XI−XI）で示されるものが好ましく、一般式（XI−XII）で示されるものがより好ましい。
【０１０８】
0006662772.tif 000046
【０１０９】
0006662772.tif 000047
【０１１０】
0006662772.tif 000048
【０１１１】
0006662772.tif 000049
【０１１２】
一般式（XI−V）のＲ４６における炭素数１〜３のハロゲン化アルキル基としては、本発明に係るアニオンにおける電子吸引性の置換基としての炭素数１〜３のハロゲン化アルキル基と同じものが挙げられ、好ましいものも同じである。
一般式（XI−V）のＲ４６におけるハロゲン原子としては、フッ素原子、塩素原子、臭素原子、ヨウ素原子等が挙げられ、中でもフッ素原子が好ましい。
一般式（XI−V）で示されるアニオンの好ましい具体例としては、例えばＣＦ３ＢＦ３−、Ｃ２Ｆ５ＢＦ３−、Ｃ３Ｆ７ＢＦ３−、（ＣＦ３）４Ｂ−、（Ｃ２Ｆ５）４Ｂ−、（Ｃ３Ｆ７）４Ｂ−等が挙げられる。
【０１１３】
一般式（XI−VI）のＲ４７及びＲ４８における炭素数１〜３のハロゲン化アルキル基としては、本発明に係るアニオンにおける電子吸引性の置換基としての炭素数１〜３のハロゲン化アルキル基と同じものが挙げられ、好ましいものも同じである。
一般式（XI−VI）のＲ４７及びＲ４８におけるハロゲン原子としては、フッ素原子、塩素原子、臭素原子、ヨウ素原子等が挙げられ、中でもフッ素原子が好ましい。
一般式（XI−VI）のＲ４７とＲ４８とで形成される炭素数２〜３のハロゲン化アルキレン基としては、例えばテトラフルオロエチレン基、ヘキサフルオロプロピレン基等が挙げられ、ヘキサフルオロプロピレン基が好ましい。
一般式（XI−VI）で示されるアニオンの好ましい具体例としては、例えば、下記一般式（XI−XIII）が挙げられる。
【０１１４】
0006662772.tif 000050
【０１１５】
Ａｎ−で示されるアニオンは、前記一般式（XI−IV）又は一般式（XI−VI）で示されるものが好ましく、一般式（XI−IV）で示されるものがより好ましい。上記具体例の中でも、下記一般式（XI−XIV）で示されるものがより好ましく、下記一般式（XI−XVV）で示されるものがさらに好ましく、下記一般式（XI−ＸVI）で示されるものが特に好ましい。
【０１１６】
0006662772.tif 000051
【０１１７】
0006662772.tif 000052
【０１１８】
0006662772.tif 000053
【０１１９】
次に、本発明に係るカチオン性ローダミン誘導体などが有するエチレン性不飽和基について、説明する。
上記エチレン性不飽和基としては、重合性を有するエチレン性不飽和基であればよく、具体的には、芳香族性を有さないビニル基などが挙げられる。
具体的には、アクリル基［ＣＨ２＝ＣＨ−Ｃ（＝Ｏ）−］、メタクリル基［ＣＨ２＝Ｃ（ＣＨ３）−Ｃ（＝Ｏ）−］、アクリルアミド基［ＣＨ２＝ＣＨ−Ｃ（＝Ｏ）−ＮＨ−］、メタクリルアミド基［ＣＨ２＝Ｃ（ＣＨ３）−Ｃ（＝Ｏ）−ＮＨ−］等が挙げられる。
【０１２０】
上記エチレン性不飽和基と、例えば、本発明に係るカチオン性ローダミン誘導体などとは、直接又は適当なスペーサーを介して結合される。
該スペーサーとしては、例えば、−Ｏ−、−ＯＣＯ−、−ＣＯＯ−又はアリーレン基の少なくとも１つの基を鎖中に有する炭素数１〜２１のアルキレン基、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基、炭素数１〜２１のアルキレン基、或いは、ヒドロキシル基を置換基として有する炭素数１〜２１のアルキレン基等が挙げられ、具体的には、例えば、後述の一般式（I）におけるＡ１記載の基等が挙げられる。
【０１２１】
（２）一般式（I）で示される化合物について
本発明に係るエチレン性不飽和基を有するカチオン性ローダミン誘導体の具体例としては、前記したように、具体的には、下記一般式（I）で示される化合物と、後述する一般式（II）で示される化合物、一般式（VI）で示される化合物が挙げられる。
【０１２２】
0006662772.tif 000054
［一般式（I）中、Ｒ１〜Ｒ４は、それぞれ独立して、水素原子、炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有する若しくは無置換のフェニル基、又は置換基を有する若しくは無置換のベンジル基を表し、Ｒ５〜Ｒ７は、それぞれ独立して、水素原子またはメチル基を表し、Ａ１は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ２は、−ＮＨ−又は−Ｏ−を表す。また、Ａｎ−は、アニオンを表す。］
【０１２３】
上記一般式（I）において、Ｒ７は、メチル基が好ましい。
また、一般式（I）のＡ１において、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」或いは「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基」におけるアリーレン基としては、炭素数６〜１０のものが挙げられ、具体的には、フェニレン基、ナフチレン等が挙げられる。
【０１２４】
一般式（I）のＡ１において、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基」、「ヒドロキシル基を置換基として有する炭素数１〜２１のアルキレン基」及び「炭素数１〜２１のアルキレン基」における、炭素数１〜２１のアルキレン基としては、直鎖状又は分枝状であり、炭素数１〜１２が好ましく、炭素数１〜６がより好ましく、炭素数１〜３がさらに好ましい。
具体的には、例えば、メチレン基、エチレン基、プロピレン基、メチルエチレン基、ブチレン基、１−メチルプロピレン基、２−メチルプロピレン基、ペンチレン基、メチルブチレン基、１，２−ジメチルプロピレン基、１−エチルプロピレン基、ヘキシレン基、メチルペンチレン基、ｎ−へプチレン基、ｎ−オクチレン基、ｎ−ノニレン基、ｎ−デシレン基、ｎ−ウンデシレン基、ｎ−ドデシレン基、ｎ−トリデシレン基、ｎ−テトラデシレン基、ｎ−ペンタデシレン基、ｎ−ヘキサデシレン基、ｎ−ヘプタデシレン基、ｎ−オクタデシレン基、ｎ−ノナデシレン基、ｎ−エイコシレン基、シクロペンチレン基、シクロへキシレン基、シクロへプチレン基等が挙げられ、メチレン基、エチレン基、プロピレン基、ブチレン基、ペンチレン基、ヘキシレン基等が好ましく、メチレン基、エチレン基、プロピレン基がより好ましく、エチレン基が特に好ましい。
【０１２５】
一般式（I）のＡ１における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」としては、例えば、下記一般式（６−１）〜（６−４）で示される基等が挙げられる。
【０１２６】
−Ｒ５１−Ｘ１−Ｒ５１−      （６−１）
（式中、２つのＲ５１は、それぞれ独立して、炭素数１〜１０のアルキレン基を表し、Ｘ１は、−Ｏ−、−ＯＣＯ−、ＣＯＯ−又はアリーレン基を表す。）
−Ｒ５１−Ｘ１−Ｒ５１−Ｘ１−Ｒ５１−      （６−２）
（式中、３つのＲ５１は、それぞれ独立して、上記と同じものを表し、Ｘ１は、上記と同じ。）
−Ｒ５１−（Ｃ２Ｈ４Ｏ）ｐ７−Ｒ５１−      （６−３）
（式中、２つのＲ５１は、それぞれ独立して、上記と同じものを表し、ｐ７は、１〜９の整数を表す。）
−Ｒ５１−（ＣＨ２ＣＨ（ＣＨ３）Ｏ）ｐ９−Ｒ５１−      （６−４）
（式中、２つのＲ５１は、それぞれ独立して、上記と同じものを表し、ｐ９は、１〜９の整数を表す。）
【０１２７】
上記一般式（６−１）のＲ５１における炭素数１〜１０のアルキレン基としては、炭素数１〜６のものが好ましく、炭素数１〜３のものがより好ましい。具体的には、例えば、メチレン基、エチレン基、プロピレン基、メチルエチレン基、ブチレン基、１−メチルプロピレン基、２−メチルプロピレン基、ペンチレン基、メチルブチレン基、１，２−ジメチルプロピレン基、１−エチルプロピレン基、ヘキシレン基、メチルペンチレン基、ｎ−へプチレン基、ｎ−オクチレン基、ｎ−ノニレン基、ｎ−デシレン基、シクロペンチレン基、シクロへキシレン基、シクロへプチレン基等が挙げられ、メチレン基、エチレン基、プロピレン基がより好ましく、エチレン基が特に好ましい。
【０１２８】
また、上記一般式（６−１）で示される基としては、具体的には、例えば、下記一般式の基が挙げられる（式中、Ｘ１１は、−Ｏ−、−ＯＣＯ−、ＣＯＯ−又はアリーレン基を表す。）。
−ＣＨ２−Ｘ１１−ＣＨ２−
−ＣＨ２−Ｘ１１−Ｃ２Ｈ４−
−ＣＨ２−Ｘ１１−Ｃ３Ｈ６−
−ＣＨ２−Ｘ１１−Ｃ４Ｈ８−
−ＣＨ２−Ｘ１１−Ｃ５Ｈ１０−
−ＣＨ２−Ｘ１１−Ｃ６Ｈ１２−
−Ｃ２Ｈ４−Ｘ１１−ＣＨ２−
−Ｃ２Ｈ４−Ｘ１１−Ｃ２Ｈ４−
−Ｃ２Ｈ４−Ｘ１１−Ｃ３Ｈ６−
−Ｃ２Ｈ４−Ｘ１１−Ｃ４Ｈ８−
−Ｃ２Ｈ４−Ｘ１１−Ｃ５Ｈ１０−
−Ｃ２Ｈ４−Ｘ１１−Ｃ６Ｈ１２−
−Ｃ３Ｈ６−Ｘ１１−ＣＨ２−
−Ｃ３Ｈ６−Ｘ１１−Ｃ２Ｈ４−
−Ｃ３Ｈ６−Ｘ１１−Ｃ４Ｈ８−
−Ｃ３Ｈ６−Ｘ１１−Ｃ５Ｈ１０−
−Ｃ３Ｈ６−Ｘ１１−Ｃ６Ｈ１２−
−Ｃ２Ｈ４−Ｘ１１−Ｃ６Ｈ１０−
−Ｃ３Ｈ６−Ｘ１１−Ｃ６Ｈ１０−
【０１２９】
一般式（６−１）で示される基のより好ましい具体例としては、下記式のものが挙げられる。
−ＣＨ２−ＯＣＯ−ＣＨ２−
−ＣＨ２−ＯＣＯ−Ｃ２Ｈ４−
−ＣＨ２−ＯＣＯ−Ｃ３Ｈ６−
−ＣＨ２−ＯＣＯ−Ｃ４Ｈ８−
−ＣＨ２−ＯＣＯ−Ｃ５Ｈ１０−
−ＣＨ２−ＯＣＯ−Ｃ６Ｈ１２−
−Ｃ２Ｈ４−ＯＣＯ−ＣＨ２−
−Ｃ２Ｈ４−ＯＣＯ−Ｃ２Ｈ４−
−Ｃ２Ｈ４−ＯＣＯ−Ｃ３Ｈ６−
−Ｃ２Ｈ４−ＯＣＯ−Ｃ４Ｈ８−
−Ｃ２Ｈ４−ＯＣＯ−Ｃ５Ｈ１０−
−Ｃ２Ｈ４−ＯＣＯ−Ｃ６Ｈ１２−
−Ｃ３Ｈ６−ＯＣＯ−ＣＨ２−
−Ｃ３Ｈ６−ＯＣＯ−Ｃ２Ｈ４−
−Ｃ３Ｈ６−ＯＣＯ−Ｃ４Ｈ８−
−Ｃ３Ｈ６−ＯＣＯ−Ｃ５Ｈ１０−
−Ｃ３Ｈ６−ＯＣＯ−Ｃ６Ｈ１２−
−Ｃ２Ｈ４−ＯＣＯ−Ｃ６Ｈ１０−
−Ｃ３Ｈ６−ＯＣＯ−Ｃ６Ｈ１０−
【０１３０】
一般式（６−２）で示される基の好ましい具体例としては、例えば、下記一般式の基が挙げられる（式中、Ｘ１１は、それぞれ独立して−Ｏ−、−ＯＣＯ−、ＣＯＯ−又はフェニレン基を表す。）。
−ＣＨ２−Ｘ１１−Ｃ２Ｈ４−Ｘ１１−ＣＨ２−
−ＣＨ２−Ｘ１１−Ｃ２Ｈ４−Ｘ１１−Ｃ２Ｈ４−
−Ｃ２Ｈ４−Ｘ１１−Ｃ２Ｈ４−Ｘ１１−ＣＨ２−
−Ｃ２Ｈ４−Ｘ１１−Ｃ２Ｈ４−Ｘ１１−Ｃ２Ｈ４−
−Ｃ２Ｈ４−Ｘ１１−Ｃ２Ｈ４−Ｘ１１−Ｃ３Ｈ６−
−Ｃ２Ｈ４−Ｘ１１−Ｃ２Ｈ４−Ｘ１１−Ｃ４Ｈ８−
−Ｃ２Ｈ４−Ｘ１１−Ｃ２Ｈ４−Ｘ１１−Ｃ５Ｈ１０−
−Ｃ２Ｈ４−Ｘ１１−Ｃ２Ｈ４−Ｘ１１−Ｃ６Ｈ１２−
−Ｃ３Ｈ６−Ｘ１１−Ｃ２Ｈ４−Ｘ１１−ＣＨ２−
−Ｃ３Ｈ６−Ｘ１１−Ｃ２Ｈ４−Ｘ１１−Ｃ２Ｈ４−
−Ｃ３Ｈ６−Ｘ１１−Ｃ２Ｈ４−Ｘ１１−Ｃ３Ｈ６−
−Ｃ３Ｈ６−Ｘ１１−Ｃ２Ｈ４−Ｘ１１−Ｃ４Ｈ８−
−Ｃ３Ｈ６−Ｘ１１−Ｃ２Ｈ４−Ｘ１１−Ｃ５Ｈ１０−
−Ｃ３Ｈ６−Ｘ１１−Ｃ２Ｈ４−Ｘ１１−Ｃ６Ｈ１２−
−Ｃ４Ｈ８−Ｘ１１−Ｃ２Ｈ４−Ｘ１１−ＣＨ２−
−Ｃ４Ｈ８−Ｘ１１−Ｃ２Ｈ４−Ｘ１１−Ｃ２Ｈ４−
−Ｃ４Ｈ８−Ｘ１１−Ｃ２Ｈ４−Ｘ１１−Ｃ３Ｈ６−
−Ｃ４Ｈ８−Ｘ１１−Ｃ２Ｈ４−Ｘ１１−Ｃ４Ｈ８−
−Ｃ４Ｈ８−Ｘ１１−Ｃ２Ｈ４−Ｘ１１−Ｃ５Ｈ１０−
−Ｃ４Ｈ８−Ｘ１１−Ｃ２Ｈ４−Ｘ１１−Ｃ６Ｈ１２−
−Ｃ５Ｈ１０−Ｘ１１−Ｃ２Ｈ４−Ｘ１１−ＣＨ２−
−Ｃ５Ｈ１０−Ｘ１１−Ｃ２Ｈ４−Ｘ１１−Ｃ２Ｈ４−
−Ｃ５Ｈ１０−Ｘ１１−Ｃ２Ｈ４−Ｘ１１−Ｃ３Ｈ６−
−Ｃ５Ｈ１０−Ｘ１１−Ｃ２Ｈ４−Ｘ１１−Ｃ４Ｈ８−
−Ｃ５Ｈ１０−Ｘ１１−Ｃ２Ｈ４−Ｘ１１−Ｃ５Ｈ１０−
−Ｃ５Ｈ１０−Ｘ１１−Ｃ２Ｈ４−Ｘ１１−Ｃ６Ｈ１２−
−Ｃ６Ｈ１２−Ｘ１１−Ｃ２Ｈ４−Ｘ１１−ＣＨ２−
−Ｃ６Ｈ１２−Ｘ１１−Ｃ２Ｈ４−Ｘ１１−Ｃ２Ｈ４−
−Ｃ６Ｈ１２−Ｘ１１−Ｃ２Ｈ４−Ｘ１１−Ｃ３Ｈ６−
−Ｃ６Ｈ１２−Ｘ１１−Ｃ２Ｈ４−Ｘ１１−Ｃ４Ｈ８−
−Ｃ６Ｈ１２−Ｘ１１−Ｃ２Ｈ４−Ｘ１１−Ｃ５Ｈ１０−
−Ｃ６Ｈ１２−Ｘ１１−Ｃ２Ｈ４−Ｘ１１−Ｃ６Ｈ１２−
−ＣＨ２−Ｘ１１−Ｃ３Ｈ６−Ｘ１１−ＣＨ２−
−Ｃ２Ｈ４−Ｘ１１−Ｃ３Ｈ６−Ｘ１１−Ｃ２Ｈ４−
−Ｃ２Ｈ４−Ｘ１１−Ｃ３Ｈ６−Ｘ１１−Ｃ３Ｈ６−
−Ｃ２Ｈ４−Ｘ１１−Ｃ３Ｈ６−Ｘ１１−Ｃ４Ｈ８−
−Ｃ２Ｈ４−Ｘ１１−Ｃ３Ｈ６−Ｘ１１−Ｃ５Ｈ１０−
−Ｃ２Ｈ４−Ｘ１１−Ｃ３Ｈ６−Ｘ１１−Ｃ６Ｈ１２−
−Ｃ３Ｈ６−Ｘ１１−Ｃ３Ｈ６−Ｘ１１−Ｃ２Ｈ４−
−Ｃ３Ｈ６−Ｘ１１−Ｃ３Ｈ６−Ｘ１１−Ｃ３Ｈ６−
−Ｃ３Ｈ６−Ｘ１１−Ｃ３Ｈ６−Ｘ１１−Ｃ４Ｈ８−
−Ｃ３Ｈ６−Ｘ１１−Ｃ３Ｈ６−Ｘ１１−Ｃ５Ｈ１０−
−Ｃ３Ｈ６−Ｘ１１−Ｃ３Ｈ６−Ｘ１１−Ｃ６Ｈ１２−
−Ｃ４Ｈ８−Ｘ１１−Ｃ３Ｈ６−Ｘ１１−Ｃ４Ｈ８−
−Ｃ５Ｈ１０−Ｘ１１−Ｃ３Ｈ６−Ｘ１１−Ｃ５Ｈ１０−
−Ｃ６Ｈ１２−Ｘ１１−Ｃ３Ｈ６−Ｘ１１−Ｃ６Ｈ１２−
−Ｃ２Ｈ４−Ｘ１１−ＣＨ２−Ｘ１１−Ｃ２Ｈ４−
−Ｃ２Ｈ４−Ｘ１１−Ｃ４Ｈ８−Ｘ１１−Ｃ２Ｈ４−
−Ｃ２Ｈ４−Ｘ１１−Ｃ５Ｈ１０−Ｘ１１−Ｃ２Ｈ４−
−Ｃ２Ｈ４−Ｘ１１−Ｃ６Ｈ１２−Ｘ１１−Ｃ２Ｈ４−
−Ｃ２Ｈ４−Ｘ１１−Ｃ６Ｈ１０−Ｘ１１−Ｃ２Ｈ４−
【０１３１】
また、一般式（６−２）で示される基のより好ましい具体例としては、下記式の基が挙げられる。
−ＣＨ２−ＯＣＯ−Ｃ２Ｈ４−ＣＯＯ−Ｃ２Ｈ４−
−ＣＨ２−ＯＣＯ−Ｃ３Ｈ６−ＣＯＯ−Ｃ３Ｈ６−
−Ｃ４Ｈ８−ＯＣＯ−Ｃ２Ｈ４−ＣＯＯ−ＣＨ２−
−Ｃ４Ｈ８−ＯＣＯ−Ｃ２Ｈ４−ＣＯＯ−Ｃ２Ｈ４−
−Ｃ４Ｈ８−ＯＣＯ−Ｃ２Ｈ４−ＣＯＯ−Ｃ３Ｈ６−
−Ｃ４Ｈ８−ＯＣＯ−Ｃ２Ｈ４−ＣＯＯ−Ｃ４Ｈ８−
−Ｃ４Ｈ８−ＯＣＯ−Ｃ２Ｈ４−ＣＯＯ−Ｃ５Ｈ１０−
−Ｃ４Ｈ８−ＯＣＯ−Ｃ２Ｈ４−ＣＯＯ−Ｃ６Ｈ１２−
−Ｃ５Ｈ１０−ＯＣＯ−Ｃ２Ｈ４−ＣＯＯ−ＣＨ２−
−Ｃ５Ｈ１０−ＯＣＯ−Ｃ２Ｈ４−ＣＯＯ−Ｃ２Ｈ４−
−Ｃ５Ｈ１０−ＯＣＯ−Ｃ２Ｈ４−ＣＯＯ−Ｃ３Ｈ６−
−Ｃ５Ｈ１０−ＯＣＯ−Ｃ２Ｈ４−ＣＯＯ−Ｃ４Ｈ８−
−Ｃ５Ｈ１０−ＯＣＯ−Ｃ２Ｈ４−ＣＯＯ−Ｃ５Ｈ１０−
−Ｃ５Ｈ１０−ＯＣＯ−Ｃ２Ｈ４−ＣＯＯ−Ｃ６Ｈ１２−
−Ｃ６Ｈ１２−ＯＣＯ−Ｃ２Ｈ４−ＣＯＯ−ＣＨ２−
−Ｃ６Ｈ１２−ＯＣＯ−Ｃ２Ｈ４−ＣＯＯ−Ｃ２Ｈ４−
−Ｃ６Ｈ１２−ＯＣＯ−Ｃ２Ｈ４−ＣＯＯ−Ｃ３Ｈ６−
−Ｃ６Ｈ１２−ＯＣＯ−Ｃ２Ｈ４−ＣＯＯ−Ｃ４Ｈ８−
−Ｃ６Ｈ１２−ＯＣＯ−Ｃ２Ｈ４−ＣＯＯ−Ｃ５Ｈ１０−
−Ｃ６Ｈ１２−ＯＣＯ−Ｃ２Ｈ４−ＣＯＯ−Ｃ６Ｈ１２−
−ＣＨ２−ＯＣＯ−Ｃ３Ｈ６−ＣＯＯ−ＣＨ２−
−Ｃ２Ｈ４−ＯＣＯ−Ｃ３Ｈ６−ＣＯＯ−Ｃ２Ｈ４−
−Ｃ２Ｈ４−ＯＣＯ−Ｃ３Ｈ６−ＣＯＯ−Ｃ３Ｈ６−
−Ｃ２Ｈ４−ＯＣＯ−Ｃ３Ｈ６−ＣＯＯ−Ｃ４Ｈ８−
−Ｃ２Ｈ４−ＯＣＯ−Ｃ３Ｈ６−ＣＯＯ−Ｃ５Ｈ１０−
−Ｃ２Ｈ４−ＯＣＯ−Ｃ３Ｈ６−ＣＯＯ−Ｃ６Ｈ１２−
−Ｃ３Ｈ６−ＯＣＯ−Ｃ３Ｈ６−ＣＯＯ−Ｃ２Ｈ４−
−Ｃ３Ｈ６−ＯＣＯ−Ｃ３Ｈ６−ＣＯＯ−Ｃ３Ｈ６−
−Ｃ３Ｈ６−ＯＣＯ−Ｃ３Ｈ６−ＣＯＯ−Ｃ４Ｈ８−
−Ｃ３Ｈ６−ＯＣＯ−Ｃ３Ｈ６−ＣＯＯ−Ｃ５Ｈ１０−
−Ｃ３Ｈ６−ＯＣＯ−Ｃ３Ｈ６−ＣＯＯ−Ｃ６Ｈ１２−
−Ｃ４Ｈ８−ＯＣＯ−Ｃ３Ｈ６−ＣＯＯ−Ｃ４Ｈ８−
−Ｃ５Ｈ１０−ＯＣＯ−Ｃ３Ｈ６−ＣＯＯ−Ｃ５Ｈ１０−
−Ｃ６Ｈ１２−ＯＣＯ−Ｃ３Ｈ６−ＣＯＯ−Ｃ６Ｈ１２−
−Ｃ２Ｈ４−ＯＣＯ−ＣＨ２−ＣＯＯ−Ｃ２Ｈ４−
−Ｃ２Ｈ４−ＯＣＯ−Ｃ４Ｈ８−ＣＯＯ−Ｃ２Ｈ４−
−Ｃ２Ｈ４−ＯＣＯ−Ｃ５Ｈ１０−ＣＯＯ−Ｃ２Ｈ４−
−Ｃ２Ｈ４−ＯＣＯ−Ｃ６Ｈ１２−ＣＯＯ−Ｃ２Ｈ４−
−Ｃ２Ｈ４−ＯＣＯ−Ｃ６Ｈ１０−ＣＯＯ−Ｃ２Ｈ４−
【０１３２】
一般式（６−３）で示される基の好ましい具体例としては、例えば、下記一般式の基が挙げられる（式中、ｐ７は、上記と同じ。）。
−ＣＨ２−（Ｃ２Ｈ４Ｏ）ｐ７−ＣＨ２−
−ＣＨ２−（Ｃ２Ｈ４Ｏ）ｐ７−Ｃ２Ｈ４−
−ＣＨ２−（Ｃ２Ｈ４Ｏ）ｐ７−Ｃ３Ｈ６−
−Ｃ２Ｈ４−（Ｃ２Ｈ４Ｏ）ｐ７−ＣＨ２−
−Ｃ２Ｈ４−（Ｃ２Ｈ４Ｏ）ｐ７−Ｃ２Ｈ４−
−Ｃ２Ｈ４−（Ｃ２Ｈ４Ｏ）ｐ７−Ｃ３Ｈ６−
−Ｃ２Ｈ４−（Ｃ２Ｈ４Ｏ）ｐ７−Ｃ４Ｈ８−
−Ｃ２Ｈ４−（Ｃ２Ｈ４Ｏ）ｐ７−Ｃ５Ｈ１０−
−Ｃ２Ｈ４−（Ｃ２Ｈ４Ｏ）ｐ７−Ｃ６Ｈ１２−
−Ｃ２Ｈ４−（Ｃ２Ｈ４Ｏ）ｐ７−ＣＨ２−
−Ｃ２Ｈ４−（Ｃ２Ｈ４Ｏ）ｐ７−Ｃ２Ｈ４−
−Ｃ２Ｈ４−（Ｃ２Ｈ４Ｏ）ｐ７−Ｃ３Ｈ６−
−Ｃ３Ｈ６−（Ｃ２Ｈ４Ｏ）ｐ７−ＣＨ２−
−Ｃ３Ｈ６−（Ｃ２Ｈ４Ｏ）ｐ７−Ｃ２Ｈ４−
−Ｃ３Ｈ６−（Ｃ２Ｈ４Ｏ）ｐ７−Ｃ３Ｈ６−
【０１３３】
一般式（６−４）で示される基の好ましい具体例としては、例えば、下記一般式の基が挙げられる（式中、ｐ９は、上記と同じ。）。
−ＣＨ２−（ＣＨ２ＣＨ（ＣＨ３）Ｏ）ｐ９−ＣＨ２−
−ＣＨ２−（ＣＨ２ＣＨ（ＣＨ３）Ｏ）ｐ９−Ｃ２Ｈ４−
−ＣＨ２−（ＣＨ２ＣＨ（ＣＨ３）Ｏ）ｐ９−Ｃ３Ｈ６−
−Ｃ２Ｈ４−（ＣＨ２ＣＨ（ＣＨ３）Ｏ）ｐ９−ＣＨ２−
−Ｃ２Ｈ４−（ＣＨ２ＣＨ（ＣＨ３）Ｏ）ｐ９−Ｃ２Ｈ４−
−Ｃ２Ｈ４−（ＣＨ２ＣＨ（ＣＨ３）Ｏ）ｐ９−Ｃ３Ｈ６−
−Ｃ２Ｈ４−（ＣＨ２ＣＨ（ＣＨ３）Ｏ）ｐ９−Ｃ４Ｈ８−
−Ｃ２Ｈ４−（ＣＨ２ＣＨ（ＣＨ３）Ｏ）ｐ９−Ｃ５Ｈ１０−
−Ｃ２Ｈ４−（ＣＨ２ＣＨ（ＣＨ３）Ｏ）ｐ９−Ｃ６Ｈ１２−
−Ｃ２Ｈ４−（ＣＨ２ＣＨ（ＣＨ３）Ｏ）ｐ９−ＣＨ２−
−Ｃ２Ｈ４−（ＣＨ２ＣＨ（ＣＨ３）Ｏ）ｐ９−Ｃ２Ｈ４−
−Ｃ２Ｈ４−（ＣＨ２ＣＨ（ＣＨ３）Ｏ）ｐ９−Ｃ３Ｈ６−
−Ｃ３Ｈ６−（ＣＨ２ＣＨ（ＣＨ３）Ｏ）ｐ９−ＣＨ２−
−Ｃ３Ｈ６−（ＣＨ２ＣＨ（ＣＨ３）Ｏ）ｐ９−Ｃ２Ｈ４−
−Ｃ３Ｈ６−（ＣＨ２ＣＨ（ＣＨ３）Ｏ）ｐ９−Ｃ３Ｈ６−
【０１３４】
一般式（I）のＡ１における、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基」としては、例えば、下記一般式（７−１）又は（７−２）で示される基等が挙げられる。
【０１３５】
−Ｒ５２−Ｘ１−Ｒ５２−      （７−１）
（式中、２つのＲ５２は、それぞれ独立して、ヒドロキシル基を置換基として有する又は無置換の炭素数１〜１０のアルキレン基を表し、Ｘ１は、上記と同じである。但し、２つのＲ５２のうちの少なくとも１つは、ヒドロキシル基を置換基として有する炭素数１〜１０のアルキレン基を表す。）
−Ｒ５２−Ｘ１−Ｒ５２−Ｘ１−Ｒ５２−      （７−２）
（式中、３つのＲ５２は、それぞれ独立して、上記と同じであり、２つのＸ１も、それぞれ独立して、上記と同じである。但し、３つのＲ５２のうちの少なくとも１つは、ヒドロキシル基を置換基として有する炭素数１〜１０のアルキレン基を表し、上記式中の炭素数の総数は、２１以下である。）
【０１３６】
上記一般式（７−１）及び（７−２）のＲ５２におけるヒドロキシル基を置換基として有する炭素数１〜１０のアルキレン基としては、炭素数１〜６が好ましく、炭素数１〜３がより好ましく、１又は２個のヒドロキシル基を有するものが好ましい。
具体的には、例えば、ヒドロキシメチレン基、ヒドロキシエチレン基、ヒドロキシプロピレン基、ヒドロキシブチレン基、ヒドロキシペンチレン基、ヒドロキシへキシレン基、ヒドロキシメチルペンチレン基、ヒドロキシ−ｎ−へプチレン基、ヒドロキシ−ｎ−オクチレン基、ヒドロキシ−ｎ−ノニレン基、ヒドロキシ−ｎ−デシレン基、ヒドロキシシクロペンチレン基、ヒドロキシシクロへキシレン基、ジヒドロキシエチレン基、ジヒドロキシプロピレン基等が挙げられる。
【０１３７】
上記一般式（７−１）及び（７−２）のＲ５２における無置換の炭素数１〜１０のアルキレン基としては、上記一般式（６−１）及び（６−２）のＲ５１における炭素数１〜１０のアルキレン基と同じものが挙げられ、好ましいものも同じである。
また、上記一般式（７−１）及び（７−２）のＸ１におけるアリーレン基としては、フェニレン基、ナフチレン基が挙げられ、フェニレン基が好ましい。
【０１３８】
一般式（７−１）で示される基の好ましい具体例としては、例えば、下記一般式の基が挙げられる（式中、Ｘ１１は、−Ｏ−、−ＯＣＯ−、ＣＯＯ−又はフェニレン基を表す。）。
−ＣＨ２−Ｘ１１−Ｃ３Ｈ５（ＯＨ）−
−ＣＨ２−Ｘ１１−Ｃ４Ｈ７（ＯＨ）−
−ＣＨ２−Ｘ１１−Ｃ５Ｈ９（ＯＨ）−
−ＣＨ２−Ｘ１１−Ｃ６Ｈ１１（ＯＨ）−
−Ｃ２Ｈ４−Ｘ１１−Ｃ３Ｈ５（ＯＨ）−
−Ｃ２Ｈ４−Ｘ１１−Ｃ４Ｈ７（ＯＨ）−
−Ｃ２Ｈ４−Ｘ１１−Ｃ５Ｈ９（ＯＨ）−
−Ｃ２Ｈ４−Ｘ１１−Ｃ６Ｈ１１（ＯＨ）−
−Ｃ３Ｈ６−Ｘ１１−Ｃ３Ｈ５（ＯＨ）−
−Ｃ３Ｈ６−Ｘ１１−Ｃ４Ｈ７（ＯＨ）−
−Ｃ３Ｈ６−Ｘ１１−Ｃ５Ｈ９（ＯＨ）−
−Ｃ３Ｈ６−Ｘ１１−Ｃ６Ｈ１１（ＯＨ）−
−Ｃ３Ｈ５（ＯＨ）−Ｘ１１−ＣＨ２−
−Ｃ３Ｈ５（ＯＨ）−Ｘ１１−Ｃ２Ｈ４−
−Ｃ３Ｈ５（ＯＨ）−Ｘ１１−Ｃ３Ｈ６−
−Ｃ３Ｈ５（ＯＨ）−Ｘ１１−Ｃ４Ｈ８−
−Ｃ３Ｈ５（ＯＨ）−Ｘ１１−Ｃ５Ｈ１０−
−Ｃ３Ｈ５（ＯＨ）−Ｘ１１−Ｃ６Ｈ１２−
−Ｃ３Ｈ５（ＯＨ）−Ｘ１１−Ｃ３Ｈ５（ＯＨ）−
−Ｃ３Ｈ５（ＯＨ）−Ｘ１１−Ｃ４Ｈ７（ＯＨ）−
−Ｃ３Ｈ５（ＯＨ）−Ｘ１１−Ｃ５Ｈ９（ＯＨ）−
−Ｃ３Ｈ５（ＯＨ）−Ｘ１１−Ｃ６Ｈ１１（ＯＨ）−
【０１３９】
一般式（７−２）で示される基の好ましい具体例としては、例えば、下記一般式の基が挙げられる（式中、Ｘ１１は、それぞれ独立して、−Ｏ−、−ＯＣＯ−、ＣＯＯ−又はフェニレン基を表す。）。
−ＣＨ２−Ｘ１１−Ｃ３Ｈ５（ＯＨ）−Ｘ１１−ＣＨ２−
−Ｃ２Ｈ４−Ｘ１１−Ｃ３Ｈ５（ＯＨ）−Ｘ１１−Ｃ２Ｈ４−
−Ｃ２Ｈ４−Ｘ１１−Ｃ３Ｈ５（ＯＨ）−Ｘ１１−Ｃ３Ｈ６−
−Ｃ２Ｈ４−Ｘ１１−Ｃ３Ｈ５（ＯＨ）−Ｘ１１−Ｃ４Ｈ８−
−Ｃ２Ｈ４−Ｘ１１−Ｃ３Ｈ５（ＯＨ）−Ｘ１１−Ｃ５Ｈ１０−
−Ｃ２Ｈ４−Ｘ１１−Ｃ３Ｈ５（ＯＨ）−Ｘ１１−Ｃ６Ｈ１２−
−Ｃ３Ｈ６−Ｘ１１−Ｃ３Ｈ５（ＯＨ）−Ｘ１１−Ｃ２Ｈ４−
−Ｃ３Ｈ６−Ｘ１１−Ｃ３Ｈ５（ＯＨ）−Ｘ１１−Ｃ３Ｈ６−
−Ｃ３Ｈ６−Ｘ１１−Ｃ３Ｈ５（ＯＨ）−Ｘ１１−Ｃ４Ｈ８−
−Ｃ３Ｈ６−Ｘ１１−Ｃ３Ｈ５（ＯＨ）−Ｘ１１−Ｃ５Ｈ１０−
−Ｃ３Ｈ６−Ｘ１１−Ｃ３Ｈ５（ＯＨ）−Ｘ１１−Ｃ６Ｈ１２−
−Ｃ４Ｈ８−Ｘ１１−Ｃ３Ｈ５（ＯＨ）−Ｘ１１−Ｃ４Ｈ８−
−Ｃ５Ｈ１０−Ｘ１１−Ｃ３Ｈ５（ＯＨ）−Ｘ１１−Ｃ５Ｈ１０−
−Ｃ６Ｈ１２−Ｘ１１−Ｃ３Ｈ５（ＯＨ）−Ｘ１１−Ｃ６Ｈ１２−
−Ｃ２Ｈ４−Ｘ１１−Ｃ３Ｈ５（ＯＨ）−Ｘ１１−Ｃ３Ｈ５（ＯＨ）−
−Ｃ２Ｈ４−Ｘ１１−Ｃ３Ｈ５（ＯＨ）−Ｘ１１−Ｃ４Ｈ７（ＯＨ）−
−Ｃ２Ｈ４−Ｘ１１−Ｃ３Ｈ５（ＯＨ）−Ｘ１１−Ｃ５Ｈ９（ＯＨ）−
−Ｃ２Ｈ４−Ｘ１１−Ｃ３Ｈ５（ＯＨ）−Ｘ１１−Ｃ６Ｈ１１（ＯＨ）−
−Ｃ３Ｈ６−Ｘ１１−Ｃ３Ｈ５（ＯＨ）−Ｘ１１−Ｃ２Ｈ３（ＯＨ）−
−Ｃ３Ｈ６−Ｘ１１−Ｃ３Ｈ５（ＯＨ）−Ｘ１１−Ｃ３Ｈ５（ＯＨ）−
−Ｃ４Ｈ８−Ｘ１１−Ｃ３Ｈ５（ＯＨ）−Ｘ１１−Ｃ４Ｈ７（ＯＨ）−
−Ｃ５Ｈ１０−Ｘ１１−Ｃ３Ｈ５（ＯＨ）−Ｘ１１−Ｃ５Ｈ９（ＯＨ）−
−Ｃ６Ｈ１２−Ｘ１１−Ｃ３Ｈ５（ＯＨ）−Ｘ１１−Ｃ６Ｈ１１（ＯＨ）−
【０１４０】
一般式（１）のＡ１における「ヒドロキシル基を置換基として有する炭素数１〜２１のアルキレン基」としては、例えば、下記一般式（８）で示される基等が挙げられる。
−（ＣＨ２）ｐ１０−Ｒ５６−（ＣＨ２）ｐ１０−      （８）
（式中、Ｒ５６は、ヒドロキシル基を置換基として有する炭素数１〜９のアルキレン基を表し、ｐ１０は、０〜６の整数を表す。）
【０１４１】
上記一般式（８）のＲ５６におけるヒドロキシル基を置換基として有する炭素数１〜９のアルキレン基としては、炭素数１〜６のものが好ましく、炭素数１〜３のものがより好ましい。
具体的には、例えば、ヒドロキシメチレン基、ヒドロキシエチレン基、ヒドロキシプロピレン基、ヒドロキシメチルエチレン基、ヒドロキシブチレン基、１−ヒドロキシメチルプロピレン基、２−ヒドロキシメチルプロピレン基、ヒドロキシペンチレン基、ヒドロキシメチルブチレン基、１，２−ジ−ヒドロキシメチルプロピレン基、１−ヒドロキシエチルプロピレン基、ヒドロキシヘキシレン基、ヒドロキシメチルペンチレン基、ヒドロキシ−ｎ−へプチレン基、ヒドロキシ−ｎ−オクチレン基、ヒドロキシ−ｎ−ノニレン基、ヒドロキシシクロペンチレン基、ヒドロキシシクロへキシレン基、ヒドロキシシクロへプチレン基等が挙げられ、ヒドロキシメチレン基、ヒドロキシエチレン基、ヒドロキシプロピレン基がより好ましく、ヒドロキシエチレン基が特に好ましい。
【０１４２】
上記一般式（８）で示される基としては、具体的には、例えば、下記の基等が挙げられる。
−ＣＨ２−Ｃ６Ｈ９（ＯＨ）−ＣＨ２−
−Ｃ２Ｈ４−Ｃ６Ｈ９（ＯＨ）−Ｃ２Ｈ４−
−Ｃ３Ｈ６−Ｃ６Ｈ９（ＯＨ）−Ｃ３Ｈ６−
−ＣＨ２−ＣＨ（ＯＨ）−Ｃ２Ｈ４−
−ＣＨ２−ＣＨ（ＯＨ）−Ｃ３Ｈ６−
−ＣＨ２−ＣＨ（ＯＨ）−Ｃ４Ｈ８−
−Ｃ２Ｈ４−ＣＨ（ＯＨ）−ＣＨ２−
−Ｃ２Ｈ４−ＣＨ（ＯＨ）−Ｃ２Ｈ４−
−Ｃ２Ｈ４−ＣＨ（ＯＨ）−Ｃ３Ｈ６−
−ＣＨ２−Ｃ２Ｈ４（ＯＨ）−Ｃ２Ｈ４−
−ＣＨ２−Ｃ２Ｈ４（ＯＨ）−Ｃ３Ｈ６−
−ＣＨ２−Ｃ２Ｈ４（ＯＨ）−Ｃ４Ｈ８−
−Ｃ２Ｈ４−Ｃ２Ｈ４（ＯＨ）−ＣＨ２−
−Ｃ２Ｈ４−Ｃ２Ｈ４（ＯＨ）−Ｃ２Ｈ４−
−Ｃ２Ｈ４−Ｃ２Ｈ４（ＯＨ）−Ｃ３Ｈ６−
【０１４３】
一般式（I）におけるＡ１としては、−Ｏ−、−ＯＣＯ−、−ＣＯＯ−若しくはアリーレン基から選ばれる少なくとも１つの基を鎖中に有する炭素数１〜２１のアルキレン基、又は炭素数１〜２１のアルキレン基が好ましく、中でも、一般式（６−１）で示される基、一般式（６−２）で示される基、炭素数１〜１２のアルキレン基がより好ましく、一般式（６−２）で示される基、炭素数１〜６のアルキレン基が更に好ましい。
【０１４４】
また、上記一般式（I）におけるＡ２は、−Ｏ−が好ましい。
【０１４５】
一般式（I）のＲ１〜Ｒ７、Ａ１及びＡ２の好ましい組合せとしては、例えば、下記表５記載のものが挙げられる。
【０１４６】
【表５】
0006662772.tif 000055
【０１４７】
２−２．一般式（II）で示される化合物について
次に、上記のカチオン性ローダミン誘導体における一般式（II）で示される化合物の具体的な化合物、製法などについて、説明する。
【０１４８】
（１）一般式（II）で示される化合物
本発明に係るエチレン性不飽和基を有するカチオン性ローダミン誘導体としては、前記したように、具体的には、前記一般式（I）で示される化合物、一般式（VI）で示される化合物以外に、下記の一般式（II）で示される化合物が挙げられる。
【０１４９】
0006662772.tif 000056
［一般式（II）中、Ｒ１〜Ｒ４、Ｒ７、Ａ１、Ａ２及びＡｎ−は、上記一般式（I）と同じであり、Ｒ８は、水素原子または炭素数１〜３０のアルキル基を表し、Ｒ９は、水素原子または炭素数１〜６のアルキル基を表し、ｎは０〜３を表し、Ｙは、窒素原子または下記式（II−１）で示される基を表し、
【０１５０】
0006662772.tif 000057
Ｒ８とＲ９は、これらと結合している−Ｎ−（ＣＨ２）ｎ−Ｙ−とで、５〜６員環の環状構造を形成してもよい。］
【０１５１】
一般式（II）のＲ１〜Ｒ４における炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有するもしくは無置換のフェニル基、又は置換基を有するもしくは無置換のベンジル基の具体例及び好ましいものは、上記一般式（I）のＲ１〜Ｒ４記載のものと同じである。
【０１５２】
一般式（II）におけるＲ１及びＲ４としては、水素原子又は炭素数１〜３０のアルキル基が好ましく、水素原子又は炭素数１〜６のアルキル基がより好ましい。具体的には、水素原子、メチル基、エチル基、プロピル基、イソプロピル基、ブチル基、ペンチル基、ヘキシル基等が好ましく、水素原子、メチル基、エチル基、プロピル基等がより好ましく、水素原子が特に好ましい。
また、一般式（II）におけるＲ２及びＲ３としては、水素原子又は炭素数１〜３０のアルキル基が好ましく、水素原子又は炭素数１〜６のアルキル基がより好ましく、炭素数１〜６のアルキル基が特に好ましい。具体的には、水素原子、メチル基、エチル基、プロピル基、イソプロピル基、ブチル基、ペンチル基、ヘキシル基等が好ましく、メチル基、エチル基、プロピル基等がより好ましく、エチル基が特に好ましい。
【０１５３】
一般式（II）のＲ７は、水素原子又はメチル基を表し、メチル基が好ましい。
また、一般式（II）のＲ８における炭素数１〜３０のアルキル基としては、一般式（II）のＲ１〜Ｒ４における炭素数１〜３０のアルキル基と同じものが挙げられ、好ましいものも同じである。
一般式（II）におけるＲ８としては、水素原子又は炭素数１〜６のアルキル基が好ましく、水素原子がより好ましい。具体的には、水素原子、メチル基、エチル基、プロピル基、イソプロピル基、ブチル基、ペンチル基、ヘキシル基等が好ましく、水素原子、メチル基、エチル基、プロピル基等がより好ましく、水素原子が特に好ましい。
【０１５４】
一般式（II）のＲ９における炭素数１〜６のアルキル基としては、直鎖状、分枝状及び環状のうちいずれであってもよく、炭素数１〜３のものが好ましい。具体的には、例えば、メチル基、エチル基、プロピル基、イソプロピル基、ブチル基、１−メチルプロピル基、イソブチル基、ペンチル基、１−エチルプロピル基、１−メチルブチル基、シクロペンチル基、ヘキシル基、１−メチルペンチル基、１−エチルブチル基、シクロへキシル基等が挙げられ、メチル基、エチル基、プロピル基、イソプロピル基、ブチル基、ペンチル基、ヘキシル基等が好ましく、メチル基、エチル基、プロピル基等がより好ましい。
また、一般式（II）におけるＲ９の具体例の中でも、水素原子、メチル基、エチル基、プロピル基、イソプロピル基、ブチル基、ペンチル基、ヘキシル基等が好ましく、水素原子、メチル基、エチル基、プロピル基等がより好ましく、水素原子が特に好ましい。
【０１５５】
一般式（II）のＹは、上記の式（II−１）で示される基が好ましい。
【０１５６】
一般式（II）のＲ８とＲ９が、これらと結合している−Ｎ−（ＣＨ２）ｎ−Ｙ−とで、５〜６員環の環状構造を形成している場合、当該環状構造は、下記一般式（II−１−２）で示されるものである。
【０１５７】
0006662772.tif 000058
（式中、ｎ１は、０〜４の整数を表し、Ｙ及びｎは、上記と同じ。ただし、ｎ＋ｎ１は、３〜４の整数である。）
【０１５８】
一般式（II）のｎは、一般式（II−１−２）で示される環状構造を形成している場合には、２が好ましく、一般式（II−１−２）で示される環状構造を形成していない場合には、１が好ましい。
また、一般式（II−１−２）のｎ１は、２が好ましい。
さらに、一般式（II−１−２）で示される環状構造は、５〜６員環を表し、６員環が好ましい。
【０１５９】
一般式（II−１−２）で示される環状構造の具体例としては、
【０１６０】
0006662772.tif 000059
等が挙げられ、次のものが好ましい。
【０１６１】
0006662772.tif 000060
【０１６２】
一般式（II）のＡ１における、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」、「−Ｏ−、−ＯＣＯ−、−ＣＯＯ−又はアリーレン基の少なくとも１つの基をその鎖中に有し、且つ、ヒドロキシル基を置換基として有する炭素数１〜２１のアルキレン基」、「ヒドロキシル基を置換基として有する炭素数１〜２１のアルキレン基」及び「炭素数１〜２１のアルキレン基」における、炭素数１〜２１のアルキレン基は、一般式（I）のＡ１における炭素数１〜２１のアルキレン基と同じものが挙げられ、好ましいものも同じである。
【０１６３】
一般式（II）のＡ１における、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」及び「−Ｏ−、−ＯＣＯ−、−ＣＯＯ−基又はアリーレンをその鎖中に有し、且つ、ヒドロキシル基を置換基として有する炭素数１〜２１のアルキレン基」におけるアリーレン基としては、炭素数６〜１０のものが挙げられ、具体的には、フェニレン基、ナフチレン基等が挙げられる。
また、一般式（II）のＡ１における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」としては、例えば、下記一般式（II−２１−１）〜（II−２１−５）で示される基等が挙げられる。
【０１６４】
−（Ｏ−Ｒ２５１）ｈ１−      （II−２１−１）
（式中、Ｒ２５１は、直鎖状又は分枝状の炭素数１〜４のアルキレン基を表し、ｈ１は、１〜１０の整数を表す。ただし、式中の炭素数の総数は、１〜２１である。）
−（ＣＨ２）ｈ２−ＯＣＯ−（ＣＨ２）ｈ３−      （II−２１−２）
（式中、ｈ２は、１〜１０の整数を表し、ｈ３は、０〜１０の整数を表す。）
−ＯＣＯ−Ｒ２５２−ＣＯＯ−（ＣＨ２）ｈ４−      （II−２１−３）
（式中、Ｒ２５２は、フェニレン基又は炭素数１〜７のアルキレン基を表し、ｈ４は、１〜３の整数を表す。）
−Ｙ１−（ＣＨ２）ｈ５−      （II−２１−４）
（式中、Ｙ１は、−ＮＨＣＯ−、−ＣＯＮＨ−又は−ＮＨＣＯＮＨ−を表し、ｈ５は、１〜１０の整数を表す。）
−Ｏ−ＣＯＮＨ−（ＣＨ２）ｈ６−      （II−２１−５）
（式中、ｈ６は、１〜１０の整数を表す。）
【０１６５】
一般式（II−２１−１）のＲ２５１における直鎖状又は分枝状の炭素数１〜４のアルキレン基としては、具体的には、例えば、メチレン基、エチレン基、メチルメチレン基、プロピレン基、メチルエチレン基、ブチレン基、メチルプロピレン基等が挙げられ、エチレン基、メチルエチレン基が好ましい。
また、一般式（II−２１−３）のＲ２５２における炭素数１〜７のアルキレン基としては、具体的には、例えば、メチレン基、エチレン基、プロピレン基、ブチレン基、ペンチレン基、へキシレン基、へプチレン基、シクロブチレン基、シクロペンチレン基、シクロへキシレン基、シクロへプチレン基等が挙げられる。
また、一般式（II−２１−４）におけるＹ１としては、−ＮＨＣＯＮＨ−が好ましい。
【０１６６】
一般式（II−２１−１）で示される基としては、具体的には、例えば、下記の基などが挙げられる。
−Ｏ−ＣＨ２ＣＨ２−、
−（Ｏ−ＣＨ２ＣＨ２）２−
−（Ｏ−ＣＨ２ＣＨ２）３−
−（Ｏ−ＣＨ２ＣＨ２）４−
−（Ｏ−ＣＨ２ＣＨ２）５−
−（Ｏ−ＣＨ２ＣＨ２）６−
−（Ｏ−ＣＨ２ＣＨ２）７−
−（Ｏ−ＣＨ２ＣＨ２）８−
−（Ｏ−ＣＨ２ＣＨ２）９−
−（Ｏ−ＣＨ２ＣＨ２）１０−
−Ｏ−ＣＨ２ＣＨ（ＣＨ３）−
−（Ｏ−ＣＨ２ＣＨ（ＣＨ３））２−
−（Ｏ−ＣＨ２ＣＨ（ＣＨ３））３−
−（Ｏ−ＣＨ２ＣＨ（ＣＨ３））４−
−（Ｏ−ＣＨ２ＣＨ（ＣＨ３））５−
−（Ｏ−ＣＨ２ＣＨ（ＣＨ３））６−
−（Ｏ−ＣＨ２ＣＨ（ＣＨ３））７−
−Ｏ−ＣＨ（ＣＨ３）ＣＨ２−
−（Ｏ−ＣＨ（ＣＨ３）ＣＨ２）２−
−（Ｏ−ＣＨ（ＣＨ３）ＣＨ２）３−
−（Ｏ−ＣＨ（ＣＨ３）ＣＨ２）４−
−（Ｏ−ＣＨ（ＣＨ３）ＣＨ２）５−
−（Ｏ−ＣＨ（ＣＨ３）ＣＨ２）６−
−（Ｏ−ＣＨ（ＣＨ３）ＣＨ２）７−
【０１６７】
また、一般式（II−２１−２）で示される基としては、具体的には、例えば、下記の基などが挙げられる。
−ＣＨ２−Ｏ−ＣＯ−
−ＣＨ２−Ｏ−ＣＯ−（ＣＨ２）２−
−（ＣＨ２）２−Ｏ−ＣＯ−
−（ＣＨ２）２−Ｏ−ＣＯ−（ＣＨ２）２−
−（ＣＨ２）３−Ｏ−ＣＯ−
−（ＣＨ２）３−Ｏ−ＣＯ−（ＣＨ２）２−
【０１６８】
また、一般式（II−２１−３）で示される基としては、具体的には、例えば、下記の基などが挙げられる。
−Ｏ−ＣＯ−ＣＨ２−ＣＯ−Ｏ−ＣＨ２−
−Ｏ−ＣＯ−（ＣＨ２）２−ＣＯ−Ｏ−ＣＨ２−
−Ｏ−ＣＯ−（ＣＨ２）３−ＣＯ−Ｏ−ＣＨ２−
−Ｏ−ＣＯ−（ＣＨ２）４−ＣＯ−Ｏ−ＣＨ２−
−Ｏ−ＣＯ−（ＣＨ２）５−ＣＯ−Ｏ−ＣＨ２−
−Ｏ−ＣＯ−（ＣＨ２）６−ＣＯ−Ｏ−ＣＨ２−
−Ｏ−ＣＯ−（ＣＨ２）７−ＣＯ−Ｏ−ＣＨ２−
−Ｏ−ＣＯ−ＣＨ２−ＣＯ−Ｏ−（ＣＨ２）２−
−Ｏ−ＣＯ−（ＣＨ２）２−ＣＯ−Ｏ−（ＣＨ２）２−
−Ｏ−ＣＯ−（ＣＨ２）３−ＣＯ−Ｏ−（ＣＨ２）２−
−Ｏ−ＣＯ−（ＣＨ２）４−ＣＯ−Ｏ−（ＣＨ２）２−
−Ｏ−ＣＯ−（ＣＨ２）５−ＣＯ−Ｏ−（ＣＨ２）２−
−Ｏ−ＣＯ−（ＣＨ２）６−ＣＯ−Ｏ−（ＣＨ２）２−
−Ｏ−ＣＯ−（ＣＨ２）７−ＣＯ−Ｏ−（ＣＨ２）２−
−Ｏ−ＣＯ−ＣＨ２−ＣＯ−Ｏ−（ＣＨ２）３−
−Ｏ−ＣＯ−（ＣＨ２）２−ＣＯ−Ｏ−（ＣＨ２）３−
−Ｏ−ＣＯ−（ＣＨ２）３−ＣＯ−Ｏ−（ＣＨ２）３−
−Ｏ−ＣＯ−（ＣＨ２）４−ＣＯ−Ｏ−（ＣＨ２）３−
−Ｏ−ＣＯ−（ＣＨ２）５−ＣＯ−Ｏ−（ＣＨ２）３−
−Ｏ−ＣＯ−（ＣＨ２）６−ＣＯ−Ｏ−（ＣＨ２）３−
−Ｏ−ＣＯ−（ＣＨ２）７−ＣＯ−Ｏ−（ＣＨ２）３−
−Ｏ−ＣＯ−Ｃ６Ｈ４−ＣＯ−Ｏ−ＣＨ２−
−Ｏ−ＣＯ−Ｃ６Ｈ４−ＣＯ−Ｏ−（ＣＨ２）２−
−Ｏ−ＣＯ−Ｃ６Ｈ４−ＣＯ−Ｏ−（ＣＨ２）３−
−Ｏ−ＣＯ−Ｃ６Ｈ１０−ＣＯ−Ｏ−ＣＨ２−
−Ｏ−ＣＯ−Ｃ６Ｈ１０−ＣＯ−Ｏ−（ＣＨ２）２−
−Ｏ−ＣＯ−Ｃ６Ｈ１０−ＣＯ−Ｏ−（ＣＨ２）３−
【０１６９】
中でも、−Ｏ−ＣＯ−ＣＨ２−ＣＯ−Ｏ−ＣＨ２−、−Ｏ−ＣＯ−（ＣＨ２）２−ＣＯ−Ｏ−ＣＨ２−、−Ｏ−ＣＯ−（ＣＨ２）３−ＣＯ−Ｏ−ＣＨ２−、−Ｏ−ＣＯ−（ＣＨ２）４−ＣＯ−Ｏ−ＣＨ２−、−Ｏ−ＣＯ−（ＣＨ２）５−ＣＯ−Ｏ−ＣＨ２−、−Ｏ−ＣＯ−（ＣＨ２）６−ＣＯ−Ｏ−ＣＨ２−、−Ｏ−ＣＯ−（ＣＨ２）７−ＣＯ−Ｏ−ＣＨ２−、−Ｏ−ＣＯ−ＣＨ２−ＣＯ−Ｏ−（ＣＨ２）２−、−Ｏ−ＣＯ−（ＣＨ２）２−ＣＯ−Ｏ−（ＣＨ２）２−、−Ｏ−ＣＯ−（ＣＨ２）３−ＣＯ−Ｏ−（ＣＨ２）２−、−Ｏ−ＣＯ−（ＣＨ２）４−ＣＯ−Ｏ−（ＣＨ２）２−、−Ｏ−ＣＯ−（ＣＨ２）５−ＣＯ−Ｏ−（ＣＨ２）２−、−Ｏ−ＣＯ−（ＣＨ２）６−ＣＯ−Ｏ−（ＣＨ２）２−、−Ｏ−ＣＯ−（ＣＨ２）７−ＣＯ−Ｏ−（ＣＨ２）２−、−Ｏ−ＣＯ−ＣＨ２−ＣＯ−Ｏ−（ＣＨ２）３−、−Ｏ−ＣＯ−（ＣＨ２）２−ＣＯ−Ｏ−（ＣＨ２）３−、−Ｏ−ＣＯ−（ＣＨ２）３−ＣＯ−Ｏ−（ＣＨ２）３−、−Ｏ−ＣＯ−（ＣＨ２）４−ＣＯ−Ｏ−（ＣＨ２）３−、−Ｏ−ＣＯ−（ＣＨ２）５−ＣＯ−Ｏ−（ＣＨ２）３−、−Ｏ−ＣＯ−（ＣＨ２）６−ＣＯ−Ｏ−（ＣＨ２）３−、−Ｏ−ＣＯ−（ＣＨ２）７−ＣＯ−Ｏ−（ＣＨ２）３−、が好ましく、−Ｏ−ＣＯ−ＣＨ２−ＣＯ−Ｏ−（ＣＨ２）２−、−Ｏ−ＣＯ−（ＣＨ２）２−ＣＯ−Ｏ−（ＣＨ２）２−、−Ｏ−ＣＯ−（ＣＨ２）３−ＣＯ−Ｏ−（ＣＨ２）２−、−Ｏ−ＣＯ−（ＣＨ２）４−ＣＯ−Ｏ−（ＣＨ２）２−、−Ｏ−ＣＯ−（ＣＨ２）５−ＣＯ−Ｏ−（ＣＨ２）２−、−Ｏ−ＣＯ−（ＣＨ２）６−ＣＯ−Ｏ−（ＣＨ２）２−、−Ｏ−ＣＯ−（ＣＨ２）７−ＣＯ−Ｏ−（ＣＨ２）２−、がより好ましく、−Ｏ−ＣＯ−（ＣＨ２）２−ＣＯ−Ｏ−（ＣＨ２）２−が特に好ましい。
【０１７０】
一般式（II−２１−４）で示される基としては、具体的には、例えば、下記の基などが挙げられる。
−ＮＨＣＯ−ＣＨ２−
−ＮＨＣＯ−（ＣＨ２）２−
−ＮＨＣＯ−（ＣＨ２）３−
−ＮＨＣＯ−（ＣＨ２）４−
−ＣＯＮＨ−ＣＨ２−
−ＣＯＮＨ−（ＣＨ２）２−
−ＣＯＮＨ−（ＣＨ２）３−
−ＣＯＮＨ−（ＣＨ２）４−
−ＮＨＣＯＮＨ−ＣＨ２−
−ＮＨＣＯＮＨ−（ＣＨ２）２−
−ＮＨＣＯＮＨ−（ＣＨ２）３−
−ＮＨＣＯＮＨ−（ＣＨ２）４−
−ＮＨＣＯＮＨ−（ＣＨ２）５−
−ＮＨＣＯＮＨ−（ＣＨ２）６−
−ＮＨＣＯＮＨ−（ＣＨ２）７−
−ＮＨＣＯＮＨ−（ＣＨ２）８−
−ＮＨＣＯＮＨ−（ＣＨ２）９−
−ＮＨＣＯＮＨ−（ＣＨ２）１０−
【０１７１】
中でも、−ＮＨＣＯＮＨ−ＣＨ２−、−ＮＨＣＯＮＨ−（ＣＨ２）２−、−ＮＨＣＯＮＨ−（ＣＨ２）３−、−ＮＨＣＯＮＨ−（ＣＨ２）４−、−ＮＨＣＯＮＨ−（ＣＨ２）５−、−ＮＨＣＯＮＨ−（ＣＨ２）６−、−ＮＨＣＯＮＨ−（ＣＨ２）７−、−ＮＨＣＯＮＨ−（ＣＨ２）８−、−ＮＨＣＯＮＨ−（ＣＨ２）９−、−ＮＨＣＯＮＨ−（ＣＨ２）１０−が好ましく、−ＮＨＣＯＮＨ−（ＣＨ２）２−がより好ましい。
【０１７２】
一般式（II−２１−５）で示される基としては、具体的には、例えば、下記の基などが挙げられる。
−Ｏ−ＣＯＮＨ−ＣＨ２−
−Ｏ−ＣＯＮＨ−（ＣＨ２）２−
−Ｏ−ＣＯＮＨ−（ＣＨ２）３−
−Ｏ−ＣＯＮＨ−（ＣＨ２）４−
【０１７３】
一般式（II）のＡ１における、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基」としては、例えば、下記一般式（II−２２−１）〜（II−２２−２）で示される基等が挙げられる。
【０１７４】
−Ｒ５３−（ＣＨ２）ｈ７−      （II−２２−１）
（式中、Ｒ５３は、ヒドロキシル基を置換基として有する炭素数６〜１０のアリーレン基を表し、ｈ７は、１〜４の整数を表す。）
−Ｒ５４−Ｙ２−（ＣＨ２）ｈ８−      （II−２２−２）
（式中、Ｒ５４は、ヒドロキシル基を置換基として有する炭素数１〜７のアルキレン基又はヒドロキシル基を置換基として有する炭素数６〜１０のアリーレン基を表し、Ｙ２は、−Ｏ−、−ＯＣＯ−、−ＣＯＯ−、−ＮＨＣＯ−、−ＣＯＮＨ−又は−ＮＨＣＯＮＨ−を表し、ｈ８は、２〜４の整数を表す。）
【０１７５】
一般式（II−２２−１）のＲ５３におけるヒドロキシル基を置換基として有する炭素数６〜１０のアリーレン基としては、ヒドロキシフェニレン基、ジヒドロキシフェニレン基、ヒドロキシナフチレン基、ジヒドロキシナフチレン基等が挙げられる。
また、一般式（II−２２−２）のＲ５４におけるヒドロキシル基を置換基として有する炭素数１〜７のアルキレン基としては、ヒドロキシメチレン基、ヒドロキシエチレン基、ヒドロキシプロピレン基、ヒドロキシブチレン基、ヒドロキシペンチレン基、ヒドロキシへキシレン基、ヒドロキシへプチレン基、ヒドロキシシクロブチレン基、ヒドロキシシクロペンチレン基、ヒドロキシシクロへキシレン基、ヒドロキシシクロへプチレン基等が挙げられる。
また、一般式（II−２２−２）のＲ５４におけるヒドロキシル基を置換基として有する炭素数６〜１０のアリーレン基としては、上記一般式（II−２２−１）のＲ５３におけるヒドロキシル基を置換基として有する炭素数６〜１０のアリーレン基と同じものが挙げられる。
【０１７６】
一般式（II−２２−１）で示される基の好ましい具体例としては、例えば、下記の基などが挙げられる。
−Ｃ６Ｈ３（ＯＨ）−ＣＨ２−
−Ｃ６Ｈ３（ＯＨ）−（ＣＨ２）２−
−Ｃ６Ｈ３（ＯＨ）−（ＣＨ２）３−
−Ｃ６Ｈ３（ＯＨ）−（ＣＨ２）４−
−Ｃ６Ｈ２（ＯＨ）２−ＣＨ２−
−Ｃ６Ｈ２（ＯＨ）２−（ＣＨ２）２−
−Ｃ６Ｈ２（ＯＨ）２−（ＣＨ２）３−
−Ｃ６Ｈ２（ＯＨ）２−（ＣＨ２）４−
【０１７７】
また、一般式（II−２２−２）で示される基の好ましい具体例としては、例えば、下記の基などが挙げられる。
−ＣＨ（ＯＨ）−ＣＨ２−Ｏ−（ＣＨ２）２−
−ＣＨ（ＯＨ）−ＣＨ２−Ｏ−（ＣＨ２）３−
−ＣＨ（ＯＨ）−ＣＨ２−Ｏ−（ＣＨ２）４−
−ＣＨ（ＯＨ）−ＣＨ２−ＯＣＯ−（ＣＨ２）２−
−ＣＨ（ＯＨ）−ＣＨ２−ＯＣＯ−（ＣＨ２）３−
−ＣＨ（ＯＨ）−ＣＨ２−ＯＣＯ−（ＣＨ２）４−
−ＣＨ（ＯＨ）−ＣＨ２−ＣＯＯ−（ＣＨ２）２−
−ＣＨ（ＯＨ）−ＣＨ２−ＣＯＯ−（ＣＨ２）３−
−ＣＨ（ＯＨ）−ＣＨ２−ＣＯＯ−（ＣＨ２）４−
−ＣＨ（ＯＨ）−ＣＨ２−ＮＨＣＯ−（ＣＨ２）２−
−ＣＨ（ＯＨ）−ＣＨ２−ＮＨＣＯ−（ＣＨ２）３−
−ＣＨ（ＯＨ）−ＣＨ２−ＮＨＣＯ−（ＣＨ２）４−
−ＣＨ（ＯＨ）−ＣＨ２−ＣＯＮＨ−（ＣＨ２）２−
−ＣＨ（ＯＨ）−ＣＨ２−ＣＯＮＨ−（ＣＨ２）３−
−ＣＨ（ＯＨ）−ＣＨ２−ＣＯＮＨ−（ＣＨ２）４−
−ＣＨ（ＯＨ）−ＣＨ２−ＮＨＣＯＮＨ−（ＣＨ２）２−
−ＣＨ（ＯＨ）−ＣＨ２−ＮＨＣＯＮＨ−（ＣＨ２）３−
−ＣＨ（ＯＨ）−ＣＨ２−ＮＨＣＯＮＨ−（ＣＨ２）４−
【０１７８】
一般式（II）のＡ１における「ヒドロキシル基を置換基として有する炭素数１〜２１のアルキレン基」としては、例えば、下記一般式（II−２３−１）で示される基等が挙げられる。
−Ｒ５５−（ＣＨ２）ｈ９−      （II−２３−１）
（式中、Ｒ５５は、ヒドロキシル基を置換基として有する炭素数１〜７のアルキレン基を表し、ｈ９は、１〜４の整数を表す。）
【０１７９】
一般式（II−２３−１）のＲ５５におけるヒドロキシル基を置換基として有する炭素数１〜７のアルキレン基としては、上記一般式（II−２２−２）のＲ５４におけるヒドロキシル基を置換基として有する炭素数１〜７のアルキレン基と同じものが挙げられる。
【０１８０】
一般式（II−２３−１）で示される基としては、具体的には、例えば、下記の基などが挙げられる。
−Ｃ６Ｈ９（ＯＨ）−ＣＨ２−
−Ｃ６Ｈ９（ＯＨ）−（ＣＨ２）２−
−Ｃ６Ｈ９（ＯＨ）−（ＣＨ２）３−
−Ｃ６Ｈ９（ＯＨ）−（ＣＨ２）４−
−ＣＨ（ＯＨ）−ＣＨ２−
−ＣＨ（ＯＨ）−（ＣＨ２）２−
−ＣＨ（ＯＨ）−（ＣＨ２）３−
−ＣＨ（ＯＨ）−（ＣＨ２）４−
【０１８１】
一般式（II）におけるＡ１としては、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基が好ましい。
中でも、上記一般式（II−２１−３）及び（II−２１−４）で示される基が好ましく、より具体的には、−Ｏ−ＣＯ−ＣＨ２−ＣＯ−Ｏ−ＣＨ２−、−Ｏ−ＣＯ−（ＣＨ２）２−ＣＯ−Ｏ−ＣＨ２−、−Ｏ−ＣＯ−（ＣＨ２）３−ＣＯ−Ｏ−ＣＨ２−、−Ｏ−ＣＯ−（ＣＨ２）４−ＣＯ−Ｏ−ＣＨ２−、−Ｏ−ＣＯ−（ＣＨ２）５−ＣＯ−Ｏ−ＣＨ２−、−Ｏ−ＣＯ−（ＣＨ２）６−ＣＯ−Ｏ−ＣＨ２−、−Ｏ−ＣＯ−（ＣＨ２）７−ＣＯ−Ｏ−ＣＨ２−、−Ｏ−ＣＯ−ＣＨ２−ＣＯ−Ｏ−（ＣＨ２）２−、−Ｏ−ＣＯ−（ＣＨ２）２−ＣＯ−Ｏ−（ＣＨ２）２−、−Ｏ−ＣＯ−（ＣＨ２）３−ＣＯ−Ｏ−（ＣＨ２）２−、−Ｏ−ＣＯ−（ＣＨ２）４−ＣＯ−Ｏ−（ＣＨ２）２−、−Ｏ−ＣＯ−（ＣＨ２）５−ＣＯ−Ｏ−（ＣＨ２）２−、−Ｏ−ＣＯ−（ＣＨ２）６−ＣＯ−Ｏ−（ＣＨ２）２−、−Ｏ−ＣＯ−（ＣＨ２）７−ＣＯ−Ｏ−（ＣＨ２）２−、−Ｏ−ＣＯ−ＣＨ２−ＣＯ−Ｏ−（ＣＨ２）３−、−Ｏ−ＣＯ−（ＣＨ２）２−ＣＯ−Ｏ−（ＣＨ２）３−、−Ｏ−ＣＯ−（ＣＨ２）３−ＣＯ−Ｏ−（ＣＨ２）３−、−Ｏ−ＣＯ−（ＣＨ２）４−ＣＯ−Ｏ−（ＣＨ２）３−、−Ｏ−ＣＯ−（ＣＨ２）５−ＣＯ−Ｏ−（ＣＨ２）３−、−Ｏ−ＣＯ−（ＣＨ２）６−ＣＯ−Ｏ−（ＣＨ２）３−、−Ｏ−ＣＯ−（ＣＨ２）７−ＣＯ−Ｏ−（ＣＨ２）３−、−ＮＨＣＯＮＨ−ＣＨ２−、−ＮＨＣＯＮＨ−（ＣＨ２）２−、−ＮＨＣＯＮＨ−（ＣＨ２）３−、−ＮＨＣＯＮＨ−（ＣＨ２）４−、−ＮＨＣＯＮＨ−（ＣＨ２）５−、−ＮＨＣＯＮＨ−（ＣＨ２）６−、−ＮＨＣＯＮＨ−（ＣＨ２）７−、−ＮＨＣＯＮＨ−（ＣＨ２）８−、−ＮＨＣＯＮＨ−（ＣＨ２）９−、−ＮＨＣＯＮＨ−（ＣＨ２）１０−が好ましく、
−Ｏ−ＣＯ−ＣＨ２−ＣＯ−Ｏ−（ＣＨ２）２−、−Ｏ−ＣＯ−（ＣＨ２）２−ＣＯ−Ｏ−（ＣＨ２）２−、−Ｏ−ＣＯ−（ＣＨ２）３−ＣＯ−Ｏ−（ＣＨ２）２−、−Ｏ−ＣＯ−（ＣＨ２）４−ＣＯ−Ｏ−（ＣＨ２）２−、−Ｏ−ＣＯ−（ＣＨ２）５−ＣＯ−Ｏ−（ＣＨ２）２−、−Ｏ−ＣＯ−（ＣＨ２）６−ＣＯ−Ｏ−（ＣＨ２）２−、−Ｏ−ＣＯ−（ＣＨ２）７−ＣＯ−Ｏ−（ＣＨ２）２−、−ＮＨＣＯＮＨ−ＣＨ２−、−ＮＨＣＯＮＨ−（ＣＨ２）２−、−ＮＨＣＯＮＨ−（ＣＨ２）３−、−ＮＨＣＯＮＨ−（ＣＨ２）４−、−ＮＨＣＯＮＨ−（ＣＨ２）５−、−ＮＨＣＯＮＨ−（ＣＨ２）６−、−ＮＨＣＯＮＨ−（ＣＨ２）７−、−ＮＨＣＯＮＨ−（ＣＨ２）８−、−ＮＨＣＯＮＨ−（ＣＨ２）９−、−ＮＨＣＯＮＨ−（ＣＨ２）１０−がより好ましく、
−Ｏ−ＣＯ−（ＣＨ２）２−ＣＯ−Ｏ−（ＣＨ２）２−、−ＮＨＣＯＮＨ−（ＣＨ２）２−が特に好ましい。
【０１８２】
また、一般式（II）におけるＡ２は、−Ｏ−が好ましい。
【０１８３】
一般式（II）において、ローダミンの基本骨格中のフェニル基に結合する下記一般式（II−１−５）で示される基は、該フェニル基のオルト位、メタ位、パラ位のいずれに位置していてもよく、オルト位が好ましい。
具体的には、一般式（II−１−５）で示される基は、ローダミンの基本骨格中のフェニル基に対し、下記一般式（II−１−６）で示される化合物のように結合しているものが好ましい。
【０１８４】
0006662772.tif 000061
（式中、Ｒ７〜Ｒ９、Ｙ、ｎ、Ａ１及びＡ２は、上記と同じ。）
【０１８５】
0006662772.tif 000062
（式中、Ｒ１〜Ｒ４、Ｒ７〜Ｒ９、Ｙ、ｎ、Ａ１及びＡ２は、上記と同じ。）
【０１８６】
本発明に係る一般式（II）で示される化合物の好ましい具体例としては、下記一般式（II’）で示される化合物が挙げられる。
【０１８７】
0006662772.tif 000063
（式中、Ｒ’１〜Ｒ’４及びＲ’８はそれぞれ独立して、水素原子又は炭素数１〜６のアルキル基を表し、Ｒ７、Ｒ９、Ｙ、ｎ、Ａ１及びＡｎ−は、上記と同じ。Ｒ’８とＲ９は、これらと結合している−Ｎ−（ＣＨ２）ｎ−Ｙ−とで、５〜６員環の環状構造を形成してもよい。）
【０１８８】
一般式（II’）のＲ’１〜Ｒ’４及びＲ’８における炭素数１〜６のアルキル基としては、一般式（II）のＲ９における炭素数１〜６のアルキル基と同じものが挙げられ、好ましいものも同じである。
【０１８９】
一般式（II’）のＲ’８とＲ９が、これらと結合している−Ｎ−（ＣＨ２）ｎ−Ｙ−とで、５〜６員環の環状構造を形成している場合、当該環状構造は、上記一般式（II−１−２）で示されるものである。
【０１９０】
一般式（II’）におけるＲ’１、Ｒ’４及びＲ’８の具体例の中でも、水素原子、メチル基、エチル基、プロピル基が好ましく、水素原子がより好ましい。
また、一般式（II’）におけるＲ’２及びＲ’３の具体例の中でも、メチル基、エチル基、プロピル基が好ましく、エチル基がより好ましい。
【０１９１】
一般式（II’）で示される化合物の中でも、好ましい具体例としては、下記一般式（II’’）で示される化合物が挙げられる。
【０１９２】
0006662772.tif 000064
（式中、Ａ’１は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基を表し、Ａｎ’−は、ハロゲノ基を有するアリール基、ハロゲノ基を有するスルホニル基又はハロゲン化アルキル基を含むアニオンを表し、Ｒ’１〜Ｒ’４、Ｒ７、Ｒ９及びｎは、上記と同じ。）
【０１９３】
一般式（II’’）のＡ’１における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」としては、一般式（II）のＡ１における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」と同じものが挙げられ、好ましいものも同じである。
【０１９４】
一般式（II’’）のＡｎ’−で示されるハロゲノ基を有するアリール基、ハロゲノ基を有するスルホニル基又はハロゲン化アルキル基を含むアニオンにおけるアニオン部分としては、本発明に係るアニオンにおけるアニオン部分と同じものが挙げられ、好ましいものも同じである。
【０１９５】
一般式（II’’）のＡｎ’−で示されるハロゲノ基を有するアリール基又はハロゲノ基を有するスルホニル基におけるハロゲノ基としては、例えば、フルオロ基、クロロ基、ブロモ基、ヨード基が挙げられ、フルオロ基が好ましい。
また、一般式（II’’）のＡｎ’−で示されるハロゲノ基を有するアリール基におけるアリール基としては、例えば、フェニル基、ナフチル基等が挙げられ、フェニル基が好ましい。
【０１９６】
一般式（II’’）のＡｎ’−で示されるハロゲノ基を有するアリール基の具体例としては、例えば、モノフルオロフェニル基、ジフルオロフェニル基、トリフルオロフェニル基、パーフルオロフェニル基、モノクロロフェニル基、ジクロロフェニル基、トリクロロフェニル基、パークロロフェニル基、モノブロモフェニル基、ジブロモフェニル基、トリブロモフェニル基、パーブロモフェニル基、モノヨードフェニル基、ジヨードフェニル基、トリヨードフェニル基、パーヨードフェニル基、モノフルオロナフチル基、ジフルオロナフチル基、トリフルオロナフチル基、パーフルオロナフチル基、モノクロロナフチル基、ジクロロナフチル基、トリクロロナフチル基、パークロロナフチル基、モノブロモナフチル基、ジブロモナフチル基、トリブロモナフチル基、パーブロモナフチル基、モノヨードナフチル基、ジヨードナフチル基、トリヨードナフチル基、パーヨードナフチル基等が挙げられ、モノフルオロフェニル基、ジフルオロフェニル基、トリフルオロフェニル基、パーフルオロフェニル基、モノクロロフェニル基、ジクロロフェニル基、トリクロロフェニル基、パークロロフェニル基、モノブロモフェニル基、ジブロモフェニル基、トリブロモフェニル基、パーブロモフェニル基、モノヨードフェニル基、ジヨードフェニル基、トリヨードフェニル基、パーヨードフェニル基が好ましく、ジフルオロフェニル基、トリフルオロフェニル基、パーフルオロフェニル基がより好ましく、パーフルオロフェニル基が特に好ましい。
【０１９７】
一般式（II’’）のＡｎ’−で示されるハロゲノ基を有するスルホニル基としては、例えば、−ＳＯ２−Ｆ、−ＳＯ２−Ｃｌ、−ＳＯ２−Ｂｒ、−ＳＯ２−Ｉ等が挙げられる。
また、一般式（II’’）のＡｎ’−で示されるハロゲン化アルキル基としては、本発明に係るアニオンにおけるハロゲン化アルキル基と同じものが挙げられ、好ましいものも同じである。
【０１９８】
一般式（II’’）のＡｎ’−で示されるハロゲノ基を有するアリール基、ハロゲノ基を有するスルホニル基又はハロゲン化アルキル基を含むアニオンとしては、具体的には、例えば、上記一般式（Ｘ−I）〜（XI−VI）で示されるものが挙げられ、好ましいものも同じである。
【０１９９】
一般式（II’’）におけるＲ’１〜Ｒ’４、Ｒ７、Ｒ９、ｎ及びＡ’１の好ましい組合せとしては、例えば、下記表６記載のものが挙げられる。
尚、Ａ’１欄における式（Ｐ）及び（Ｑ）は、下記の式（Ｐ）及び（Ｑ）で示される基を表す。
−Ｏ−ＣＯ−（ＣＨ２）２−ＣＯ−Ｏ−（ＣＨ２）２−      （Ｐ）
−ＮＨＣＯＮＨ−（ＣＨ２）２−      （Ｑ）
【０２００】
【表６】
0006662772.tif 000065
【０２０１】
また、上記表６中の組み合わせと合わせて用いられるＡｎ’−としては、例えば、下記などが挙げられる。
【０２０２】
0006662772.tif 000066
【０２０３】
（２）一般式（II）で示される化合物の製造方法
本発明に係る一般式（II）で示される化合物のうち、例えば、一般式（II）におけるＲ８が水素原子であり、且つ、Ｙが式（II−１−１）で示される基であるもの［下記一般式（II−１−３）で示される化合物］は、次のスキーム［I］に示す方法で製造することができる。
すなわち、下記一般式（II−３１）で示される化合物と下記一般式（II−３２）で示される化合物とを反応させて、下記一般式（II−３３）で示される化合物を得、次いで、一般式（II−３３）で示される化合物と下記一般式（II−３４）で示される化合物とを脱水縮合剤の存在下で反応させた後、得られた下記一般式（II−３６）で示される化合物に、塩形成反応を行えばよい。
【０２０４】
また、一般式（II−３３）で示される化合物から一般式（II−３６）で示される化合物を得る反応において、上記の一般式（II−３４）で示される化合物を用いる方法の代わりに、一般式（II−３３）で示される化合物と下記一般式（II−３５）で示される化合物とを反応させることによっても、一般式（II−３６）で示される化合物を得ることができる。
【０２０５】
0006662772.tif 000067
（スキーム中、Ｒ１〜Ｒ４、Ｒ７、Ｒ９、ｎ、Ａ２及びＡｎ−は上記と同じ。Ｒ６１は、炭素数１〜６のアルキル基を表し、Ｒ６２は、ヒドロキシル基又はアミノ基を表し、Ａ１−１は、−ＯＣＯ−、−ＮＨＣＯ−、−ＯＣＯＮＨ−又は−ＮＨＣＯＮＨ−を表し、Ａ１−２は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は、炭素数１〜２１のアルキレン基を表し、Ｚ−は、アニオンを表す。）
【０２０６】
一般式（II−３１）におけるＺ−で示されるアニオンとしては、Ｃｌ−、ＮＯ３−、ＳＯ４２−、ＨＳＯ４−、ＣｌＯ４−及び本発明に係るアニオン等が挙げられ、中でも、Ｃｌ−が好ましい。
【０２０７】
一般式（II−３１）のＲ６１における炭素数１〜６のアルキル基としては、一般式（II−II）のＲ９における炭素数１〜６のアルキル基と同じものが挙げられ、好ましいものも同じである。
【０２０８】
一般式（II−３６）及び（II−１−３）におけるＡ１−１は、一般式（II−３３）と反応させる化合物の種類とＲ６２の種類により特定され、それらの組合せは、下記表７で示される。
【０２０９】
【表７】
0006662772.tif 000068
【０２１０】
一般式（II−３４）〜（II−３６）及び（II−１−３）のＡ１−２における、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」、「−Ｏ−、−ＯＣＯ−、−ＣＯＯ−又はアリーレン基の少なくとも１つの基をその鎖中に有し、且つ、ヒドロキシル基を置換基として有する炭素数１〜２１のアルキレン基」、「ヒドロキシル基を置換基として有する炭素数１〜２１のアルキレン基」及び「炭素数１〜２１のアルキレン基」における、炭素数１〜２１のアルキレン基としては、一般式（II−II）のＡ１における炭素数１〜２１のアルキレン基と同じものが挙げられ、好ましいものも同じである。
【０２１１】
一般式（II−３４）〜（II−３６）及び（II−１−３）のＡ１−２における、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」及び「−Ｏ−、−ＯＣＯ−、−ＣＯＯ−基又はアリーレンをその鎖中に有し、且つ、ヒドロキシル基を置換基として有する炭素数１〜２１のアルキレン基」におけるアリーレン基としては、炭素数６〜１０のものが挙げられ、具体的には、フェニレン基、ナフチレン基等が挙げられる。
【０２１２】
一般式（II−３４）〜（II−３６）及び（II−１−３）のＡ１−２における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」としては、例えば、下記一般式（II−２４−１）〜（II−２４−２）で示される基等が挙げられる。
【０２１３】
−（Ｒ５１−Ｏ）ｈ１１−Ｒ５１−      （II−２４−１）
（式中、ｈ１１は、１〜９の整数を表し、Ｒ５１は、上記に同じ。ただし、式中の炭素数の総数は、１〜２１である。）
−Ｒ５２−ＣＯＯ−（ＣＨ２）ｈ５−      （II−２４−２）
（式中、Ｒ５２及びｈ５は、上記に同じ。）
【０２１４】
一般式（II−２４−１）で示される基としては、具体的には、例えば、下記の基等が挙げられる。
−ＣＨ２ＣＨ２−Ｏ−（ＣＨ２）２−
−（ＣＨ２ＣＨ２−Ｏ）２−（ＣＨ２）２−
−（ＣＨ２ＣＨ２−Ｏ）３−（ＣＨ２）２−
−（ＣＨ２ＣＨ２−Ｏ）４−（ＣＨ２）２−
−（ＣＨ２ＣＨ２−Ｏ）５−（ＣＨ２）２−
−（ＣＨ２ＣＨ２−Ｏ）６−（ＣＨ２）２−
−（ＣＨ２ＣＨ２−Ｏ）７−（ＣＨ２）２−
−（ＣＨ２ＣＨ２−Ｏ）８−（ＣＨ２）２−
−（ＣＨ２ＣＨ２−Ｏ）９−（ＣＨ２）２−
−ＣＨ２ＣＨ（ＣＨ３）−Ｏ−ＣＨ２ＣＨ（ＣＨ３）−
−（ＣＨ２ＣＨ（ＣＨ３）−Ｏ）２−ＣＨ２ＣＨ（ＣＨ３）−
−（ＣＨ２ＣＨ（ＣＨ３）−Ｏ）３−ＣＨ２ＣＨ（ＣＨ３）−
−（ＣＨ２ＣＨ（ＣＨ３）−Ｏ）４−ＣＨ２ＣＨ（ＣＨ３）−
−（ＣＨ２ＣＨ（ＣＨ３）−Ｏ）５−ＣＨ２ＣＨ（ＣＨ３）−
−（ＣＨ２ＣＨ（ＣＨ３）−Ｏ）６−ＣＨ２ＣＨ（ＣＨ３）−
−（ＣＨ２ＣＨ（ＣＨ３）−Ｏ）７−ＣＨ２ＣＨ（ＣＨ３）−
−ＣＨ（ＣＨ３）ＣＨ２−Ｏ−ＣＨ（ＣＨ３）ＣＨ２−
−（ＣＨ（ＣＨ３）ＣＨ２−Ｏ）２−ＣＨ（ＣＨ３）ＣＨ２−
−（ＣＨ（ＣＨ３）ＣＨ２−Ｏ）３−ＣＨ（ＣＨ３）ＣＨ２−
−（ＣＨ（ＣＨ３）ＣＨ２−Ｏ）４−ＣＨ（ＣＨ３）ＣＨ２−
−（ＣＨ（ＣＨ３）ＣＨ２−Ｏ）５−ＣＨ（ＣＨ３）ＣＨ２−
−（ＣＨ（ＣＨ３）ＣＨ２−Ｏ）６−ＣＨ（ＣＨ３）ＣＨ２−
−（ＣＨ（ＣＨ３）ＣＨ２−Ｏ）７−ＣＨ（ＣＨ３）ＣＨ２−
【０２１５】
また、一般式（II−２４−２）で示される基としては、具体的には、例えば、下記の基等が挙げられる。
−ＣＨ２−ＣＯ−Ｏ−ＣＨ２−
−（ＣＨ２）２−ＣＯ−Ｏ−ＣＨ２−
−（ＣＨ２）３−ＣＯ−Ｏ−ＣＨ２−
−（ＣＨ２）４−ＣＯ−Ｏ−ＣＨ２−
−（ＣＨ２）５−ＣＯ−Ｏ−ＣＨ２−
−（ＣＨ２）６−ＣＯ−Ｏ−ＣＨ２−
−（ＣＨ２）７−ＣＯ−Ｏ−ＣＨ２−
−ＣＨ２−ＣＯ−Ｏ−（ＣＨ２）２−
−（ＣＨ２）２−ＣＯ−Ｏ−（ＣＨ２）２−
−（ＣＨ２）３−ＣＯ−Ｏ−（ＣＨ２）２−
−（ＣＨ２）４−ＣＯ−Ｏ−（ＣＨ２）２−
−（ＣＨ２）５−ＣＯ−Ｏ−（ＣＨ２）２−
−（ＣＨ２）６−ＣＯ−Ｏ−（ＣＨ２）２−
−（ＣＨ２）７−ＣＯ−Ｏ−（ＣＨ２）２−
−ＣＨ２−ＣＯ−Ｏ−（ＣＨ２）３−
−（ＣＨ２）２−ＣＯ−Ｏ−（ＣＨ２）３−
−（ＣＨ２）３−ＣＯ−Ｏ−（ＣＨ２）３−
−（ＣＨ２）４−ＣＯ−Ｏ−（ＣＨ２）３−
−（ＣＨ２）５−ＣＯ−Ｏ−（ＣＨ２）３−
−（ＣＨ２）６−ＣＯ−Ｏ−（ＣＨ２）３−
−（ＣＨ２）７−ＣＯ−Ｏ−（ＣＨ２）３−
−Ｃ６Ｈ４−ＣＯ−Ｏ−ＣＨ２−
−Ｃ６Ｈ４−ＣＯ−Ｏ−（ＣＨ２）２−
−Ｃ６Ｈ４−ＣＯ−Ｏ−（ＣＨ２）３−
−Ｃ６Ｈ１０−ＣＯ−Ｏ−ＣＨ２−
−Ｃ６Ｈ４−ＣＯ−Ｏ−（ＣＨ２）２−
−Ｃ６Ｈ４−ＣＯ−Ｏ−（ＣＨ２）３−
【０２１６】
中でも、−ＣＨ２−ＣＯ−Ｏ−ＣＨ２−、−（ＣＨ２）２−ＣＯ−Ｏ−ＣＨ２−、−（ＣＨ２）３−ＣＯ−Ｏ−ＣＨ２−、−（ＣＨ２）４−ＣＯ−Ｏ−ＣＨ２−、−（ＣＨ２）５−ＣＯ−Ｏ−ＣＨ２−、−（ＣＨ２）６−ＣＯ−Ｏ−ＣＨ２−、−（ＣＨ２）７−ＣＯ−Ｏ−ＣＨ２−、−ＣＨ２−ＣＯ−Ｏ−（ＣＨ２）２−、−（ＣＨ２）２−ＣＯ−Ｏ−（ＣＨ２）２−、−（ＣＨ２）３−ＣＯ−Ｏ−（ＣＨ２）２−、−（ＣＨ２）４−ＣＯ−Ｏ−（ＣＨ２）２−、−（ＣＨ２）５−ＣＯ−Ｏ−（ＣＨ２）２−、−（ＣＨ２）６−ＣＯ−Ｏ−（ＣＨ２）２−、−（ＣＨ２）７−ＣＯ−Ｏ−（ＣＨ２）２−、−ＣＨ２−ＣＯ−Ｏ−（ＣＨ２）３−、−（ＣＨ２）２−ＣＯ−Ｏ−（ＣＨ２）３−、−（ＣＨ２）３−ＣＯ−Ｏ−（ＣＨ２）３−、−（ＣＨ２）４−ＣＯ−Ｏ−（ＣＨ２）３−、−（ＣＨ２）５−ＣＯ−Ｏ−（ＣＨ２）３−、−（ＣＨ２）６−ＣＯ−Ｏ−（ＣＨ２）３−、−（ＣＨ２）７−ＣＯ−Ｏ−（ＣＨ２）３−が好ましく、
−ＣＨ２−ＣＯ−Ｏ−（ＣＨ２）２−、−（ＣＨ２）２−ＣＯ−Ｏ−（ＣＨ２）２−、−（ＣＨ２）３−ＣＯ−Ｏ−（ＣＨ２）２−、−（ＣＨ２）４−ＣＯ−Ｏ−（ＣＨ２）２−、−（ＣＨ２）５−ＣＯ−Ｏ−（ＣＨ２）２−、−（ＣＨ２）６−ＣＯ−Ｏ−（ＣＨ２）２−、−（ＣＨ２）７−ＣＯ−Ｏ−（ＣＨ２）２−がより好ましく、
−（ＣＨ２）２−ＣＯ−Ｏ−（ＣＨ２）２−が特に好ましい。
【０２１７】
一般式（II−３４）〜（II−３６）及び（II−１−３）のＡ１−２における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基」としては、一般式（II）のＡ１における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基」と同じものが挙げられ、好ましいものも同じである。
【０２１８】
一般式（II−３４）〜（II−３６）及び（II−１−３）のＡ１−２におけるヒドロキシル基を置換基として有する炭素数１〜２１のアルキレン基としては、一般式（II）のＡ１におけるヒドロキシル基を置換基として有する炭素数１〜２１のアルキレン基と同じものが挙げられ、好ましいものも同じである。
【０２１９】
一般式（II−３４）〜（II−３６）及び（II−１−３）のＡ１−２としては、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」及び「炭素数１〜２１のアルキレン基」が好ましく、中でも、上記一般式（II−２４−２）で示される基及び炭素数１〜２１のアルキレン基が好ましい。
Ａ１−２の好ましい具体例としては、メチレン基、エチレン基、プロピレン基、メチルエチレン基、ブチレン基、１−メチルプロピレン基、２−メチルプロピレン基、ペンチレン基、メチルブチレン基、１，２−ジメチルプロピレン基、１−エチルプロピレン基、ヘキシレン基、メチルペンチレン基、−ＣＨ２−ＣＯ−Ｏ−ＣＨ２−、−（ＣＨ２）２−ＣＯ−Ｏ−ＣＨ２−、−（ＣＨ２）３−ＣＯ−Ｏ−ＣＨ２−、−（ＣＨ２）４−ＣＯ−Ｏ−ＣＨ２−、−（ＣＨ２）５−ＣＯ−Ｏ−ＣＨ２−、−（ＣＨ２）６−ＣＯ−Ｏ−ＣＨ２−、−（ＣＨ２）７−ＣＯ−Ｏ−ＣＨ２−、−ＣＨ２−ＣＯ−Ｏ−（ＣＨ２）２−、−（ＣＨ２）２−ＣＯ−Ｏ−（ＣＨ２）２−、−（ＣＨ２）３−ＣＯ−Ｏ−（ＣＨ２）２−、−（ＣＨ２）４−ＣＯ−Ｏ−（ＣＨ２）２−、−（ＣＨ２）５−ＣＯ−Ｏ−（ＣＨ２）２−、−（ＣＨ２）６−ＣＯ−Ｏ−（ＣＨ２）２−、−（ＣＨ２）７−ＣＯ−Ｏ−（ＣＨ２）２−、−ＣＨ２−ＣＯ−Ｏ−（ＣＨ２）３−、−（ＣＨ２）２−ＣＯ−Ｏ−（ＣＨ２）３−、−（ＣＨ２）３−ＣＯ−Ｏ−（ＣＨ２）３−、−（ＣＨ２）４−ＣＯ−Ｏ−（ＣＨ２）３−、−（ＣＨ２）５−ＣＯ−Ｏ−（ＣＨ２）３−、−（ＣＨ２）６−ＣＯ−Ｏ−（ＣＨ２）３−、−（ＣＨ２）７−ＣＯ−Ｏ−（ＣＨ２）３−等が挙げられ、
メチレン基、エチレン基、プロピレン基、−ＣＨ２−ＣＯ−Ｏ−（ＣＨ２）２−、−（ＣＨ２）２−ＣＯ−Ｏ−（ＣＨ２）２−、−（ＣＨ２）３−ＣＯ−Ｏ−（ＣＨ２）２−、−（ＣＨ２）４−ＣＯ−Ｏ−（ＣＨ２）２−、−（ＣＨ２）５−ＣＯ−Ｏ−（ＣＨ２）２−、−（ＣＨ２）６−ＣＯ−Ｏ−（ＣＨ２）２−、−（ＣＨ２）７−ＣＯ−Ｏ−（ＣＨ２）２−がより好ましく、
エチレン基、−（ＣＨ２）２−ＣＯ−Ｏ−（ＣＨ２）２−が特に好ましい。
【０２２０】
スキーム［I］における、Ａ１−１とＡ１−２とを合わせた基は、一般式［II］で示される化合物におけるＡ１となる。このとき、Ａ１−１及びＡ１−２に含まれる炭素数の総数は、１〜２１である。
【０２２１】
一般式（II−１−３）で示される化合物の好ましい具体例としては、下記一般式（II’−１−３）で示される化合物が挙げられる。
【０２２２】
0006662772.tif 000069
（式中、Ｒ’１〜Ｒ’４、Ｒ７、Ｒ９、ｎ、Ａ１−１、Ａ１−２及びＡｎ−は、上記と同じ。）
【０２２３】
一般式（II’−１−３）で示される化合物の中でも、好ましい具体例としては、下記一般式（II’’−１−３）で示される化合物が挙げられる。
【０２２４】
0006662772.tif 000070
（式中、Ｒ’１〜Ｒ’４、Ｒ７、Ｒ９、ｎ、Ａ１−１及びＡｎ’−は、上記と同じ。Ａ’１−２は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；又は炭素数１〜２１のアルキレン基を表す。）
【０２２５】
一般式（II’’−１−３）のＡ’１−２における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」及び「炭素数１〜２１のアルキレン基」における、炭素数１〜２１のアルキレン基としては、一般式（II）のＡ１における炭素数１〜２１のアルキレン基と、同じものが挙げられ、好ましいものも同じである。
【０２２６】
また、一般式（II’’−１−３）のＡ’１−２における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」としては、一般式（１−３）のＡ１−２における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」と、同じものが挙げられ、好ましいものも同じである。
【０２２７】
一般式（II’’−１−３）におけるＡ’１−２の好ましい具体例としては、一般式（II−３）におけるＡ１−２の好ましい具体例と、同じものが挙げられ、より好ましいものも同じである。
【０２２８】
一般式（II’’−１−３）のＲ’１〜Ｒ’４、Ｒ７、Ｒ９、ｎ、Ａ１−１及びＡ’１−２の好ましい組合せとしては、例えば、下記表８記載のものが挙げられる。
尚、Ａ’１−２欄における式（Ｐ’）は、下記の式（Ｐ’）で示される基を表す。
−（ＣＨ２）２−ＣＯ−Ｏ−（ＣＨ２）２−      （Ｐ’）
【０２２９】
【表８】
0006662772.tif 000071
【０２３０】
該組合せと合わせて用いられるＡｎ’−としては、一般式（II’’）におけるＲ’１〜Ｒ’４、Ｒ７、Ｒ９、ｎ及びＡ’１の好ましい組合せと合わせて用いられるＡｎ’−と、同じものが挙げられる。
【０２３１】
一般式（II−３１）のＲ１〜Ｒ４、Ｒ６１及びＺ−の好ましい組合せとしては、例えば、下記表９記載のものが挙げられる。
【０２３２】
【表９】
0006662772.tif 000072
【０２３３】
一般式（II−３２）の好ましい具体例としては、例えば、アミノメタノール、２−アミノエタノール、３−アミノプロパノール、２−アミノ−１−メチルエタノール、４−アミノブタノール、３−アミノ−１−メチルプロパノール、３−アミノ−２−メチルプロパノール、５−アミノペンタノール、４−アミノ−１−メチルブタノール、３−アミノ−１，２−ジメチルプロパノール、３−アミノ−１−エチルプロパノール、６−アミノヘキサノール、５−アミノ−１−メチルペンタノール等のアミノアルコール；メチレンジアミン、エチレンジアミン、プロピレンジアミン、メチルエチレンジアミン、ブチレンジアミン、１−メチルプロピレンジアミン、２−メチルプロピレンジアミン、ペンチレンジアミン、メチルブチレンジアミン、１，２−ジメチルプロピレンジアミン、１−エチルプロピレンジアミン、ヘキシレンジアミン、メチルペンチレンジアミン等のアルキレンジアミンが挙げられる。この中でも、アミノメタノール、２−アミノエタノール、３−アミノプロパノール、４−アミノブタノール、５−アミノペンタノール、６−アミノヘキサノール、メチレンジアミン、エチレンジアミン、プロピレンジアミン、ブチレンジアミン、ペンチレンジアミン、ヘキシレンジアミンが好ましく、アミノメタノール、２−アミノエタノール、３−アミノプロパノール、メチレンジアミン、エチレンジアミン、プロピレンジアミンがより好ましく、２−アミノエタノール、エチレンジアミンが特に好ましい。
【０２３４】
一般式（II−３３）で示される化合物の好ましい具体例としては、下記一般式（II−３３’）で示される化合物が挙げられる。
【０２３５】
0006662772.tif 000073
（式中、Ｒ’１〜Ｒ’４、Ｒ９、Ｒ６２及びｎは、上記と同じ。）
【０２３６】
一般式（II−３３’）のＲ’１〜Ｒ’４、Ｒ９、Ｒ６２及びｎの好ましい組合せとしては、例えば、下記表１０記載のものが挙げられる。
【０２３７】
【表１０】
0006662772.tif 000074
【０２３８】
一般式（II−３４）の好ましい具体例としては、例えば、下記のもの等が挙げられる。
【０２３９】
0006662772.tif 000075
【０２４０】
一般式（II−３５）の好ましい具体例としては、例えば、下記のもの等が挙げられる。
【０２４１】
0006662772.tif 000076
【０２４２】
一般式（II−３６）で示される化合物の好ましい具体例としては、下記一般式（II−３６’）で示される化合物が挙げられる。
【０２４３】
0006662772.tif 000077
（式中、Ｒ’１〜Ｒ’４、Ｒ７、Ｒ９、ｎ、Ａ１−１及びＡ１−２は、上記と同じ。）
【０２４４】
一般式（II−３６’）で示される化合物の中でも、より好ましい具体例としては、下記一般式（II−３６’’）で示される化合物が挙げられる。
【０２４５】
0006662772.tif 000078
（式中、Ｒ’１〜Ｒ’４、Ｒ７、Ｒ９、ｎ、Ａ１−１及びＡ’１−２は、上記と同じ。）
【０２４６】
一般式（II−３６’’）のＲ’１〜Ｒ’４、Ｒ７、Ｒ９、ｎ、Ａ１−１及びＡ’１−２の好ましい組合せとしては、一般式（II’’−１−３）のＲ’１〜Ｒ’４、Ｒ７、Ｒ９、ｎ、Ａ１−１及びＡ’１−２の好ましい組合せと、同じものが挙げられる。
【０２４７】
一般式（II−３１）で示される化合物と一般式（II−３２）で示される化合物の反応においては、一般式（II−３１）で示される化合物と一般式（II−３２）で示される化合物を、溶媒中、通常０〜８０℃、好ましくは１０〜５０℃で、通常１〜２４時間、好ましくは１〜８時間反応させればよい。
また、一般式（II−３１）で示される化合物と一般式（II−３２）で示される化合物の反応における溶媒としては、メタノール、エタノール、イソプロピルアルコール（ＩＰＡ）、テトラヒドロフラン（ＴＨＦ）、ジオキサン、Ｎ，Ｎ−ジメチルホルムアミド（ＤＭＦ）、塩化メチレン、ジクロロエタン等の有機溶媒が挙げられるが、中でも、エタノールが好ましい。
これらは、それぞれ単独でも、或いは二種以上適宜組み合わせて用いてもよい。反応溶媒の使用量は、一般式（II−３１）で示される化合物と一般式（II−３２）で示される化合物の総容量に対して、通常１〜５０倍量、好ましくは１〜２０倍量である。
【０２４８】
一般式（II−３２）で示される化合物の使用量は、一般式（II−３１）で示される化合物のｍｏｌ数に対して、通常１〜５０当量、好ましくは１０〜２０当量である。
【０２４９】
一般式（II−３３）で示される化合物と一般式（II−３４）で示される化合物の反応においては、一般式（II−３３）で示される化合物と一般式（II−３４）で示される化合物を、溶媒中、脱水縮合剤の存在下で、通常０〜８０℃、好ましくは１０〜５０℃で、通常１〜４８時間、好ましくは１０〜３６時間反応させればよい。
【０２５０】
また、一般式（II−３３）で示される化合物と一般式（II−３４）で示される化合物の反応における溶媒としては、上記の一般式（I−I）で示されるローダミン化合物と一般式（I−II）で示される化合物とを反応させる方法で用いられる溶媒と同じものが挙げられ、好ましいものも同じである。
これらは、それぞれ単独でも、或いは二種以上適宜組み合わせて用いてもよい。
反応溶媒の使用量は、一般式（II−３３）で示される化合物及び一般式（II−３４）で示される化合物の総容量に対して、通常１〜５０倍量、好ましくは１〜２０倍量である。
【０２５１】
一般式（II−３３）で示される化合物と一般式（II−３４）で示される化合物の反応における脱水縮合剤は、上記一般式（I−I）で示されるローダミン化合物と一般式（I−II）で示される化合物とを反応させる方法で用いられる脱水縮合剤と同じものが挙げられ、好ましいものも同じである。
該脱水縮合剤の使用量は、一般式（II−３３）で示される化合物のｍｏｌ数に対して、通常１〜１０当量、好ましくは１〜５当量である。
一般式（II−３３）で示される化合物と一般式（II−３４）で示される化合物の反応においては、脱水縮合剤の効率を向上させるために、ジメチルアミノピリジン等の触媒を用いてもよい。該触媒の使用量は、一般式（II−３３）で示される化合物のｍｏｌ数に対して、通常０．１〜１０当量である。
【０２５２】
一般式（II−３４）で示される化合物の使用量は、一般式（II−３３）で示される化合物のｍｏｌ数に対して、通常１〜２当量、好ましくは１〜１．５当量である。
【０２５３】
上記スキーム［I］における塩形成反応としては、一般式（II−３６）で示される化合物に、本発明に係るアニオンの塩を、溶媒中で接触させることによりなされる。
【０２５４】
上記塩形成反応における溶媒としては、メタノール、エタノール、イソプロピルアルコール（ＩＰＡ）、テトラヒドロフラン（ＴＨＦ）、ジオキサン、Ｎ，Ｎ−ジメチルホルムアミド（ＤＭＦ）、塩化メチレン、ジクロロエタン等の有機溶媒が挙げられるが、中でもエタノールが好ましい。
これらは、それぞれ単独でも、或いは二種以上適宜組み合わせて用いてもよい。反応溶媒の使用量は、一般式（II−３６）で示される化合物の容量に対して、通常１〜５０倍量、好ましくは１〜２０倍量である。
【０２５５】
上記塩形成反応は、通常０〜１００℃、好ましくは３０〜８０℃で、通常１〜１２時間、好ましくは１〜８時間反応させればよい。
【０２５６】
上記塩形成反応における本発明に係るアニオンの塩としては、本発明に係るアニオンと、ナトリウムの塩、カリウムの塩、リチウムの塩等が挙げられ、カリウム又はリチウムの塩が好ましい。
本発明に係るアニオンの塩の使用量は、一般式（II−３６）で示される化合物のｍｏｌ数に対して、通常１〜２当量、好ましくは１〜１．５当量である。
【０２５７】
一般式（II−３３）で示される化合物と一般式（II−３５）で示される化合物との反応は、溶媒中で、通常０〜８０℃、好ましくは１０〜５０℃で、通常１〜２４時間、好ましくは１〜８時間反応させればよい。
【０２５８】
一般式（II−３３）で示される化合物と一般式（II−３５）で示される化合物との反応における該溶媒は、上記の一般式（I−I）で示されるローダミン化合物と一般式（I−II）で示される化合物とを反応させる方法で用いられる溶媒と同じものが挙げられ、好ましいものも同じである。
これらは、それぞれ単独でも、或いは二種以上適宜組み合わせて用いてもよい。反応溶媒の使用量は、一般式（II−３３）で示される化合物と一般式（II−３５）で示される化合物の総容量に対して、通常１〜５０倍量、好ましくは１〜２０倍量である。
【０２５９】
一般式（II−３５）で示される化合物の使用量は、一般式（II−３３）で示される化合物のｍｏｌ数に対して、通常１〜２当量、好ましくは１〜１．５当量である。
【０２６０】
上記の一連の反応時の圧力は、一連の反応が滞りなく実施されれば、特に制限はなく、例えば常圧で行えばよい。
【０２６１】
上記の一連の反応後に得られる反応物及び生成物は、通常この分野で行われる一般的な後処理操作及び精製操作により、単離することができる。具体的には、例えば、必要に応じて、ろ過、洗浄、抽出、減圧濃縮、再結晶、蒸留、カラムクロマトグラフィ−等を行うことによって得られた反応物及び生成物を単離してもよい。
【０２６２】
一般式［II］で示される化合物のうち、例えば、Ｒ８が炭素数１〜３０のアルキル基であるもの、又は、Ｒ８とＲ９がこれらと結合している−Ｎ−（ＣＨ２）ｎ−Ｙ−とで５〜６員環の環状構造を形成しているもの［下記一般式（II−１−４）で示される化合物］は、次のスキーム［II］に示す方法で製造することができる。
すなわち、下記一般式（II−３１）で示される化合物を加水分解した後、得られた一般式（II−３１）で示される化合物由来の酸と下記式（II−３７）で示される化合物とを反応させ、下記一般式（II−３８）で示される中間体を得る。その後、一般式（II−３８）で示される中間体と下記一般式（II−３９）で示される化合物とを反応させた後、塩形成反応を行い、得られた一般式（II−４０）で示される化合物と一般式（II−３４）で示される化合物とを脱水縮合剤の存在下で反応させればよい。
【０２６３】
また、一般式（II−４０）で示される化合物から一般式（II−１−４）で示される化合物を得る反応において、上記の一般式（II−３４）で示される化合物を用いる方法の代わりに、一般式（II−４０）で示される化合物と下記一般式（II−３５）で示される化合物とを反応させることによっても、一般式（II−１−４）で示される化合物を得ることができる。
【０２６４】
0006662772.tif 000079
（スキーム中、Ｒ１〜Ｒ４、Ｒ７、Ｒ９、Ｒ６１、Ｒ６２、ｎ、Ａ１−１、Ａ１−２、Ａ２、Ｚ−及びＡｎ−は、上記と同じ。Ｒ８−４は、炭素数１〜３０のアルキル基を表し、ｎ２は、０〜３の整数を表す。Ｒ８−４とＲ９は、これらと結合している−Ｎ−（ＣＨ２）ｎ−Ｙ−とで、５〜６員環の環状構造を形成していてもよい。）
【０２６５】
一般式（II−１−４）、（II−３９）及び（II−４０）のＲ８−４における炭素数１〜３０のアルキル基としては、一般式（II）のＲ１〜Ｒ４における炭素数１〜３０のアルキル基と、同じものが挙げられ、好ましいものも同じである。
また、一般式（II−１−４）、（II−３９）及び（II−４０）におけるＲ８−４とＲ９が、これらと結合している−Ｎ−（ＣＨ２）ｎ−Ｙ−とで、５〜６員環の環状構造を形成している場合、当該環状構造は、上記一般式（II−１−２）で示されるものである。
【０２６６】
スキーム［II］における、−（ＣＨ２）ｎ２−、Ａ１−１及びＡ１−２を合わせた基は、一般式［II］で示される化合物におけるＡ１となる。このとき、−（ＣＨ２）ｎ２−、Ａ１−１及びＡ１−２に含まれる炭素数の総数は、１〜２１である。
【０２６７】
一般式（II−１−４）で示される化合物の好ましい具体例としては、下記一般式（II−１’−４）で示される化合物が挙げられる。
【０２６８】
0006662772.tif 000080
（式中、Ｒ’１〜Ｒ’４、Ｒ７、Ｒ９、Ｙ、ｎ、ｎ２、Ａ１−１、Ａ１−２及びＡｎ−は、上記と同じ。Ｒ’８−４は、炭素数１〜６のアルキル基を表す。Ｒ’８−４とＲ９は、これらと結合している−Ｎ−（ＣＨ２）ｎ−Ｙ−とで、５〜６員環の環状構造を形成していてもよい。）
【０２６９】
一般式（II−１’−４）のＲ’８−４における炭素数１〜６のアルキル基としては、一般式（II）のＲ９における炭素数１〜６のアルキル基と、同じものが挙げられ、好ましいものも同じである。
また、一般式（II−１’−４）におけるＲ’８−４とＲ９が、これらと結合している−Ｎ−（ＣＨ２）ｎ−Ｙ−とで、５〜６員環の環状構造を形成している場合、当該環状構造は、上記一般式（II−１−２）で示されるものである。
【０２７０】
一般式（II−１’−４）で示される化合物の中でも好ましい具体例としては、下記一般式（II−１’’−４）で示される化合物が挙げられる。
【０２７１】
0006662772.tif 000081
（式中、Ｒ’１〜Ｒ’４、Ｒ７、Ｙ、ｎ、ｎ１、ｎ２、Ａ１−１、Ａ’１−２及びＡｎ’−は、上記と同じ。）
【０２７２】
一般式（II−１’’−４）のＲ’１〜Ｒ’４、Ｒ７、Ｙ、ｎ、ｎ１、ｎ２、Ａ１−１及びＡ’１−２の好ましい組合せとしては、例えば、下記表１１記載のものが挙げられる。
【０２７３】
【表１１】
0006662772.tif 000082
【０２７４】
上記表１１中の組み合わせと合わせて用いられるＡｎ−としては、一般式（II’’）におけるＲ’１〜Ｒ’４、Ｒ７、Ｒ９、ｎ及びＡ’１の好ましい組合せと合わせて用いられるＡｎ−と、同じものが挙げられる。
【０２７５】
一般式（II−３８）で示される中間体の中でも好ましい具体例としては、下記一般式（II−３８’）で示される中間体が挙げられる。
【０２７６】
（式中、Ｒ’１〜Ｒ’４及びＺ−は、上記と同じ。）
0006662772.tif 000083
【０２７７】
一般式（II−３８’）のＲ’１〜Ｒ’４及びＺ−の好ましい組合せとしては、例えば、下記表１２記載のものが挙げられる。
【０２７８】
【表１２】
0006662772.tif 000084
【０２７９】
一般式（II−３９）で示される化合物の具体例としては、
【０２８０】
0006662772.tif 000085
等が挙げられ、
0006662772.tif 000086
が好ましく、
0006662772.tif 000087
がより好ましい。
【０２８１】
一般式（II−４０）で示される化合物の中でも好ましい具体例としては、下記一般式（II−４０’）で示される化合物が挙げられる。
【０２８２】
0006662772.tif 000088
（式中、Ｒ’１〜Ｒ’４、Ｒ’８−４、Ｒ９、Ｒ６２、Ｙ、ｎ、ｎ２及びＡｎ−は、上記と同じ。Ｒ’８−４とＲ９は、これらと結合している−Ｎ−（ＣＨ２）ｎ−Ｙ−とで、５〜６員環の環状構造を形成していてもよい。）
【０２８３】
一般式（II−４０’）で示される化合物の中でも好ましい具体例としては、下記一般式（II−４０’’）で示される化合物が挙げられる。
【０２８４】
0006662772.tif 000089
（式中、Ｒ’１〜Ｒ’４、Ｒ６２、Ｙ、ｎ、ｎ１、ｎ２及びＡｎ’−は、上記と同じ。）
【０２８５】
一般式（II−４０’’）のＲ’１〜Ｒ’４、Ｒ６２、Ｙ、ｎ、ｎ１及びｎ２の好ましい組合せとしては、例えば、下記表１３記載のものが挙げられる。
【０２８６】
【表１３】
0006662772.tif 000090
【０２８７】
上記スキーム［II］の加水分解反応としては、一般式（II−３１）で示される化合物に、塩基を加えた後、酸で処理することによりなされる。
上記加水分解反応は、通常１０〜１００℃、好ましくは６０〜１００℃で、通常１〜２４時間、好ましくは６〜１２時間反応させればよい。
また、上記加水分解反応における塩基としては、例えば、水酸化ナトリウム、水酸化カリウム等が挙げられる。塩基の使用量は、一般式（II−３１）で示される化合物のｍｏｌ数に対して通常１〜１０当量である。
【０２８８】
上記加水分解反応における酸で処理する方法としては、一般式（II−３１）で示される化合物に上記塩基を加えた反応系中に、塩酸、硫酸、硝酸、過塩素酸等の酸を加えることによりなされる。当該反応系中に加える酸は、それぞれ単独でも、或いは二種以上適宜組み合わせて用いてもよい。当該反応系中に加える酸の量は、反応系のｐＨが４以下になる量であれば良く、一般式（II−３１）で示される化合物の容量に対して、通常１〜５０倍量、好ましくは１〜２０倍量である。
【０２８９】
スキーム［II］の加水分解反応により得られた一般式（II−３１）で示される化合物由来の酸と式（II−３７）で示される化合物の反応においては、一般式（II−３１）で示される化合物由来の酸と式（II−３７）で示される化合物を、溶媒中、通常０〜１００℃、好ましくは１０〜５０℃で、通常１〜４８時間、好ましくは２〜１０時間反応させればよい。
また、一般式（II−３１）で示される化合物由来の酸と式（II−３７）で示される化合物の反応における溶媒としては、例えば、テトラヒドロフラン（ＴＨＦ）、ジオキサン、Ｎ，Ｎ−ジメチルホルムアミド（ＤＭＦ）、塩化メチレン等が挙げられる。これらはそれぞれ単独でも、或いは二種以上適宜組み合わせて用いてもよい。反応溶媒の使用量は、一般式（II−３１）で示される化合物由来の酸と式（II−３７）で示される化合物の総容量に対して、通常１〜５０倍量、好ましくは１〜２０倍量である。
【０２９０】
一般式（II−３７）で示される化合物の使用量は、一般式（II−３１）で示される化合物由来の酸のｍｏｌ数に対して、通常１〜２当量、好ましくは１〜１．５当量である。
【０２９１】
一般式（II−３８）で示される中間体と一般式（II−３９）で示される化合物の反応においては、一般式（II−３８）で示される中間体と一般式（II−３９）で示される化合物を、溶媒中、通常０〜８０℃、好ましくは１０〜５０℃で、通常１〜４８時間、好ましくは５〜１０時間反応させればよい。
また、一般式（II−３８）で示される中間体と一般式（II−３９）で示される化合物の反応における溶媒としては、例えば、テトラヒドロフラン（ＴＨＦ）、ジオキサン、Ｎ，Ｎ−ジメチルホルムアミド（ＤＭＦ）、塩化メチレン等が挙げられる。
これらは、それぞれ単独でも、或いは二種以上適宜組み合わせて用いてもよい。反応溶媒の使用量は、一般式（II−３８）で示される中間体と一般式（II−３９）で示される化合物の総容量に対して、通常１〜５０倍量、好ましくは１〜２０倍量である。
【０２９２】
一般式（II−３９）で示される化合物の使用量は、一般式（II−３８）で示される中間体のｍｏｌ数に対して、通常１〜２当量、好ましくは１〜１．５当量である。
【０２９３】
上記スキーム［II］における塩形成反応は、上記スキーム［I］における塩形成反応と同様に行えばよく、反応温度、反応時間、本発明に係るアニオンの塩及び溶媒は、上記と同じである。
【０２９４】
一般式（II−４０）で示される化合物と一般式（II−３４）で示される化合物の反応は、一般式（II−３３）で示される化合物と一般式（II−３４）で示される化合物の反応と同様に行えばよく、反応温度、反応時間、溶媒、脱水縮合剤及び触媒は、上記と同じである。
また、一般式（II−４０）で示される化合物と一般式（II−３５）で示される化合物の反応は、一般式（II−３３）で示される化合物と一般式（II−３５）で示される化合物の反応と同様に行えばよく、反応温度、反応時間及び溶媒は、上記と同じである。
【０２９５】
上記の一連の反応時の圧力は、一連の反応が滞りなく実施されれば、特に制限はなく、例えば、常圧で行えばよい。
また、上記の一連の反応後に得られる反応物及び生成物は、通常この分野で行われる一般的な後処理操作及び精製操作により単離することができる。具体的には、例えば、必要に応じて、ろ過、洗浄、抽出、減圧濃縮、再結晶、蒸留、カラムクロマトグラフィ−等を行うことによって得られた反応物及び生成物を単離してもよい。
【０２９６】
２−３．一般式（III）で示される化合物について
次に、前記のカチオン性トリアリールメタン系色素誘導体とエチレン性不飽和基とを有する化合物としての一般式（III）で示される化合物の具体的な化合物、製法などについて、説明する。
【０２９７】
（１）一般式（III）で示される化合物
本発明に係るカチオン性トリアリールメタン系色素誘導体とエチレン性不飽和基とを有する化合物としては、前記したように、具体的には、例えば下記の一般式（III）で示される化合物と、後述する一般式（IV）で示される化合物が挙げられる。
【０２９８】
0006662772.tif 000091
［一般式（III）中、Ｒ１〜Ｒ７、Ａ２及びＡｎ−は、上記一般式（I）と同じであり、Ｒ３１４は、水素原子、炭素数１〜３０のアルキル基、置換基を有する若しくは無置換のフェニル基、置換基を有する若しくは無置換のナフチル基、又は置換基を有する若しくは無置換のベンジル基を表し、Ｒ３０８〜Ｒ３１３は、それぞれ独立して、炭素数１〜２１のアルキル基、アリール基、水酸基、ニトロ基、スルホ基、又は炭素数１〜３のアルコキシ基を表す。Ａ３０１は、−Ｎ（Ｒ３１５）−、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基；−Ｎ（Ｒ３１５）−、−Ｏ−、−ＯＣＯ−、−ＣＯＯ−若しくはアリーレン基の少なくとも１つの基を鎖中に有する炭素数１〜２１のアルキレン基；ヒドロキシル基を置換基として有する炭素数１〜２１のアルキレン基；又は炭素数１〜２１のアルキレン基を表し、Ｒ３１５は、水素原子、炭素数１〜３０のアルキル基、置換基を有する若しくは無置換のフェニル基、置換基を有する若しくは無置換のナフチル基、又は置換基を有する若しくは無置換のベンジル基を表す。］
【０２９９】
一般式（III）のＲ１〜Ｒ４及びＲ３１４における炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有するもしくは無置換のフェニル基、又は置換基を有するもしくは無置換のベンジル基の具体例及び好ましいものは、上記一般式（I）のＲ１〜Ｒ４記載のものと同じである。
【０３００】
上記Ｒ１〜Ｒ４及びＲ３１４の具体例の中でも、メチル基、エチル基、ｎ−プロピル基、イソプロピル基、ｎ−ブチル基、１−メチルプロピル基、イソブチル基、ｓｅｃ−ブチル基、ｔｅｒｔ−ブチル基、ｎ−ペンチル基、１−エチルプロピル基、２−メチルブチル基、１，２−ジメチルプロピル基、シクロペンチル基、イソペンチル基、ｓｅｃ−ペンチル基、ｔｅｒｔ−ペンチル基、ネオペンチル基、ｎ−ヘキシル基、２−メチルペンチル基、１−エチルブチル基、１，２−ジメチルブチル基、２，３−ジメチルブチル基、シクロへキシル基、イソヘキシル基、ｓｅｃ−ヘキシル基、ｔｅｒｔ−ヘキシル基、ネオヘキシル基等が好ましく、メチル基、エチル基、ｎ−プロピル基、イソプロピル基等がより好ましく、メチル基、エチル基が特に好ましい。
【０３０１】
一般式（III）のＲ５〜Ｒ７は、水素原子又はメチル基を表し、水素原子が好ましい。
また、一般式（III）のＲ３０８〜Ｒ３１３における炭素数１〜２１のアルキル基としては、直鎖状でも分枝状でも環状でもよく、炭素数１〜１２のものが好ましく、炭素数１〜６のものがより好ましく、炭素数１〜３のものが更に好ましい。
具体的には、例えば、メチル基、エチル基、ｎ−プロピル基、イソプロピル基、ｎ−ブチル基、１−メチルプロピル基、イソブチル基、ｓｅｃ−ブチル基、ｔｅｒｔ−ブチル基、ｎ−ペンチル基、１−エチルプロピル基、２−メチルブチル基、１，２−ジメチルプロピル基、シクロペンチル基、イソペンチル基、ｓｅｃ−ペンチル基、ｔｅｒｔ−ペンチル基、ネオペンチル基、ｎ−ヘキシル基、２−メチルペンチル基、１−エチルブチル基、１，２−ジメチルブチル基、２，３−ジメチルブチル基、シクロへキシル基、イソヘキシル基、ｓｅｃ−ヘキシル基、ｔｅｒｔ−ヘキシル基、ネオヘキシル基、２−ヘプチル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、アラキル基、エイコシル基、ヘンイコシル基、イソヘプチル基、イソオクチル基、イソノニル基、イソデシル基、イソンデシル基、イソドデシル基、イソトリデシル基、イソテトラデシル基、イソペンタデシル基、イソヘキサデシル基、イソヘプタデシル基、イソオクタデシル基、イソノナデシル基、イソアラキル基、イソエイコシル基、イソヘンイコシル基、１−メチルヘキシル基、１−エチルヘプチル基、１−メチルヘプチル基、１−シクロヘキシルエチル基、１−ヘプチルオクチル基、２−メチルシクロへキシル基、３−メチルシクロへキシル基、４−メチルシクロへキシル基、２，６−ジメチルシクロへキシル基、２，４−ジメチルシクロへキシル基、３，５−ジメチルシクロへキシル基、２，５−ジメチルシクロへキシル基、２，３−ジメチルシクロへキシル基、３，３，５−トリメチルシクロへキシル基、４−ｔ−ブチルシクロへキシル基、２−エチルヘキシル基等が挙げられ、メチル基、エチル基、ｎ−プロピル基、イソプロピル基、ｎ−ブチル基、１−メチルプロピル基、イソブチル基、ｓｅｃ−ブチル基、ｔｅｒｔ−ブチル基、ｎ−ペンチル基、１−エチルプロピル基、２−メチルブチル基、１，２−ジメチルプロピル基、シクロペンチル基、イソペンチル基、ｓｅｃ−ペンチル基、ｔｅｒｔ−ペンチル基、ネオペンチル基、ｎ−ヘキシル基、２−メチルペンチル基、１−エチルブチル基、１，２−ジメチルブチル基、２，３−ジメチルブチル基、シクロへキシル基、イソヘキシル基、ｓｅｃ−ヘキシル基、ｔｅｒｔ−ヘキシル基、ネオヘキシル基等が好ましく、メチル基、エチル基、ｎ−プロピル基、イソプロピル基等がより好ましい。
一般式（III）のＲ３０８〜Ｒ３１３におけるアリール基としては、炭素数６〜１０のものが挙げられ、例えば、フェニル基、ナフチル基等が挙げられ、フェニル基が好ましい。
一般式（III）のＲ３０８〜Ｒ３１３における炭素数１〜３のアルコキシ基としては、メトキシ基、エトキシ基、ｎ−プロポキシ基、イソプロポキシ基等が挙げられる。
【０３０２】
一般式（III）のＲ３１５における炭素数１〜３０のアルキル基としては、上記Ｒ１〜Ｒ４及びＲ３１４における炭素数１〜３０のアルキル基と同じものが挙げられ、好ましいものも同じである。
また、一般式（III）のＲ３１５における、置換基を有する又は無置換のフェニル基、ナフチル基又はベンジル基としては、上記Ｒ１〜Ｒ４及びＲ３１４における、置換基を有する又は無置換のフェニル基、ナフチル基又はベンジル基で記載したものと同じものが挙げられ、好ましいものも同じである。
【０３０３】
一般式（III）のＡ３０１中の炭素数１〜２１のアルキレン鎖が鎖中に有するアリーレン基としては、フェニレン基、ナフチレン基が挙げられ、フェニレン基が好ましい。
【０３０４】
一般式（III）のＡ３０１における、「−Ｎ（Ｒ３１５）−、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基」、「−Ｎ（Ｒ３１５）−、−Ｏ−、−ＯＣＯ−、−ＣＯＯ−又はアリーレン基の少なくとも１つの基をその鎖中に有する炭素数１〜２１のアルキレン基」、「ヒドロキシル基を置換基として有する炭素数１〜２１のアルキレン基」及び「炭素数１〜２１のアルキレン基」における、炭素数１〜２１のアルキレン基は、一般式（I）のＡ１における炭素数１〜２１のアルキレン基と同じものが挙げられ、好ましいものも同じである。
【０３０５】
一般式（III）のＡ３０１における、「−Ｎ（Ｒ３１５）−、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基」としては、例えば下記一般式（III−６−１）〜（III−６−４）で示される基等が挙げられる。
【０３０６】
−Ｎ（Ｒ３１５）−Ｒ３５１−（ＣＨ２）p301−      （III−６−１）
（式中、Ｒ３１５は上記と同じ。Ｒ３５１は、ヒドロキシル基を置換基として有する炭素数１〜７のアルキレン基又はヒドロキシル基を置換基として有する炭素数６〜１０のアリーレン基を表し、ｐ301は、１〜３の整数を表す。）
−Ｎ（Ｒ３１５）−Ｒ３５１−Ｘ３０１−（ＣＨ２）p302−      （III−６−２）
（式中、Ｒ３１５及びＲ３５１は上記と同じ。Ｘ３０１は、−Ｏ−、−ＯＣＯ−又は−ＣＯＯ−を表し、ｐ302は、１〜３の整数を表す。）
−Ｒ３５２−（ＣＨ２）p303−      （III−６−３）
（式中、Ｒ３５２は、ヒドロキシル基を置換基として有する炭素数６〜１０のアリーレン基を表し、ｐ303は、１〜３の整数を表す。）
−Ｒ３５１−Ｘ３０１−（ＣＨ２）p304−      （III−６−４）
（式中、Ｒ３５１及びＸ３０１は上記と同じ。ｐ304は、１〜３の整数を表す。）
【０３０７】
上記一般式（III−６−１）、（III−６−３）及び（III−６−４）のＲ５１におけるヒドロキシル基を置換基として有する炭素数１〜７のアルキレン基としては、ヒドロキシメチレン基、ヒドロキシエチレン基、ヒドロキシプロピレン基、ヒドロキシブチレン基、ヒドロキシペンチレン基、ヒドロキシへキシレン基、ヒドロキシシクロブチレン基、ヒドロキシシクロペンチレン基、ヒドロキシシクロへキシレン基、ヒドロキシシクロへプチレン基等が挙げられる。
【０３０８】
上記一般式（III−６−１）、（III−６−３）及び（III−６−４）のＲ５１におけるヒドロキシル基を置換基として有する炭素数６〜１０のアリーレン基としては、ヒドロキシフェニレン基、ジヒドロキシフェニレン基、ヒドロキシナフチレン基、ジヒドロキシナフチレン基等が挙げられる。
また、上記一般式（III−６−３）のＲ３５２におけるヒドロキシル基を置換基として有する炭素数６〜１０のアリーレン基としては、上記Ｒ５１におけるヒドロキシル基を置換基として有するアリーレン基と同じものが挙げられる。
【０３０９】
一般式（III−６−１）で示される基の好ましい具体例としては、例えば、−ＮＨ−Ｃ６Ｈ９（ＯＨ）−ＣＨ２−、−ＮＨ−Ｃ６Ｈ９（ＯＨ）−Ｃ２Ｈ５−、−ＮＨ−Ｃ６Ｈ９（ＯＨ）−Ｃ３Ｈ７−、−ＮＨ−Ｃ４Ｈ３（ＯＨ）−ＣＨ２−、−ＮＨ−Ｃ４Ｈ３（ＯＨ）−Ｃ２Ｈ５−、−ＮＨ−Ｃ４Ｈ３（ＯＨ）−Ｃ３Ｈ７−、−ＮＨ−ＣＨ２−ＣＨ（ＯＨ）−ＣＨ２−−ＮＨ−ＣＨ２−ＣＨ（ＯＨ）−Ｃ２Ｈ５−、−ＮＨ−ＣＨ２−ＣＨ（ＯＨ）−Ｃ３Ｈ７−、−Ｎ（ＣＨ３）−Ｃ６Ｈ９（ＯＨ）−ＣＨ２−、−Ｎ（ＣＨ３）−Ｃ６Ｈ９（ＯＨ）−Ｃ２Ｈ５−、−Ｎ（ＣＨ３）−Ｃ６Ｈ９（ＯＨ）−Ｃ３Ｈ７−、−Ｎ（ＣＨ３）−Ｃ４Ｈ３（ＯＨ）−ＣＨ２−、−Ｎ（ＣＨ３）−Ｃ４Ｈ３（ＯＨ）−Ｃ２Ｈ５−、−Ｎ（ＣＨ３）−Ｃ４Ｈ３（ＯＨ）−Ｃ３Ｈ７−、−Ｎ（ＣＨ３）−ＣＨ２−ＣＨ（ＯＨ）−ＣＨ２−、−Ｎ（ＣＨ３）−ＣＨ２−ＣＨ（ＯＨ）−Ｃ２Ｈ５−、−Ｎ（ＣＨ３）−ＣＨ２−ＣＨ（ＯＨ）−Ｃ３Ｈ７−、等が挙げられる。
【０３１０】
一般式（III−６−２）で示される基の好ましい具体例としては、例えば、−ＮＨ−ＣＨ２−ＣＨ（ＯＨ）−ＣＨ２−Ｏ−（ＣＨ２）２−、−ＮＨ−ＣＨ２−ＣＨ（ＯＨ）−ＣＨ２−Ｏ−（ＣＨ２）３−、−ＮＨ−ＣＨ２−ＣＨ（ＯＨ）−ＣＨ２−Ｏ−（ＣＨ２）４−、−Ｎ（ＣＨ３）−ＣＨ２−ＣＨ（ＯＨ）−ＣＨ２−Ｏ−（ＣＨ２）２−、−Ｎ（ＣＨ３）−ＣＨ２−ＣＨ（ＯＨ）−ＣＨ２−Ｏ−（ＣＨ２）３−、−Ｎ（ＣＨ３）−ＣＨ２−ＣＨ（ＯＨ）−ＣＨ２−Ｏ−（ＣＨ２）４−、−ＮＨ−ＣＨ２−ＣＨ（ＯＨ）−ＣＨ２−ＯＣＯ−（ＣＨ２）２−、−ＮＨ−ＣＨ２−ＣＨ（ＯＨ）−ＣＨ２−ＯＣＯ−（ＣＨ２）３−、−ＮＨ−ＣＨ２−ＣＨ（ＯＨ）−ＣＨ２−ＯＣＯ−（ＣＨ２）４−、−Ｎ（ＣＨ３）−ＣＨ２−ＣＨ（ＯＨ）−ＣＨ２−ＯＣＯ−（ＣＨ２）２−、−Ｎ（ＣＨ３）−ＣＨ２−ＣＨ（ＯＨ）−ＣＨ２−ＯＣＯ−（ＣＨ２）３−、−Ｎ（ＣＨ３）−ＣＨ２−ＣＨ（ＯＨ）−ＣＨ２−ＯＣＯ−（ＣＨ２）４−、−ＮＨ−ＣＨ２−ＣＨ（ＯＨ）−ＣＨ２−ＣＯＯ−（ＣＨ２）２−、−ＮＨ−ＣＨ２−ＣＨ（ＯＨ）−ＣＨ２−ＣＯＯ−（ＣＨ２）３−、−ＮＨ−ＣＨ２−ＣＨ（ＯＨ）−ＣＨ２−ＣＯＯ−（ＣＨ２）４−、−Ｎ（ＣＨ３）−ＣＨ２−ＣＨ（ＯＨ）−ＣＨ２−ＣＯＯ−（ＣＨ２）２−、−Ｎ（ＣＨ３）−ＣＨ２−ＣＨ（ＯＨ）−ＣＨ２−ＣＯＯ−（ＣＨ２）３−、−Ｎ（ＣＨ３）−ＣＨ２−ＣＨ（ＯＨ）−ＣＨ２−ＣＯＯ−（ＣＨ２）４−、等が挙げられる。
【０３１１】
一般式（III−６−３）で示される基の好ましい具体例としては、例えば、−Ｃ４Ｈ３（ＯＨ）−ＣＨ２−、−Ｃ４Ｈ３（ＯＨ）−Ｃ２Ｈ５−、−Ｃ４Ｈ３（ＯＨ）−Ｃ３Ｈ７−、−Ｃ４Ｈ２（ＯＨ）２−ＣＨ２−、−Ｃ４Ｈ２（ＯＨ）２−Ｃ２Ｈ５−、−Ｃ４Ｈ２（ＯＨ）２−Ｃ３Ｈ７−、等が挙げられる。
【０３１２】
一般式（III−６−４）で示される基の好ましい具体例としては、例えば、−ＣＨ２−ＣＨ（ＯＨ）−ＣＨ２−Ｏ−（ＣＨ２）２−、−ＣＨ２−ＣＨ（ＯＨ）−ＣＨ２−Ｏ−（ＣＨ２）３−、−ＣＨ２−ＣＨ（ＯＨ）−ＣＨ２−Ｏ−（ＣＨ２）４−、−ＣＨ２−ＣＨ（ＯＨ）−ＣＨ２−Ｏ−（ＣＨ２）２−、−ＣＨ２−ＣＨ（ＯＨ）−ＣＨ２−Ｏ−（ＣＨ２）３−、−ＣＨ２−ＣＨ（ＯＨ）−ＣＨ２−Ｏ−（ＣＨ２）４−、−ＣＨ２−ＣＨ（ＯＨ）−ＣＨ２−ＯＣＯ−（ＣＨ２）２−、−ＣＨ２−ＣＨ（ＯＨ）−ＣＨ２−ＯＣＯ−（ＣＨ２）３−、−ＣＨ２−ＣＨ（ＯＨ）−ＣＨ２−ＯＣＯ−（ＣＨ２）４−、−ＣＨ２−ＣＨ（ＯＨ）−ＣＨ２−ＯＣＯ−（ＣＨ２）２−、−ＣＨ２−ＣＨ（ＯＨ）−ＣＨ２−ＯＣＯ−（ＣＨ２）３−、−ＣＨ２−ＣＨ（ＯＨ）−ＣＨ２−ＯＣＯ−（ＣＨ２）４−、−ＣＨ２−ＣＨ（ＯＨ）−ＣＨ２−ＣＯＯ−（ＣＨ２）２−、−ＣＨ２−ＣＨ（ＯＨ）−ＣＨ２−ＣＯＯ−（ＣＨ２）３−、−ＣＨ２−ＣＨ（ＯＨ）−ＣＨ２−ＣＯＯ−（ＣＨ２）４−、−ＣＨ２−ＣＨ（ＯＨ）−ＣＨ２−ＣＯＯ−（ＣＨ２）２−、−ＣＨ２−ＣＨ（ＯＨ）−ＣＨ２−ＣＯＯ−（ＣＨ２）３−、−ＣＨ２−ＣＨ（ＯＨ）−ＣＨ２−ＣＯＯ−（ＣＨ２）４−、等が挙げられる。
【０３１３】
一般式（III）のＡ３０１における「−ＮＲ３１５−、−Ｏ−、−ＯＣＯ−、−ＣＯＯ−又はアリーレン基の少なくとも１つの基を鎖中に有する炭素数１〜２１のアルキレン基」としては、例えば、下記一般式（III−７−１）〜（III−７−９）で示される基等が挙げられる。
【０３１４】
−Ｎ（Ｒ３１５）−Ｒ３５５−      （III−７−１）
（式中、Ｒ３１５は上記と同じ。Ｒ３５５は、炭素数１〜２１のアルキレン基を表す。）
−Ｎ（Ｒ３１５）−（ＣＨ２）p305−ＯＣＯ−Ｒ３５３−ＣＯＯ−（ＣＨ２）p306−    （III−７−２）
（式中、Ｒ３１５は上記と同じ。Ｒ３５３は、フェニレン基、炭素数１〜７のアルキレン基を表し、ｐ305及びｐ306は、それぞれ独立して、１〜３の整数を表す。）
−Ｎ（Ｒ３１５）−（Ｃ２Ｈ４Ｏ）p307−（ＣＨ２）p308−    （III−７−３）
（式中、Ｒ３１５は、上記と同じ。ｐ307は、１〜９の整数を表し、ｐ308は、１〜３の整数を表す。）
−Ｎ（Ｒ３１５）−（ＣＨ２ＣＨ（ＣＨ３）Ｏ）p309−Ｒ３５４−  （III−７−４）
（式中、Ｒ３１５は、上記と同じ。ｐ309は、１〜９の整数を表し、Ｒ３５４は、分枝状の炭素数１〜４のアルキレン基を表す。）
−（ＣＨ２）p305−ＯＣＯ−Ｒ３５３−ＣＯＯ−（ＣＨ２）p306− （III−７−５）
（式中、Ｒ３５３、ｐ305及びｐ306は上記と同じ。）
−（Ｃ２Ｈ４Ｏ）p305−（ＣＨ２）p306−          （III−７−６）
（式中、ｐ307及びｐ309は、上記と同じ。）、
−（ＣＨ２ＣＨ（ＣＨ３）Ｏ）p309−Ｒ３５４−        （III−７−７）
（式中、ｐ309及びＲ３５４は、上記と同じ。）
−（ＣＨ２）p312−ＯＣＯ−  （ＣＨ２）p313−    （III−７−８）
（式中、ｐ312及びｐ313は、それぞれ独立して、１〜４の整数を表す。）、
−（ＣＨ２）p312−ＣＯＯ−  （ＣＨ２）p313−    （III−７−９）
（式中、ｐ312及びｐ313は、それぞれ独立して、１〜４の整数を表す。）
【０３１５】
上記一般式（III−７−１）のＲ３５５における炭素数１〜２１のアルキレン基としては、上記一般式（III）のＡ３０１における、「−Ｎ（Ｒ３１５）−、−Ｏ−、−ＯＣＯ−、−ＣＯＯ−又はアリーレン基の少なくとも１つの基をその鎖中に有する炭素数１〜２１のアルキレン基」のアルキレン基として記載したものと、同じものが挙げられ、好ましいものも同じである。
【０３１６】
上記一般式（III−７−２）及び一般式（III−７−５）のＲ５３におけるヒドロキシル基を置換基として有する炭素数１〜７のアルキレン基としては、上記のＲ３５１におけるヒドロキシル基を置換基として有する炭素数１〜７のアルキレン基と同じものが挙げられる。
また、上記一般式（III−７−４）及び一般式（III−７−７）のＲ５４で示される分枝状の炭素数１〜４のアルキレン基としては、メチルメチレン基、メチルエチレン基、メチルプロピレン基等が挙げられる。
【０３１７】
上記一般式（III−７−８）及び一般式（III−７−９）のｐ312及びｐ313は、それぞれ独立して、２〜３が好ましく、２がより好ましい。
【０３１８】
上記一般式（III−７−１）で示される基としては、具体的には、例えば、−ＮＨ−ＣＨ２−、−ＮＨ−Ｃ２Ｈ４−、−ＮＨ−Ｃ３Ｈ６−、−ＮＨ−Ｃ４Ｈ８−、−ＮＨ−Ｃ５Ｈ１０−、−ＮＨ−Ｃ６Ｈ１２−、−ＮＨ−Ｃ７Ｈ１４−、−ＮＨ−Ｃ８Ｈ１６−、−ＮＨ−Ｃ９Ｈ１８−、−ＮＨ−Ｃ１０Ｈ２０−、−ＮＨ−Ｃ１１Ｈ２２−、−ＮＨ−Ｃ１２Ｈ２４−、−ＮＨ−Ｃ１３Ｈ２６−、−ＮＨ−Ｃ１４Ｈ２８−、−ＮＨ−Ｃ１５Ｈ３０−、−ＮＨ−Ｃ１６Ｈ３２−、−ＮＨ−Ｃ１７Ｈ３４−、−ＮＨ−Ｃ１８Ｈ３６−、−ＮＨ−Ｃ１９Ｈ３８−、−ＮＨ−Ｃ２０Ｈ４０−、−ＮＨ−Ｃ２１Ｈ４２−、−Ｎ（ＣＨ３）−ＣＨ２−、−Ｎ（ＣＨ３）−Ｃ２Ｈ４−、−Ｎ（ＣＨ３）−Ｃ３Ｈ６−、−Ｎ（ＣＨ３）−Ｃ４Ｈ８−、−Ｎ（ＣＨ３）−Ｃ５Ｈ１０−、−Ｎ（ＣＨ３）−Ｃ６Ｈ１２−、−Ｎ（ＣＨ３）−Ｃ７Ｈ１４−、−Ｎ（ＣＨ３）−Ｃ８Ｈ１６−、−Ｎ（ＣＨ３）−Ｃ９Ｈ１８−、−Ｎ（ＣＨ３）−Ｃ１０Ｈ２０−、−Ｎ（ＣＨ３）−Ｃ１１Ｈ２２−、−Ｎ（ＣＨ３）−Ｃ１２Ｈ２４−、−Ｎ（ＣＨ３）−Ｃ１３Ｈ２６−、−Ｎ（ＣＨ３）−Ｃ１４Ｈ２８−、−Ｎ（ＣＨ３）−Ｃ１５Ｈ３０−、−Ｎ（ＣＨ３）−Ｃ１６Ｈ３２−、−Ｎ（ＣＨ３）−Ｃ１７Ｈ３４−、−Ｎ（ＣＨ３）−Ｃ１８Ｈ３６−、−Ｎ（ＣＨ３）−Ｃ１９Ｈ３８−、−Ｎ（ＣＨ３）−Ｃ２０Ｈ４０−、−Ｎ（ＣＨ３）−Ｃ２１Ｈ４２−、−Ｎ（Ｃ２Ｈ５）−ＣＨ２−、−Ｎ（Ｃ２Ｈ５）−Ｃ２Ｈ４−、−Ｎ（Ｃ２Ｈ５）−Ｃ３Ｈ６−、−Ｎ（Ｃ２Ｈ５）−Ｃ４Ｈ８−、−Ｎ（Ｃ２Ｈ５）−Ｃ５Ｈ１０−、−Ｎ（Ｃ２Ｈ５）−Ｃ６Ｈ１２−等が挙げられ、−ＮＨ−ＣＨ２−、−ＮＨ−Ｃ２Ｈ４−、−ＮＨ−Ｃ３Ｈ６−、−ＮＨ−Ｃ４Ｈ８−、−ＮＨ−Ｃ５Ｈ１０−、−ＮＨ−Ｃ６Ｈ１２−等が好ましく、−ＮＨ−ＣＨ２−、−ＮＨ−Ｃ２Ｈ４−、−ＮＨ−Ｃ３Ｈ６−、−ＮＨ−Ｃ４Ｈ８−がより好ましい。
【０３１９】
上記一般式（III−７−２）で示される基としては、具体的には、例えば、−ＮＨ−ＣＨ２ＣＨ２−Ｏ−ＣＯ−Ｃ６Ｈ４−ＣＯ−Ｏ−ＣＨ２ＣＨ２−、−ＮＨ−ＣＨ２ＣＨ２−Ｏ−ＣＯ−Ｃ６Ｈ１０−ＣＯ−Ｏ−ＣＨ２ＣＨ２−、−Ｎ（ＣＨ３）−ＣＨ２ＣＨ２−Ｏ−ＣＯ−Ｃ６Ｈ４−ＣＯ−Ｏ−ＣＨ２ＣＨ２−、−Ｎ（ＣＨ３）−ＣＨ２ＣＨ２−Ｏ−ＣＯ−Ｃ６Ｈ１０−ＣＯ−Ｏ−ＣＨ２ＣＨ２−等が挙げられる。
【０３２０】
上記一般式（III−７−３）で示される基としては、具体的には、例えば、−ＮＨ−（ＣＨ２ＣＨ２Ｏ）−ＣＨ２ＣＨ２−、−ＮＨ−（ＣＨ２ＣＨ２Ｏ）２−ＣＨ２ＣＨ２−、−ＮＨ−（ＣＨ２ＣＨ２Ｏ）３−ＣＨ２ＣＨ２−、−ＮＨ−（ＣＨ２ＣＨ２Ｏ）４−ＣＨ２ＣＨ２−、−ＮＨ−（ＣＨ２ＣＨ２Ｏ）５−ＣＨ２ＣＨ２−、−ＮＨ−（ＣＨ２ＣＨ２Ｏ）６−ＣＨ２ＣＨ２−、−ＮＨ−（ＣＨ２ＣＨ２Ｏ）７−ＣＨ２ＣＨ２−、−ＮＨ−（ＣＨ２ＣＨ２Ｏ）８−ＣＨ２ＣＨ２−、−ＮＨ−（ＣＨ２ＣＨ２Ｏ）９−ＣＨ２ＣＨ２−、−Ｎ（ＣＨ３）−（ＣＨ２ＣＨ２Ｏ）−ＣＨ２ＣＨ２−、−Ｎ（ＣＨ３）−（ＣＨ２ＣＨ２Ｏ）２−ＣＨ２ＣＨ２−、−Ｎ（ＣＨ３）−（ＣＨ２ＣＨ２Ｏ）３−ＣＨ２ＣＨ２−、−Ｎ（ＣＨ３）−（ＣＨ２ＣＨ２Ｏ）４−ＣＨ２ＣＨ２−、−Ｎ（ＣＨ３）−（ＣＨ２ＣＨ２Ｏ）５−ＣＨ２ＣＨ２−、−Ｎ（ＣＨ３）−（ＣＨ２ＣＨ２Ｏ）６−ＣＨ２ＣＨ２−、−Ｎ（ＣＨ３）−（ＣＨ２ＣＨ２Ｏ）７−ＣＨ２ＣＨ２−、−Ｎ（ＣＨ３）−（ＣＨ２ＣＨ２Ｏ）８−ＣＨ２ＣＨ２−、−Ｎ（ＣＨ３）−（ＣＨ２ＣＨ２Ｏ）９−ＣＨ２ＣＨ２−、等が挙げられる。
【０３２１】
上記一般式（III−７−４）で示される基としては、具体的には、例えば、−ＮＨ−（ＣＨ２ＣＨ（ＣＨ３）Ｏ）−ＣＨ２ＣＨ（ＣＨ３）−、−ＮＨ−（ＣＨ２ＣＨ（ＣＨ３）Ｏ）２−ＣＨ２ＣＨ（ＣＨ３）−、−ＮＨ−（ＣＨ２ＣＨ（ＣＨ３）Ｏ）３−ＣＨ２ＣＨ（ＣＨ３）−、−ＮＨ−（ＣＨ２ＣＨ（ＣＨ３）Ｏ）４−ＣＨ２ＣＨ（ＣＨ３）−、−ＮＨ−（ＣＨ２ＣＨ（ＣＨ３）Ｏ）５−ＣＨ２ＣＨ（ＣＨ３）−、−ＮＨ−（ＣＨ２ＣＨ（ＣＨ３）Ｏ）６−ＣＨ２ＣＨ（ＣＨ３）−、−ＮＨ−（ＣＨ２ＣＨ（ＣＨ３）Ｏ）７−ＣＨ２ＣＨ（ＣＨ３）−、−ＮＨ−（ＣＨ２ＣＨ（ＣＨ３）Ｏ）８−ＣＨ２ＣＨ（ＣＨ３）−、−ＮＨ−（ＣＨ２ＣＨ（ＣＨ３）Ｏ）９−ＣＨ２ＣＨ（ＣＨ３）−、−ＮＨ−ＣＨ（ＣＨ３）ＣＨ２−Ｏ−ＣＨ２ＣＨ（ＣＨ３）−、−Ｎ（ＣＨ３）−（ＣＨ２ＣＨ（ＣＨ３）Ｏ）−ＣＨ２ＣＨ（ＣＨ３）−、−Ｎ（ＣＨ３）−（ＣＨ２ＣＨ（ＣＨ３）Ｏ）２−ＣＨ２ＣＨ（ＣＨ３）−、−Ｎ（ＣＨ３）−（ＣＨ２ＣＨ（ＣＨ３）Ｏ）３−ＣＨ２ＣＨ（ＣＨ３）−、−Ｎ（ＣＨ３）−（ＣＨ２ＣＨ（ＣＨ３）Ｏ）４−ＣＨ２ＣＨ（ＣＨ３）−、−Ｎ（ＣＨ３）−（ＣＨ２ＣＨ（ＣＨ３）Ｏ）５−ＣＨ２ＣＨ（ＣＨ３）−、−Ｎ（ＣＨ３）−（ＣＨ２ＣＨ（ＣＨ３）Ｏ）６−ＣＨ２ＣＨ（ＣＨ３）−、−Ｎ（ＣＨ３）−（ＣＨ２ＣＨ（ＣＨ３）Ｏ）７−ＣＨ２ＣＨ（ＣＨ３）−、−Ｎ（ＣＨ３）−（ＣＨ２ＣＨ（ＣＨ３）Ｏ）８−ＣＨ２ＣＨ（ＣＨ３）−、−Ｎ（ＣＨ３）−（ＣＨ２ＣＨ（ＣＨ３）Ｏ）９−ＣＨ２ＣＨ（ＣＨ３）−、−Ｎ（ＣＨ３）−ＣＨ（ＣＨ３）ＣＨ２−Ｏ−ＣＨ２ＣＨ（ＣＨ３）−、等が挙げられる。
【０３２２】
上記一般式（III−７−５）で示される基としては、具体的には、例えば、−ＣＨ２ＣＨ２−Ｏ−ＣＯ−Ｃ６Ｈ４−ＣＯ−Ｏ−ＣＨ２ＣＨ２−、−ＣＨ２ＣＨ２−Ｏ−ＣＯ−Ｃ６Ｈ１０−ＣＯ−Ｏ−ＣＨ２ＣＨ２−、等が挙げられる。
【０３２３】
上記一般式（III−７−６）で示される基としては、具体的には、例えば、−（ＣＨ２ＣＨ２Ｏ）−ＣＨ２ＣＨ２−、−（ＣＨ２ＣＨ２Ｏ）２−ＣＨ２ＣＨ２−、−（ＣＨ２ＣＨ２Ｏ）３−ＣＨ２ＣＨ２−、−（ＣＨ２ＣＨ２Ｏ）４−ＣＨ２ＣＨ２−、−（ＣＨ２ＣＨ２Ｏ）５−ＣＨ２ＣＨ２−、−（ＣＨ２ＣＨ２Ｏ）６−ＣＨ２ＣＨ２−、−（ＣＨ２ＣＨ２Ｏ）７−ＣＨ２ＣＨ２−、−（ＣＨ２ＣＨ２Ｏ）８−ＣＨ２ＣＨ２−、−（ＣＨ２ＣＨ２Ｏ）９−ＣＨ２ＣＨ２−、等が挙げられる。
【０３２４】
上記一般式（III−７−７）で示される基としては、具体的には、例えば、−（ＣＨ２ＣＨ（ＣＨ３）Ｏ）−ＣＨ２ＣＨ（ＣＨ３）−、−（ＣＨ２ＣＨ（ＣＨ３）Ｏ）２−ＣＨ２ＣＨ（ＣＨ３）−、−（ＣＨ２ＣＨ（ＣＨ３）Ｏ）３−ＣＨ２ＣＨ（ＣＨ３）−、−（ＣＨ２ＣＨ（ＣＨ３）Ｏ）４−ＣＨ２ＣＨ（ＣＨ３）−、−（ＣＨ２ＣＨ（ＣＨ３）Ｏ）５−ＣＨ２ＣＨ（ＣＨ３）−、−（ＣＨ２ＣＨ（ＣＨ３）Ｏ）６−ＣＨ２ＣＨ（ＣＨ３）−、−（ＣＨ２ＣＨ（ＣＨ３）Ｏ）７−ＣＨ２ＣＨ（ＣＨ３）−、−（ＣＨ２ＣＨ（ＣＨ３）Ｏ）８−ＣＨ２ＣＨ（ＣＨ３）−、−（ＣＨ２ＣＨ（ＣＨ３）Ｏ）９−ＣＨ２ＣＨ（ＣＨ３）−、−ＣＨ（ＣＨ３）ＣＨ２−Ｏ−ＣＨ２ＣＨ（ＣＨ３）−、等が挙げられる。
【０３２５】
上記一般式（III−７−８）で示される基としては、具体的には、例えば、−ＣＨ２−ＯＣＯ−ＣＨ２−、−（ＣＨ２）２−ＯＣＯ−（ＣＨ２）２−、−（ＣＨ２）３−ＯＣＯ−（ＣＨ２）３−、−（ＣＨ２）４−ＯＣＯ−（ＣＨ２）４−、−ＣＨ２−ＯＣＯ−（ＣＨ２）２−、−ＣＨ２−ＯＣＯ−（ＣＨ２）３−、−ＣＨ２−ＯＣＯ−（ＣＨ２）４−、−（ＣＨ２）２−ＯＣＯ−（ＣＨ２）３−、−（ＣＨ２）２−ＯＣＯ−（ＣＨ２）４−、−（ＣＨ２）３−ＯＣＯ−（ＣＨ２）４−、−（ＣＨ２）２−ＯＣＯ−ＣＨ２−、−（ＣＨ２）３−ＯＣＯ−ＣＨ２−、−（ＣＨ２）４−ＯＣＯ−ＣＨ２−、−（ＣＨ２）３−ＯＣＯ−（ＣＨ２）２−、−（ＣＨ２）４−ＯＣＯ−（ＣＨ２）２−、−（ＣＨ２）４−ＯＣＯ−（ＣＨ２）３−、等が挙げられ、
中でも、−ＣＨ２−ＯＣＯ−ＣＨ２−、−（ＣＨ２）２−ＯＣＯ−（ＣＨ２）２−、−（ＣＨ２）３−ＯＣＯ−（ＣＨ２）３−、−（ＣＨ２）４−ＯＣＯ−（ＣＨ２）４−、が好ましく、−（ＣＨ２）２−ＯＣＯ−（ＣＨ２）２−、−（ＣＨ２）３−ＯＣＯ−（ＣＨ２）３−がより好ましく、−（ＣＨ２）２−ＯＣＯ−（ＣＨ２）２−が特に好ましい。
【０３２６】
上記一般式（III−７−９）で示される基としては、具体的には、例えば、−ＣＨ２−ＣＯＯ−ＣＨ２−、−（ＣＨ２）２−ＣＯＯ−（ＣＨ２）２−、−（ＣＨ２）３−ＣＯＯ−（ＣＨ２）３−、−（ＣＨ２）４−ＣＯＯ−（ＣＨ２）４−、−ＣＨ２−ＣＯＯ−（ＣＨ２）２−、−ＣＨ２−ＣＯＯ−（ＣＨ２）３−、−ＣＨ２−ＣＯＯ−（ＣＨ２）４−、−（ＣＨ２）２−ＣＯＯ−（ＣＨ２）３−、−（ＣＨ２）２−ＣＯＯ−（ＣＨ２）４−、−（ＣＨ２）３−ＣＯＯ−（ＣＨ２）４−、−（ＣＨ２）２−ＣＯＯ−ＣＨ２−、−（ＣＨ２）３−ＣＯＯ−ＣＨ２−、−（ＣＨ２）４−ＣＯＯ−ＣＨ２−、−（ＣＨ２）３−ＣＯＯ−（ＣＨ２）２−、−（ＣＨ２）４−ＣＯＯ−（ＣＨ２）２−、−（ＣＨ２）４−ＣＯＯ−（ＣＨ２）３−等が挙げられ、
中でも、−ＣＨ２−ＣＯＯ−ＣＨ２−、−（ＣＨ２）２−ＣＯＯ−（ＣＨ２）２−、−（ＣＨ２）３−ＣＯＯ−（ＣＨ２）３−、−（ＣＨ２）４−ＣＯＯ−（ＣＨ２）４−、が好ましく、−（ＣＨ２）２−ＣＯＯ−（ＣＨ２）２−、−（ＣＨ２）３−ＣＯＯ−（ＣＨ２）３−がより好ましく、−（ＣＨ２）２−ＣＯＯ−（ＣＨ２）２−が特に好ましい。
【０３２７】
一般式（III）のＡ３０１における「ヒドロキシル基を置換基として有する炭素数１〜２１のアルキレン基」としては、例えば、下記一般式（III−８−１）で示される基等が挙げられる。
−Ｒ３５６−（ＣＨ２）p310−      （III−８−１）
（式中、Ｒ３５６は、ヒドロキシル基を置換基として有する炭素数１〜７のアルキレン基を表し、ｐ310は、１〜４の整数を表す。）
【０３２８】
上記一般式（III−８−１）のＲ３５６におけるヒドロキシル基を置換基として有する炭素数１〜７のアルキレン基としては、上記のＲ３５１におけるヒドロキシル基を置換基として有する炭素数１〜７のアルキレン基と同じものが挙げられる。
上記一般式（III−８−１）で示される基としては、具体的には、例えば、−Ｃ６Ｈ９（ＯＨ）−ＣＨ２−、−Ｃ６Ｈ９（ＯＨ）−Ｃ２Ｈ５−、−Ｃ６Ｈ９（ＯＨ）−Ｃ３Ｈ７−、−ＣＨ２−ＣＨ（ＯＨ）−ＣＨ２−、−ＣＨ２−ＣＨ（ＯＨ）−Ｃ２Ｈ５−、−ＣＨ２−ＣＨ（ＯＨ）−Ｃ３Ｈ７−、−ＣＨ２−ＣＨ（ＯＨ）−Ｃ４Ｈ９−等が挙げられる。
【０３２９】
一般式（III）におけるＡ３０１としては、−Ｎ（Ｒ３１５）−、−Ｏ−、−ＯＣＯ−、−ＣＯＯ−又はアリーレン基の少なくとも１つの基を鎖中に有する炭素数１〜２１のアルキレン基が好ましい。
中でも、上記一般式（III−７−１）で示される基、一般式（III−７−９）で示される基が好ましく、具体的には、−ＮＨ−ＣＨ２−、−ＮＨ−Ｃ２Ｈ４−、−ＮＨ−Ｃ３Ｈ６−、−ＮＨ−Ｃ４Ｈ８−、−ＮＨ−Ｃ５Ｈ１０−、−ＮＨ−Ｃ６Ｈ１２−、−ＮＨ−Ｃ７Ｈ１４−、−ＮＨ−Ｃ８Ｈ１６−、−ＮＨ−Ｃ９Ｈ１８−、−ＮＨ−Ｃ１０Ｈ２０−、−ＮＨ−Ｃ１１Ｈ２２−、−ＮＨ−Ｃ１２Ｈ２４−、−ＮＨ−Ｃ１３Ｈ２６−、−ＮＨ−Ｃ１４Ｈ２８−、−ＮＨ−Ｃ１５Ｈ３０−、−ＮＨ−Ｃ１６Ｈ３２−、−ＮＨ−Ｃ１７Ｈ３４−、−ＮＨ−Ｃ１８Ｈ３６−、−ＮＨ−Ｃ１９Ｈ３８−、−ＮＨ−Ｃ２０Ｈ４０−、−ＮＨ−Ｃ２１Ｈ４２−、−ＣＨ２−ＣＯＯ−ＣＨ２−、−（ＣＨ２）２−ＣＯＯ−（ＣＨ２）２−、−（ＣＨ２）３−ＣＯＯ−（ＣＨ２）３−、−（ＣＨ２）４−ＣＯＯ−（ＣＨ２）４−、−ＣＨ２−ＣＯＯ−（ＣＨ２）２−、−ＣＨ２−ＣＯＯ−（ＣＨ２）３−、−ＣＨ２−ＣＯＯ−（ＣＨ２）４−、−（ＣＨ２）２−ＣＯＯ−（ＣＨ２）３−、−（ＣＨ２）２−ＣＯＯ−（ＣＨ２）４−、−（ＣＨ２）３−ＣＯＯ−（ＣＨ２）４−、−（ＣＨ２）２−ＣＯＯ−ＣＨ２−、−（ＣＨ２）３−ＣＯＯ−ＣＨ２−、−（ＣＨ２）４−ＣＯＯ−ＣＨ２−、−（ＣＨ２）３−ＣＯＯ−（ＣＨ２）２−、−（ＣＨ２）４−ＣＯＯ−（ＣＨ２）２−、−（ＣＨ２）４−ＣＯＯ−（ＣＨ２）３−等が好ましく、−ＮＨ−ＣＨ２−、−ＮＨ−Ｃ２Ｈ４−、−ＮＨ−Ｃ３Ｈ６−、−ＮＨ−Ｃ４Ｈ８−−ＣＨ２−ＣＯＯ−ＣＨ２−、−（ＣＨ２）２−ＣＯＯ−（ＣＨ２）２−、−（ＣＨ２）３−ＣＯＯ−（ＣＨ２）３−、−（ＣＨ２）４−ＣＯＯ−（ＣＨ２）４−等がより好ましく、−ＮＨ−Ｃ２Ｈ４−、−（ＣＨ２）２−ＣＯＯ−（ＣＨ２）２−等が特に好ましい。
【０３３０】
一般式（III）におけるＡ２は、−Ｏ−が好ましい。
【０３３１】
一般式［III］で示される化合物は、下記一般式（III’）で示される化合物がより好ましい。
【０３３２】
0006662772.tif 000092
（式中、Ｒ１〜Ｒ４、Ｒ７、Ａ３０１及びＡｎ−は、上記と同じ。）
【０３３３】
上記Ｒ１〜Ｒ４、Ｒ７及びＡ３０１の好ましい組合せとしては、例えば、下記表１４記載のものが挙げられる。
尚、Ａ３０１欄におけるｐ１１は、１〜１２の整数を表し、ｐ１２及びｐ１３は、それぞれ独立して１〜４の整数を表す。尚、上記Ｒ１〜Ｒ４は、それぞれ独立するものであるが、同じ場合が好ましい。
【０３３４】
【表１４−１】
0006662772.tif 000093
【０３３５】
【表１４−２】
0006662772.tif 000094
【０３３６】
また、上記表中の組み合わせと合わせて用いられるＡｎ−としては、下記アニオンが挙げられる。
【０３３７】
0006662772.tif 000095
【０３３８】
（２）一般式（III）で示される化合物の製造方法
本発明に係る一般式（III）で示される化合物は、下記一般式（III−９）で示される化合物と下記一般式（III−１０）で示される化合物とを反応させた後、或いは、アミノナフタレンと下記一般式（III−１０）で示される化合物とを反応させた化合物に、下記一般式（III−２０）で示される化合物を反応させた後、酸化反応、塩交換反応を行うことにより製造される。
【０３３９】
0006662772.tif 000096
（式中、Ｒ７、Ｒ３０８〜Ｒ３１４、Ａ３０１、Ａ２は、上記と同じ。）、
【０３４０】
0006662772.tif 000097
（式中、Ｒ１〜Ｒ６は、上記と同じ。）
【０３４１】
0006662772.tif 000098
（式中、Ｒ３２０は、脱離基を表し、Ｒ７、Ａ３０１、Ａ２は、上記と同じ。）
【０３４２】
［一般式（III−９）で示される化合物と一般式（III−１０）で示される化合物の反応］
一般式（III−９）で示される化合物と一般式（III−１０）で示される化合物の反応においては、一般式（III−９）で示される化合物と下記一般式（III−１０）で示される化合物を、溶媒中、酸の存在下で通常５０〜８０℃、好ましくは６０〜８０℃で、通常１〜１０時間、好ましくは１〜５時間反応させればよい。
【０３４３】
該酸としては、硫酸、メタンスルホン酸、トリフルオロメタンスルホン酸、パラトルエンスルホン酸、カンファースルホン酸等が挙げられ、パラトルエンスルホン酸が好ましい。酸の使用量は、反応液中の濃度が１〜１０ｗ／ｖ％、好ましくは１〜５ｗ／ｖ％となる量である。
上記溶媒としては、テトラヒドロフラン（ＴＨＦ）、ジオキサン、アセトン、Ｎ，Ｎ−ジメチルホルムアミド（ＤＭＦ）、Ｎ−メチル−２−ピロリドン（ＮＭＰ）、トルエン、シクロヘキサン、ジクロロメタン、クロロホルム等の有機溶媒が挙げられるが、中でもＴＨＦ、トルエン等が好ましい。これらはそれぞれ単独でも或いは二種以上適宜組み合わせて用いてもよい。反応溶媒の使用量は、一般式（III−９）で示される化合物と一般式（III−１０）で示される化合物の総容量に対して、通常１〜５０倍量、好ましくは１〜２０倍量である。
【０３４４】
一般式（III−１０）で示される化合物の使用量は、一般式（III−９）で示される化合物１ｍｏｌに対して、１〜１．５ｍｏｌ量である。
また、上記一般式（III−９）で示される化合物と一般式（III−１０）で示される化合物の反応においては、自体公知の重合禁止剤を用いてもよい。該重合禁止剤としては、例えば、ハイドロキノン、メトキノン（ｐ−メトキシフェノール）、パラベンゾキノン、フェノチアジン、フェニレンジアミン等が挙げられる。該重合禁止剤の使用量は、通常この分野で用いられる範囲であればよい。
【０３４５】
上記一般式（III−９）で示される化合物の好ましい具体例としては、下記一般式（III−９’）で示される化合物が挙げられる。
【０３４６】
0006662772.tif 000099
（式中、Ｒ７及びＡ３０１は上記と同じ。）
【０３４７】
該一般式（III−９’）中のＲ７及びＡ３０１の好ましい組み合わせは、上記一般式（III−１’）で示される化合物中で記載した組み合わせに準じたものが挙げられる。
【０３４８】
上記一般式（III−１０）で示される化合物の好ましい具体例としては、下記一般式（III−１０’）で示される化合物が挙げられる。
【０３４９】
0006662772.tif 000100
（式中、Ｒ１〜Ｒ４は、上記と同じ。）
【０３５０】
該一般式（III−１０’）中のＲ１〜Ｒ４の好ましい組み合わせは、上記一般式（III−１’）で示される化合物中で記載した組み合わせに準じたものが挙げられる。
【０３５１】
［一般式（III−９）で示される化合物の製造方法］
上記一般式（III−９）で示される化合物は、例えば、以下の如く合成することができる。
即ち、下記一般式（III−９−１）で示される化合物と下記一般式（III−９−２）で示される化合物とを、脱水素反応に付すことにより、或いは下記一般式（III−９−１）で示される化合物と下記一般式（III−９−３）で示される化合物とを、脱水反応に付すことにより、合成される。
【０３５２】
0006662772.tif 000101
（式中、Ｒ３０８〜Ｒ３１４は、上記と同じ。）
【０３５３】
0006662772.tif 000102
（式中、Ｒ７及びＡ２は上記と同じ。Ａ３１１は、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基；−Ｏ−、−ＯＣＯ−、−ＣＯＯ−又はアリーレン基の少なくとも１つの基を鎖中に有する炭素数１〜２１のアルキレン基；ヒドロキシル基を置換基として有する炭素数１〜２１のアルキレン基；或いは炭素数１〜２１のアルキレン基を表す。）
【０３５４】
0006662772.tif 000103
（式中、Ｒ７及びＡ２は、上記と同じ。Ａ３１２は、−Ｎ（Ｒ３１５）−、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基；−Ｎ（Ｒ３１５）−、−Ｏ−、−ＯＣＯ−、−ＣＯＯ−又はアリーレン基の少なくとも１つの基を鎖中に有する炭素数１〜２１のアルキレン基；ヒドロキシル基を置換基として有する炭素数１〜２１のアルキレン基；或いは炭素数１〜２１のアルキレン基を表す。）
【０３５５】
上記一般式（III−９−２）で示される化合物のＡ３１１おける−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基としては、下記一般式（６−１’）で示される基（一般式（６−１）から−Ｎ（Ｒ３１５）−基を除いた基）、並びに上記Ａ３０１の項目で記載した一般式（６−３）及び（６−４）で示される基等が挙げられる。これらの具体例は、一般式（６−１）で示される基に準じたもの、並びに一般式（６−３）及び（６−４）で示される基で記載されたものが挙げられる。
【０３５６】
−Ｒ３５１−（ＣＨ２）p301−      （６−１’）
（式中、Ｒ３５１及びｐ301は、上記と同じ。）
【０３５７】
上記一般式（III−９−２）で示される化合物のＡ３１１における−Ｏ−、−ＯＣＯ−、−ＣＯＯ−又はアリーレン基の少なくとも１つの基を鎖中に有する炭素数１〜２１のアルキレン基は、上記Ａ３０１の項目で記載した一般式（III−７−５）〜（III−７−６）で示される基等が挙げられ、その具体例も、同じものが挙げられる。
上記一般式（III−９−２）で示される化合物のＡ３１１おけるヒドロキシル基を置換基として有する炭素数１〜２１のアルキレン基及び炭素数１〜２１のアルキレン基は、上記Ａ３０１の項で記載したものが挙げられ、その具体例も、同じものが挙げられる。
【０３５８】
上記一般式（III−９−３）で示される化合物のＡ３１２おける「−Ｎ（Ｒ３１５）−、−Ｏ−、−ＯＣＯ−、−ＣＯＯ−又はアリーレン基の少なくとも１つの基を鎖中に有し、且つ、ヒドロキシル基を置換基として有する炭素数１〜２１のアルキレン基」、「−Ｎ（Ｒ３１５）−、−Ｏ−、−ＯＣＯ−、−ＣＯＯ−又はアリーレン基の少なくとも１つの基を鎖中に有する炭素数１〜２１のアルキレン基」、「ヒドロキシル基を置換基として有する炭素数１〜２１のアルキレン基」及び「炭素数１〜２１のアルキレン基」は、上記Ａ３０１の項で記載したものと同じものが挙げられ、その具体例も、同じものが挙げられる。
【０３５９】
上記一般式一般式（III−９−１）で示される化合物と一般式（III−９−２）又は一般式（III−９−３）で示される化合物との反応は、溶媒中で通常２０〜５０℃、好ましくは３０〜４５℃で１０〜１８０分、好ましくは１０〜６０分行えばよい。
該溶媒は、上記の一般式（I−I）で示されるローダミン化合物と一般式（I−II）で示される化合物とを反応させる方法で用いられる溶媒と同じものが挙げられ、好ましいものも同じである。
これらは、それぞれ単独でも、或いは二種以上適宜組み合わせて用いてもよい。反応溶媒の使用量は、一般式（III−９−１）で示される化合物と一般式（III−９−２）又は一般式（III−９−３）で示される化合物の総容量に対して、通常１〜５０倍量、好ましくは１〜２０倍量である。
【０３６０】
一般式（III−９−２）又は一般式（III−９−３）で示される化合物の使用量は、一般式（III−９−１）で示される化合物１ｍｏｌに対して、通常１〜２ｍｏｌ量、好ましくは１〜１．５ｍｏｌ量である。
【０３６１】
［アミノナフタレンと一般式（III−１０）で示される化合物と一般式（III−２０）で示される化合物の反応］
反応スキームを下記に示す。
【０３６２】
0006662772.tif 000104
【０３６３】
アミノナフタレンと一般式（III−１０）で示される化合物の反応においては、アミノナフタレンと一般式（III−１０）で示される化合物を、酸水溶液中、通常６０〜１００℃、好ましくは８０〜１００℃で、通常１〜１０時間、好ましくは１〜５時間反応させればよい。
上記酸水溶液としては、塩酸水溶液、硫酸水溶液、硝酸水溶液等が挙げられ、中でも塩酸水溶液が好ましい。該酸水溶液の濃度は、通常、１〜４０％、好ましくは５〜１０％である。
この際、一般式（III−１０）で示される化合物の使用量は、アミノナフタレン１ｍｏｌに対して、１〜１．５ｍｏｌである。
【０３６４】
上記アミノナフタレンは、１−アミノナフタレンが好ましい。一般式（III−１０）で示される化合物の好ましい具体例としては、上記一般式（III−１０’）で示される化合物が挙げられる。
アミノナフタレンと一般式（III−１０）で示される化合物とを反応させた化合物（上記一般式（III−２１）で示される化合物）と一般式（III−２０）で示される化合物の反応は、溶媒中、通常−２０〜５０℃、好ましくは０〜３０℃で、通常１〜１０時間、好ましくは１〜２時間反応させればよい。
【０３６５】
上記溶媒としては、テトラヒドロフラン（ＴＨＦ）、ジオキサン、アセトン、Ｎ，Ｎ−ジメチルホルムアミド（ＤＭＦ）、Ｎ−メチル−２−ピロリドン（ＮＭＰ）、トルエン、シクロヘキサン、ジクロロメタン、クロロホルム等の有機溶媒が挙げられるが、中でも、ＴＨＦ、トルエン等が好ましい。これらは、それぞれ単独でも或いは二種以上適宜組み合わせて用いてもよい。反応溶媒の使用量は、一般式（III−２１）で示される化合物と一般式（III−２０）で示される化合物の総容量に対して、通常１〜５０倍量、好ましくは１〜２０倍量である。
【０３６６】
一般式（III−２０）で示される化合物の使用量は、一般式（III−２１）で示される化合物１ｍｏｌに対して１〜１．５ｍｏｌである。
上記一般式（III−２１）で示される化合物と一般式（III−２０）で示される化合物の反応においては、自体公知の重合禁止剤を用いてもよい。該重合禁止剤としては、例えばハイドロキノン、メトキノン（ｐ−メトキシフェノール）、パラベンゾキノン、フェノチアジン、フェニレンジアミン等が挙げられる。該重合禁止剤の使用量は、通常この分野で用いられる範囲であればよい。
【０３６７】
一般式（III−２０）のＲ３２０で示される脱離基としては、例えば、カルボニルオキシメチル基、カルボニルオキシエチル基、カルボニルオキシ−ｎ−プロピル基、カルボニルオキシイソプロピル基、カルボニルオキシ−ｎ−ブチル基、カルボニルオキシイソブチル基、カルボニルオキシ−ｔｅｒｔ−ブチル基等のカルボニルオキシアルキル基が挙げられ、中でも、カルボニルオキシイソブチル基、カルボニルオキシイソプロピル等が好ましく、カルボニルオキシイソブチル基がより好ましい。
【０３６８】
一般式（III−２０）で示される化合物の好ましい具体例としては、下記一般式（III−２０’）で示される化合物が挙げられる。
【０３６９】
0006662772.tif 000105
（式中、Ｒ３２０、Ｒ７、Ａ３０１は、上記と同じ。）
【０３７０】
該一般式（III−２０’）中のＲ７及びＡ３０１の好ましい組み合わせは、上記一般式（III−１’）で示される化合物中で記載した組み合わせに準じたものが挙げられる。
【０３７１】
一般式（III−２０）で示される化合物は、自体公知のクロロぎ酸エステルとの縮合反応により合成することができる。即ち、下記一般式（III−２０−１）で示される化合物と下記一般式（III−２０−２）で示される化合物とを塩基の存在下、溶媒中で通常１０〜３０℃で反応させればよい。尚、一般式（III−２０−１）中の、Ｒ７、Ａ３０１、Ａ２、Ｒ３２０は、上記と同じである。
【０３７２】
0006662772.tif 000106
【０３７３】
上記一般式（III−２０）で示される化合物の合成における塩基としては、例えば、アンモニア、エチルアミン、ジエチルアミン、ピリジン、トリエチルアミン、クヌクリジン、アニリン、ピリジン、ピロール等が挙げられ、トリエチルアミン等が好ましい。その使用量は、通常一般式（III−２０）で示される化合物１ｍｏｌに対して、１〜１．５ｍｏｌである。
上記一般式（III−２０）で示される化合物の合成における溶媒としては、アミノナフタレンと一般式（III−１０）で示される化合物の反応で記載した溶媒と同じものが挙げられる。
【０３７４】
［酸化反応］
一般式［III］で示される化合物の製造方法における酸化反応としては、一般式（III−９）で示される化合物と下記一般式（III−１０）で示される化合物とを反応させて得た化合物、或いは、アミノナフタレンと下記一般式（III−１０）で示される化合物とを反応させた化合物に、下記一般式（III−２０）で示される化合物を反応させて得た化合物（以下、これらを、本発明に係る製造方法のトリアリールメタン系化合物と略記する場合がある）を、酸化剤の存在下溶媒中で反応させることによりなされる。
【０３７５】
上記酸化反応は、通常１０〜４０℃、好ましくは２０〜３０℃で１〜４８時間、好ましくは６〜２４時間なされる。
上記酸化剤としては、例えば、クロラニル、ジクロロジシアノベンゾキノン、Ｎ−２，４，６−トリニトロフェニル−Ｎ’，Ｎ’−フェニルジヒドラジン等の有機酸化剤や、二酸化鉛、二酸化マンガン、過マンガン酸カリウム、クロム酸カリウム、二酸化セレン等の無機酸化剤等が挙げられる。また、クロラニルと金属錯体と過酸化水素を組み合わせた系でも実施できる。取り扱いやすさの面で、キノン系の酸化剤が好ましく、中でもクロラニルが好ましい。
該酸化剤の使用量は、本発明の製造方法に係るトリアリールメタン系化合物１ｍｏｌに対して、１〜５ｍｏｌ量であり、好ましくは１〜２ｍｏｌ量である。
【０３７６】
上記酸化反応においては、塩酸を共存させてクロル塩を経由するのが好ましい。該塩酸の使用量としては、本発明の製造方法に係るトリアリールメタン系化合物１ｍｏｌに対して、通常１〜５０ｍｏｌ、好ましくは１〜１０ｍｏｌである。
上記酸化反応において用いられる溶媒としては、上記一般式一般式（III−９−１）で示される化合物と一般式（III−９−２）で示される化合物との反応で用いられる溶媒と同じものが挙げられ、好ましいものも同じである。使用量は、本発明の製造方法に係るトリアリールメタン系化合物の総容量に対して、通常１〜５０倍量、好ましくは１〜２０倍量である。
【０３７７】
［塩交換反応］
一般式［III］で示される化合物の製造方法における塩交換反応としては、酸化反応に付した本発明の製造方法に係るトリアリールメタン系化合物に、本発明に係る電子吸引性の置換基を有するアリール基又はハロゲン化アルキル基を含むアニオンの塩を溶媒中で接触させることによりなされる。
塩交換反応は、通常１０〜５０℃、好ましくは２０〜３０℃で１〜１０時間、好ましくは１〜６時間なされる。
【０３７８】
本発明に係る電子吸引性の置換基を有するアリール基、電子吸引性の置換基を有するスルホニル基又はハロゲン化アルキル基を含むアニオンの塩としては、該アニオンと、ナトリウムの塩、カリウムの塩、リチウムの塩等が挙げられ、カリウム又はリチウムの塩が好ましい。本発明に係る電子吸引性の置換基を有するアリール基、電子吸引性の置換基を有するスルホニル基又はハロゲン化アルキル基を含むアニオンの塩の使用量は、酸化反応に付した本発明の製造方法に係るトリアリールメタン系化合物１ｍｏｌに対して、通常１ｍｏｌ量である。
【０３７９】
一般式［III］で示される化合物の製造方法においては、上記酸化反応と上記塩交換反応を、続けて行い、ワンステップで反応を行ってもよい。この場合、酸化反応後、該反応溶液に上記本発明に係る電子吸引性の置換基を有するアリール基、電子吸引性の置換基を有するスルホニル基又はハロゲン化アルキル基を含むアニオンの塩を等モル添加し、上記塩交換反応の温度及び時間で反応を行えばよい。
【０３８０】
２−４．一般式（IV）で示される化合物について
次に、前記のカチオン性トリアリールメタン系色素誘導体とエチレン性不飽和基とを有する化合物としての一般式（IV）で示される化合物の具体的な化合物、製法などについて、説明する。
【０３８１】
（１）一般式（IV）で示される化合物
本発明に係るカチオン性トリアリールメタン系色素誘導体とエチレン性不飽和基とを有する化合物としては、前記したように、具体的には、前記一般式（III）で示される化合物以外に、下記の一般式（IV）で示される化合物が挙げられる。
【０３８２】
0006662772.tif 000107
［一般式（IV）中、Ｒ１〜Ｒ７、Ａ１、Ａ２及びＡｎ−は、上記一般式（I）と同じであり、ｎ４個のＲ４０８は、それぞれ独立して、ハロゲン原子、炭素数１〜２１のアルキル基、炭素数６〜１０のアリール基、ヒドロキシル基、ニトロ基、スルホ基、又は炭素数１〜３のアルコキシ基を表し、ｎ４は、０〜４の整数を表す。］
【０３８３】
一般式（IV）のＲ１〜Ｒ４における炭素数１〜３０のアルキル基、炭素数１〜６のヒドロキシアルキル基、炭素数１〜６のスルホアルキル基、炭素数２〜７のカルボキシアルキル基、炭素数２〜７のシアノアルキル基、炭素数２〜６のアルコキシアルキル基、炭素数１〜６のハロゲノアルキル基、置換基を有するもしくは無置換のフェニル基、又は置換基を有するもしくは無置換のベンジル基の具体例及び好ましいものは、上記一般式（II）のＲ１〜Ｒ４記載のものと同じである。
【０３８４】
一般式（IV）におけるＲ１〜Ｒ４としては、炭素数１〜３０のアルキル基が好ましく、炭素数１〜６のアルキル基がより好ましい。具体的には、メチル基、エチル基、プロピル基、イソプロピル基、ブチル基、ペンチル基、ヘキシル基が好ましく、メチル基、エチル基、プロピル基がより好ましく、メチル基、エチル基が特に好ましい。
【０３８５】
一般式（IV）のＲ５及びＲ６は、水素原子又はメチル基を表し、水素原子が好ましい。
また、一般式（IV）のＲ７は、水素原子又はメチル基を表し、メチル基が好ましい。
さらに、一般式（IV）のＲ４０８におけるハロゲン原子としては、フッ素原子、塩素原子、臭素原子、ヨウ素原子等が挙げられ、中でも臭素原子が好ましい。
【０３８６】
一般式（IV）のＲ４０８における炭素数１〜２１のアルキル基としては、一般式（III）のＲ３０８〜Ｒ３１３における炭素数１〜２１のアルキル基と同じものが挙げられ、好ましいものも同じである。
【０３８７】
一般式（IV）のＲ４０８における炭素数６〜１０のアリール基としては、フェニル基、ナフチル基等が挙げられ、フェニル基が好ましい。
また、一般式（IV）のＲ４０８における炭素数１〜３のアルコキシ基としては、メトキシ基、エトキシ基、ｎ−プロポキシ基、イソプロポキシ基等が挙げられる。
また、一般式（IV）のＲ４０８としては、ハロゲン原子、ヒドロキシル基、ニトロ基及び炭素数１〜３のアルコキシ基が好ましい。
さらに、一般式（IV）のｎ４としては、０〜１が好ましく、０がより好ましい。
【０３８８】
一般式（IV）のＡ１における、「−Ｏ−、−ＯＣＯ−、−ＣＯＯ−及びアリーレン基から選ばれる少なくとも１つの基を鎖中に有する炭素数１〜２１のアルキレン基」及び「−Ｏ−、−ＯＣＯ−、−ＣＯＯ−及びアリーレン基から選ばれる少なくとも１つの基をその鎖中に有し、且つ、ヒドロキシル基を置換基として有する炭素数１〜２１のアルキレン基」におけるアリーレン基としては、フェニレン基、ナフチレン基が挙げられ、フェニレン基が好ましい。
【０３８９】
一般式（IV）のＡ１における、「−Ｏ−、−ＯＣＯ−、−ＣＯＯ−及びアリーレン基から選ばれる少なくとも１つの基を鎖中に有する炭素数１〜２１のアルキレン基」、「−Ｏ−、−ＯＣＯ−、−ＣＯＯ−及びアリーレン基から選ばれる少なくとも１つの基をその鎖中に有し、且つ、ヒドロキシル基を置換基として有する炭素数１〜２１のアルキレン基」、「ヒドロキシル基を置換基として有する炭素数１〜２１のアルキレン基」及び「炭素数１〜２１のアルキレン基」における、炭素数１〜２１のアルキレン基としては、一般式（１−３）のＡ１−２における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」と、同じものが挙げられ、好ましいものも同じである。
【０３９０】
一般式（IV）のＡ１における、「−Ｏ−、−ＯＣＯ−、−ＣＯＯ−及びアリーレン基から選ばれる少なくとも１つの基を鎖中に有する炭素数１〜２１のアルキレン基」としては、例えば下記一般式（IV−２１−１）及び（IV−２１−２）で示される基等が挙げられる。
【０３９１】
−（Ｒ４５１−Ｏ）h401−Ｒ４５２−      （IV−２１−１）
（式中、Ｒ４５１及びＲ４５２はそれぞれ独立して、直鎖状又は分枝状の炭素数１〜４のアルキレン基を表し、ｈ401は、１〜９の整数を表す。ただし、式中の炭素数の総数は、１〜２１である。）
−（ＣＨ２）h402−ＯＣＯ−Ｒ４５３−ＣＯＯ−（ＣＨ２）h403−  （IV−２１−２）
（式中、Ｒ４５３は、フェニレン基又は炭素数１〜７のアルキレン基を表し、ｈ402及びｈ403はそれぞれ独立して、１〜３の整数を表す。）
【０３９２】
一般式（IV−２１−１）のＲ４５１及びＲ４５２における直鎖状又は分枝状の炭素数１〜４のアルキレン基としては、具体的には、例えば、メチレン基、エチレン基、メチルメチレン基、プロピレン基、メチルエチレン基、ブチレン基、メチルプロピレン基等が挙げられ、エチレン基、メチルエチレン基が好ましい。
【０３９３】
一般式（IV−２１−１）で示される基としては、具体的には、例えば、−ＣＨ２ＣＨ２−Ｏ−ＣＨ２ＣＨ２−、−（ＣＨ２ＣＨ２−Ｏ）２−ＣＨ２ＣＨ２−、−（ＣＨ２ＣＨ２−Ｏ）３−ＣＨ２ＣＨ２−、−（ＣＨ２ＣＨ２−Ｏ）４−ＣＨ２ＣＨ２−、−（ＣＨ２ＣＨ２−Ｏ）５−ＣＨ２ＣＨ２−、−（ＣＨ２ＣＨ２−Ｏ）６−ＣＨ２ＣＨ２−、−（ＣＨ２ＣＨ２−Ｏ）７−ＣＨ２ＣＨ２−、−（ＣＨ２ＣＨ２−Ｏ）８−ＣＨ２ＣＨ２−、−（ＣＨ２ＣＨ２−Ｏ）９−ＣＨ２ＣＨ２−、−ＣＨ２ＣＨ（ＣＨ３）−Ｏ−ＣＨ２ＣＨ（ＣＨ３）−、−（ＣＨ２ＣＨ（ＣＨ３）−Ｏ）２−ＣＨ２ＣＨ（ＣＨ３）−、−（ＣＨ２ＣＨ（ＣＨ３）−Ｏ）３−ＣＨ２ＣＨ（ＣＨ３）−、−（ＣＨ２ＣＨ（ＣＨ３）−Ｏ）４−ＣＨ２ＣＨ（ＣＨ３）−、−（ＣＨ２ＣＨ（ＣＨ３）−Ｏ）５−ＣＨ２ＣＨ（ＣＨ３）−、−（ＣＨ２ＣＨ（ＣＨ３）−Ｏ）６−ＣＨ２ＣＨ（ＣＨ３）−、−ＣＨ（ＣＨ３）ＣＨ２−Ｏ−ＣＨ（ＣＨ３）ＣＨ２−、−（ＣＨ（ＣＨ３）ＣＨ２−Ｏ）２−ＣＨ（ＣＨ３）ＣＨ２−、−（ＣＨ（ＣＨ３）ＣＨ２−Ｏ）３−ＣＨ（ＣＨ３）ＣＨ２−、−（ＣＨ（ＣＨ３）ＣＨ２−Ｏ）４−ＣＨ（ＣＨ３）ＣＨ２−、−（ＣＨ（ＣＨ３）ＣＨ２−Ｏ）５−ＣＨ（ＣＨ３）ＣＨ２−、−（ＣＨ（ＣＨ３）ＣＨ２−Ｏ）６−ＣＨ（ＣＨ３）ＣＨ２−、−ＣＨ（ＣＨ３）ＣＨ２−Ｏ−ＣＨ２ＣＨ（ＣＨ３）−等が挙げられる。
【０３９４】
一般式（IV−２１−２）のＲ４５３における炭素数１〜７のアルキレン基としては、具体的には、例えば、メチレン基、エチレン基、プロピレン基、ブチレン基、ペンチレン基、へキシレン基、へプチレン基、シクロブチレン基、シクロペンチレン基、シクロへキシレン基、シクロへプチレン基等が挙げられる。
【０３９５】
一般式（IV−２１−２）で示される基としては、具体的には、例えば、−ＣＨ２−Ｏ−ＣＯ−ＣＨ２−ＣＯ−Ｏ−ＣＨ２−、−ＣＨ２−Ｏ−ＣＯ−（ＣＨ２）２−ＣＯ−Ｏ−ＣＨ２−、−ＣＨ２−Ｏ−ＣＯ−（ＣＨ２）３−ＣＯ−Ｏ−ＣＨ２−、−ＣＨ２−Ｏ−ＣＯ−（ＣＨ２）４−ＣＯ−Ｏ−ＣＨ２−、−ＣＨ２−Ｏ−ＣＯ−（ＣＨ２）５−ＣＯ−Ｏ−ＣＨ２−、−ＣＨ２−Ｏ−ＣＯ−（ＣＨ２）６−ＣＯ−Ｏ−ＣＨ２−、−ＣＨ２−Ｏ−ＣＯ−（ＣＨ２）７−ＣＯ−Ｏ−ＣＨ２−、−（ＣＨ２）２−Ｏ−ＣＯ−ＣＨ２−ＣＯ−Ｏ−（ＣＨ２）２−、−（ＣＨ２）２−Ｏ−ＣＯ−（ＣＨ２）２−ＣＯ−Ｏ−（ＣＨ２）２−、−（ＣＨ２）２−Ｏ−ＣＯ−（ＣＨ２）３−ＣＯ−Ｏ−（ＣＨ２）２−、−（ＣＨ２）２−Ｏ−ＣＯ−（ＣＨ２）４−ＣＯ−Ｏ−（ＣＨ２）２−、−（ＣＨ２）２−Ｏ−ＣＯ−（ＣＨ２）５−ＣＯ−Ｏ−（ＣＨ２）２−、−（ＣＨ２）２−Ｏ−ＣＯ−（ＣＨ２）６−ＣＯ−Ｏ−（ＣＨ２）２−、−（ＣＨ２）２−Ｏ−ＣＯ−（ＣＨ２）７−ＣＯ−Ｏ−（ＣＨ２）２−、−（ＣＨ２）３−Ｏ−ＣＯ−ＣＨ２−ＣＯ−Ｏ−（ＣＨ２）３−、−（ＣＨ２）３−Ｏ−ＣＯ−（ＣＨ２）２−ＣＯ−Ｏ−（ＣＨ２）３−、−（ＣＨ２）３−Ｏ−ＣＯ−（ＣＨ２）３−ＣＯ−Ｏ−（ＣＨ２）３−、−（ＣＨ２）３−Ｏ−ＣＯ−（ＣＨ２）４−ＣＯ−Ｏ−（ＣＨ２）３−、−（ＣＨ２）３−Ｏ−ＣＯ−（ＣＨ２）５−ＣＯ−Ｏ−（ＣＨ２）３−、−（ＣＨ２）３−Ｏ−ＣＯ−（ＣＨ２）６−ＣＯ−Ｏ−（ＣＨ２）３−、−（ＣＨ２）３−Ｏ−ＣＯ−（ＣＨ２）７−ＣＯ−Ｏ−（ＣＨ２）３−、−ＣＨ２−Ｏ−ＣＯ−Ｃ６Ｈ４−ＣＯ−Ｏ−ＣＨ２−、−（ＣＨ２）２−Ｏ−ＣＯ−Ｃ６Ｈ４−ＣＯ−Ｏ−（ＣＨ２）２−、−（ＣＨ２）３−Ｏ−ＣＯ−Ｃ６Ｈ４−ＣＯ−Ｏ−（ＣＨ２）３−、−ＣＨ２−Ｏ−ＣＯ−Ｃ６Ｈ１０−ＣＯ−Ｏ−ＣＨ２−、−（ＣＨ２）２−Ｏ−ＣＯ−Ｃ６Ｈ１０−ＣＯ−Ｏ−（ＣＨ２）２−、−（ＣＨ２）３−Ｏ−ＣＯ−Ｃ６Ｈ１０−ＣＯ−Ｏ−（ＣＨ２）３−等が挙げられ、
中でも、−ＣＨ２−Ｏ−ＣＯ−ＣＨ２−ＣＯ−Ｏ−ＣＨ２−、−ＣＨ２−Ｏ−ＣＯ−（ＣＨ２）２−ＣＯ−Ｏ−ＣＨ２−、−ＣＨ２−Ｏ−ＣＯ−（ＣＨ２）３−ＣＯ−Ｏ−ＣＨ２−、−ＣＨ２−Ｏ−ＣＯ−（ＣＨ２）４−ＣＯ−Ｏ−ＣＨ２−、−ＣＨ２−Ｏ−ＣＯ−（ＣＨ２）５−ＣＯ−Ｏ−ＣＨ２−、−ＣＨ２−Ｏ−ＣＯ−（ＣＨ２）６−ＣＯ−Ｏ−ＣＨ２−、−ＣＨ２−Ｏ−ＣＯ−（ＣＨ２）７−ＣＯ−Ｏ−ＣＨ２−、−（ＣＨ２）２−Ｏ−ＣＯ−ＣＨ２−ＣＯ−Ｏ−（ＣＨ２）２−、−（ＣＨ２）２−Ｏ−ＣＯ−（ＣＨ２）２−ＣＯ−Ｏ−（ＣＨ２）２−、−（ＣＨ２）２−Ｏ−ＣＯ−（ＣＨ２）３−ＣＯ−Ｏ−（ＣＨ２）２−、−（ＣＨ２）２−Ｏ−ＣＯ−（ＣＨ２）４−ＣＯ−Ｏ−（ＣＨ２）２−、−（ＣＨ２）２−Ｏ−ＣＯ−（ＣＨ２）５−ＣＯ−Ｏ−（ＣＨ２）２−、−（ＣＨ２）２−Ｏ−ＣＯ−（ＣＨ２）６−ＣＯ−Ｏ−（ＣＨ２）２−、−（ＣＨ２）２−Ｏ−ＣＯ−（ＣＨ２）７−ＣＯ−Ｏ−（ＣＨ２）２−、−（ＣＨ２）３−Ｏ−ＣＯ−ＣＨ２−ＣＯ−Ｏ−（ＣＨ２）３−、−（ＣＨ２）３−Ｏ−ＣＯ−（ＣＨ２）２−ＣＯ−Ｏ−（ＣＨ２）３−、−（ＣＨ２）３−Ｏ−ＣＯ−（ＣＨ２）３−ＣＯ−Ｏ−（ＣＨ２）３−、−（ＣＨ２）３−Ｏ−ＣＯ−（ＣＨ２）４−ＣＯ−Ｏ−（ＣＨ２）３−、−（ＣＨ２）３−Ｏ−ＣＯ−（ＣＨ２）５−ＣＯ−Ｏ−（ＣＨ２）３−、−（ＣＨ２）３−Ｏ−ＣＯ−（ＣＨ２）６−ＣＯ−Ｏ−（ＣＨ２）３−、−（ＣＨ２）３−Ｏ−ＣＯ−（ＣＨ２）７−ＣＯ−Ｏ−（ＣＨ２）３−、が好ましく、
−（ＣＨ２）２−Ｏ−ＣＯ−ＣＨ２−ＣＯ−Ｏ−（ＣＨ２）２−、−（ＣＨ２）２−Ｏ−ＣＯ−（ＣＨ２）２−ＣＯ−Ｏ−（ＣＨ２）２−、−（ＣＨ２）２−Ｏ−ＣＯ−（ＣＨ２）３−ＣＯ−Ｏ−（ＣＨ２）２−、−（ＣＨ２）２−Ｏ−ＣＯ−（ＣＨ２）４−ＣＯ−Ｏ−（ＣＨ２）２−、−（ＣＨ２）２−Ｏ−ＣＯ−（ＣＨ２）５−ＣＯ−Ｏ−（ＣＨ２）２−、−（ＣＨ２）２−Ｏ−ＣＯ−（ＣＨ２）６−ＣＯ−Ｏ−（ＣＨ２）２−、−（ＣＨ２）２−Ｏ−ＣＯ−（ＣＨ２）７−ＣＯ−Ｏ−（ＣＨ２）２−、がより好ましく、
−（ＣＨ２）２−Ｏ−ＣＯ−（ＣＨ２）２−ＣＯ−Ｏ−（ＣＨ２）２−が特に好ましい。
【０３９６】
一般式（IV）のＡ１における、「−Ｏ−、−ＯＣＯ−、−ＣＯＯ−及びアリーレン基から選ばれる少なくとも１つの基を鎖中に有し、且つ、ヒドロキシル基を置換基として有する炭素数１〜２１のアルキレン基」としては、例えば、下記一般式（IV−２２−１）及び（IV−２２−２）で示される基等が挙げられる。
【０３９７】
−Ｒ４５４−（ＣＨ２）h404−      （IV−２２−１）
（式中、Ｒ４５４は、ヒドロキシル基を置換基として有する炭素数６〜１０のアリーレン基を表し、ｈ404は、１〜４の整数を表す。）
−Ｒ４５５−Ｙ４０１−（ＣＨ２）h405−      （IV−２２−２）
（式中、Ｒ４５５は、ヒドロキシル基を置換基として有する炭素数１〜７のアルキレン基又はヒドロキシル基を置換基として有する炭素数６〜１０のアリーレン基を表し、Ｙ４０１は、−Ｏ−、−ＯＣＯ−又は−ＣＯＯ−を表し、ｈ405は、２〜４の整数を表す。）
【０３９８】
上記一般式（IV−２２−１）のＲ４５４におけるヒドロキシル基を置換基として有する炭素数６〜１０のアリーレン基としては、ヒドロキシフェニレン基、ジヒドロキシフェニレン基、ヒドロキシナフチレン基、ジヒドロキシナフチレン基等が挙げられる。
【０３９９】
一般式（IV−２２−１）で示される基の好ましい具体例としては、例えば、−Ｃ６Ｈ３（ＯＨ）−ＣＨ２−、−Ｃ６Ｈ３（ＯＨ）−（ＣＨ２）２−、−Ｃ６Ｈ３（ＯＨ）−（ＣＨ２）３−、−Ｃ６Ｈ３（ＯＨ）−（ＣＨ２）４−、−Ｃ６Ｈ２（ＯＨ）２−ＣＨ２−、−Ｃ６Ｈ２（ＯＨ）２−（ＣＨ２）２−、−Ｃ６Ｈ２（ＯＨ）２−（ＣＨ２）３−、−Ｃ６Ｈ２（ＯＨ）２−（ＣＨ２）４−等が挙げられる。
【０４００】
上記一般式（IV−２２−２）のＲ４５５におけるヒドロキシル基を置換基として有する炭素数１〜７のアルキレン基としては、ヒドロキシメチレン基、ヒドロキシエチレン基、ヒドロキシプロピレン基、ヒドロキシブチレン基、ヒドロキシペンチレン基、ヒドロキシへキシレン基、ヒドロキシシクロブチレン基、ヒドロキシシクロペンチレン基、ヒドロキシシクロへキシレン基、ヒドロキシシクロへプチレン基等が挙げられる。
また、上記一般式（IV−２２−２）のＲ４５５におけるヒドロキシル基を置換基として有する炭素数６〜１０のアリーレン基としては、上記一般式（IV−２２−１）のＲ４５４におけるヒドロキシル基を置換基として有する炭素数６〜１０のアリーレン基と同じものが挙げられる。
【０４０１】
一般式（IV−２２−２）で示される基の好ましい具体例としては、例えば、−ＣＨ２−ＣＨ（ＯＨ）−ＣＨ２−Ｏ−（ＣＨ２）２−、−ＣＨ２−ＣＨ（ＯＨ）−ＣＨ２−Ｏ−（ＣＨ２）３−、−ＣＨ２−ＣＨ（ＯＨ）−ＣＨ２−Ｏ−（ＣＨ２）４−、−ＣＨ２−ＣＨ（ＯＨ）−ＣＨ２−ＯＣＯ−（ＣＨ２）２−、−ＣＨ２−ＣＨ（ＯＨ）−ＣＨ２−ＯＣＯ−（ＣＨ２）３−、−ＣＨ２−ＣＨ（ＯＨ）−ＣＨ２−ＯＣＯ−（ＣＨ２）４−、−ＣＨ２−ＣＨ（ＯＨ）−ＣＨ２−ＣＯＯ−（ＣＨ２）２−、−ＣＨ２−ＣＨ（ＯＨ）−ＣＨ２−ＣＯＯ−（ＣＨ２）３−、−ＣＨ２−ＣＨ（ＯＨ）−ＣＨ２−ＣＯＯ−（ＣＨ２）４−等が挙げられる。
【０４０２】
一般式（IV）のＡ１における「ヒドロキシル基を置換基として有する炭素数１〜２１のアルキレン基」としては、例えば、下記一般式（IV−２３−１）で示される基等が挙げられる。
【０４０３】
−Ｒ４５６−（ＣＨ２）h406−      （IV−２３−１）
（式中、Ｒ４５６は、ヒドロキシル基を置換基として有する炭素数１〜７のアルキレン基を表し、ｈ406は、１〜４の整数を表す。）
【０４０４】
上記一般式（IV−２３−１）のＲ４５６におけるヒドロキシル基を置換基として有する炭素数１〜７のアルキレン基としては、上記一般式（IV−２２−２）のＲ４５５におけるヒドロキシル基を置換基として有する炭素数１〜７のアルキレン基と同じものが挙げられる。
【０４０５】
上記一般式（IV−２３−１）で示される基としては、具体的には、例えば、−ＣＨ２−ＣＨ（ＯＨ）−ＣＨ２−、−ＣＨ２−ＣＨ（ＯＨ）−（ＣＨ２）２−、−ＣＨ２−ＣＨ（ＯＨ）−（ＣＨ２）３−、−ＣＨ２−ＣＨ（ＯＨ）−（ＣＨ２）４−、−Ｃ６Ｈ９（ＯＨ）−ＣＨ２−、−Ｃ６Ｈ９（ＯＨ）−（ＣＨ２）２−、−Ｃ６Ｈ９（ＯＨ）−（ＣＨ２）３−、−Ｃ６Ｈ９（ＯＨ）−（ＣＨ２）４−等が挙げられる。
【０４０６】
一般式（IV）におけるＡ１としては、炭素数１〜２１のアルキレン基が好ましい。中でも、メチレン基、エチレン基、プロピレン基、ブチレン基、ペンチレン基、ヘキシレン基等が好ましく、メチレン基、エチレン基、プロピレン基がより好ましく、エチレン基が特に好ましい。
また、一般式（IV）におけるＡ２は、−Ｏ−が好ましい。
【０４０７】
一般式（IV）において、トリアリールメタン誘導体の基本骨格中のフェニル基に結合する下記一般式（IV−１−１）で示される基は、該フェニル基のオルト位、メタ位、パラ位のいずれに位置していてもよく、パラ位が好ましい。
具体的には、一般式（IV−１−１）で示される基がトリアリールメタン誘導体の基本骨格中のフェニル基に対し、下記一般式（IV−１−２）で示される化合物のように結合しているものが好ましい。
【０４０８】
0006662772.tif 000108
（式中、Ｒ７、Ａ１及びＡ２は、上記と同じ。）
【０４０９】
0006662772.tif 000109
（式中、Ｒ１〜Ｒ７、Ｒ４０８、ｎ４、Ａ１、Ａ２及びＡｎ−は、上記と同じ。）
【０４１０】
本発明に係るの化合物の好ましい具体例としては、下記一般式（IV’）で示される化合物が挙げられる。
【０４１１】
0006662772.tif 000110
（式中、Ｒ’１〜Ｒ’４はそれぞれ独立して、炭素数１〜３０のアルキル基を表し、Ｒ５〜Ｒ７、Ａ１及びＡｎ−は、上記と同じ。）
【０４１２】
一般式（IV’）のＲ’１〜Ｒ’４における炭素数１〜３０のアルキル基としては、一般式（IV）のＲ１〜Ｒ４における炭素数１〜３０のアルキル基と同じものが挙げられ、好ましいものも同じである。
また、一般式（IV’）におけるＲ’１〜Ｒ’４としては、炭素数１〜６のアルキル基が好ましい。具体的には、メチル基、エチル基、プロピル基、イソプロピル基、ブチル基、ペンチル基、ヘキシル基が好ましく、メチル基、エチル基、プロピル基がより好ましく、メチル基、エチル基が特に好ましい。
【０４１３】
一般式（IV’）で示される化合物の中でも好ましい具体例としては、下記一般式（IV’’）で示される化合物が挙げられる。
【０４１４】
0006662772.tif 000111
（式中、Ａ’１は、炭素数１〜２１のアルキレン基を表し、Ａｎ’−は、ハロゲノ基を有するアリール基、ハロゲノ基を有するスルホニル基又はハロゲン化アルキル基を含むアニオンを表し、Ｒ’１〜Ｒ’４及びＲ７は、上記と同じ。）
【０４１５】
一般式（IV’’）のＡ’１における炭素数１〜２１のアルキレン基としては、一般式（IV）のＡ１における炭素数１〜２１のアルキレン基と同じものが挙げられ、好ましいものも同じである。
また、一般式（IV’’）のＡｎ’−で示されるハロゲノ基を有するアリール基、ハロゲノ基を有するスルホニル基又はハロゲン化アルキル基を含むアニオンとしては、一般式（II’’）のＡｎ’−と同じであり、好ましいものも同じである。
【０４１６】
一般式（IV’’）におけるＲ’１〜Ｒ’４、Ｒ７及びＡ’１の好ましい組合せとしては、例えば、下記表１５記載のものが挙げられる。
【０４１７】
【表１５】
0006662772.tif 000112
【０４１８】
また、上記表中の組み合わせと合わせて用いられるＡｎ’−としては、下記のものが挙げられる。
【０４１９】
0006662772.tif 000113
【０４２０】
（２）一般式（IV）で示される化合物の製造方法
本発明に係る一般式（IV）で示される化合物は、下記の反応［IV-1］〜［IV-4］を順に行うことにより製造される。
反応［IV-1］：下記一般式（IV−３１）で示される化合物と下記一般式（IV−３２）で示される化合物とを反応させる。
反応［IV-2］：反応［IV-1］で得られた化合物にさらに下記一般式（IV−３３）で示される化合物を反応させて、下記一般式（IV−３４）で示される化合物を得る。
反応［IV-3］：一般式（IV−３４）で示される化合物と下記一般式（IV−３５）で示される化合物とを脱水縮合剤存在下で反応させて、下記一般式（IV−３６）で示されるトリアリールメタン系化合物を得る。
反応［IV-4］：一般式（IV−３６）で示されるトリアリールメタン系化合物に、酸化反応及び塩交換反応を行い、一般式（IV）で示される化合物を得る。
【０４２１】
0006662772.tif 000114
（式中、Ｒ１〜Ｒ４０８、ｎ４、Ａ１、Ａ２及びＡｎ−は、上記と同じ。）
【０４２２】
上記反応［IV-1］においては、一般式（IV−３１）で示される化合物と一般式（IV−３２）で示される化合物を、溶媒中、酸触媒存在下で通常８０〜１５０℃、好ましくは１００〜１３０℃で、通常１〜２４時間、好ましくは５〜１５時間反応させればよい。
上記酸触媒としては、硫酸、メタンスルホン酸、トリフルオロメタンスルホン酸、パラトルエンスルホン酸、カンファースルホン酸等が挙げられ、パラトルエンスルホン酸が好ましい。酸触媒の使用量は、一般式（IV−３１）で示される化合物のｍｏｌ数に対して、通常０．１〜１０当量、好ましくは０．５〜２当量である。
上記溶媒としては、ジエチルケトン、メチルイソブチルケトン（ＭＩＢＫ）等のケトン類、ジイソプロピルエーテルなどのエーテル類等の有機溶媒が挙げられ、中でも、ＭＩＢＫが好ましい。これらは、それぞれ単独でも、或いは二種以上適宜組み合わせて用いてもよい。反応溶媒の使用量は、一般式（IV−３１）で示される化合物と一般式（IV−３２）で示される化合物の総重量に対して、通常１〜２０倍、好ましくは１〜５倍である。
【０４２３】
一般式（IV−３２）で示される化合物の使用量は、一般式（IV−３１）で示される化合物のｍｏｌ数に対して、通常１〜３当量、好ましくは１〜２当量である。
【０４２４】
一般式（IV−３１）で示される化合物の具体例としては、下記のものが挙げられる。
【０４２５】
0006662772.tif 000115
【０４２６】
一般式（IV−３２）で示される化合物としては、例えば、Ｎ−メチルアニリン、Ｎ−エチルアニリン、Ｎ−プロピルアニリン、Ｎ，Ｎ−ジメチルアニリン、Ｎ，Ｎ−ジエチルアニリン、Ｎ，Ｎ−ジプロピルアニリン、Ｎ，Ｎ−ジメチル−ｏ−トルイジン、Ｎ，Ｎ−ジエチル−ｏ−トルイジン、Ｎ，Ｎ−ジプロピル−ｏ−トルイジン等が挙げられ、Ｎ−メチルアニリン、Ｎ−エチルアニリン、Ｎ−プロピルアニリン、Ｎ，Ｎ−ジメチルアニリン、Ｎ，Ｎ−ジエチルアニリン、Ｎ，Ｎ−ジプロピルアニリンが好ましく、Ｎ，Ｎ−ジエチルアニリンがより好ましい。
【０４２７】
上記反応［IV-2］においては、上記反応［IV-1］で得られた化合物と一般式（IV−３３）で示される化合物を、上述した反応［IV-1］における反応条件（反応溶媒、酸触媒、反応温度、反応時間、各使用量）と同様の反応条件下で、反応させればよい。
【０４２８】
一般式（IV−３３）で示される化合物の具体例としては、一般式（IV−３２）で示される化合物の具体例と同じものが挙げられ、好ましいものも同じである。
【０４２９】
上記反応［IV-1］及び［IV-2］において、一般式（IV−３２）で示される化合物と一般式（IV−３３）で示される化合物が同一の化合物である場合、一般式（IV−３２）で示される化合物と一般式（IV−３３）で示される化合物を同時に加え、一度の反応操作により一般式（IV−３４）で示される化合物を得てもよい。この場合、一般式（IV−３２）で示される化合物及び一般式（IV−３３）で示される化合物のそれぞれの使用量としては、上述した一般式（IV−３２）で示される化合物の使用量と同じであり、好ましい使用量も同じである。また、反応条件（反応溶媒、酸触媒、反応温度、反応時間、各使用量）についても、上述した反応［IV-1］と同じ反応条件下で反応させればよい。
【０４３０】
上記反応［IV-3］においては、一般式（IV−３４）で示される化合物と下記一般式（IV−３５）で示される化合物を、溶媒中、脱水縮合剤の存在下で通常０〜８０℃、好ましくは１０〜５０℃で、通常１〜２４時間、好ましくは３〜１８時間反応させればよい。
上記溶媒は、上記の一般式（I−I）で示されるローダミン化合物と一般式（I−II）で示される化合物とを反応させる方法で用いられる溶媒と同じものが挙げられ、好ましいものも同じである。これらは、それぞれ単独でも或いは二種以上適宜組み合わせて用いてもよい。反応溶媒の使用量は、一般式（IV−３４）で示される化合物と一般式（IV−３５）で示される化合物の総重量に対して、通常１〜５０倍、好ましくは５〜１０倍である。
【０４３１】
上記脱水縮合剤としては、上記一般式（I−I）で示されるローダミン化合物と一般式（I−II）で示される化合物とを反応させる方法で用いられる脱水縮合剤と同じものが挙げられ、好ましいものも同じである。該脱水縮合剤の使用量は、一般式（IV−３４）で示される化合物のｍｏｌ数に対して、通常１〜２０当量、好ましくは１〜１０当量である。上記反応［IV-3］においては、脱水縮合剤の効率を向上させるために、ジメチルアミノピリジン等の触媒を用いてもよい。該触媒の使用量は、一般式（IV−３４）で示される化合物のｍｏｌ数に対して、通常０．１〜１０当量である。
【０４３２】
一般式（IV−３５）で示される化合物の使用量は、一般式（IV−３４）で示される化合物のｍｏｌ数に対して、通常１〜２当量、好ましくは１〜１．５当量である。
【０４３３】
一般式（IV−３５）で示される化合物の好ましい具体例としては、例えば、下記のものが挙げられる。
【０４３４】
0006662772.tif 000116
【０４３５】
［酸化反応］
上記反応［IV-4］における酸化反応としては、一般式（IV−３６）で示されるトリアリールメタン系化合物を、溶媒中、酸化剤の存在下で、通常０〜８０℃、好ましくは１０〜５０℃で、通常１〜３６時間、好ましくは６〜２４時間反応させることによりなされる。
上記酸化剤としては、上記一般式（III）で示される化合物の製造方法における［酸化反応］の項目で記載しているものと同じものが挙げられ、好ましいものも同じである。該酸化剤の使用量は、一般式（IV−３６）で示されるトリアリールメタン系化合物のｍｏｌ数に対して、通常１〜５当量であり、好ましくは１〜２当量である。
【０４３６】
上記酸化反応においては、塩酸を共存させてクロル塩を経由するのが好ましい。該塩酸の使用量としては、一般式（IV−３６）で示されるトリアリールメタン系化合物のｍｏｌ数に対して、通常１〜５０当量、好ましくは１〜１０当量である。
上記酸化反応において用いられる溶媒としては、上記反応［IV-3］において用いられる溶媒と同じものが挙げられ、好ましいものも同じである。反応溶媒の使用量は、一般式（IV−３６）で示されるトリアリールメタン系化合物の総重量に対して、通常１〜１００倍量、好ましくは３０〜７０倍量である。
【０４３７】
［塩交換反応］
上記反応［IV-4］における塩交換反応としては、酸化反応に付した一般式（IV−３６）で示されるトリアリールメタン系化合物に、本発明に係るアニオンの塩を溶媒中で接触させることによりなされる。
【０４３８】
塩交換反応は、通常０〜８０℃、好ましくは１０〜５０℃で、通常１〜２４時間、好ましくは１〜８時間なされる。
上記塩交換反応における本発明に係るアニオンの塩としては、本発明に係るアニオンと、ナトリウムの塩、カリウムの塩、リチウムの塩等が挙げられ、カリウム又はリチウムの塩が好ましい。本発明に係るアニオンの塩の使用量は、酸化反応に付した一般式（IV−３６）で示されるトリアリールメタン系化合物のｍｏｌ数に対して、通常１〜２当量、好ましくは１〜１．５当量である。
【０４３９】
上記反応［IV-4］においては、上記酸化反応と上記塩交換反応を続けて行い、ワンステップで反応を行ってもよい。この場合、酸化反応後、該反応溶液に上記本発明に係るアニオンの塩を上記範囲の量を添加し、上記塩交換反応の温度及び時間で反応を行えばよい。
【０４４０】
上記反応［IV-1］〜［IV-4］における反応時の圧力は、一連の反応が滞りなく実施されれば特に制限はなく、例えば常圧で行えばよい。
上記反応［IV-1］〜［IV-4］における反応後に得られる反応物及び生成物は、必要に応じて、通常この分野で行われる一般的な後処理操作及び精製操作により単離してもよい。具体的には例えば、ろ過、洗浄、抽出、減圧濃縮、再結晶、蒸留、カラムクロマトグラフィ−等を行うことによって得られた反応物及び生成物を単離してもよい。
【０４４１】
２−５．一般式（V）で示される化合物について
次に、前記のカチオン性シアニン系色素誘導体とエチレン性不飽和基とを有する化合物としての一般式（V）で示される化合物の具体的な化合物、製法などについて、説明する。
【０４４２】
（１）一般式（V）で示される化合物
本発明に係るカチオン性シアニン系色素誘導体とエチレン性不飽和基とを有する化合物としては、前記したように、具体的には、下記の一般式（V）で示される化合物が挙げられる。
【０４４３】
0006662772.tif 000117
［一般式（V）中、Ａ１、Ａ２及びＡｎ−は、上記一般式（I）と同じであり、Ｒ５０１〜Ｒ５０４及びＲ５０８〜Ｒ５１１は、それぞれ独立して、水素原子、ニトロ基、ハロゲノ基、シアノ基、アミド基、カルボキシル基、炭素数１〜６のアルキル基、炭素数１〜６のアルコキシ基、炭素数２〜４のアルキルオキシカルボニル基、炭素数２〜４のアルキルカルボニルオキシ基、又は炭素数７〜１０のアリールカルボニル基を表す。Ｒ５０５及びＲ５０６は、それぞれ独立して、水素原子、炭素数１〜６のアルキル基、炭素数７〜１３のアリールアルキル基、又は、フェニル基の置換基として、炭素数１〜６のアルキル基、ニトロ基、ハロゲノ基若しくはシアノ基を有する、炭素数７〜９のフェニルアルキル基を表す。Ｒ５０７は、水素原子、炭素数１〜６のアルキル基、炭素数７〜１３のアリールアルキル基、置換基として、炭素数１〜６のアルコキシ基、ヒドロキシル基、カルボキシル基、ハロゲノ基、シアノ基、アミド基若しくは炭素数２〜４のアルキルオキシカルボニル基を有する、炭素数１〜６のアルキル基、又は、フェニル基の置換基として、炭素数１〜６のアルコキシ基、ハロゲノ基若しくはアミド基を有する、炭素数７〜９のフェニルアルキル基を表す。Ｒ５１２は、水素原子又はメチル基を表す。］
【０４４４】
一般式（V）のＲ５０１〜Ｒ５０４及びＲ５０８〜Ｒ５１１における炭素数１〜６のアルキル基は、一般式（II）のＲ９における炭素数１〜６のアルキル基と同じものが挙げられ、好ましいものも同じである。
【０４４５】
一般式（V）のＲ５０１〜Ｒ５０４及びＲ５０８〜Ｒ５１１における炭素数１〜６のアルコキシ基としては、直鎖状でも分枝状でも環状でもよく、直鎖状が好ましい。その炭素数は１〜３が好ましい。具体的には例えば、メトキシ基、エトキシ基、プロポキシ基、ブトキシ基、ｔ−ブトキシ基、ヘキシルオキシ基等が挙げられ、メトキシ基、エトキシ基、プロポキシ基等が好ましい。
【０４４６】
一般式（V）のＲ５０１〜Ｒ５０４及びＲ５０８〜Ｒ５１１における炭素数２〜４のアルキルオキシカルボニル基としては、直鎖状でも分枝状でも環状でもよく、直鎖状が好ましい。具体的には例えば、メチルオキシカルボニル基、エチルオキシカルボニル基、プロピルオキシカルボニル基等が挙げられる。
また、一般式（V）のＲ５０１〜Ｒ５０４及びＲ５０８〜Ｒ５１１における炭素数２〜４のアルキルカルボニルオキシ基としては、直鎖状でも分枝状でも環状でもよく、直鎖状が好ましい。具体的には例えば、メチルカルボニルオキシ基、エチルカルボニルオキシ基、プロピルカルボニルオキシ基等が挙げられる。
さらに、一般式（V）のＲ５０１〜Ｒ５０４及びＲ５０８〜Ｒ５１１における炭素数７〜１０のアリールカルボニル基としては、例えば、フェニルカルボニル基、ナフチルカルボニル基等が挙げられ、フェニルカルボニル基が好ましい。
【０４４７】
一般式（V）のＲ５０１〜Ｒ５０４の好ましい具体例としては、それぞれ独立して水素原子又は炭素数１〜６のアルキル基が挙げられ、中でも水素原子が好ましく、全て水素原子が好ましい。
また、一般式（V）のＲ５０８〜Ｒ５１１の好ましい具体例としては、それぞれ独立して水素原子又は炭素数１〜６のアルキル基が挙げられ、中でも水素原子が好ましく、全て水素原子が好ましい。
【０４４８】
一般式（V）のＲ５０５及びＲ５０６における炭素数１〜６のアルキル基としては、一般式（II）のＲ９における炭素数１〜６のアルキル基と同じものが挙げられ、好ましいものも同じである。
また、一般式（V）のＲ５０５及びＲ５０６における炭素数７〜１３のアリールアルキル基としては、例えば、ベンジル基、フェニルエチル基、フェニルプロピル基、ナフチルメチル基、ナフチルエチル基、ナフチルプロピル基等が挙げられ、ベンジル基が好ましい。
【０４４９】
一般式（V）のＲ５０５及びＲ５０６におけるフェニル基の置換基としての炭素数１〜６のアルキル基としては、上記一般式（V）のＲ５における炭素数１〜６のアルキル基と同じものが挙げられ、好ましいものも同じである。
また、一般式（V）のＲ５０５及びＲ５０６におけるフェニル基の置換基としてのハロゲノ基としては、フルオロ基、クロロ基、ブロモ基、ヨード基が挙げられる。
【０４５０】
一般式（V）のＲ５０５及びＲ５０６における置換基を有する炭素数７〜９のフェニルアルキル基のフェニルアルキル基としては、ベンジル基、フェニルエチル基、フェニルプロピル基等が挙げられ、ベンジル基が好ましい。尚、上記７〜９の炭素数は、置換基の炭素数を含まない。本明細書では、以下同様に、置換基を有する基の炭素数は、置換基の炭素数を含まない数を表す。
また、一般式（V）のＲ５０５及びＲ５０６における置換基を有する炭素数７〜９のフェニルアルキル基としては、具体的には例えばメチルベンジル基、エチルベンジル基、プロピルベンジル基、ニトロベンジル基、ジニトロベンジル基、フルオロベンジル基、クロロベンジル基、ブロモベンジル基、ヨードベンジル基、シアノベンジル基、アミドベンジル基等が挙げられる。
【０４５１】
一般式（V）のＲ５０５及びＲ５０６の好ましい具体例としては、それぞれ独立して水素原子又は炭素数１〜６のアルキル基が挙げられ、中でもメチル基、エチル基、プロピル基が好ましく、両方メチル基が特に好ましい。
【０４５２】
一般式（V）のＲ５０７における炭素数１〜６のアルキル基としては、上記一般式（V）のＲ５における炭素数１〜６のアルキル基と同じものが挙げられ、好ましいものも同じである。
また、一般式（V）のＲ５０７における炭素数７〜１３のアリールアルキル基としては、上記一般式（V）のＲ５及びＲ６における炭素数７〜１３のアリールアルキル基と同じものが挙げられ、好ましいものも同じである。
【０４５３】
一般式（V）のＲ５０７における炭素数１〜６のアルキル基の置換基としての炭素数１〜６のアルコキシ基としては、一般式（V）のＲ５０１〜Ｒ５０４及びＲ５０８〜Ｒ５１１における炭素数１〜６のアルコキシ基と同じものが挙げられ、好ましいものも同じである。
また、一般式（V）のＲ５０７における炭素数１〜６のアルキル基の置換基としてのハロゲノ基としては、フルオロ基、クロロ基、ブロモ基、ヨード基が挙げられる。
【０４５４】
一般式（V）のＲ５０７における炭素数１〜６のアルキル基の置換基としての炭素数２〜４のアルキルオキシカルボニル基としては、直鎖状でも分枝状でも環状でもよく、直鎖状が好ましい。具体的には、例えば、メチルオキシカルボニル基、エチルオキシカルボニル基、プロピルオキシカルボニル基等が挙げられる。
また、一般式（V）のＲ５０７における置換基を有する炭素数１〜６のアルキル基のアルキル基としては、上記一般式（V）のＲ５０５における炭素数１〜６のアルキル基と同じものが挙げられ、好ましいものも同じである。
【０４５５】
一般式（V）のＲ５０７における置換基を有する炭素数１〜６のアルキル基としては、具体的には、例えば、メトキシメチル基、エトキシメチル基、プロポキシメチル基、メトキシエチル基、エトキシエチル基、プロポキシエチル基、ヒドロキシメチル基、ヒドロキシエチル基、ヒドロキシプロピル基、カルボキシメチル基、カルボキシエチル基、カルボキシプロピル基、フルオロメチル基、フルオロエチル基、フルオロプロピル基、クロロメチル基、クロロエチル基、クロロプロピル基、ブロモメチル基、ブロモエチル基、ブロモプロピル基、ヨードメチル基、ヨードエチル基、ヨードプロピル基、シアノメチル基、シアノエチル基、シアノプロピル基、アミドメチル基、アミドエチル基、アミドプロピル基、メチルオキシカルボニルメチル基、メチルオキシカルボニルエチル基、エチルオキシカルボニルメチル基、エチルオキシカルボニルエチル基が挙げられる。
【０４５６】
一般式（V）のＲ５０７における炭素数７〜９のフェニルアルキル基の置換基としての炭素数１〜６のアルコキシ基としては、一般式（V）のＲ５０１〜Ｒ５０４及びＲ５０８〜Ｒ５１１における炭素数１〜６のアルコキシ基と同じものが挙げられ、好ましいものも同じである。
また、一般式（V）のＲ５０７における炭素数７〜９のフェニルアルキル基の置換基としてのハロゲノ基としては、フルオロ基、クロロ基、ブロモ基、ヨード基が挙げられる。
さらに、一般式（V）のＲ５０７における炭素数７〜９のフェニルアルキル基のフェニルアルキル基としては、ベンジル基、フェニルエチル基、フェニルプロピル基等が挙げられ、ベンジル基が好ましい。
【０４５７】
一般式（V）のＲ５０７における置換基を有する炭素数７〜９のフェニルアルキル基としては、メトキシベンジル基、エトキシベンジル基、プロピルオキシベンジル基、フルオロベンジル基、クロロベンジル基、ブロモベンジル基、ヨードベンジル基、アミドベンジル基等が挙げられる。
また、一般式（V）のＲ５０７としては、炭素数１〜６のアルキル基が好ましく、中でも、メチル基、エチル基、ｎ−プロピル基が好ましい。
【０４５８】
一般式（V）のＡ１中の炭素数１〜２１のアルキレン鎖が鎖中に有するアリーレン基としては、フェニレン基、ナフチレン基が挙げられ、フェニレン基が好ましい。
また、一般式（V）のＡ１における、「−Ｏ−、−ＯＣＯ−、−ＣＯＯ−及びアリーレン基からなる群から選ばれる少なくとも１つの基をその鎖中に有する炭素数１〜２１のアルキレン基」、「−Ｏ−、−ＯＣＯ−、−ＣＯＯ−及びアリーレン基からなる群から選ばれる少なくとも１つの基を鎖中に有し、且つ、ヒドロキシル基を置換基として有する炭素数１〜２１のアルキレン基」、「ヒドロキシル基を置換基として有する炭素数１〜２１のアルキレン基」及び「炭素数１〜２１のアルキレン基」における、炭素数１〜２１のアルキレン基は、一般式（II）のＡ１における炭素数１〜２１のアルキレン基と同じものが挙げられ、好ましいものも同じである。
【０４５９】
一般式（V）のＡ１における「−Ｏ−、−ＯＣＯ−、−ＣＯＯ−及びアリーレン基からなる群から選ばれる少なくとも１つの基を鎖中に有する炭素数１〜２１のアルキレン基」としては、例えば、下記一般式（V−６−１）〜（V−６−４）で示される基等が挙げられる。
【０４６０】
−Ｒ５５１−Ｘ５０１−Ｒ５５１−      （V−６−１）
（式中、２つのＲ５５１は、それぞれ独立して、炭素数１〜１０のアルキレン基を表し、Ｘ５０１は−Ｏ−、−ＯＣＯ−、ＣＯＯ−又はアリーレン基を表す。）
−Ｒ５５１−Ｘ５０１−Ｒ５５１−Ｘ５０１−Ｒ５５１−      （V−６−２）
（式中、３つのＲ５５１は、それぞれ独立して上記と同じものを表し、Ｘ１は上記と同じ。）
−Ｒ５５１−（Ｃ２Ｈ４Ｏ）p507−Ｒ５５１−      （V−６−３）
（式中、２つのＲ５５１は、それぞれ独立して上記と同じものを表し、ｐ507は、１〜９の整数を表す。）
−Ｒ５５１−（ＣＨ２ＣＨ（ＣＨ３）Ｏ）p509−Ｒ５５１−      （V−６−４）
（式中、２つのＲ５５１は、それぞれ独立して上記と同じものを表し、ｐ509は、１〜９の整数を表す。）
【０４６１】
上記一般式（V−６−１）のＲ５５１における炭素数１〜１０のアルキレン基としては、炭素数１〜６のものが好ましく、炭素数１〜３のものがより好ましい。具体的には、例えばメチレン基、エチレン基、プロピレン基、メチルエチレン基、ブチレン基、１−メチルプロピレン基、２−メチルプロピレン基、ペンチレン基、メチルブチレン基、１，２−ジメチルプロピレン基、１−エチルプロピレン基、ヘキシレン基、メチルペンチレン基、ｎ−へプチレン基、ｎ−オクチレン基、ｎ−ノニレン基、ｎ−デシレン基、シクロペンチレン基、シクロへキシレン基、シクロへプチレン基等が挙げられ、メチレン基、エチレン基、プロピレン基がより好ましく、エチレン基が特に好ましい。
【０４６２】
上記一般式（V−６−１）で示される基としては、具体的には、例えば、下記一般式が挙げられる（式中、Ｘ５１１は−Ｏ−、−ＯＣＯ−、ＣＯＯ−又はアリーレン基を表す）。
−ＣＨ２−Ｘ５１１−ＣＨ２−
−ＣＨ２−Ｘ５１１−Ｃ２Ｈ４−
−ＣＨ２−Ｘ５１１−Ｃ３Ｈ６−
−ＣＨ２−Ｘ５１１−Ｃ４Ｈ８−
−ＣＨ２−Ｘ５１１−Ｃ５Ｈ１０−
−ＣＨ２−Ｘ５１１−Ｃ６Ｈ１２−
−Ｃ２Ｈ４−Ｘ５１１−ＣＨ２−
−Ｃ２Ｈ４−Ｘ５１１−Ｃ２Ｈ４−
−Ｃ２Ｈ４−Ｘ５１１−Ｃ３Ｈ６−
−Ｃ２Ｈ４−Ｘ５１１−Ｃ４Ｈ８−
−Ｃ２Ｈ４−Ｘ５１１−Ｃ５Ｈ１０−
−Ｃ２Ｈ４−Ｘ５１１−Ｃ６Ｈ１２−
−Ｃ３Ｈ６−Ｘ５１１−ＣＨ２−
−Ｃ３Ｈ６−Ｘ５１１−Ｃ２Ｈ４−
−Ｃ３Ｈ６−Ｘ５１１−Ｃ４Ｈ８−
−Ｃ３Ｈ６−Ｘ５１１−Ｃ５Ｈ１０−
−Ｃ３Ｈ６−Ｘ５１１−Ｃ６Ｈ１２−
−Ｃ２Ｈ４−Ｘ５１１−Ｃ６Ｈ１０−
−Ｃ３Ｈ６−Ｘ５１１−Ｃ６Ｈ１０−
【０４６３】
一般式（V−６−１）で示される基のより具体定的な好ましい具体例としては、下記式のものが挙げられる。
−ＣＨ２−ＯＣＯ−ＣＨ２−
−ＣＨ２−ＯＣＯ−Ｃ２Ｈ４−
−ＣＨ２−ＯＣＯ−Ｃ３Ｈ６−
−ＣＨ２−ＯＣＯ−Ｃ４Ｈ８−
−ＣＨ２−ＯＣＯ−Ｃ５Ｈ１０−
−ＣＨ２−ＯＣＯ−Ｃ６Ｈ１２−
−Ｃ２Ｈ４−ＯＣＯ−ＣＨ２−
−Ｃ２Ｈ４−ＯＣＯ−Ｃ２Ｈ４−
−Ｃ２Ｈ４−ＯＣＯ−Ｃ３Ｈ６−
−Ｃ２Ｈ４−ＯＣＯ−Ｃ４Ｈ８−
−Ｃ２Ｈ４−ＯＣＯ−Ｃ５Ｈ１０−
−Ｃ２Ｈ４−ＯＣＯ−Ｃ６Ｈ１２−
−Ｃ３Ｈ６−ＯＣＯ−ＣＨ２−
−Ｃ３Ｈ６−ＯＣＯ−Ｃ２Ｈ４−
−Ｃ３Ｈ６−ＯＣＯ−Ｃ４Ｈ８−
−Ｃ３Ｈ６−ＯＣＯ−Ｃ５Ｈ１０−
−Ｃ３Ｈ６−ＯＣＯ−Ｃ６Ｈ１２−
−Ｃ２Ｈ４−ＯＣＯ−Ｃ６Ｈ１０−
−Ｃ３Ｈ６−ＯＣＯ−Ｃ６Ｈ１０−
【０４６４】
一般式（V−６−２）で示される基の好ましい具体例としては、例えば、下記一般式が挙げられる（式中、Ｘ５１１は、それぞれ独立して−Ｏ−、−ＯＣＯ−、ＣＯＯ−又はフェニレン基を表す。）。
−ＣＨ２−Ｘ５１１−Ｃ２Ｈ４−Ｘ５１１−ＣＨ２−
−ＣＨ２−Ｘ５１１−Ｃ２Ｈ４−Ｘ５１１−Ｃ２Ｈ４−
−Ｃ２Ｈ４−Ｘ５１１−Ｃ２Ｈ４−Ｘ５１１−ＣＨ２−
−Ｃ２Ｈ４−Ｘ５１１−Ｃ２Ｈ４−Ｘ５１１−Ｃ２Ｈ４−
−Ｃ２Ｈ４−Ｘ５１１−Ｃ２Ｈ４−Ｘ５１１−Ｃ３Ｈ６−
−Ｃ２Ｈ４−Ｘ５１１−Ｃ２Ｈ４−Ｘ５１１−Ｃ４Ｈ８−
−Ｃ２Ｈ４−Ｘ５１１−Ｃ２Ｈ４−Ｘ５１１−Ｃ５Ｈ１０−
−Ｃ２Ｈ４−Ｘ５１１−Ｃ２Ｈ４−Ｘ５１１−Ｃ６Ｈ１２−
−Ｃ３Ｈ６−Ｘ５１１−Ｃ２Ｈ４−Ｘ５１１−ＣＨ２−
−Ｃ３Ｈ６−Ｘ５１１−Ｃ２Ｈ４−Ｘ５１１−Ｃ２Ｈ４−
−Ｃ３Ｈ６−Ｘ５１１−Ｃ２Ｈ４−Ｘ５１１−Ｃ３Ｈ６−
−Ｃ３Ｈ６−Ｘ５１１−Ｃ２Ｈ４−Ｘ５１１−Ｃ４Ｈ８−
−Ｃ３Ｈ６−Ｘ５１１−Ｃ２Ｈ４−Ｘ５１１−Ｃ５Ｈ１０−
−Ｃ３Ｈ６−Ｘ５１１−Ｃ２Ｈ４−Ｘ５１１−Ｃ６Ｈ１２−
−Ｃ４Ｈ８−Ｘ５１１−Ｃ２Ｈ４−Ｘ５１１−ＣＨ２−
−Ｃ４Ｈ８−Ｘ５１１−Ｃ２Ｈ４−Ｘ５１１−Ｃ２Ｈ４−
−Ｃ４Ｈ８−Ｘ５１１−Ｃ２Ｈ４−Ｘ５１１−Ｃ３Ｈ６−
−Ｃ４Ｈ８−Ｘ５１１−Ｃ２Ｈ４−Ｘ５１１−Ｃ４Ｈ８−
−Ｃ４Ｈ８−Ｘ５１１−Ｃ２Ｈ４−Ｘ５１１−Ｃ５Ｈ１０−
−Ｃ４Ｈ８−Ｘ５１１−Ｃ２Ｈ４−Ｘ５１１−Ｃ６Ｈ１２−
−Ｃ５Ｈ１０−Ｘ５１１−Ｃ２Ｈ４−Ｘ５１１−ＣＨ２−
−Ｃ５Ｈ１０−Ｘ５１１−Ｃ２Ｈ４−Ｘ５１１−Ｃ２Ｈ４−
−Ｃ５Ｈ１０−Ｘ５１１−Ｃ２Ｈ４−Ｘ５１１−Ｃ３Ｈ６−
−Ｃ５Ｈ１０−Ｘ５１１−Ｃ２Ｈ４−Ｘ５１１−Ｃ４Ｈ８−
−Ｃ５Ｈ１０−Ｘ５１１−Ｃ２Ｈ４−Ｘ５１１−Ｃ５Ｈ１０−
−Ｃ５Ｈ１０−Ｘ５１１−Ｃ２Ｈ４−Ｘ５１１−Ｃ６Ｈ１２−
−Ｃ６Ｈ１２−Ｘ５１１−Ｃ２Ｈ４−Ｘ５１１−ＣＨ２−
−Ｃ６Ｈ１２−Ｘ５１１−Ｃ２Ｈ４−Ｘ５１１−Ｃ２Ｈ４−
−Ｃ６Ｈ１２−Ｘ５１１−Ｃ２Ｈ４−Ｘ５１１−Ｃ３Ｈ６−
−Ｃ６Ｈ１２−Ｘ５１１−Ｃ２Ｈ４−Ｘ５１１−Ｃ４Ｈ８−
−Ｃ６Ｈ１２−Ｘ５１１−Ｃ２Ｈ４−Ｘ５１１−Ｃ５Ｈ１０−
−Ｃ６Ｈ１２−Ｘ５１１−Ｃ２Ｈ４−Ｘ５１１−Ｃ６Ｈ１２−
−ＣＨ２−Ｘ５１１−Ｃ３Ｈ６−Ｘ５１１−ＣＨ２−
−Ｃ２Ｈ４−Ｘ５１１−Ｃ３Ｈ６−Ｘ５１１−Ｃ２Ｈ４−
−Ｃ２Ｈ４−Ｘ５１１−Ｃ３Ｈ６−Ｘ５１１−Ｃ３Ｈ６−
−Ｃ２Ｈ４−Ｘ５１１−Ｃ３Ｈ６−Ｘ５１１−Ｃ４Ｈ８−
−Ｃ２Ｈ４−Ｘ５１１−Ｃ３Ｈ６−Ｘ５１１−Ｃ５Ｈ１０−
−Ｃ２Ｈ４−Ｘ５１１−Ｃ３Ｈ６−Ｘ５１１−Ｃ６Ｈ１２−
−Ｃ３Ｈ６−Ｘ５１１−Ｃ３Ｈ６−Ｘ５１１−Ｃ２Ｈ４−
−Ｃ３Ｈ６−Ｘ５１１−Ｃ３Ｈ６−Ｘ５１１−Ｃ３Ｈ６−
−Ｃ３Ｈ６−Ｘ５１１−Ｃ３Ｈ６−Ｘ５１１−Ｃ４Ｈ８−
−Ｃ３Ｈ６−Ｘ５１１−Ｃ３Ｈ６−Ｘ５１１−Ｃ５Ｈ１０−
−Ｃ３Ｈ６−Ｘ５１１−Ｃ３Ｈ６−Ｘ５１１−Ｃ６Ｈ１２−
−Ｃ４Ｈ８−Ｘ５１１−Ｃ３Ｈ６−Ｘ５１１−Ｃ４Ｈ８−
−Ｃ５Ｈ１０−Ｘ５１１−Ｃ３Ｈ６−Ｘ５１１−Ｃ５Ｈ１０−
−Ｃ６Ｈ１２−Ｘ５１１−Ｃ３Ｈ６−Ｘ５１１−Ｃ６Ｈ１２−
−Ｃ２Ｈ４−Ｘ５１１−ＣＨ２−Ｘ５１１−Ｃ２Ｈ４−
−Ｃ２Ｈ４−Ｘ５１１−Ｃ４Ｈ８−Ｘ５１１−Ｃ２Ｈ４−
−Ｃ２Ｈ４−Ｘ５１１−Ｃ５Ｈ１０−Ｘ５１１−Ｃ２Ｈ４−
−Ｃ２Ｈ４−Ｘ５１１−Ｃ６Ｈ１２−Ｘ５１１−Ｃ２Ｈ４−
−Ｃ２Ｈ４−Ｘ５１１−Ｃ６Ｈ１０−Ｘ５１１−Ｃ２Ｈ４−
【０４６５】
一般式（V−６−２）で示される基のより具体定的な好ましい具体例としては、下記式が挙げられる。
−ＣＨ２−ＯＣＯ−Ｃ２Ｈ４−ＣＯＯ−Ｃ２Ｈ４−
−ＣＨ２−ＯＣＯ−Ｃ３Ｈ６−ＣＯＯ−Ｃ３Ｈ６−
−Ｃ４Ｈ８−ＯＣＯ−Ｃ２Ｈ４−ＣＯＯ−ＣＨ２−
−Ｃ４Ｈ８−ＯＣＯ−Ｃ２Ｈ４−ＣＯＯ−Ｃ２Ｈ４−
−Ｃ４Ｈ８−ＯＣＯ−Ｃ２Ｈ４−ＣＯＯ−Ｃ３Ｈ６−
−Ｃ４Ｈ８−ＯＣＯ−Ｃ２Ｈ４−ＣＯＯ−Ｃ４Ｈ８−
−Ｃ４Ｈ８−ＯＣＯ−Ｃ２Ｈ４−ＣＯＯ−Ｃ５Ｈ１０−
−Ｃ４Ｈ８−ＯＣＯ−Ｃ２Ｈ４−ＣＯＯ−Ｃ６Ｈ１２−
−Ｃ５Ｈ１０−ＯＣＯ−Ｃ２Ｈ４−ＣＯＯ−ＣＨ２−
−Ｃ５Ｈ１０−ＯＣＯ−Ｃ２Ｈ４−ＣＯＯ−Ｃ２Ｈ４−
−Ｃ５Ｈ１０−ＯＣＯ−Ｃ２Ｈ４−ＣＯＯ−Ｃ３Ｈ６−
−Ｃ５Ｈ１０−ＯＣＯ−Ｃ２Ｈ４−ＣＯＯ−Ｃ４Ｈ８−
−Ｃ５Ｈ１０−ＯＣＯ−Ｃ２Ｈ４−ＣＯＯ−Ｃ５Ｈ１０−
−Ｃ５Ｈ１０−ＯＣＯ−Ｃ２Ｈ４−ＣＯＯ−Ｃ６Ｈ１２−
−Ｃ６Ｈ１２−ＯＣＯ−Ｃ２Ｈ４−ＣＯＯ−ＣＨ２−
−Ｃ６Ｈ１２−ＯＣＯ−Ｃ２Ｈ４−ＣＯＯ−Ｃ２Ｈ４−
−Ｃ６Ｈ１２−ＯＣＯ−Ｃ２Ｈ４−ＣＯＯ−Ｃ３Ｈ６−
−Ｃ６Ｈ１２−ＯＣＯ−Ｃ２Ｈ４−ＣＯＯ−Ｃ４Ｈ８−
−Ｃ６Ｈ１２−ＯＣＯ−Ｃ２Ｈ４−ＣＯＯ−Ｃ５Ｈ１０−
−Ｃ６Ｈ１２−ＯＣＯ−Ｃ２Ｈ４−ＣＯＯ−Ｃ６Ｈ１２−
−ＣＨ２−ＯＣＯ−Ｃ３Ｈ６−ＣＯＯ−ＣＨ２−
−Ｃ２Ｈ４−ＯＣＯ−Ｃ３Ｈ６−ＣＯＯ−Ｃ２Ｈ４−
−Ｃ２Ｈ４−ＯＣＯ−Ｃ３Ｈ６−ＣＯＯ−Ｃ３Ｈ６−
−Ｃ２Ｈ４−ＯＣＯ−Ｃ３Ｈ６−ＣＯＯ−Ｃ４Ｈ８−
−Ｃ２Ｈ４−ＯＣＯ−Ｃ３Ｈ６−ＣＯＯ−Ｃ５Ｈ１０−
−Ｃ２Ｈ４−ＯＣＯ−Ｃ３Ｈ６−ＣＯＯ−Ｃ６Ｈ１２−
−Ｃ３Ｈ６−ＯＣＯ−Ｃ３Ｈ６−ＣＯＯ−Ｃ２Ｈ４−
−Ｃ３Ｈ６−ＯＣＯ−Ｃ３Ｈ６−ＣＯＯ−Ｃ３Ｈ６−
−Ｃ３Ｈ６−ＯＣＯ−Ｃ３Ｈ６−ＣＯＯ−Ｃ４Ｈ８−
−Ｃ３Ｈ６−ＯＣＯ−Ｃ３Ｈ６−ＣＯＯ−Ｃ５Ｈ１０−
−Ｃ３Ｈ６−ＯＣＯ−Ｃ３Ｈ６−ＣＯＯ−Ｃ６Ｈ１２−
−Ｃ４Ｈ８−ＯＣＯ−Ｃ３Ｈ６−ＣＯＯ−Ｃ４Ｈ８−
−Ｃ５Ｈ１０−ＯＣＯ−Ｃ３Ｈ６−ＣＯＯ−Ｃ５Ｈ１０−
−Ｃ６Ｈ１２−ＯＣＯ−Ｃ３Ｈ６−ＣＯＯ−Ｃ６Ｈ１２−
−Ｃ２Ｈ４−ＯＣＯ−ＣＨ２−ＣＯＯ−Ｃ２Ｈ４−
−Ｃ２Ｈ４−ＯＣＯ−Ｃ４Ｈ８−ＣＯＯ−Ｃ２Ｈ４−
−Ｃ２Ｈ４−ＯＣＯ−Ｃ５Ｈ１０−ＣＯＯ−Ｃ２Ｈ４−
−Ｃ２Ｈ４−ＯＣＯ−Ｃ６Ｈ１２−ＣＯＯ−Ｃ２Ｈ４−
−Ｃ２Ｈ４−ＯＣＯ−Ｃ６Ｈ１０−ＣＯＯ−Ｃ２Ｈ４−
【０４６６】
一般式（V−６−３）で示される基の好ましい具体例としては、例えば、下記一般式が挙げられる（式中、ｐ507は上記と同じ。）。
−ＣＨ２−（Ｃ２Ｈ４Ｏ）p507−ＣＨ２−
−ＣＨ２−（Ｃ２Ｈ４Ｏ）p507−Ｃ２Ｈ４−
−ＣＨ２−（Ｃ２Ｈ４Ｏ）p507−Ｃ３Ｈ６−
−Ｃ２Ｈ４−（Ｃ２Ｈ４Ｏ）p507−ＣＨ２−
−Ｃ２Ｈ４−（Ｃ２Ｈ４Ｏ）p507−Ｃ２Ｈ４−
−Ｃ２Ｈ４−（Ｃ２Ｈ４Ｏ）p507−Ｃ３Ｈ６−
−Ｃ２Ｈ４−（Ｃ２Ｈ４Ｏ）p507−Ｃ４Ｈ８−
−Ｃ２Ｈ４−（Ｃ２Ｈ４Ｏ）p507−Ｃ５Ｈ１０−
−Ｃ２Ｈ４−（Ｃ２Ｈ４Ｏ）p507−Ｃ６Ｈ１２−
−Ｃ２Ｈ４−（Ｃ２Ｈ４Ｏ）p507−ＣＨ２−
−Ｃ２Ｈ４−（Ｃ２Ｈ４Ｏ）p507−Ｃ２Ｈ４−
−Ｃ２Ｈ４−（Ｃ２Ｈ４Ｏ）p507−Ｃ３Ｈ６−
−Ｃ３Ｈ６−（Ｃ２Ｈ４Ｏ）p507−ＣＨ２−
−Ｃ３Ｈ６−（Ｃ２Ｈ４Ｏ）p507−Ｃ２Ｈ４−
−Ｃ３Ｈ６−（Ｃ２Ｈ４Ｏ）p507−Ｃ３Ｈ６−
【０４６７】
一般式（６−４）で示される基の好ましい具体例としては、例えば、下記一般式が挙げられる（式中、ｐ509は上記と同じ。）。
−ＣＨ２−（ＣＨ２ＣＨ（ＣＨ３）Ｏ）p509−ＣＨ２−
−ＣＨ２−（ＣＨ２ＣＨ（ＣＨ３）Ｏ）p509−Ｃ２Ｈ４−
−ＣＨ２−（ＣＨ２ＣＨ（ＣＨ３）Ｏ）p509−Ｃ３Ｈ６−
−Ｃ２Ｈ４−（ＣＨ２ＣＨ（ＣＨ３）Ｏ）p509−ＣＨ２−
−Ｃ２Ｈ４−（ＣＨ２ＣＨ（ＣＨ３）Ｏ）p509−Ｃ２Ｈ４−
−Ｃ２Ｈ４−（ＣＨ２ＣＨ（ＣＨ３）Ｏ）p509−Ｃ３Ｈ６−
−Ｃ２Ｈ４−（ＣＨ２ＣＨ（ＣＨ３）Ｏ）p509−Ｃ４Ｈ８−
−Ｃ２Ｈ４−（ＣＨ２ＣＨ（ＣＨ３）Ｏ）p509−Ｃ５Ｈ１０−
−Ｃ２Ｈ４−（ＣＨ２ＣＨ（ＣＨ３）Ｏ）p509−Ｃ６Ｈ１２−
−Ｃ２Ｈ４−（ＣＨ２ＣＨ（ＣＨ３）Ｏ）p509−ＣＨ２−
−Ｃ２Ｈ４−（ＣＨ２ＣＨ（ＣＨ３）Ｏ）p509−Ｃ２Ｈ４−
−Ｃ２Ｈ４−（ＣＨ２ＣＨ（ＣＨ３）Ｏ）p509−Ｃ３Ｈ６−
−Ｃ３Ｈ６−（ＣＨ２ＣＨ（ＣＨ３）Ｏ）p509−ＣＨ２−
−Ｃ３Ｈ６−（ＣＨ２ＣＨ（ＣＨ３）Ｏ）p509−Ｃ２Ｈ４−
−Ｃ３Ｈ６−（ＣＨ２ＣＨ（ＣＨ３）Ｏ）p509−Ｃ３Ｈ６−
【０４６８】
一般式（V）のＡ１における、「−Ｏ−、−ＯＣＯ−、−ＣＯＯ−及びアリーレン基から選ばれる少なくとも１つの基を鎖中に有し、且つ、ヒドロキシル基を置換基として有する炭素数１〜２１のアルキレン基」としては、例えば、下記一般式（V−７−１）又は（V−７−２）で示される基等が挙げられる。
【０４６９】
−Ｒ５５２−Ｘ５０１−Ｒ５５２−      （V−７−１）
（式中、２つのＲ５５２は、それぞれ独立して、ヒドロキシル基を置換基として有する若しくは無置換の炭素数１〜１０のアルキレン基を表し、Ｘ５０１は上記と同じである。但し、２つのＲ５５２のうちの少なくとも１つは、ヒドロキシル基を置換基として有する炭素数１〜６のアルキレン基を表す。）
−Ｒ５５２−Ｘ１−Ｒ５５２−Ｘ１−Ｒ５５２−      （V−７−２）
（式中、３つのＲ５５２は、それぞれ独立して、上記と同じであり、２つのＸ１も、それぞれ独立して、上記と同じである。但し、３つのＲ５５２のうちの少なくとも１つは、ヒドロキシル基を置換基として有する炭素数１〜１０のアルキレン基を表し、上記式中の炭素数の総数は２１以下である。）
【０４７０】
上記一般式（V−７−１）及び（V−７−２）のＲ５５２におけるヒドロキシル基を置換基として有する炭素数１〜１０のアルキレン基としては、炭素数１〜６が好ましく、炭素数１〜３がより好ましく、１又は２個のヒドロキシル基を有するものが好ましい。
具体的には、例えば、ヒドロキシメチレン基、ヒドロキシエチレン基、ヒドロキシプロピレン基、ヒドロキシブチレン基、ヒドロキシペンチレン基、ヒドロキシへキシレン基、ヒドロキシメチルペンチレン基、ヒドロキシ−ｎ−へプチレン基、ヒドロキシ−ｎ−オクチレン基、ヒドロキシ−ｎ−ノニレン基、ヒドロキシ−ｎ−デシレン基、ヒドロキシシクロペンチレン基、ヒドロキシシクロへキシレン基、ジヒドロキシエチレン基、ジヒドロキシプロピレン基等が挙げられる。
【０４７１】
上記一般式（V−７−１）及び（V−７−２）のＲ５５２における無置換の炭素数１〜１０のアルキレン基としては、上記一般式（V−６−１）及び（V−６−２）のＲ５５１における炭素数１〜１０のアルキレン基と同じものが挙げられ、好ましいものも同じである。
また、上記一般式（V−７−１）及び（V−７−２）のＸ１におけるアリーレン基としては、フェニレン基、ナフチレン基が挙げられ、フェニレン基が好ましい。
【０４７２】
一般式（V−７−１）で示される基の好ましい具体例としては、例えば、下記一般式が挙げられる（式中、Ｘ５１１は、−Ｏ−、−ＯＣＯ−、ＣＯＯ−又はフェニレン基を表す。）
−ＣＨ２−Ｘ５１１−Ｃ３Ｈ５（ＯＨ）−
−ＣＨ２−Ｘ５１１−Ｃ４Ｈ７（ＯＨ）−
−ＣＨ２−Ｘ５１１−Ｃ５Ｈ９（ＯＨ）−
−ＣＨ２−Ｘ５１１−Ｃ６Ｈ１１（ＯＨ）−
−Ｃ２Ｈ４−Ｘ５１１−Ｃ３Ｈ５（ＯＨ）−
−Ｃ２Ｈ４−Ｘ５１１−Ｃ４Ｈ７（ＯＨ）−
−Ｃ２Ｈ４−Ｘ５１１−Ｃ５Ｈ９（ＯＨ）−
−Ｃ２Ｈ４−Ｘ５１１−Ｃ６Ｈ１１（ＯＨ）−
−Ｃ３Ｈ６−Ｘ５１１−Ｃ３Ｈ５（ＯＨ）−
−Ｃ３Ｈ６−Ｘ５１１−Ｃ４Ｈ７（ＯＨ）−
−Ｃ３Ｈ６−Ｘ５１１−Ｃ５Ｈ９（ＯＨ）−
−Ｃ３Ｈ６−Ｘ５１１−Ｃ６Ｈ１１（ＯＨ）−
−Ｃ３Ｈ５（ＯＨ）−Ｘ５１１−ＣＨ２−
−Ｃ３Ｈ５（ＯＨ）−Ｘ５１１−Ｃ２Ｈ４−
−Ｃ３Ｈ５（ＯＨ）−Ｘ５１１−Ｃ３Ｈ６−
−Ｃ３Ｈ５（ＯＨ）−Ｘ５１１−Ｃ４Ｈ８−
−Ｃ３Ｈ５（ＯＨ）−Ｘ５１１−Ｃ５Ｈ１０−
−Ｃ３Ｈ５（ＯＨ）−Ｘ５１１−Ｃ６Ｈ１２−
−Ｃ３Ｈ５（ＯＨ）−Ｘ５１１−Ｃ３Ｈ５（ＯＨ）−
−Ｃ３Ｈ５（ＯＨ）−Ｘ５１１−Ｃ４Ｈ７（ＯＨ）−
−Ｃ３Ｈ５（ＯＨ）−Ｘ５１１−Ｃ５Ｈ９（ＯＨ）−
−Ｃ３Ｈ５（ＯＨ）−Ｘ５１１−Ｃ６Ｈ１１（ＯＨ）−
【０４７３】
一般式（V−７−２）で示される基の好ましい具体例としては、例えば、下記一般式が挙げられる（式中、Ｘ５１１は、それぞれ独立して−Ｏ−、−ＯＣＯ−、ＣＯＯ−又はフェニレン基を表す。）
−ＣＨ２−Ｘ５１１−Ｃ３Ｈ５（ＯＨ）−Ｘ５１１−ＣＨ２−
−Ｃ２Ｈ４−Ｘ５１１−Ｃ３Ｈ５（ＯＨ）−Ｘ５１１−Ｃ２Ｈ４−
−Ｃ２Ｈ４−Ｘ５１１−Ｃ３Ｈ５（ＯＨ）−Ｘ５１１−Ｃ３Ｈ６−
−Ｃ２Ｈ４−Ｘ５１１−Ｃ３Ｈ５（ＯＨ）−Ｘ５１１−Ｃ４Ｈ８−
−Ｃ２Ｈ４−Ｘ５１１−Ｃ３Ｈ５（ＯＨ）−Ｘ５１１−Ｃ５Ｈ１０−
−Ｃ２Ｈ４−Ｘ５１１−Ｃ３Ｈ５（ＯＨ）−Ｘ５１１−Ｃ６Ｈ１２−
−Ｃ３Ｈ６−Ｘ５１１−Ｃ３Ｈ５（ＯＨ）−Ｘ５１１−Ｃ２Ｈ４−
−Ｃ３Ｈ６−Ｘ５１１−Ｃ３Ｈ５（ＯＨ）−Ｘ５１１−Ｃ３Ｈ６−
−Ｃ３Ｈ６−Ｘ５１１−Ｃ３Ｈ５（ＯＨ）−Ｘ５１１−Ｃ４Ｈ８−
−Ｃ３Ｈ６−Ｘ５１１−Ｃ３Ｈ５（ＯＨ）−Ｘ５１１−Ｃ５Ｈ１０−
−Ｃ３Ｈ６−Ｘ５１１−Ｃ３Ｈ５（ＯＨ）−Ｘ５１１−Ｃ６Ｈ１２−
−Ｃ４Ｈ８−Ｘ５１１−Ｃ３Ｈ５（ＯＨ）−Ｘ５１１−Ｃ４Ｈ８−
−Ｃ５Ｈ１０−Ｘ５１１−Ｃ３Ｈ５（ＯＨ）−Ｘ５１１−Ｃ５Ｈ１０−
−Ｃ６Ｈ１２−Ｘ５１１−Ｃ３Ｈ５（ＯＨ）−Ｘ５１１−Ｃ６Ｈ１２−
−Ｃ２Ｈ４−Ｘ５１１−Ｃ３Ｈ５（ＯＨ）−Ｘ５１１−Ｃ３Ｈ５（ＯＨ）−
−Ｃ２Ｈ４−Ｘ５１１−Ｃ３Ｈ５（ＯＨ）−Ｘ５１１−Ｃ４Ｈ７（ＯＨ）−
−Ｃ２Ｈ４−Ｘ５１１−Ｃ３Ｈ５（ＯＨ）−Ｘ５１１−Ｃ５Ｈ９（ＯＨ）−
−Ｃ２Ｈ４−Ｘ５１１−Ｃ３Ｈ５（ＯＨ）−Ｘ５１１−Ｃ６Ｈ５１１（ＯＨ）−
−Ｃ３Ｈ６−Ｘ５１１−Ｃ３Ｈ５（ＯＨ）−Ｘ５１１−Ｃ２Ｈ３（ＯＨ）−
−Ｃ３Ｈ６−Ｘ５１１−Ｃ３Ｈ５（ＯＨ）−Ｘ５１１−Ｃ３Ｈ５（ＯＨ）−
−Ｃ４Ｈ８−Ｘ５１１−Ｃ３Ｈ５（ＯＨ）−Ｘ５１１−Ｃ４Ｈ７（ＯＨ）−
−Ｃ５Ｈ１０−Ｘ５１１−Ｃ３Ｈ５（ＯＨ）−Ｘ５１１−Ｃ５Ｈ９（ＯＨ）−
−Ｃ６Ｈ１２−Ｘ５１１−Ｃ３Ｈ５（ＯＨ）−Ｘ５１１−Ｃ６Ｈ５１１（ＯＨ）−
【０４７４】
一般式（V）のＡ１における「ヒドロキシル基を置換基として有する炭素数１〜２１のアルキレン基」としては、例えば下記一般式（V−８）で示される基等が挙げられる。
−（ＣＨ２）p510−Ｒ５５６−（ＣＨ２）p510−      （V−８）
（式中、Ｒ５５６は、ヒドロキシル基を置換基として有する炭素数１〜９のアルキレン基を表し、ｐ510は、０〜６の整数を表す。）
【０４７５】
上記一般式（V−８）のＲ５５６におけるヒドロキシル基を置換基として有する炭素数１〜９のアルキレン基としては、炭素数１〜６のものが好ましく、炭素数１〜３のものがより好ましい。
具体的には、例えば、ヒドロキシメチレン基、ヒドロキシエチレン基、ヒドロキシプロピレン基、ヒドロキシメチルエチレン基、ヒドロキシブチレン基、１−ヒドロキシメチルプロピレン基、２−ヒドロキシメチルプロピレン基、ヒドロキシペンチレン基、ヒドロキシメチルブチレン基、１，２−ジ−ヒドロキシメチルプロピレン基、１−ヒドロキシエチルプロピレン基、ヒドロキシヘキシレン基、ヒドロキシメチルペンチレン基、ヒドロキシ−ｎ−へプチレン基、ヒドロキシ−ｎ−オクチレン基、ヒドロキシ−ｎ−ノニレン基、ヒドロキシシクロペンチレン基、ヒドロキシシクロへキシレン基、ヒドロキシシクロへプチレン基等が挙げられ、ヒドロキシメチレン基、ヒドロキシエチレン基、ヒドロキシプロピレン基がより好ましく、ヒドロキシエチレン基が特に好ましい。
【０４７６】
上記一般式（V−８）で示される基としては、具体的には、例えば、−ＣＨ２−Ｃ６Ｈ９（ＯＨ）−ＣＨ２−、−Ｃ２Ｈ４−Ｃ６Ｈ９（ＯＨ）−Ｃ２Ｈ４−、−Ｃ３Ｈ６−Ｃ６Ｈ９（ＯＨ）−Ｃ３Ｈ６−、−ＣＨ２−ＣＨ（ＯＨ）−Ｃ２Ｈ４−、−ＣＨ２−ＣＨ（ＯＨ）−Ｃ３Ｈ６−、−ＣＨ２−ＣＨ（ＯＨ）−Ｃ４Ｈ８−、−Ｃ２Ｈ４−ＣＨ（ＯＨ）−ＣＨ２−、−Ｃ２Ｈ４−ＣＨ（ＯＨ）−Ｃ２Ｈ４−、−Ｃ２Ｈ４−ＣＨ（ＯＨ）−Ｃ３Ｈ６−、−ＣＨ２−Ｃ２Ｈ４（ＯＨ）−Ｃ２Ｈ４−、−ＣＨ２−Ｃ２Ｈ４（ＯＨ）−Ｃ３Ｈ６−、−ＣＨ２−Ｃ２Ｈ４（ＯＨ）−Ｃ４Ｈ８−、−Ｃ２Ｈ４−Ｃ２Ｈ４（ＯＨ）−ＣＨ２−、−Ｃ２Ｈ４−Ｃ２Ｈ４（ＯＨ）−Ｃ２Ｈ４−、−Ｃ２Ｈ４−Ｃ２Ｈ４（ＯＨ）−Ｃ３Ｈ６−、等が挙げられる。
【０４７７】
一般式（V）におけるＡ１としては、−Ｏ−、−ＯＣＯ−、−ＣＯＯ−及びアリーレン基からなる群から選ばれる少なくとも１つの基を鎖中に有する炭素数１〜２１のアルキレン基、又は炭素数１〜２１のアルキレン基が好ましく、中でも、一般式（V−６−１）で示される基、一般式（V−６−２）で示される基、炭素数１〜１２のアルキレン基がより好ましく、一般式（V−６−２）で示される基、炭素数１〜６のアルキレン基が更に好ましい。
また、上記Ａ２は、−Ｏ−が好ましい。
【０４７８】
一般式（V）のＲ５０１〜Ｒ５１２、Ａ１及びＡ２の好ましい組合せとしては、例えば、下記表１６記載のものが挙げられる。
【０４７９】
【表１６】
0006662772.tif 000118
【０４８０】
一般式（V）のＡｎ−の具体例及び好ましいものは、上記電子吸引性の置換基を有するアリール基、電子吸引性の置換基を有するスルホニル基、又はハロゲン化アルキル基を含むアニオンで述べたとおりである。
【０４８１】
（２）一般式（V）で示される化合物の製造方法
本発明に係る一般式（V）で示される化合物は、例えば、下記一般式（V−２０）で示される化合物を、下記一般式（V−２１）で示される化合物、一般式（V−２２）で示される化合物、又は一般式（V−２３）で示される化合物と反応させた後、塩交換反応を行うことにより製造される。
【０４８２】
0006662772.tif 000119
（式中、Ｒ５０１〜Ｒ５１１及びＡｎ−は、上記と同じ。Ａ５１１は、ヒドロキシル基を置換基として有する若しくは無置換の炭素数１〜６のアルキレン基を表す。）
【０４８３】
0006662772.tif 000120
（式中、Ｒ５１２及びＡ２は、上記と同じ。Ａ５１２は、−Ｏ−、−ＯＣＯ−、−ＣＯＯ−及びアリーレン基から選ばれる少なくとも１つの基を鎖中に有する炭素数１〜１５のアルキレン基、−Ｏ−、−ＯＣＯ−、−ＣＯＯ−及びアリーレン基から選ばれる少なくとも１つの基を鎖中に有し、且つ、ヒドロキシル基を置換基として有する炭素数１〜１５のアルキレン基、炭素数１〜１５のアルキレン基、或いは、ヒドロキシル基を置換基として有する炭素数１〜１５のアルキレン基を表す。）
【０４８４】
0006662772.tif 000121
（式中、Ｒ５１２及びＡ２、Ａ５１２は上記と同じ。）
【０４８５】
0006662772.tif 000122
（式中、Ｒ５１２及びＡ２、Ａ５１２は、上記と同じ。）
【０４８６】
上記一般式（V−２０）におけるＡ５１１のヒドロキシル基を置換基として有する炭素数１〜６のアルキレン基としては、炭素数１〜３が好ましく、１又は２個のヒドロキシル基を有するものが好ましい。
具体的には、例えば、ヒドロキシメチレン基、ヒドロキシエチレン基、ヒドロキシプロピレン基、ヒドロキシブチレン基、ヒドロキシペンチレン基、ヒドロキシへキシレン基、ヒドロキシシクロペンチレン基、ヒドロキシシクロへキシレン基、ジヒドロキシエチレン基、ジヒドロキシプロピレン基等が挙げられる。
また、上記一般式（V−２０）におけるＡ５１１の無置換の炭素数１〜６のアルキレン基としては、メチレン基、エチレン基、プロピレン基、メチルエチレン基、ブチレン基、１−メチルプロピレン基、２−メチルプロピレン基、ペンチレン基、メチルブチレン基、１，２−ジメチルプロピレン基、１−エチルプロピレン基、ヘキシレン基等が挙げられ、メチレン基、エチレン基、プロピレン基がより好ましく、エチレン基が特に好ましい。
【０４８７】
上記一般式（V−２０）におけるＲ５０１〜Ｒ５１１、Ａｎ−、及びＡ５１１は好ましい組合せは、本発明の化合物の項の表中で記載したＲ１〜Ｒ５１１の組み合わせと、一般式（１６）で示されるＡｎ−、並びに、メチレン基、エチレン基、及びプロピレン基から選ばれるＡ５１１を適宜組合せたものが挙げられる。
【０４８８】
上記一般式（V−２０）で示される化合物は、市販のものであっても、自体公知の方法で合成したものであってもよい。
【０４８９】
上記一般式（V−２１）、（V−２２）及び（V−２３）におけるＡ５１２の、−Ｏ−、−ＯＣＯ−、−ＣＯＯ−及びアリーレン基から選ばれる少なくとも１つの基を鎖中に有し、且つ、ヒドロキシル基を置換基として有する炭素数１〜１５のアルキレン基としては、例えば、下記一般式（V−６−１’）〜（V−６−４’）で示される基等が挙げられる。
【０４９０】
−Ｒ５５１−Ｘ５０１−Ｒ５５１−      （V−６−１’）
（式中、２つのＲ５５１は、それぞれ独立して、炭素数１〜１０のアルキレン基を表し、Ｘ１は上記と同じ。但し、式中の炭素数の総数は１５以下である。）
−Ｒ５５１−Ｘ５０１−Ｒ５５１−Ｘ５０１−Ｒ５５１−      （V−６−２’）
（式中、３つのＲ５５１は、それぞれ独立して上記と同じものを表し、Ｘ５０１は上記と同じ。但し、式中の炭素数の総数は１５以下である。）
−Ｒ５５１−（Ｃ２Ｈ４Ｏ）p507−Ｒ５５１−      （V−６−３’）
（式中、２つのＲ５５１は、それぞれ独立して上記と同じものを表し、ｐ507は、１〜９の整数を表す。但し、式中の炭素数の総数は１５以下である。）
−Ｒ５５１−（ＣＨ２ＣＨ（ＣＨ３）Ｏ）p509−Ｒ５５１−  （V−６−４’）
（式中、２つのＲ５５１は、それぞれ独立して上記と同じものを表し、ｐ509は、１〜９の整数を表す。但し、式中の炭素数の総数は１５以下である。）
【０４９１】
上記一般式（V−６−１’）〜（V−６−４’）で示される基の好ましい具体例としては、上記一般式（V−６−１）〜（V−６−４）で示される基の好ましい具体例に準じたものが挙げられる。
【０４９２】
上記一般式（V−２１）、（V−２２）及び（V−２３）におけるＡ５１２の、−Ｏ−、−ＯＣＯ−、−ＣＯＯ−及びアリーレン基から選ばれる少なくとも１つの基を鎖中に有する炭素数１〜１５のアルキレン基としては、例えば、下記一般式（V−７−１’）又は（V−７−２’）で示される基等が挙げられる。
【０４９３】
−Ｒ５５２−Ｘ５０１−Ｒ５５２−      （V−７−１’）
（式中、Ｒ５５２及びＸ５０１は、上記と同じ。但し、式中の炭素数の総数は１５以下である。）
−Ｒ５５２−Ｘ５０１−Ｒ５５２−Ｘ５０１−Ｒ５５２−      （V−７−２’）
（式中、Ｒ５５２及びＸ５０１は、上記と同じ。但し、式中の炭素数の総数は１５以下である。）
【０４９４】
上記一般式（V−７−１’）又は（V−７−２’）で示される基の好ましい具体例としては、上記一般式（V−７−１）又は（V−７−２）で示される基の好ましい具体例に準じたものが挙げられる。
【０４９５】
上記一般式（V−２１）、（V−２２）及び（V−２３）におけるＡ１２の、炭素数１〜１５のアルキレン基としては、直鎖状又は分枝状であり、炭素数１〜６が好ましく、炭素数１〜３がより好ましい。
具体的には、例えば、メチレン基、エチレン基、プロピレン基、メチルエチレン基、ブチレン基、１−メチルプロピレン基、２−メチルプロピレン基、ペンチレン基、メチルブチレン基、１，２−ジメチルプロピレン基、１−エチルプロピレン基、ヘキシレン基、メチルペンチレン基、ｎ−へプチレン基、ｎ−オクチレン基、ｎ−ノニレン基、ｎ−デシレン基、ｎ−ウンデシレン基、ｎ−ドデシレン基、ｎ−トリデシレン基、ｎ−テトラデシレン基、ｎ−ペンタデシレン基、シクロペンチレン基、シクロへキシレン基、シクロへプチレン基等が挙げられ、メチレン基、エチレン基、プロピレン基、ブチレン基、ペンチレン基、ヘキシレン基等が好ましく、メチレン基、エチレン基、プロピレン基がより好ましく、エチレン基が特に好ましい。
【０４９６】
上記一般式（V−２１）、（V−２２）及び（V−２３）におけるＡ５１２の、ヒドロキシル基を置換基として有する炭素数１〜１５のアルキレン基としては、例えば、下記一般式（V−８’）で示される基等が挙げられる。
−（ＣＨ２）p510−Ｒ５５６−（ＣＨ２）p510−      （V−８’）
（式中、Ｒ５５６は、ヒドロキシル基を置換基として有する炭素数１〜９のアルキレン基を表し、ｐ510は、０〜６の整数を表す。但し、式中の炭素数の総数は１５以下である。）
【０４９７】
上記一般式（V−８’）で示される基の好ましい具体例としては、上記一般式（V−８）で示される基の好ましい具体例に準じたものが挙げられる。
【０４９８】
上記一般式（V−２１）の好ましい具体例としては、下記一般式（V−２１’）が挙げられる。
【０４９９】
0006662772.tif 000123
［式中、Ｒ５１２は上記と同じ。Ａ’５１２は、上記一般式（V−６−１’）、（V−６−２’）又は炭素数１〜６のアルキレン基を表す。］
【０５００】
Ａ’５１２における炭素数１〜６のアルキレン基としては、メチレン基、エチレン基、プロピレン基、メチルエチレン基、ブチレン基、１−メチルプロピレン基、２−メチルプロピレン基、ペンチレン基、メチルブチレン基、１，２−ジメチルプロピレン基、１−エチルプロピレン基、ヘキシレン基等が挙げられ、メチレン基、エチレン基、プロピレン基がより好ましく、エチレン基が特に好ましい。
【０５０１】
上記一般式（V−２２）の好ましい具体例としては、下記一般式（V−２２’）が挙げられる。
【０５０２】
0006662772.tif 000124
（式中、Ｒ５１２及びＡ’５１２は、上記と同じ。）
【０５０３】
上記一般式（V−２３）の好ましい具体例としては、下記一般式（V−２３’）が挙げられる。
【０５０４】
0006662772.tif 000125
（式中、Ｒ５１２及びＡ’５１２は、上記と同じ。）
【０５０５】
一般式（V−２０）で示される化合物と下記一般式（V−２１）で示される化合物で示される化合物との反応においては、溶媒中、脱水縮合剤の存在下で通常１０〜５０℃、好ましくは１０〜３０℃で、通常１〜５０時間、好ましくは５〜３０時間反応させればよい。
上記一般式（V−２１）で示される化合物の使用量は、一般式（V−２０）で示される化合物の１〜５モル倍であり、好ましくは１〜２モル倍である。
上記溶媒は、上記の一般式（I−I）で示されるローダミン化合物と一般式（I−II）で示される化合物とを反応させる方法で用いられる溶媒と同じものが挙げられ、好ましいものも同じである。
【０５０６】
上記脱水縮合剤は、上記一般式（I−I）で示されるローダミン化合物と一般式（I−II）で示される化合物とを反応させる方法で用いられる脱水縮合剤と同じものが挙げられ、好ましいものも同じである。該脱水縮合剤の使用量は、一般式（V−２２）で示される化合物に対して、１〜１０モル倍、好ましくは１〜５モル倍である。該反応においては、脱水縮合剤の効率を向上させるために、ジメチルアミノピリジン等の触媒を用いてもよい。該触媒の使用量は、一般式（V−２２）で示される化合物に対して、０．１〜１０モル倍である。
【０５０７】
一般式（V−２０）で示される化合物と下記一般式（V−２２）で示される化合物又は一般式（V−２３）で示される化合物との反応においては、溶媒中、通常６０〜９０℃、好ましくは７０〜９０℃で、通常１〜１０時間、好ましくは３〜５時間反応させればよい。該反応においては、モレキュラーシーブスの存在下で反応を行うのがより好ましい。モレキュラーシーブスを存在させることにより、副生成物である塩酸ガスを吸着することができ、反応を促進することができる。該モレキュラーシーブスの使用量は、通常一般式（V−２０）で示される化合物の１〜５倍重量、好ましくは１〜３倍重量である。
【０５０８】
上記一般式（V−２２）で示される化合物の使用量は、通常一般式（V−２０）で示される化合物の１〜５モル倍であり、好ましくは１〜３モル倍である。
また、上記溶媒としては、上記一般式（V−２０）で示される化合物と一般式（V−２１）で示される化合物の反応で用いられる溶媒と同じものが挙げられる。
【０５０９】
一般式［V］で示される化合物の製造方法における塩交換反応としては、一般式（V−２０）で示される化合物と、一般式（V−２１）で示される化合物、一般式（V−２２）又は一般式（V−２３）で示される化合物を反応させて得た化合物に、本発明に係るアニオンの塩を溶媒中で接触させることにより、なされればよい。
また、塩交換反応は、通常１０〜５０℃、好ましくは２０〜３０℃で０．１〜１０時間、好ましくは０．１〜６時間なされる。この際に用いられる溶媒としては、上記一般式（V−２０）で示される化合物と一般式（V−２１）で示される化合物の反応で用いられる溶媒と同じものが挙げられる。
【０５１０】
本発明に係るアニオンの塩としては、該アニオンと、ナトリウムの塩、カリウムの塩、リチウムの塩等が挙げられ、カリウム又はリチウムの塩が好ましい。本発明に係るアニオンの塩の使用量は、一般式（V−２０）で示される化合物１ｍｏｌに対して、通常１〜２ｍｏｌ量、好ましくは１〜１．５ｍｏｌ量である。
【０５１１】
本発明に係る製造方法は、具体的には、例えば、一般式（V−２０）で示される化合物と一般式（V−２１）で示される化合物を反応させる場合、先ず、一般式（V−２０）で示される化合物と一般式（V−２０）で示される化合物の１〜２倍モルの一般式（V−２１）で示される化合物とを、一般式（V−２０）で示される化合物の０．１〜１倍モルのジメチルアミノピリジン、及び、一般式（V−２０）で示される化合物の１〜５倍モルのカルボジイミド類の存在下、クロロメタン、塩化メチレン、クロロホルム、四塩化炭素、ジクロロエタン、トリクロロエタン、クロロベンゼン等のハロゲン化炭化水素の溶媒中、１０〜３０℃で５〜３０時間反応させる。その後、得られた反応物に、例えば上記一般式（１６）で示されるホウ素のリチウム塩を、一般式（V−２０）で示される化合物の１〜２倍モル添加し、クロロメタン、塩化メチレン、クロロホルム、四塩化炭素、ジクロロエタン、トリクロロエタン、クロロベンゼン等のハロゲン化炭化水素の溶媒中、１０〜５０℃で０．１〜６時間反応させることにより、一般式［V］で示される化合物が得られる。
【０５１２】
また、本発明に係る製造方法は、一般式（V−２０）で示される化合物を塩交換反応に付した後、該塩交換した一般式（V−２０）で示される化合物と一般式（V−２１）で示される化合物、一般式（V−２２）で示される化合物又は一般式（V−２３）で示される化合物とを反応させることにより製造してもよい。
この場合の塩交換反応は、一般式（V−２０）で示される化合物に、本発明に係るアニオンの塩を溶媒中で接触させることによりなされればよい。ここで用いられる本発明に係るアニオンの塩や、溶媒、反応条件等については、上記塩交換反応と同じものが挙げられる。
また、塩交換反応後の一般式（V−２０）で示される化合物と一般式（V−２１）で示される化合物の反応、塩交換反応後の一般式（V−２０）で示される化合物と一般式（V−２２）で示される化合物の反応並びに、塩交換反応後の一般式（V−２０）で示される化合物と一般式（V−２３）で示される化合物の反応の反応条件やその他の条件は、上記本発明の製造方法と同じである。
【０５１３】
該製造方法は、具体的には、例えば、一般式（V−２０）で示される化合物と一般式（V−２２）で示される化合物を反応させる場合、先ず、一般式（V−２０）で示される化合物に、例えば上記一般式（１６）で示されるホウ素のリチウム塩を、一般式（V−２０）で示される化合物の１〜２倍モル添加し、クロロメタン、塩化メチレン、クロロホルム、四塩化炭素、ジクロロエタン、トリクロロエタン、クロロベンゼン等のハロゲン化炭化水素の溶媒中、１０〜５０℃で０．１〜６時間反応させる。その後、得られた塩交換された一般式（V−２０）で示される化合物と、一般式（V−２０）で示される化合物の１〜２倍モルの一般式（V−２１）で示される化合物とを、クロロメタン、塩化メチレン、クロロホルム、四塩化炭素、ジクロロエタン、トリクロロエタン、クロロベンゼン等のハロゲン化炭化水素の溶媒中、７０〜９０℃で３〜５時間反応させることにより、一般式［V］で示される化合物を得ることができる。
【０５１４】
２−６．一般式（VI）で示される化合物について
次に、カチオン性ローダミン誘導体とエチレン性不飽和基とを有する化合物としての一般式（VI）で示される化合物の具体的な化合物、製法などについて、説明する。
【０５１５】
（１）一般式（VI）で示される化合物
本発明に係るカチオン性ローダミン誘導体とエチレン性不飽和基とを有する化合物としては、前記したように、具体的には、上記の一般式（I）、（II）で示される化合物と、次の一般式（VI）で示される化合物が挙げられる。
【０５１６】
0006662772.tif 000126
［一般式（VI）中、Ｒ７及びＡｎ−は、上記一般式（I）と同じであり、Ａ６０１は、−Ｏ−又は下記一般式（VI−２−１）で示される基を表し、
【０５１７】
0006662772.tif 000127
（式中、Ｒ６０８及びＲ６０９は、それぞれ独立して、水素原子または炭素数１〜１２のアルキル基を表し、Ａ６０４は、窒素原子または下記式（VI−２−２）で示される基を表し、
0006662772.tif 000128
ｎ６０２は、０〜３の整数を表し、Ｒ６０８とＲ６０９は、これらと結合している−Ｎ−（ＣＨ２）ｎ６０２−（Ａ６０４）ｎ６０３−とで、５〜６員環の環状構造を形成してもよく、Ｒ６０８、Ｒ６０９及び−Ｎ−（ＣＨ２）ｎ６０２−（Ａ６０４）ｎ６０３−で５〜６員環の環状構造を形成している場合、ｎ６０３は１を表し、５〜６員環の環状構造を形成していない場合、ｎ６０３は０又は１を表す。）
Ａ６０２は、−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有し、且つ、ヒドロキシル基を置換基として有する炭素数１〜２１のアルキレン基；ヒドロキシル基を置換基として有する炭素数１〜２１のアルキレン基；又は炭素数１〜２１のアルキレン基を表し、Ａ６０３は、−ＮＲ６１０−又は−Ｏ−を表し、Ｒ６１０は、水素原子または炭素数１〜１２のアルキル基を表す。ｎ６０１個のＲ６０５は、それぞれ独立して、ハロゲン原子、炭素数１〜２０のアルキル基、炭素数１〜２０のアルコキシ基、炭素数１〜２０のアルキルチオ基、又は置換基を有する若しくは無置換のアミノ基を表し、Ｙ６０１は、酸素原子、硫黄原子、−ＮＲ６３２−、−ＢＲ６３３−又は−Ｓｉ（Ｒ６３４）２−を表し、Ｒ６３２、Ｒ６３３及び２個のＲ６３４は、炭素数１〜６のアルキル基を表し、Ａｒ１は、下記一般式（VI−１−１）〜（VI−１−７）で示される環構造を表し；
【０５１８】
0006662772.tif 000129
（式中、Ｒ６０１及びＲ６０４は、それぞれ独立して、水素原子又はメチル基を表し、Ｒ６０２及びＲ６０３は、それぞれ独立して、炭素数１〜２０のアルキル基を表し、Ｒ６０１とＲ６０２とで炭素数２〜４のアルキレン基を形成していてもよく、Ｒ６０３とＲ６０４とで炭素数２〜４のアルキレン基を形成していてもよい。）
【０５１９】
0006662772.tif 000130
（式中、Ｒ６３１は、炭素数１〜２０のアルキル基を表す。）
【０５２０】
0006662772.tif 000131
（式中、Ｒ６３１は、上記と同じ。）
【０５２１】
0006662772.tif 000132
（式中、Ｒ６３１は、上記と同じ。）
【０５２２】
0006662772.tif 000133
（式中、Ｒ６３１は、上記と同じ。）
【０５２３】
0006662772.tif 000134
（式中、Ｒ６３１は、上記と同じ。）
【０５２４】
0006662772.tif 000135
（式中、Ｒ６３１は、上記と同じ。）
＊及び＊＊は、それぞれの結合位置を表し、Ａｒ２は、ベンゼン環、ナフタレン環又はアントラセン環を表す。Ａｒ２がベンゼン環の場合、ｎ６０１は０〜４の整数を表し、Ａｒ２がナフタレン環の場合、ｎ６０１は０〜６の整数を表し、Ａｒ２がアントラセン環の場合、ｎ６０１は０〜８の整数を表す。］
【０５２５】
一般式（VI−２−１）のＲ６０８及びＲ６０９における炭素数１〜１２のアルキル基としては、直鎖状、分枝状及び環状のうちいずれであってもよく、なかでも、直鎖状及び分枝状が好ましい。また、炭素数１〜１２のアルキル基の中でも、炭素数１〜６のものが好ましく、炭素数１〜３のものがより好ましい。
具体的には、例えば、メチル基、エチル基、ｎ−プロピル基、イソプロピル基、ｎ−ブチル基、イソブチル基、ｓｅｃ−ブチル基、ｔｅｒｔ−ブチル基、シクロブチル基、ｎ−ペンチル基、イソペンチル基、ｓｅｃ−ペンチル基、ｔｅｒｔ−ペンチル基、ネオペンチル基、２−メチルブチル基、１，２−ジメチルプロピル基、１−エチルプロピル基、シクロペンチル基、ｎ−ヘキシル基、イソヘキシル基、ｓｅｃ−ヘキシル基、ｔｅｒｔ−ヘキシル基、ネオヘキシル基、２−メチルペンチル基、１，２−ジメチルブチル基、２，３−ジメチルブチル基、１−エチルブチル基、シクロヘキシル基、ｎ−ヘプチル基、イソヘプチル基、ｓｅｃ−ヘプチル基、ｔｅｒｔ−ヘプチル基、ネオヘプチル基、シクロヘプチル基、ｎ−オクチル基、イソオクチル基、ｓｅｃ−オクチル基、ｔｅｒｔ−オクチル基、ネオオクチル基、２−エチルヘキシル基、シクロオクチル基、ｎ−ノニル基、イソノニル基、ｓｅｃ−ノニル基、ｔｅｒｔ−ノニル基、ネオノニル基、シクロノニル基、ｎ−デシル基、イソデシル基、ｓｅｃ−デシル基、ｔｅｒｔ−デシル基、ネオデシル基、シクロデシル基、ｎ−ウンデシル基、シクロウンデシル基、ｎ−ドデシル基、シクロドデシル基、シクロヘキシルメチル基、１−シクロヘキシルエチル基、２−メチルシクロへキシル基、３−メチルシクロへキシル基、４−メチルシクロへキシル基、２，６−ジメチルシクロへキシル基、２，４−ジメチルシクロへキシル基、３，５−ジメチルシクロへキシル基、２，５−ジメチルシクロへキシル基、２，３−ジメチルシクロへキシル基、３，３，５−トリメチルシクロへキシル基、４−ｔｅｒｔ−ブチルシクロへキシル基、１−アダマンチル基、２−アダマンチル基等が挙げられ、メチル基、エチル基、ｎ−プロピル基、イソプロピル基、ｎ−ブチル基、イソブチル基、ｓｅｃ−ブチル基、ｔｅｒｔ−ブチル基、シクロブチル基、ｎ−ペンチル基、イソペンチル基、ｓｅｃ−ペンチル基、ｔｅｒｔ−ペンチル基、ネオペンチル基、２−メチルブチル基、１，２−ジメチルプロピル基、１−エチルプロピル基、シクロペンチル基、ｎ−ヘキシル基、イソヘキシル基、ｓｅｃ−ヘキシル基、ｔｅｒｔ−ヘキシル基、ネオヘキシル基、２−メチルペンチル基、１，２−ジメチルブチル基、２，３−ジメチルブチル基、１−エチルブチル基、シクロヘキシル基が好ましく、メチル基、エチル基、ｎ−プロピル基、イソプロピル基がより好ましい。
【０５２６】
一般式（VI−２−１）におけるＲ６０８及びＲ６０９としては、水素原子及び炭素数１〜３のアルキル基が好ましく、水素原子がより好ましい。具体的には、水素原子、メチル基、エチル基、ｎ−プロピル基、イソプロピル基等が好ましく、水素原子がより好ましい。
一般式（VI−２−１）のＡ６０４は、式（２−２）で示される基が好ましい。
一般式（VI−２−１）のＲ６０８とＲ６０９が、これらと結合している−Ｎ−（ＣＨ２）ｎ６０２−（Ａ４）ｎ６０３−とで、５〜６員環の環状構造を形成している場合、ｎ６０３は１であって、当該環状構造は、下記一般式（VI−２−３）で示されるものである。
【０５２７】
0006662772.tif 000136
（式中、ｎ６０４は、０〜４の整数を表し、Ａ６０４及びｎ６０２は上記と同じ。ただし、ｎ６０２＋ｎ６０４は３〜４の整数である。）
【０５２８】
一般式（VI−２−１）のｎ６０２は、一般式（VI−２−３）で示される環状構造を形成している場合には、２が好ましく、一般式（VI−２−３）で示される環状構造を形成していない場合には、０が好ましい。
一般式（VI−２−１）のｎ６０３は、一般式（VI−２−３）で示される環状構造を形成している場合には、１を表し、一般式（VI−２−３）で示される環状構造を形成していない場合には、０が好ましい。
一般式（VI−２−３）のｎ６０４は、２が好ましい。
一般式（VI−２−３）で示される環状構造は、５〜６員環を表し、６員環が好ましい。
一般式（VI−２−３）で示される環状構造の具体例としては、例えば、下記のものが挙げられる。
【０５２９】
0006662772.tif 000137
【０５３０】
上記具体例の中でも、下記のものが好ましい。
【０５３１】
0006662772.tif 000138
【０５３２】
一般式（VI）のＡ６０２における、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」、「−Ｏ−、−ＯＣＯ−、−ＣＯＯ−又はアリーレン基の少なくとも１つの基をその鎖中に有し、且つ、ヒドロキシル基を置換基として有する炭素数１〜２１のアルキレン基」、「ヒドロキシル基を置換基として有する炭素数１〜２１のアルキレン基」及び「炭素数１〜２１のアルキレン基」における、炭素数１〜２１のアルキレン基は、一般式（II）のＡ１における炭素数１〜２１のアルキレン基と同じものが挙げられ、好ましいものも同じである。
【０５３３】
一般式（VI）のＡ６０２における、「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」及び「−Ｏ−、−ＯＣＯ−、−ＣＯＯ−基又はアリーレンをその鎖中に有し、且つ、ヒドロキシル基を置換基として有する炭素数１〜２１のアルキレン基」におけるアリーレン基としては、炭素数６〜１０のものが挙げられ、具体的にはフェニレン基、ナフチレン基等が挙げられる。
【０５３４】
一般式（VI）のＡ６０２における「−Ｏ−、−ＯＣＯ−、−ＣＯＯ−、−ＮＨＣＯ−、−ＣＯＮＨ−、−ＮＨＣＯＮＨ−及びアリーレン基からなる群から選ばれる少なくとも１つの基を鎖中に有する炭素数１〜２１のアルキレン基」としては、例えば下記一般式（VI−２１−１）〜（VI−２１−５）で示される基等が挙げられる。
【０５３５】
−（Ｒ６５１−Ｏ−）h601−Ｒ６５２−      （VI−２１−１）
（式中、Ｒ６５１及びＲ６５２はそれぞれ独立して、直鎖状又は分枝状の炭素数１〜４のアルキレン基を表し、ｈ601は、１〜９の整数を表す。ただし、式中の炭素数の総数は、２〜２１である。）
−（ＣＨ２）h602−ＯＣＯ−（ＣＨ２）h603−      （VI−２１−２）
（式中、ｈ602及びｈ603はそれぞれ独立して、１〜１０の整数を表す。）
−（ＣＨ２）h604−ＯＣＯ−Ｒ６５３−ＣＯＯ−（ＣＨ２）h605−（VI−２１−３）
（式中、Ｒ６５３は、フェニレン基又は炭素数１〜７のアルキレン基を表し、ｈ604及びｈ605はそれぞれ独立して、１〜３の整数を表す。）
−（ＣＨ２）h606−Ａ６０５−（ＣＨ２）h607−      （VI−２１−４）
（式中、Ａ６０５は、−ＮＨＣＯ−、−ＣＯＮＨ−又は−ＮＨＣＯＮＨ−を表し、ｈ606及びｈ607はそれぞれ独立して、１〜１０の整数を表す。）
−（ＣＨ２）h608−Ｏ−ＣＯＮＨ−（ＣＨ２）h609−      （VI−２１−５）
（式中、ｈ608及びｈ609はそれぞれ独立して、１〜１０の整数を表す。）
【０５３６】
一般式（VI−２１−１）のＲ６５１及びＲ６５２における直鎖状又は分枝状の炭素数１〜４のアルキレン基としては、具体的には、例えば、メチレン基、エチレン基、トリメチレン基、プロピレン基、テトラメチレン基、１−メチルトリメチレン基、２−メチルトリメチレン基、１，２−ジメチルエチレン基、１，１−ジメチルエチレン基、エチルエチレン基等が挙げられ、エチレン基、プロピレン基が好ましい。
一般式（VI−２１−２）のｈ602としては、１〜３の整数が好ましく、２がより好ましい。
一般式（VI−２１−２）のｈ603としては、２が好ましい。
【０５３７】
一般式（VI−２１−３）のＲ６５３における炭素数１〜７のアルキレン基としては、具体的には例えば、メチレン基、エチレン基、トリメチレン基、テトラメチレン基、ペンタメチレン基、ヘキサメチレン基、ｎ−へプチレン基、シクロブチレン基、シクロペンチレン基、シクロへキシレン基、シクロへプチレン基等が挙げられる。
一般式（VI−２１−３）のｈ604及びｈ605としては、ｈ604とｈ605が同じ場合が好ましく、また、１〜３の整数が好ましく、２がより好ましい。
一般式（VI−２１−４）におけるＡ６０５としては、−ＮＨＣＯＮＨ−が好ましい。
一般式（VI−２１−４）のｈ606及びｈ607としては、ｈ606とｈ607が同じ場合が好ましく、また、２が好ましい。
一般式（VI−２１−５）のｈ608及びｈ609としては、ｈ608及びｈ609が同じ場合が好ましく、また、１〜４の整数が好ましい。
【０５３８】
一般式（VI−２１−１）で示される基としては、具体的には、例えば、−ＣＨ２ＣＨ２−Ｏ−ＣＨ２ＣＨ２−、−（ＣＨ２ＣＨ２−Ｏ）２−ＣＨ２ＣＨ２−、−（ＣＨ２ＣＨ２−Ｏ）３−ＣＨ２ＣＨ２−、−（ＣＨ２ＣＨ２−Ｏ）４−ＣＨ２ＣＨ２−、−（ＣＨ２ＣＨ２−Ｏ）５−ＣＨ２ＣＨ２−、−（ＣＨ２ＣＨ２−Ｏ）６−ＣＨ２ＣＨ２−、−（ＣＨ２ＣＨ２−Ｏ）７−ＣＨ２ＣＨ２−、−（ＣＨ２ＣＨ２−Ｏ）８−ＣＨ２ＣＨ２−、−（ＣＨ２ＣＨ２−Ｏ）９−ＣＨ２ＣＨ２−、−ＣＨ２ＣＨ（ＣＨ３）−Ｏ−ＣＨ２ＣＨ（ＣＨ３）−、−（ＣＨ２ＣＨ（ＣＨ３）−Ｏ）２−ＣＨ２ＣＨ（ＣＨ３）−、−（ＣＨ２ＣＨ（ＣＨ３）−Ｏ）３−ＣＨ２ＣＨ（ＣＨ３）−、−（ＣＨ２ＣＨ（ＣＨ３）−Ｏ）４−ＣＨ２ＣＨ（ＣＨ３）−、−（ＣＨ２ＣＨ（ＣＨ３）−Ｏ）５−ＣＨ２ＣＨ（ＣＨ３）−、−（ＣＨ２ＣＨ（ＣＨ３）−Ｏ）６−ＣＨ２ＣＨ（ＣＨ３）−、−ＣＨ（ＣＨ３）ＣＨ２−Ｏ−ＣＨ（ＣＨ３）ＣＨ２−、−（ＣＨ（ＣＨ３）ＣＨ２−Ｏ）２−ＣＨ（ＣＨ３）ＣＨ２−、−（ＣＨ（ＣＨ３）ＣＨ２−Ｏ）３−ＣＨ（ＣＨ３）ＣＨ２−、−（ＣＨ（ＣＨ３）ＣＨ２−Ｏ）４−ＣＨ（ＣＨ３）ＣＨ２−、−（ＣＨ（ＣＨ３）ＣＨ２−Ｏ）５−ＣＨ（ＣＨ３）ＣＨ２−、−（ＣＨ（ＣＨ３）ＣＨ２−Ｏ）６−ＣＨ（ＣＨ３）ＣＨ２−、−ＣＨ（ＣＨ３）ＣＨ２−Ｏ−ＣＨ２ＣＨ（ＣＨ３）−等が挙げられる。
【０５３９】
一般式（VI−２１−２）で示される基としては、具体的には、例えば、−ＣＨ２−Ｏ−ＣＯ−（ＣＨ２）２−、−（ＣＨ２）２−Ｏ−ＣＯ−（ＣＨ２）２−、−（ＣＨ２）３−Ｏ−ＣＯ−（ＣＨ２）２−等が挙げられる。
【０５４０】
一般式（VI−２１−３）で示される基としては、具体的には、例えば、−ＣＨ２−Ｏ−ＣＯ−ＣＨ２−ＣＯ−Ｏ−ＣＨ２−、−ＣＨ２−Ｏ−ＣＯ−（ＣＨ２）２−ＣＯ−Ｏ−ＣＨ２−、−ＣＨ２−Ｏ−ＣＯ−（ＣＨ２）３−ＣＯ−Ｏ−ＣＨ２−、−ＣＨ２−Ｏ−ＣＯ−（ＣＨ２）４−ＣＯ−Ｏ−ＣＨ２−、−ＣＨ２−Ｏ−ＣＯ−（ＣＨ２）５−ＣＯ−Ｏ−ＣＨ２−、−ＣＨ２−Ｏ−ＣＯ−（ＣＨ２）６−ＣＯ−Ｏ−ＣＨ２−、−ＣＨ２−Ｏ−ＣＯ−（ＣＨ２）７−ＣＯ−Ｏ−ＣＨ２−、−（ＣＨ２）２−Ｏ−ＣＯ−ＣＨ２−ＣＯ−Ｏ−（ＣＨ２）２−、−（ＣＨ２）２−Ｏ−ＣＯ−（ＣＨ２）２−ＣＯ−Ｏ−（ＣＨ２）２−、−（ＣＨ２）２−Ｏ−ＣＯ−（ＣＨ２）３−ＣＯ−Ｏ−（ＣＨ２）２−、−（ＣＨ２）２−Ｏ−ＣＯ−（ＣＨ２）４−ＣＯ−Ｏ−（ＣＨ２）２−、−（ＣＨ２）２−Ｏ−ＣＯ−（ＣＨ２）５−ＣＯ−Ｏ−（ＣＨ２）２−、−（ＣＨ２）２−Ｏ−ＣＯ−（ＣＨ２）６−ＣＯ−Ｏ−（ＣＨ２）２−、−（ＣＨ２）２−Ｏ−ＣＯ−（ＣＨ２）７−ＣＯ−Ｏ−（ＣＨ２）２−、−（ＣＨ２）３−Ｏ−ＣＯ−ＣＨ２−ＣＯ−Ｏ−（ＣＨ２）３−、−（ＣＨ２）３−Ｏ−ＣＯ−（ＣＨ２）２−ＣＯ−Ｏ−（ＣＨ２）３−、−（ＣＨ２）３−Ｏ−ＣＯ−（ＣＨ２）３−ＣＯ−Ｏ−（ＣＨ２）３−、−（ＣＨ２）３−Ｏ−ＣＯ−（ＣＨ２）４−ＣＯ−Ｏ−（ＣＨ２）３−、−（ＣＨ２）３−Ｏ−ＣＯ−（ＣＨ２）５−ＣＯ−Ｏ−（ＣＨ２）３−、−（ＣＨ２）３−Ｏ−ＣＯ−（ＣＨ２）６−ＣＯ−Ｏ−（ＣＨ２）３−、−（ＣＨ２）３−Ｏ−ＣＯ−（ＣＨ２）７−ＣＯ−Ｏ−（ＣＨ２）３−、−ＣＨ２−Ｏ−ＣＯ−Ｃ６Ｈ４−ＣＯ−Ｏ−ＣＨ２−、−（ＣＨ２）２−Ｏ−ＣＯ−Ｃ６Ｈ４−ＣＯ−Ｏ−（ＣＨ２）２−、−（ＣＨ２）３−Ｏ−ＣＯ−Ｃ６Ｈ４−ＣＯ−Ｏ−（ＣＨ２）３−、−ＣＨ２−Ｏ−ＣＯ−Ｃ６Ｈ１０−ＣＯ−Ｏ−ＣＨ２−、−（ＣＨ２）２−Ｏ−ＣＯ−Ｃ６Ｈ１０−ＣＯ−Ｏ−（ＣＨ２）２−、−（ＣＨ２）３−Ｏ−ＣＯ−Ｃ６Ｈ１０−ＣＯ−Ｏ−（ＣＨ２）３−等が挙げられる。
【０５４１】
中でも、−ＣＨ２−Ｏ−ＣＯ−ＣＨ２−ＣＯ−Ｏ−ＣＨ２−、−ＣＨ２−Ｏ−ＣＯ−（ＣＨ２）２−ＣＯ−Ｏ−ＣＨ２−、−ＣＨ２−Ｏ−ＣＯ−（ＣＨ２）３−ＣＯ−Ｏ−ＣＨ２−、−ＣＨ２−Ｏ−ＣＯ−（ＣＨ２）４−ＣＯ−Ｏ−ＣＨ２−、−ＣＨ２−Ｏ−ＣＯ−（ＣＨ２）５−ＣＯ−Ｏ−ＣＨ２−、−ＣＨ２−Ｏ−ＣＯ−（ＣＨ２）６−ＣＯ−Ｏ−ＣＨ２−、−ＣＨ２−Ｏ−ＣＯ−（ＣＨ２）７−ＣＯ−Ｏ−ＣＨ２−、−（ＣＨ２）２−Ｏ−ＣＯ−ＣＨ２−ＣＯ−Ｏ−（ＣＨ２）２−、−（ＣＨ２）２−Ｏ−ＣＯ−（ＣＨ２）２−ＣＯ−Ｏ−（ＣＨ２）２−、−（ＣＨ２）２−Ｏ−ＣＯ−（ＣＨ２）３−ＣＯ−Ｏ−（ＣＨ２）２−、−（ＣＨ２）２−Ｏ−ＣＯ−（ＣＨ２）４−ＣＯ−Ｏ−（ＣＨ２）２−、−（ＣＨ２）２−Ｏ−ＣＯ−（ＣＨ２）５−ＣＯ−Ｏ−（ＣＨ２）２−、−（ＣＨ２）２−Ｏ−ＣＯ−（ＣＨ２）６−ＣＯ−Ｏ−（ＣＨ２）２−、−（ＣＨ２）２−Ｏ−ＣＯ−（ＣＨ２）７−ＣＯ−Ｏ−（ＣＨ２）２−、−（ＣＨ２）３−Ｏ−ＣＯ−ＣＨ２−ＣＯ−Ｏ−（ＣＨ２）３−、−（ＣＨ２）３−Ｏ−ＣＯ−（ＣＨ２）２−ＣＯ−Ｏ−（ＣＨ２）３−、−（ＣＨ２）３−Ｏ−ＣＯ−（ＣＨ２）３−ＣＯ−Ｏ−（ＣＨ２）３−、−（ＣＨ２）３−Ｏ−ＣＯ−（ＣＨ２）４−ＣＯ−Ｏ−（ＣＨ２）３−、−（ＣＨ２）３−Ｏ−ＣＯ−（ＣＨ２）５−ＣＯ−Ｏ−（ＣＨ２）３−、−（ＣＨ２）３−Ｏ−ＣＯ−（ＣＨ２）６−ＣＯ−Ｏ−（ＣＨ２）３−、−（ＣＨ２）３−Ｏ−ＣＯ−（ＣＨ２）７−ＣＯ−Ｏ−（ＣＨ２）３−が好ましく、−（ＣＨ２）２−Ｏ−ＣＯ−ＣＨ２−ＣＯ−Ｏ−（ＣＨ２）２−、−（ＣＨ２）２−Ｏ−ＣＯ−（ＣＨ２）２−ＣＯ−Ｏ−（ＣＨ２）２−、−（ＣＨ２）２−Ｏ−ＣＯ−（ＣＨ２）３−ＣＯ−Ｏ−（ＣＨ２）２−、−（ＣＨ２）２−Ｏ−ＣＯ−（ＣＨ２）４−ＣＯ−Ｏ−（ＣＨ２）２−、−（ＣＨ２）２−Ｏ−ＣＯ−（ＣＨ２）５−ＣＯ−Ｏ−（ＣＨ２）２−、−（ＣＨ２）２−Ｏ−ＣＯ−（ＣＨ２）６−ＣＯ−Ｏ−（ＣＨ２）２−、−（ＣＨ２）２−Ｏ−ＣＯ−（ＣＨ２）７−ＣＯ−Ｏ−（ＣＨ２）２−がより好ましく、−（ＣＨ２）２−Ｏ−ＣＯ−（ＣＨ２）２−ＣＯ−Ｏ−（ＣＨ２）２−が特に好ましい。
【０５４２】
一般式（VI−２１−４）で示される基としては、具体的には、例えば、−ＣＨ２−ＮＨＣＯ−ＣＨ２−、−（ＣＨ２）２−ＮＨＣＯ−（ＣＨ２）２−、−（ＣＨ２）３−ＮＨＣＯ−（ＣＨ２）３−、−（ＣＨ２）４−ＮＨＣＯ−（ＣＨ２）４−、−ＣＨ２−ＣＯＮＨ−ＣＨ２−、−ＣＯＮＨ−（ＣＨ２）２−、−（ＣＨ２）３−ＣＯＮＨ−（ＣＨ２）３−、−（ＣＨ２）４−ＣＯＮＨ−（ＣＨ２）４−、−ＣＨ２−ＮＨＣＯＮＨ−ＣＨ２−、−（ＣＨ２）２−ＮＨＣＯＮＨ−（ＣＨ２）２−、−（ＣＨ２）３−ＮＨＣＯＮＨ−（ＣＨ２）３−、−（ＣＨ２）４−ＮＨＣＯＮＨ−（ＣＨ２）４−、−（ＣＨ２）５−ＮＨＣＯＮＨ−（ＣＨ２）５−、−（ＣＨ２）６−ＮＨＣＯＮＨ−（ＣＨ２）６−、−（ＣＨ２）７−ＮＨＣＯＮＨ−（ＣＨ２）７−、−（ＣＨ２）８−ＮＨＣＯＮＨ−（ＣＨ２）８−、−（ＣＨ２）９−ＮＨＣＯＮＨ−（ＣＨ２）９−、−（ＣＨ２）１０−ＮＨＣＯＮＨ−（ＣＨ２）１０−等が挙げられる。
【０５４３】
中でも、−ＣＨ２−ＮＨＣＯＮＨ−ＣＨ２−、−（ＣＨ２）２−ＮＨＣＯＮＨ−（ＣＨ２）２−、−（ＣＨ２）３−ＮＨＣＯＮＨ−（ＣＨ２）３−、−（ＣＨ２）４−ＮＨＣＯＮＨ−（ＣＨ２）４−、−（ＣＨ２）５−ＮＨＣＯＮＨ−（ＣＨ２）５−、−（ＣＨ２）６−ＮＨＣＯＮＨ−（ＣＨ２）６−、−（ＣＨ２）７−ＮＨＣＯＮＨ−（ＣＨ２）７−、−（ＣＨ２）８−ＮＨＣＯＮＨ−（ＣＨ２）８−、−（ＣＨ２）９−ＮＨＣＯＮＨ−（ＣＨ２）９−、−（ＣＨ２）１０−ＮＨＣＯＮＨ−（ＣＨ２）１０−が好ましく、−（ＣＨ２）２−ＮＨＣＯＮＨ−（ＣＨ２）２−がより好ましい。
【０５４４】
一般式（VI−２１−５）で示される基としては、具体的には、例えば、−ＣＨ２−Ｏ−ＣＯＮＨ−ＣＨ２−、−（ＣＨ２）２−Ｏ−ＣＯＮＨ−（ＣＨ２）２−、−（ＣＨ２）３−Ｏ−ＣＯＮＨ−（ＣＨ２）３−、−（ＣＨ２）４−Ｏ−ＣＯＮＨ−（ＣＨ２）４−等が挙げられる。
【０５４５】
一般式（VI）のＡ６０２における、「−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有し、且つ、ヒドロキシル基を置換基として有する炭素数１〜２１のアルキレン基」としては、例えば下記一般式（VI−２２−１）〜（VI−２２−２）で示される基等が挙げられる。
【０５４６】
−Ｒ６５４−（ＣＨ２）h610−      （VI−２２−１）
（式中、Ｒ６５４は、ヒドロキシル基を置換基として有する炭素数６〜１０のアリーレン基を表し、ｈ610は、１〜４の整数を表す。）
−Ｒ６５５−Ａ６０６−（ＣＨ２）h611−      （VI−２２−２）
（式中、Ｒ６５５は、ヒドロキシル基を置換基として有する炭素数１〜７のアルキレン基又はヒドロキシル基を置換基として有する炭素数６〜１０のアリーレン基を表し、Ａ６０６は、−Ｏ−、−ＯＣＯ−、−ＣＯＯ−、−ＮＨＣＯ−、−ＣＯＮＨ−又は−ＮＨＣＯＮＨ−を表し、ｈ611は、２〜４の整数を表す。）
【０５４７】
一般式（VI−２２−１）のＲ６５４におけるヒドロキシル基を置換基として有する炭素数６〜１０のアリーレン基としては、ヒドロキシフェニレン基、ジヒドロキシフェニレン基、ヒドロキシナフチレン基、ジヒドロキシナフチレン基等が挙げられる。
一般式（VI−２２−２）のＲ６５５におけるヒドロキシル基を置換基として有する炭素数１〜７のアルキレン基としては、ヒドロキシメチレン基、ヒドロキシエチレン基、ヒドロキシトリメチレン基、ヒドロキシテトラメチレン基、ヒドロキシペンタメチレン基、ヒドロキシヘキサメチレン基、ヒドロキシへプチレン基、ヒドロキシシクロブチレン基、ヒドロキシシクロペンチレン基、ヒドロキシシクロへキシレン基、ヒドロキシシクロへプチレン基等が挙げられる。
【０５４８】
一般式（VI−２２−２）のＲ６５５におけるヒドロキシル基を置換基として有する炭素数６〜１０のアリーレン基としては、上記一般式（VI−２２−１）のＲ６５４におけるヒドロキシル基を置換基として有する炭素数６〜１０のアリーレン基と同じものが挙げられる。
【０５４９】
一般式（VI−２２−１）で示される基の好ましい具体例としては、例えば、−Ｃ６Ｈ３（ＯＨ）−ＣＨ２−、−Ｃ６Ｈ３（ＯＨ）−（ＣＨ２）２−、−Ｃ６Ｈ３（ＯＨ）−（ＣＨ２）３−、−Ｃ６Ｈ３（ＯＨ）−（ＣＨ２）４−、−Ｃ６Ｈ２（ＯＨ）２−ＣＨ２−、−Ｃ６Ｈ２（ＯＨ）２−（ＣＨ２）２−、−Ｃ６Ｈ２（ＯＨ）２−（ＣＨ２）３−、−Ｃ６Ｈ２（ＯＨ）２−（ＣＨ２）４−等が挙げられる。
【０５５０】
一般式（VI−２２−２）で示される基の好ましい具体例としては、例えば、−ＣＨ（ＯＨ）−ＣＨ２−Ｏ−（ＣＨ２）２−、−ＣＨ（ＯＨ）−ＣＨ２−Ｏ−（ＣＨ２）３−、−ＣＨ（ＯＨ）−ＣＨ２−Ｏ−（ＣＨ２）４−、−ＣＨ（ＯＨ）−ＣＨ２−ＯＣＯ−（ＣＨ２）２−、−ＣＨ（ＯＨ）−ＣＨ２−ＯＣＯ−（ＣＨ２）３−、−ＣＨ（ＯＨ）−ＣＨ２−ＯＣＯ−（ＣＨ２）４−、−ＣＨ（ＯＨ）−ＣＨ２−ＣＯＯ−（ＣＨ２）２−、−ＣＨ（ＯＨ）−ＣＨ２−ＣＯＯ−（ＣＨ２）３−、−ＣＨ（ＯＨ）−ＣＨ２−ＣＯＯ−（ＣＨ２）４−、−ＣＨ（ＯＨ）−ＣＨ２−ＮＨＣＯ−（ＣＨ２）２−、−ＣＨ（ＯＨ）−ＣＨ２−ＮＨＣＯ−（ＣＨ２）３−、−ＣＨ（ＯＨ）−ＣＨ２−ＮＨＣＯ−（ＣＨ２）４−、−ＣＨ（ＯＨ）−ＣＨ２−ＣＯＮＨ−（ＣＨ２）２−、−ＣＨ（ＯＨ）−ＣＨ２−ＣＯＮＨ−（ＣＨ２）３−、−ＣＨ（ＯＨ）−ＣＨ２−ＣＯＮＨ−（ＣＨ２）４−、−ＣＨ（ＯＨ）−ＣＨ２−ＮＨＣＯＮＨ−（ＣＨ２）２−、−ＣＨ（ＯＨ）−ＣＨ２−ＮＨＣＯＮＨ−（ＣＨ２）３−、−ＣＨ（ＯＨ）−ＣＨ２−ＮＨＣＯＮＨ−（ＣＨ２）４